(57)【要約】  本発明のズームレンズ系は、１枚以上のレンズ素子で構成されたレンズ群を複数有し、物体側から像側へと順に負パワーでレンズ素子２枚の第１レンズ群、正パワーの第２レンズ群、正パワーの第３レンズ群を備え、ズーミング時に第１、第２レンズ群の間隔が減少し、第２、第３レンズ群の間隔が増大するようレンズ群を移動させて変倍し、条件：０．１０＜Ｄ２／（Ｉｒ×Ｚ２）＜０．３０（Ｚ＝ｆＴ／ｆＷ＞４．０、ωＷ＞３５、Ｄ２：望遠端から広角端への第２レンズ群の移動量、Ｉｒ：最大像高（Ｉｒ＝ｆＴ×ｔａｎ（ωＴ））、ｆＴ、ｆＷ：望遠端、広角端における全系の焦点距離、ωＷ、ωＴ：広角端、望遠端における最大画角の半値）を満足する。
2009096157.tif 000002
【特許請求の範囲】
【請求項１】
少なくとも１枚のレンズ素子で構成されたレンズ群を複数有するズームレンズ系であって、
物体側から像側へと順に、
負のパワーを有し、２枚のレンズ素子からなる第１レンズ群と、
正のパワーを有する第２レンズ群と、
正のパワーを有する第３レンズ群とを備え、
撮像時の広角端から望遠端へのズーミングの際に、前記第１レンズ群と第２レンズ群との間隔が減少し、かつ第２レンズ群と第３レンズ群との間隔が増大するように各レンズ群を光軸に沿ってそれぞれ移動させて変倍を行い、
以下の条件（１）を満足する、ズームレンズ系：
０．１０＜Ｄ２／（Ｉｒ×Ｚ２）＜０．３０  ・・・（１）
（ただし、Ｚ＝ｆＴ／ｆＷ＞４．０、ωＷ＞３５）
ここで、
Ｄ２：望遠端から広角端へ向けての第２レンズ群の移動量（像側から物体側へ移動する場合を正とする）、
Ｉｒ：最大像高（Ｉｒ＝ｆＴ×ｔａｎ（ωＴ））、
ｆＴ：望遠端における全系の焦点距離、
ｆＷ：広角端における全系の焦点距離、
ωＷ：広角端における最大画角の半値（°）、
ωＴ：望遠端における最大画角の半値（°）
である。
【請求項２】
第２レンズ群の像側に、ズーミングの際に該第２レンズ群と一体的に光軸上を移動する開口絞りが配置された、請求項１に記載のズームレンズ系。
【請求項３】
第１レンズ群が、物体側から像側へと順に、
負のパワーを有するレンズ素子と、
正のパワーを有し、物体側に凸面を向けたメニスカス形状のレンズ素子と
で構成される、請求項１に記載のズームレンズ系。
【請求項４】
第１レンズ群が、非球面を有するレンズ素子を少なくとも１枚含む、請求項１に記載のズームレンズ系。
【請求項５】
第１レンズ群が、少なくとも２面の非球面を含む、請求項１に記載のズームレンズ系。
【請求項６】
第３レンズ群が、１枚のレンズ素子で構成される、請求項１に記載のズームレンズ系。
【請求項７】
第３レンズ群の１枚のレンズ素子が、非球面を含む、請求項６に記載のズームレンズ系。
【請求項８】
第２レンズ群が、３枚のレンズ素子で構成される、請求項１に記載のズームレンズ系。
【請求項９】
第２レンズ群が、４枚のレンズ素子で構成される、請求項１に記載のズームレンズ系。
【請求項１０】
第２レンズ群が、光軸に対して垂直方向に移動する、請求項１に記載のズームレンズ系。
【請求項１１】
以下の条件（２）及び（３）を全系において満足する、請求項１０に記載のズームレンズ系：
ＹＴ＞Ｙ  ・・・（２）
０．０５＜（Ｙ／ＹＴ）／（ｆ／ｆＴ）＜０．６０  ・・・（３）
（ただし、Ｚ＝ｆＴ／ｆＷ＞４．０、ωＷ＞３５である）
ここで、
ｆ：全系の焦点距離、
ｆＴ：望遠端における全系の焦点距離、
Ｙ：全系の焦点距離ｆにおける、第２レンズ群の、最大ぶれ補正時の光軸に対して垂直方向への移動量、
ＹＴ：望遠端での全系の焦点距離ｆＴにおける、第２レンズ群の、最大ぶれ補正時の光軸に対して垂直方向への移動量、
ｆＷ：広角端における全系の焦点距離、
ωＷ：広角端における最大画角の半値（°）
である。
【請求項１２】
物体の光学的な像を電気的な画像信号として出力可能な撮像装置であって、
物体の光学的な像を形成するズームレンズ系と、
該ズームレンズ系により形成された光学的な像を電気的な画像信号に変換する撮像素子とを備え、
前記ズームレンズ系が、
少なくとも１枚のレンズ素子で構成されたレンズ群を複数有し、
物体側から像側へと順に、
負のパワーを有し、２枚のレンズ素子からなる第１レンズ群と、
正のパワーを有する第２レンズ群と、
正のパワーを有する第３レンズ群とを備え、
撮像時の広角端から望遠端へのズーミングの際に、前記第１レンズ群と第２レンズ群との間隔が減少し、かつ第２レンズ群と第３レンズ群との間隔が増大するように各レンズ群を光軸に沿ってそれぞれ移動させて変倍を行い、
以下の条件（１）：
０．１０＜Ｄ２／（Ｉｒ×Ｚ２）＜０．３０  ・・・（１）
（ただし、Ｚ＝ｆＴ／ｆＷ＞４．０、ωＷ＞３５）
（ここで、
Ｄ２：望遠端から広角端へ向けての第２レンズ群の移動量（像側から物体側へ移動する場合を正とする）、
Ｉｒ：最大像高（Ｉｒ＝ｆＴ×ｔａｎ（ωＴ））、
ｆＴ：望遠端における全系の焦点距離、
ｆＷ：広角端における全系の焦点距離、
ωＷ：広角端における最大画角の半値（°）、
ωＴ：望遠端における最大画角の半値（°）
である）
を満足するズームレンズ系である、撮像装置。
【請求項１３】
物体の光学的な像を電気的な画像信号に変換し、変換された画像信号の表示及び記憶の少なくとも一方を行うカメラであって、
物体の光学的な像を形成するズームレンズ系と、該ズームレンズ系により形成された光学的な像を電気的な画像信号に変換する撮像素子とを含む撮像装置を備え、
前記ズームレンズ系が、
少なくとも１枚のレンズ素子で構成されたレンズ群を複数有し、
物体側から像側へと順に、
負のパワーを有し、２枚のレンズ素子からなる第１レンズ群と、
正のパワーを有する第２レンズ群と、
正のパワーを有する第３レンズ群とを備え、
撮像時の広角端から望遠端へのズーミングの際に、前記第１レンズ群と第２レンズ群との間隔が減少し、かつ第２レンズ群と第３レンズ群との間隔が増大するように各レンズ群を光軸に沿ってそれぞれ移動させて変倍を行い、
以下の条件（１）：
０．１０＜Ｄ２／（Ｉｒ×Ｚ２）＜０．３０  ・・・（１）
（ただし、Ｚ＝ｆＴ／ｆＷ＞４．０、ωＷ＞３５）
（ここで、
Ｄ２：望遠端から広角端へ向けての第２レンズ群の移動量（像側から物体側へ移動する場合を正とする）、
Ｉｒ：最大像高（Ｉｒ＝ｆＴ×ｔａｎ（ωＴ））、
ｆＴ：望遠端における全系の焦点距離、
ｆＷ：広角端における全系の焦点距離、
ωＷ：広角端における最大画角の半値（°）、
ωＴ：望遠端における最大画角の半値（°）
である）
を満足するズームレンズ系である、カメラ。
【請求項１４】
少なくとも１枚のレンズ素子で構成されたレンズ群を複数有するズームレンズ系であって、
物体側から像側へと順に、
負のパワーを有し、２枚のレンズ素子からなる第１レンズ群と、
正のパワーを有する第２レンズ群と、
正のパワーを有する第３レンズ群とを備え、
撮像時の広角端から望遠端へのズーミングの際に、前記第１レンズ群と第２レンズ群との間隔が減少し、かつ第２レンズ群と第３レンズ群との間隔が増大するように各レンズ群を光軸に沿ってそれぞれ移動させて変倍を行い、
以下の条件（４）を満足する、ズームレンズ系：
０．１０＜（Ｄ２Ｔ−Ｄ２Ｗ）／（Ｉｒ×Ｚ２）＜０．３０  ・・・（４）
（ただし、Ｚ＝ｆＴ／ｆＷ＞４．０、ωＷ＞３５）
ここで、
Ｄ２Ｔ：望遠端における第２レンズ群の最像側から第３レンズ群の最物体側までの軸上間隔、
Ｄ２Ｗ：広角端における第２レンズ群の最像側から第３レンズ群の最物体側までの軸上間隔、
Ｉｒ：最大像高（Ｉｒ＝ｆＴ×ｔａｎ（ωＴ））、
ｆＴ：望遠端における全系の焦点距離、
ｆＷ：広角端における全系の焦点距離、
ωＷ：広角端における最大画角の半値（°）、
ωＴ：望遠端における最大画角の半値（°）
である。
【請求項１５】
第２レンズ群の像側に、ズーミングの際に該第２レンズ群と一体的に光軸上を移動する開口絞りが配置された、請求項１４に記載のズームレンズ系。
【請求項１６】
第１レンズ群が、物体側から像側へと順に、
負のパワーを有するレンズ素子と、
正のパワーを有し、物体側に凸面を向けたメニスカス形状のレンズ素子と
で構成される、請求項１４に記載のズームレンズ系。
【請求項１７】
第１レンズ群が、非球面を有するレンズ素子を少なくとも１枚含む、請求項１４に記載のズームレンズ系。
【請求項１８】
第１レンズ群が、少なくとも２面の非球面を含む、請求項１４に記載のズームレンズ系。
【請求項１９】
第３レンズ群が、１枚のレンズ素子で構成される、請求項１４に記載のズームレンズ系。
【請求項２０】
第３レンズ群の１枚のレンズ素子が、非球面を含む、請求項１９に記載のズームレンズ系。
【請求項２１】
第２レンズ群が、３枚のレンズ素子で構成される、請求項１４に記載のズームレンズ系。
【請求項２２】
第２レンズ群が、４枚のレンズ素子で構成される、請求項１４に記載のズームレンズ系。
【請求項２３】
第２レンズ群が、光軸に対して垂直方向に移動する、請求項１４に記載のズームレンズ系。
【請求項２４】
以下の条件（２）及び（３）を全系において満足する、請求項２３に記載のズームレンズ系：
ＹＴ＞Ｙ  ・・・（２）
０．０５＜（Ｙ／ＹＴ）／（ｆ／ｆＴ）＜０．６０  ・・・（３）
（ただし、Ｚ＝ｆＴ／ｆＷ＞４．０、ωＷ＞３５である）
ここで、
ｆ：全系の焦点距離、
ｆＴ：望遠端における全系の焦点距離、
Ｙ：全系の焦点距離ｆにおける、第２レンズ群の、最大ぶれ補正時の光軸に対して垂直方向への移動量、
ＹＴ：望遠端での全系の焦点距離ｆＴにおける、第２レンズ群の、最大ぶれ補正時の光軸に対して垂直方向への移動量、
ｆＷ：広角端における全系の焦点距離、
ωＷ：広角端における最大画角の半値（°）
である。
【請求項２５】
物体の光学的な像を電気的な画像信号として出力可能な撮像装置であって、
物体の光学的な像を形成するズームレンズ系と、
該ズームレンズ系により形成された光学的な像を電気的な画像信号に変換する撮像素子とを備え、
前記ズームレンズ系が、
少なくとも１枚のレンズ素子で構成されたレンズ群を複数有し、
物体側から像側へと順に、
負のパワーを有し、２枚のレンズ素子からなる第１レンズ群と、
正のパワーを有する第２レンズ群と、
正のパワーを有する第３レンズ群とを備え、
撮像時の広角端から望遠端へのズーミングの際に、前記第１レンズ群と第２レンズ群との間隔が減少し、かつ第２レンズ群と第３レンズ群との間隔が増大するように各レンズ群を光軸に沿ってそれぞれ移動させて変倍を行い、
以下の条件（４）：
０．１０＜（Ｄ２Ｔ−Ｄ２Ｗ）／（Ｉｒ×Ｚ２）＜０．３０  ・・・（４）
（ただし、Ｚ＝ｆＴ／ｆＷ＞４．０、ωＷ＞３５）
（ここで、
Ｄ２Ｔ：望遠端における第２レンズ群の最像側から第３レンズ群の最物体側までの軸上間隔、
Ｄ２Ｗ：広角端における第２レンズ群の最像側から第３レンズ群の最物体側までの軸上間隔、
Ｉｒ：最大像高（Ｉｒ＝ｆＴ×ｔａｎ（ωＴ））、
ｆＴ：望遠端における全系の焦点距離、
ｆＷ：広角端における全系の焦点距離、
ωＷ：広角端における最大画角の半値（°）、
ωＴ：望遠端における最大画角の半値（°）
である）
を満足するズームレンズ系である、撮像装置。
【請求項２６】
物体の光学的な像を電気的な画像信号に変換し、変換された画像信号の表示及び記憶の少なくとも一方を行うカメラであって、
物体の光学的な像を形成するズームレンズ系と、該ズームレンズ系により形成された光学的な像を電気的な画像信号に変換する撮像素子とを含む撮像装置を備え、
前記ズームレンズ系が、
少なくとも１枚のレンズ素子で構成されたレンズ群を複数有し、
物体側から像側へと順に、
負のパワーを有し、２枚のレンズ素子からなる第１レンズ群と、
正のパワーを有する第２レンズ群と、
正のパワーを有する第３レンズ群とを備え、
撮像時の広角端から望遠端へのズーミングの際に、前記第１レンズ群と第２レンズ群との間隔が減少し、かつ第２レンズ群と第３レンズ群との間隔が増大するように各レンズ群を光軸に沿ってそれぞれ移動させて変倍を行い、
以下の条件（４）：
０．１０＜（Ｄ２Ｔ−Ｄ２Ｗ）／（Ｉｒ×Ｚ２）＜０．３０  ・・・（４）
（ただし、Ｚ＝ｆＴ／ｆＷ＞４．０、ωＷ＞３５）
（ここで、
Ｄ２Ｔ：望遠端における第２レンズ群の最像側から第３レンズ群の最物体側までの軸上間隔、
Ｄ２Ｗ：広角端における第２レンズ群の最像側から第３レンズ群の最物体側までの軸上間隔、
Ｉｒ：最大像高（Ｉｒ＝ｆＴ×ｔａｎ（ωＴ））、
ｆＴ：望遠端における全系の焦点距離、
ｆＷ：広角端における全系の焦点距離、
ωＷ：広角端における最大画角の半値（°）、
ωＴ：望遠端における最大画角の半値（°）
である）
を満足するズームレンズ系である、カメラ。
【発明の詳細な説明】
【技術分野】
【０００１】
本発明は、ズームレンズ系、撮像装置及びカメラに関する。特に本発明は、高解像度を有するのは勿論のこと、光学全長（レンズ全長）が短いだけでなく、変倍比が５倍程度と大きく、しかも広角端での画角が７０°程度で広角撮影に充分に適応し得るズームレンズ系、該ズームレンズ系を含む撮像装置、及び該撮像装置を備えた薄型で極めてコンパクトなカメラに関する。
【背景技術】
【０００２】
近年、高画素のＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）等の固体撮像素子の開発が進み、これら高画素の固体撮像素子に対応した、高い光学性能を有する撮像光学系を含む撮像装置を備えたデジタルスチルカメラやデジタルビデオカメラ（以下、単に「デジタルカメラ」という）が急速に普及してきている。このような高い光学性能を有するデジタルカメラの中でも、特にコンパクトタイプのデジタルカメラの需要が高まってきている。【０００３】
前記コンパクトタイプのデジタルカメラに対しては、携帯及び収納が容易であるという点から、さらなる薄型化が求められている。このようなコンパクトタイプで薄型のデジタルカメラを実現するために、従来より、物体側から像側へと順に、負のパワーを有する第１レンズ群と、正のパワーを有する第２レンズ群と、正のパワーを有する第３レンズ群とが配置されたネガティブリード型の３群構成で、光学全長（レンズ全長：レンズ系全体の最も物体側のレンズ面の頂点から像面までの距離）が短いズームレンズ系が種々提案されている。【０００４】
例えば特許第３５１３３６９号公報には、物体側から像側へと順に負正正の３つのレンズ群を有し、広角端と比較して望遠端で、第１、第２レンズ群の間隔及び第２、第３レンズ群の間隔が何れも減少するように各レンズ群を移動させて変倍を行い、第１レンズ群は負正２枚のレンズから、第２レンズ群は独立した正負２枚のレンズから、第３レンズ群は１枚の正レンズからなり、第２レンズ群に含まれる負レンズの物体側面の曲率半径と、全系の広角端での焦点距離とが特定の関係を満足するズームレンズが開示されている。かかる特許第３５１３３６９号公報に開示のズームレンズは、光学全長の短縮化が図られ、全変倍範囲にわたり高い光学性能を有するものである。【０００５】
また特開２００６−３０１１５４号公報には、物体側から像側へと順に負正正の３つのレンズ群を有し、変倍時に各レンズ群の間隔が変化し、撮影像高と全系の広角端での焦点距離、第１、第２レンズ群の軸上間隔と第１レンズ群の焦点距離、第１、第２レンズ群の軸上間隔と第２レンズ群の焦点距離が、各々特定の関係を満足し、特定範囲の変倍比を有するズームレンズが開示されている。かかる特開２００６−３０１１５４号公報に開示のズームレンズは、広角端での画角が大きく、比較的大きい変倍比を有するものである。【０００６】
また特開２００６−０６５０３４号公報には、物体側から像側へと順に負正正の３つのレンズ群を有し、変倍時に各レンズ群の間隔が変化し、第１レンズ群は負正２枚のレンズから、第２レンズ群は正負２枚のレンズで構成される第２ａレンズ群と該第２ａレンズ群の像側に配置された少なくとも１枚の正レンズで構成される第２ｂレンズ群とから、第３レンズ群は少なくとも１枚の正レンズからなり、第２レンズ群の広角端、望遠端での結像倍率、第１、第２レンズ群の広角端での間隔、第２、第３レンズ群の望遠端での間隔が特定の関係を満足するズームレンズが開示されている。かかる特開２００６−０６５０３４号公報に開示のズームレンズは、所望の光学性能を維持しつつ、構成レンズ枚数が少なく、比較的コンパクトなものである。
【特許文献１】特許第３５１３３６９号公報
【特許文献２】特開２００６−３０１１５４号公報
【特許文献３】特開２００６−０６５０３４号公報
【発明の開示】
【発明が解決しようとする課題】
【０００７】
しかしながら、特許第３５１３３６９号公報に開示のズームレンズは、高い光学性能を有し、広角端での画角も６５〜７５°と大きく、光学全長が短いのでコンパクトタイプのデジタルカメラのさらなる薄型化が可能であるものの、変倍比が３倍程度と小さく、近年のコンパクトタイプのデジタルカメラに対する要求を満足し得るものではない。【０００８】
また特開２００６−３０１１５４号公報に開示のズームレンズは、広角撮影に充分な画角を有し、前記特許第３５１３３６９号公報に開示のズームレンズよりも大きな変倍比を有するものの、変倍時における第２レンズ群の光軸上の移動量が大きくなるようなレンズ構成であるので、光学全長が長く、コンパクトタイプのデジタルカメラのさらなる薄型化を図ることができない。【０００９】
また特開２００６−０６５０３４号公報に開示のズームレンズも、前記特許第３５１３３６９号公報に開示のズームレンズと同様に、所望の光学性能を維持しつつ、広角撮影に充分な画角を有し、光学全長が短いのでコンパクトタイプのデジタルカメラのさらなる薄型化が可能であるものの、やはり変倍比が３倍程度と小さく、近年のコンパクトタイプのデジタルカメラに対する要求を満足し得るものではない。【００１０】
本発明の目的は、高解像度を有するのは勿論のこと、光学全長が短いだけでなく、変倍比が５倍程度と大きく、しかも広角端での画角が７０°程度で広角撮影に充分に適応し得るズームレンズ系、該ズームレンズ系を含む撮像装置、及び該撮像装置を備えた薄型で極めてコンパクトなカメラを提供することである。
【課題を解決するための手段】
【００１１】
（Ｉ）上記目的の１つは、以下のズームレンズ系により達成される。すなわち本発明は、
少なくとも１枚のレンズ素子で構成されたレンズ群を複数有するズームレンズ系であって、
物体側から像側へと順に、
負のパワーを有し、２枚のレンズ素子からなる第１レンズ群と、
正のパワーを有する第２レンズ群と、
正のパワーを有する第３レンズ群とを備え、
撮像時の広角端から望遠端へのズーミングの際に、前記第１レンズ群と第２レンズ群との間隔が減少し、かつ第２レンズ群と第３レンズ群との間隔が増大するように各レンズ群を光軸に沿ってそれぞれ移動させて変倍を行い、
以下の条件（１）：
０．１０＜Ｄ２／（Ｉｒ×Ｚ２）＜０．３０  ・・・（１）
（ただし、Ｚ＝ｆＴ／ｆＷ＞４．０、ωＷ＞３５）
（ここで、
Ｄ２：望遠端から広角端へ向けての第２レンズ群の移動量（像側から物体側へ移動する場合を正とする）、
Ｉｒ：最大像高（Ｉｒ＝ｆＴ×ｔａｎ（ωＴ））、
ｆＴ：望遠端における全系の焦点距離、
ｆＷ：広角端における全系の焦点距離、
ωＷ：広角端における最大画角の半値（°）、
ωＴ：望遠端における最大画角の半値（°）
である）
を満足する、ズームレンズ系
に関する。【００１２】
上記目的の１つは、以下の撮像装置により達成される。すなわち本発明は、
物体の光学的な像を電気的な画像信号として出力可能な撮像装置であって、
物体の光学的な像を形成するズームレンズ系と、
該ズームレンズ系により形成された光学的な像を電気的な画像信号に変換する撮像素子とを備え、
前記ズームレンズ系が、
少なくとも１枚のレンズ素子で構成されたレンズ群を複数有し、
物体側から像側へと順に、
負のパワーを有し、２枚のレンズ素子からなる第１レンズ群と、
正のパワーを有する第２レンズ群と、
正のパワーを有する第３レンズ群とを備え、
撮像時の広角端から望遠端へのズーミングの際に、前記第１レンズ群と第２レンズ群との間隔が減少し、かつ第２レンズ群と第３レンズ群との間隔が増大するように各レンズ群を光軸に沿ってそれぞれ移動させて変倍を行い、
以下の条件（１）：
０．１０＜Ｄ２／（Ｉｒ×Ｚ２）＜０．３０  ・・・（１）
（ただし、Ｚ＝ｆＴ／ｆＷ＞４．０、ωＷ＞３５）
（ここで、
Ｄ２：望遠端から広角端へ向けての第２レンズ群の移動量（像側から物体側へ移動する場合を正とする）、
Ｉｒ：最大像高（Ｉｒ＝ｆＴ×ｔａｎ（ωＴ））、
ｆＴ：望遠端における全系の焦点距離、
ｆＷ：広角端における全系の焦点距離、
ωＷ：広角端における最大画角の半値（°）、
ωＴ：望遠端における最大画角の半値（°）
である）
を満足するズームレンズ系である、撮像装置
に関する。【００１３】
上記目的の１つは、以下のカメラにより達成される。すなわち本発明は、
物体の光学的な像を電気的な画像信号に変換し、変換された画像信号の表示及び記憶の少なくとも一方を行うカメラであって、
物体の光学的な像を形成するズームレンズ系と、該ズームレンズ系により形成された光学的な像を電気的な画像信号に変換する撮像素子とを含む撮像装置を備え、
前記ズームレンズ系が、
少なくとも１枚のレンズ素子で構成されたレンズ群を複数有し、
物体側から像側へと順に、
負のパワーを有し、２枚のレンズ素子からなる第１レンズ群と、
正のパワーを有する第２レンズ群と、
正のパワーを有する第３レンズ群とを備え、
撮像時の広角端から望遠端へのズーミングの際に、前記第１レンズ群と第２レンズ群との間隔が減少し、かつ第２レンズ群と第３レンズ群との間隔が増大するように各レンズ群を光軸に沿ってそれぞれ移動させて変倍を行い、
以下の条件（１）：
０．１０＜Ｄ２／（Ｉｒ×Ｚ２）＜０．３０  ・・・（１）
（ただし、Ｚ＝ｆＴ／ｆＷ＞４．０、ωＷ＞３５）
（ここで、
Ｄ２：望遠端から広角端へ向けての第２レンズ群の移動量（像側から物体側へ移動する場合を正とする）、
Ｉｒ：最大像高（Ｉｒ＝ｆＴ×ｔａｎ（ωＴ））、
ｆＴ：望遠端における全系の焦点距離、
ｆＷ：広角端における全系の焦点距離、
ωＷ：広角端における最大画角の半値（°）、
ωＴ：望遠端における最大画角の半値（°）
である）
を満足するズームレンズ系である、カメラ
に関する。【００１４】
（II）上記目的の１つは、以下のズームレンズ系により達成される。すなわち本発明は、
少なくとも１枚のレンズ素子で構成されたレンズ群を複数有するズームレンズ系であって、
物体側から像側へと順に、
負のパワーを有し、２枚のレンズ素子からなる第１レンズ群と、
正のパワーを有する第２レンズ群と、
正のパワーを有する第３レンズ群とを備え、
撮像時の広角端から望遠端へのズーミングの際に、前記第１レンズ群と第２レンズ群との間隔が減少し、かつ第２レンズ群と第３レンズ群との間隔が増大するように各レンズ群を光軸に沿ってそれぞれ移動させて変倍を行い、
以下の条件（４）：
０．１０＜（Ｄ２Ｔ−Ｄ２Ｗ）／（Ｉｒ×Ｚ２）＜０．３０  ・・・（４）
（ただし、Ｚ＝ｆＴ／ｆＷ＞４．０、ωＷ＞３５）
（ここで、
Ｄ２Ｔ：望遠端における第２レンズ群の最像側から第３レンズ群の最物体側までの軸上間隔、
Ｄ２Ｗ：広角端における第２レンズ群の最像側から第３レンズ群の最物体側までの軸上間隔、
Ｉｒ：最大像高（Ｉｒ＝ｆＴ×ｔａｎ（ωＴ））、
ｆＴ：望遠端における全系の焦点距離、
ｆＷ：広角端における全系の焦点距離、
ωＷ：広角端における最大画角の半値（°）、
ωＴ：望遠端における最大画角の半値（°）
である）
を満足する、ズームレンズ系
に関する。【００１５】
上記目的の１つは、以下の撮像装置により達成される。すなわち本発明は、
物体の光学的な像を電気的な画像信号として出力可能な撮像装置であって、
物体の光学的な像を形成するズームレンズ系と、
該ズームレンズ系により形成された光学的な像を電気的な画像信号に変換する撮像素子とを備え、
前記ズームレンズ系が、
少なくとも１枚のレンズ素子で構成されたレンズ群を複数有し、
物体側から像側へと順に、
負のパワーを有し、２枚のレンズ素子からなる第１レンズ群と、
正のパワーを有する第２レンズ群と、
正のパワーを有する第３レンズ群とを備え、
撮像時の広角端から望遠端へのズーミングの際に、前記第１レンズ群と第２レンズ群との間隔が減少し、かつ第２レンズ群と第３レンズ群との間隔が増大するように各レンズ群を光軸に沿ってそれぞれ移動させて変倍を行い、
以下の条件（４）：
０．１０＜（Ｄ２Ｔ−Ｄ２Ｗ）／（Ｉｒ×Ｚ２）＜０．３０  ・・・（４）
（ただし、Ｚ＝ｆＴ／ｆＷ＞４．０、ωＷ＞３５）
（ここで、
Ｄ２Ｔ：望遠端における第２レンズ群の最像側から第３レンズ群の最物体側までの軸上間隔、
Ｄ２Ｗ：広角端における第２レンズ群の最像側から第３レンズ群の最物体側までの軸上間隔、
Ｉｒ：最大像高（Ｉｒ＝ｆＴ×ｔａｎ（ωＴ））、
ｆＴ：望遠端における全系の焦点距離、
ｆＷ：広角端における全系の焦点距離、
ωＷ：広角端における最大画角の半値（°）、
ωＴ：望遠端における最大画角の半値（°）
である）
を満足するズームレンズ系である、撮像装置
に関する。【００１６】
上記目的の１つは、以下のカメラにより達成される。すなわち本発明は、
物体の光学的な像を電気的な画像信号に変換し、変換された画像信号の表示及び記憶の少なくとも一方を行うカメラであって、
物体の光学的な像を形成するズームレンズ系と、該ズームレンズ系により形成された光学的な像を電気的な画像信号に変換する撮像素子とを含む撮像装置を備え、
前記ズームレンズ系が、
少なくとも１枚のレンズ素子で構成されたレンズ群を複数有し、
物体側から像側へと順に、
負のパワーを有し、２枚のレンズ素子からなる第１レンズ群と、
正のパワーを有する第２レンズ群と、
正のパワーを有する第３レンズ群とを備え、
撮像時の広角端から望遠端へのズーミングの際に、前記第１レンズ群と第２レンズ群との間隔が減少し、かつ第２レンズ群と第３レンズ群との間隔が増大するように各レンズ群を光軸に沿ってそれぞれ移動させて変倍を行い、
以下の条件（４）：
０．１０＜（Ｄ２Ｔ−Ｄ２Ｗ）／（Ｉｒ×Ｚ２）＜０．３０  ・・・（４）
（ただし、Ｚ＝ｆＴ／ｆＷ＞４．０、ωＷ＞３５）
（ここで、
Ｄ２Ｔ：望遠端における第２レンズ群の最像側から第３レンズ群の最物体側までの軸上間隔、
Ｄ２Ｗ：広角端における第２レンズ群の最像側から第３レンズ群の最物体側までの軸上間隔、
Ｉｒ：最大像高（Ｉｒ＝ｆＴ×ｔａｎ（ωＴ））、
ｆＴ：望遠端における全系の焦点距離、
ｆＷ：広角端における全系の焦点距離、
ωＷ：広角端における最大画角の半値（°）、
ωＴ：望遠端における最大画角の半値（°）
である）
を満足するズームレンズ系である、カメラ
に関する。
【発明の効果】
【００１７】
本発明によれば、高解像度を有するのは勿論のこと、光学全長が短いだけでなく、変倍比が５倍程度と大きく、しかも広角端での画角が７０°程度で広角撮影に充分に適応し得るズームレンズ系を提供することができる。さらに本発明によれば、該ズームレンズ系を含む撮像装置、及び該撮像装置を備えた薄型で極めてコンパクトなカメラを提供することができる。
【図面の簡単な説明】
【００１８】
【図１】図１は、実施の形態Ｉ−１（実施例Ｉ−１）に係るズームレンズ系の無限遠合焦状態を示すレンズ配置図である。
【図２】図２は、実施例Ｉ−１に係るズームレンズ系の無限遠合焦状態の縦収差図である。
【図３】図３は、実施例Ｉ−１に係るズームレンズ系の望遠端における、像ぶれ補正を行っていない基本状態及び像ぶれ補正状態での横収差図である。
【図４】図４は、実施の形態Ｉ−２（実施例Ｉ−２）に係るズームレンズ系の無限遠合焦状態を示すレンズ配置図である。
【図５】図５は、実施例Ｉ−２に係るズームレンズ系の無限遠合焦状態の縦収差図である。
【図６】図６は、実施例Ｉ−２に係るズームレンズ系の望遠端における、像ぶれ補正を行っていない基本状態及び像ぶれ補正状態での横収差図である。
【図７】図７は、実施の形態Ｉ−３（実施例Ｉ−３）に係るズームレンズ系の無限遠合焦状態を示すレンズ配置図である。
【図８】図８は、実施例Ｉ−３に係るズームレンズ系の無限遠合焦状態の縦収差図である。
【図９】図９は、実施例Ｉ−３に係るズームレンズ系の望遠端における、像ぶれ補正を行っていない基本状態及び像ぶれ補正状態での横収差図である。
【図１０】図１０は、実施の形態Ｉ−４（実施例Ｉ−４）に係るズームレンズ系の無限遠合焦状態を示すレンズ配置図である。
【図１１】図１１は、実施例Ｉ−４に係るズームレンズ系の無限遠合焦状態の縦収差図である。
【図１２】図１２は、実施例Ｉ−４に係るズームレンズ系の望遠端における、像ぶれ補正を行っていない基本状態及び像ぶれ補正状態での横収差図である。
【図１３】図１３は、実施の形態Ｉ−５（実施例Ｉ−５）に係るズームレンズ系の無限遠合焦状態を示すレンズ配置図である。
【図１４】図１４は、実施例Ｉ−５に係るズームレンズ系の無限遠合焦状態の縦収差図である。
【図１５】図１５は、実施例Ｉ−５に係るズームレンズ系の望遠端における、像ぶれ補正を行っていない基本状態及び像ぶれ補正状態での横収差図である。
【図１６】図１６は、実施の形態Ｉ−６（実施例Ｉ−６）に係るズームレンズ系の無限遠合焦状態を示すレンズ配置図である。
【図１７】図１７は、実施例Ｉ−６に係るズームレンズ系の無限遠合焦状態の縦収差図である。
【図１８】図１８は、実施例Ｉ−６に係るズームレンズ系の望遠端における、像ぶれ補正を行っていない基本状態及び像ぶれ補正状態での横収差図である。
【図１９】図１９は、実施の形態Ｉ−７（実施例Ｉ−７）に係るズームレンズ系の無限遠合焦状態を示すレンズ配置図である。
【図２０】図２０は、実施例Ｉ−７に係るズームレンズ系の無限遠合焦状態の縦収差図である。
【図２１】図２１は、実施例Ｉ−７に係るズームレンズ系の望遠端における、像ぶれ補正を行っていない基本状態及び像ぶれ補正状態での横収差図である。
【図２２】図２２は、実施の形態Ｉ−８（実施例Ｉ−８）に係るズームレンズ系の無限遠合焦状態を示すレンズ配置図である。
【図２３】図２３は、実施例Ｉ−８に係るズームレンズ系の無限遠合焦状態の縦収差図である。
【図２４】図２４は、実施例Ｉ−８に係るズームレンズ系の望遠端における、像ぶれ補正を行っていない基本状態及び像ぶれ補正状態での横収差図である。
【図２５】図２５は、実施の形態Ｉ−９（実施例Ｉ−９）に係るズームレンズ系の無限遠合焦状態を示すレンズ配置図である。
【図２６】図２６は、実施例Ｉ−９に係るズームレンズ系の無限遠合焦状態の縦収差図である。
【図２７】図２７は、実施例Ｉ−９に係るズームレンズ系の望遠端における、像ぶれ補正を行っていない基本状態及び像ぶれ補正状態での横収差図である。
【図２８】図２８は、実施の形態Ｉ−１０（実施例Ｉ−１０）に係るズームレンズ系の無限遠合焦状態を示すレンズ配置図である。
【図２９】図２９は、実施例Ｉ−１０に係るズームレンズ系の無限遠合焦状態の縦収差図である。
【図３０】図３０は、実施例Ｉ−１０に係るズームレンズ系の望遠端における、像ぶれ補正を行っていない基本状態及び像ぶれ補正状態での横収差図である。
【図３１】図３１は、実施の形態Ｉ−１１（実施例Ｉ−１１）に係るズームレンズ系の無限遠合焦状態を示すレンズ配置図である。
【図３２】図３２は、実施例Ｉ−１１に係るズームレンズ系の無限遠合焦状態の縦収差図である。
【図３３】図３３は、実施例Ｉ−１１に係るズームレンズ系の望遠端における、像ぶれ補正を行っていない基本状態及び像ぶれ補正状態での横収差図である。
【図３４】図３４は、実施の形態Ｉ−１２（実施例Ｉ−１２）に係るズームレンズ系の無限遠合焦状態を示すレンズ配置図である。
【図３５】図３５は、実施例Ｉ−１２に係るズームレンズ系の無限遠合焦状態の縦収差図である。
【図３６】図３６は、実施例Ｉ−１２に係るズームレンズ系の望遠端における、像ぶれ補正を行っていない基本状態及び像ぶれ補正状態での横収差図である。
【図３７】図３７は、実施の形態Ｉ−１３（実施例Ｉ−１３）に係るズームレンズ系の無限遠合焦状態を示すレンズ配置図である。
【図３８】図３８は、実施例Ｉ−１３に係るズームレンズ系の無限遠合焦状態の縦収差図である。
【図３９】図３９は、実施例Ｉ−１３に係るズームレンズ系の望遠端における、像ぶれ補正を行っていない基本状態及び像ぶれ補正状態での横収差図である。
【図４０】図４０は、実施の形態Ｉ−１４（実施例Ｉ−１４）に係るズームレンズ系の無限遠合焦状態を示すレンズ配置図である。
【図４１】図４１は、実施例Ｉ−１４に係るズームレンズ系の無限遠合焦状態の縦収差図である。
【図４２】図４２は、実施例Ｉ−１４に係るズームレンズ系の望遠端における、像ぶれ補正を行っていない基本状態及び像ぶれ補正状態での横収差図である。
【図４３】図４３は、実施の形態Ｉ−１５（実施例Ｉ−１５）に係るズームレンズ系の無限遠合焦状態を示すレンズ配置図である。
【図４４】図４４は、実施例Ｉ−１５に係るズームレンズ系の無限遠合焦状態の縦収差図である。
【図４５】図４５は、実施例Ｉ−１５に係るズームレンズ系の望遠端における、像ぶれ補正を行っていない基本状態及び像ぶれ補正状態での横収差図である。
【図４６】図４６は、実施の形態Ｉ−１６（実施例Ｉ−１６）に係るズームレンズ系の無限遠合焦状態を示すレンズ配置図である。
【図４７】図４７は、実施例Ｉ−１６に係るズームレンズ系の無限遠合焦状態の縦収差図である。
【図４８】図４８は、実施例Ｉ−１６に係るズームレンズ系の望遠端における、像ぶれ補正を行っていない基本状態及び像ぶれ補正状態での横収差図である。
【図４９】図４９は、実施の形態Ｉ−１７（実施例Ｉ−１７）に係るズームレンズ系の無限遠合焦状態を示すレンズ配置図である。
【図５０】図５０は、実施例Ｉ−１７に係るズームレンズ系の無限遠合焦状態の縦収差図である。
【図５１】図５１は、実施例Ｉ−１７に係るズームレンズ系の望遠端における、像ぶれ補正を行っていない基本状態及び像ぶれ補正状態での横収差図である。
【図５２】図５２は、実施の形態Ｉ−１８（実施例Ｉ−１８）に係るズームレンズ系の無限遠合焦状態を示すレンズ配置図である。
【図５３】図５３は、実施例Ｉ−１８に係るズームレンズ系の無限遠合焦状態の縦収差図である。
【図５４】図５４は、実施例Ｉ−１８に係るズームレンズ系の望遠端における、像ぶれ補正を行っていない基本状態及び像ぶれ補正状態での横収差図である。
【図５５】図５５は、実施の形態Ｉ−１９（実施例Ｉ−１９）に係るズームレンズ系の無限遠合焦状態を示すレンズ配置図である。
【図５６】図５６は、実施例Ｉ−１９に係るズームレンズ系の無限遠合焦状態の縦収差図である。
【図５７】図５７は、実施例Ｉ−１９に係るズームレンズ系の望遠端における、像ぶれ補正を行っていない基本状態及び像ぶれ補正状態での横収差図である。
【図５８】図５８は、実施の形態Ｉ−２０（実施例Ｉ−２０）に係るズームレンズ系の無限遠合焦状態を示すレンズ配置図である。
【図５９】図５９は、実施例Ｉ−２０に係るズームレンズ系の無限遠合焦状態の縦収差図である。
【図６０】図６０は、実施例Ｉ−２０に係るズームレンズ系の望遠端における、像ぶれ補正を行っていない基本状態及び像ぶれ補正状態での横収差図である。
【図６１】図６１は、実施の形態Ｉ−２１（実施例Ｉ−２１）に係るズームレンズ系の無限遠合焦状態を示すレンズ配置図である。
【図６２】図６２は、実施例Ｉ−２１に係るズームレンズ系の無限遠合焦状態の縦収差図である。
【図６３】図６３は、実施例Ｉ−２１に係るズームレンズ系の望遠端における、像ぶれ補正を行っていない基本状態及び像ぶれ補正状態での横収差図である。
【図６４】図６４は、実施の形態Ｉ−２２（実施例Ｉ−２２）に係るズームレンズ系の無限遠合焦状態を示すレンズ配置図である。
【図６５】図６５は、実施例Ｉ−２２に係るズームレンズ系の無限遠合焦状態の縦収差図である。
【図６６】図６６は、実施例Ｉ−２２に係るズームレンズ系の望遠端における、像ぶれ補正を行っていない基本状態及び像ぶれ補正状態での横収差図である。
【図６７】図６７は、実施の形態Ｉ−２３（実施例Ｉ−２３）に係るズームレンズ系の無限遠合焦状態を示すレンズ配置図である。
【図６８】図６８は、実施例Ｉ−２３に係るズームレンズ系の無限遠合焦状態の縦収差図である。
【図６９】図６９は、実施例Ｉ−２３に係るズームレンズ系の望遠端における、像ぶれ補正を行っていない基本状態及び像ぶれ補正状態での横収差図である。
【図７０】図７０は、実施の形態Ｉ−２４（実施例Ｉ−２４）に係るズームレンズ系の無限遠合焦状態を示すレンズ配置図である。
【図７１】図７１は、実施例Ｉ−２４に係るズームレンズ系の無限遠合焦状態の縦収差図である。
【図７２】図７２は、実施例Ｉ−２４に係るズームレンズ系の望遠端における、像ぶれ補正を行っていない基本状態及び像ぶれ補正状態での横収差図である。
【図７３】図７３は、実施の形態II−１（実施例II−１）に係るズームレンズ系の無限遠合焦状態を示すレンズ配置図である。
【図７４】図７４は、実施例II−１に係るズームレンズ系の無限遠合焦状態の縦収差図である。
【図７５】図７５は、実施例II−１に係るズームレンズ系の望遠端における、像ぶれ補正を行っていない基本状態及び像ぶれ補正状態での横収差図である。
【図７６】図７６は、実施の形態II−２（実施例II−２）に係るズームレンズ系の無限遠合焦状態を示すレンズ配置図である。
【図７７】図７７は、実施例II−２に係るズームレンズ系の無限遠合焦状態の縦収差図である。
【図７８】図７８は、実施例II−２に係るズームレンズ系の望遠端における、像ぶれ補正を行っていない基本状態及び像ぶれ補正状態での横収差図である。
【図７９】図７９は、実施の形態II−３（実施例II−３）に係るズームレンズ系の無限遠合焦状態を示すレンズ配置図である。
【図８０】図８０は、実施例II−３に係るズームレンズ系の無限遠合焦状態の縦収差図である。
【図８１】図８１は、実施例II−３に係るズームレンズ系の望遠端における、像ぶれ補正を行っていない基本状態及び像ぶれ補正状態での横収差図である。
【図８２】図８２は、実施の形態II−４（実施例II−４）に係るズームレンズ系の無限遠合焦状態を示すレンズ配置図である。
【図８３】図８３は、実施例II−４に係るズームレンズ系の無限遠合焦状態の縦収差図である。
【図８４】図８４は、実施例II−４に係るズームレンズ系の望遠端における、像ぶれ補正を行っていない基本状態及び像ぶれ補正状態での横収差図である。
【図８５】図８５は、実施の形態II−５（実施例II−５）に係るズームレンズ系の無限遠合焦状態を示すレンズ配置図である。
【図８６】図８６は、実施例II−５に係るズームレンズ系の無限遠合焦状態の縦収差図である。
【図８７】図８７は、実施例II−５に係るズームレンズ系の望遠端における、像ぶれ補正を行っていない基本状態及び像ぶれ補正状態での横収差図である。
【図８８】図８８は、実施の形態II−６（実施例II−６）に係るズームレンズ系の無限遠合焦状態を示すレンズ配置図である。
【図８９】図８９は、実施例II−６に係るズームレンズ系の無限遠合焦状態の縦収差図である。
【図９０】図９０は、実施例II−６に係るズームレンズ系の望遠端における、像ぶれ補正を行っていない基本状態及び像ぶれ補正状態での横収差図である。
【図９１】図９１は、実施の形態II−７（実施例II−７）に係るズームレンズ系の無限遠合焦状態を示すレンズ配置図である。
【図９２】図９２は、実施例II−７に係るズームレンズ系の無限遠合焦状態の縦収差図である。
【図９３】図９３は、実施例II−７に係るズームレンズ系の望遠端における、像ぶれ補正を行っていない基本状態及び像ぶれ補正状態での横収差図である。
【図９４】図９４は、実施の形態II−８（実施例II−８）に係るズームレンズ系の無限遠合焦状態を示すレンズ配置図である。
【図９５】図９５は、実施例II−８に係るズームレンズ系の無限遠合焦状態の縦収差図である。
【図９６】図９６は、実施例II−８に係るズームレンズ系の望遠端における、像ぶれ補正を行っていない基本状態及び像ぶれ補正状態での横収差図である。
【図９７】図９７は、実施の形態II−９（実施例II−９）に係るズームレンズ系の無限遠合焦状態を示すレンズ配置図である。
【図９８】図９８は、実施例II−９に係るズームレンズ系の無限遠合焦状態の縦収差図である。
【図９９】図９９は、実施例II−９に係るズームレンズ系の望遠端における、像ぶれ補正を行っていない基本状態及び像ぶれ補正状態での横収差図である。
【図１００】図１００は、実施の形態II−１０（実施例II−１０）に係るズームレンズ系の無限遠合焦状態を示すレンズ配置図である。
【図１０１】図１０１は、実施例II−１０に係るズームレンズ系の無限遠合焦状態の縦収差図である。
【図１０２】図１０２は、実施例II−１０に係るズームレンズ系の望遠端における、像ぶれ補正を行っていない基本状態及び像ぶれ補正状態での横収差図である。
【図１０３】図１０３は、実施の形態II−１１（実施例II−１１）に係るズームレンズ系の無限遠合焦状態を示すレンズ配置図である。
【図１０４】図１０４は、実施例II−１１に係るズームレンズ系の無限遠合焦状態の縦収差図である。
【図１０５】図１０５は、実施例II−１１に係るズームレンズ系の望遠端における、像ぶれ補正を行っていない基本状態及び像ぶれ補正状態での横収差図である。
【図１０６】図１０６は、実施の形態II−１２（実施例II−１２）に係るズームレンズ系の無限遠合焦状態を示すレンズ配置図である。
【図１０７】図１０７は、実施例II−１２に係るズームレンズ系の無限遠合焦状態の縦収差図である。
【図１０８】図１０８は、実施例II−１２に係るズームレンズ系の望遠端における、像ぶれ補正を行っていない基本状態及び像ぶれ補正状態での横収差図である。
【図１０９】図１０９は、実施の形態II−１３（実施例II−１３）に係るズームレンズ系の無限遠合焦状態を示すレンズ配置図である。
【図１１０】図１１０は、実施例II−１３に係るズームレンズ系の無限遠合焦状態の縦収差図である。
【図１１１】図１１１は、実施例II−１３に係るズームレンズ系の望遠端における、像ぶれ補正を行っていない基本状態及び像ぶれ補正状態での横収差図である。
【図１１２】図１１２は、実施の形態II−１４（実施例II−１４）に係るズームレンズ系の無限遠合焦状態を示すレンズ配置図である。
【図１１３】図１１３は、実施例II−１４に係るズームレンズ系の無限遠合焦状態の縦収差図である。
【図１１４】図１１４は、実施例II−１４に係るズームレンズ系の望遠端における、像ぶれ補正を行っていない基本状態及び像ぶれ補正状態での横収差図である。
【図１１５】図１１５は、実施の形態II−１５（実施例II−１５）に係るズームレンズ系の無限遠合焦状態を示すレンズ配置図である。
【図１１６】図１１６は、実施例II−１５に係るズームレンズ系の無限遠合焦状態の縦収差図である。
【図１１７】図１１７は、実施例II−１５に係るズームレンズ系の望遠端における、像ぶれ補正を行っていない基本状態及び像ぶれ補正状態での横収差図である。
【図１１８】図１１８は、実施の形態II−１６（実施例II−１６）に係るズームレンズ系の無限遠合焦状態を示すレンズ配置図である。
【図１１９】図１１９は、実施例II−１６に係るズームレンズ系の無限遠合焦状態の縦収差図である。
【図１２０】図１２０は、実施例II−１６に係るズームレンズ系の望遠端における、像ぶれ補正を行っていない基本状態及び像ぶれ補正状態での横収差図である。
【図１２１】図１２１は、実施の形態II−１７（実施例II−１７）に係るズームレンズ系の無限遠合焦状態を示すレンズ配置図である。
【図１２２】図１２２は、実施例II−１７に係るズームレンズ系の無限遠合焦状態の縦収差図である。
【図１２３】図１２３は、実施例II−１７に係るズームレンズ系の望遠端における、像ぶれ補正を行っていない基本状態及び像ぶれ補正状態での横収差図である。
【図１２４】図１２４は、実施の形態II−１８（実施例II−１８）に係るズームレンズ系の無限遠合焦状態を示すレンズ配置図である。
【図１２５】図１２５は、実施例II−１８に係るズームレンズ系の無限遠合焦状態の縦収差図である。
【図１２６】図１２６は、実施例II−１８に係るズームレンズ系の望遠端における、像ぶれ補正を行っていない基本状態及び像ぶれ補正状態での横収差図である。
【図１２７】図１２７は、実施の形態II−１９（実施例II−１９）に係るズームレンズ系の無限遠合焦状態を示すレンズ配置図である。
【図１２８】図１２８は、実施例II−１９に係るズームレンズ系の無限遠合焦状態の縦収差図である。
【図１２９】図１２９は、実施例II−１９に係るズームレンズ系の望遠端における、像ぶれ補正を行っていない基本状態及び像ぶれ補正状態での横収差図である。
【図１３０】図１３０は、実施の形態II−２０（実施例II−２０）に係るズームレンズ系の無限遠合焦状態を示すレンズ配置図である。
【図１３１】図１３１は、実施例II−２０に係るズームレンズ系の無限遠合焦状態の縦収差図である。
【図１３２】図１３２は、実施例II−２０に係るズームレンズ系の望遠端における、像ぶれ補正を行っていない基本状態及び像ぶれ補正状態での横収差図である。
【図１３３】図１３３は、実施の形態II−２１（実施例II−２１）に係るズームレンズ系の無限遠合焦状態を示すレンズ配置図である。
【図１３４】図１３４は、実施例II−２１に係るズームレンズ系の無限遠合焦状態の縦収差図である。
【図１３５】図１３５は、実施例II−２１に係るズームレンズ系の望遠端における、像ぶれ補正を行っていない基本状態及び像ぶれ補正状態での横収差図である。
【図１３６】図１３６は、実施の形態II−２２（実施例II−２２）に係るズームレンズ系の無限遠合焦状態を示すレンズ配置図である。
【図１３７】図１３７は、実施例II−２２に係るズームレンズ系の無限遠合焦状態の縦収差図である。
【図１３８】図１３８は、実施例II−２２に係るズームレンズ系の望遠端における、像ぶれ補正を行っていない基本状態及び像ぶれ補正状態での横収差図である。
【図１３９】図１３９は、実施の形態II−２３（実施例II−２３）に係るズームレンズ系の無限遠合焦状態を示すレンズ配置図である。
【図１４０】図１４０は、実施例II−２３に係るズームレンズ系の無限遠合焦状態の縦収差図である。
【図１４１】図１４１は、実施例II−２３に係るズームレンズ系の望遠端における、像ぶれ補正を行っていない基本状態及び像ぶれ補正状態での横収差図である。
【図１４２】図１４２は、実施の形態II−２４（実施例II−２４）に係るズームレンズ系の無限遠合焦状態を示すレンズ配置図である。
【図１４３】図１４３は、実施例II−２４に係るズームレンズ系の無限遠合焦状態の縦収差図である。
【図１４４】図１４４は、実施例II−２４に係るズームレンズ系の望遠端における、像ぶれ補正を行っていない基本状態及び像ぶれ補正状態での横収差図である。
【図１４５】図１４５は、実施の形態Ｉ−２５及びII−２５に係るデジタルスチルカメラの概略構成図である。
【符号の説明】
【００１９】
Ｇ１  第１レンズ群
Ｇ２  第２レンズ群
Ｇ３  第３レンズ群
Ｌ１  第１レンズ素子
Ｌ２  第２レンズ素子
Ｌ３  第３レンズ素子
Ｌ４  第４レンズ素子
Ｌ５  第５レンズ素子
Ｌ６  第６レンズ素子
Ｌ７  第７レンズ素子、平行平板
Ｌ８  平行平板
Ｌ９  平行平板
Ａ  開口絞り
Ｓ  像面
１  ズームレンズ系
２  撮像素子
３  液晶モニタ
４  筐体
５  主鏡筒
６  移動鏡筒
７  円筒カム
【発明を実施するための最良の形態】
【００２０】
（実施の形態Ｉ−１〜Ｉ−２４）
図１、４、７、１０、１３、１６、１９、２２、２５、２８、３１、３４、３７、４０、４３、４６、４９、５２、５５、５８、６１、６４、６７及び７０は、各々実施の形態Ｉ−１〜Ｉ−２４に係るズームレンズ系のレンズ配置図である。【００２１】
図１、４、７、１０、１３、１６、１９、２２、２５、２８、３１、３４、３７、４０、４３、４６、４９、５２、５５、５８、６１、６４、６７及び７０は、いずれも無限遠合焦状態にあるズームレンズ系を表している。各図において、（ａ）図は広角端（最短焦点距離状態：焦点距離ｆＷ）のレンズ構成、（ｂ）図は中間位置（中間焦点距離状態：焦点距離ｆＭ＝√（ｆＷ＊ｆＴ））のレンズ構成、（ｃ）図は望遠端（最長焦点距離状態：焦点距離ｆＴ）のレンズ構成をそれぞれ表している。また各図において、（ａ）図と（ｂ）図との間に設けられた折れ線の矢印は、上から順に、広角端、中間位置、望遠端の各状態におけるレンズ群の位置を結んで得られる直線である。したがって、広角端と中間位置との間、中間位置と望遠端との間は、単純に直線で接続されているだけであり、実際の各レンズ群の動きとは異なる。さらに各図において、レンズ群に付された矢印は、無限遠合焦状態から近接物体合焦状態へのフォーカシングを表す。すなわち、無限遠合焦状態から近接物体合焦状態へのフォーカシングの際の移動方向を示している。【００２２】
各実施の形態に係るズームレンズ系は、物体側から像側へと順に、負のパワーを有する第１レンズ群Ｇ１と、正のパワーを有する第２レンズ群Ｇ２と、正のパワーを有する第３レンズ群Ｇ３とを備え、撮像時の広角端から望遠端へのズーミングの際に、前記第１レンズ群Ｇ１と第２レンズ群Ｇ２との間隔が減少し、かつ第２レンズ群Ｇ２と第３レンズ群Ｇ３との間隔が増大するように各レンズ群が光軸に沿ってそれぞれ移動する（以下、このレンズ構成を、実施の形態の基本構成Ｉという）。各実施の形態に係るズームレンズ系は、これら各レンズ群を所望のパワー配置にすることにより、高い光学性能を保持しつつ、レンズ系全体の小型化を可能にしている。【００２３】
なお図１、４、７、１０、１３、１６、１９、２２、２５、２８、３１、３４、３７、４０、４３、４６、４９、５２、５５、５８、６１、６４、６７及び７０において、特定の面に付されたアスタリスク＊は、該面が非球面であることを示している。また各図において、各レンズ群の符号に付された記号（＋）及び記号（−）は、各レンズ群のパワーの符号に対応する。また各図において、最も右側に記載された直線は、像面Ｓの位置を表し、該像面Ｓの物体側（像面Ｓと第３レンズ群Ｇ３の最像側レンズ面との間）には、光学的ローパスフィルタや撮像素子のフェースプレート等と等価な平行平板が設けられている。【００２４】
さらに図１、４、７、１０、１３、１６、１９、２２、２５、２８、３１、３４、３７、４０、４３、４６、４９、５２、５５、５８、６１、６４、６７及び７０において、第２レンズ群Ｇ２の像側（第２レンズ群Ｇ２の最像側レンズ面と第３レンズ群Ｇ３の最物体側レンズ面との間）には、開口絞りＡが設けられており、該開口絞りＡは、撮像時の広角端から望遠端へのズーミングの際に、第２レンズ群Ｇ２と一体的に光軸上を移動する。各実施の形態に係るズームレンズ系では、このように、第２レンズ群Ｇ２の像側に、撮像時の広角端から望遠端へのズーミングの際に該第２レンズ群Ｇ２と一体的に光軸上を移動する開口絞りＡが配置されているので、第１レンズ群Ｇ１と、該第２レンズ群Ｇ２との空気間隔を短くすることが可能となり、ネガティブリード型の３群構成であるにもかかわらず、短い光学全長と、５倍程度といった大きな変倍比とを同時に実現することができる。【００２５】
図１に示すように、実施の形態Ｉ−１に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面であり、第２レンズ素子Ｌ２は、その物体側面が非球面である。【００２６】
実施の形態Ｉ−１に係るズームレンズ系において、第２レンズ群Ｇ２は、物体側から像側へと順に、物体側に凸面を向けた正メニスカス形状の第３レンズ素子Ｌ３と、両凸形状の第４レンズ素子Ｌ４と、両凹形状の第５レンズ素子Ｌ５と、両凸形状の第６レンズ素子Ｌ６とからなる。これらのうち、第４レンズ素子Ｌ４と第５レンズ素子Ｌ５とが接合されており、後述する対応数値実施例における面データでは、これら第４レンズ素子Ｌ４と第５レンズ素子Ｌ５との間の接着剤層に面番号８が付与されている。また、第３レンズ素子Ｌ３は、その物体側面が非球面である。【００２７】
また実施の形態Ｉ−１に係るズームレンズ系において、第３レンズ群Ｇ３は、像側に凸面を向けた正メニスカス形状の第７レンズ素子Ｌ７のみからなる。該第７レンズ素子Ｌ７は、その両面が非球面である。【００２８】
実施の形態Ｉ−１に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。【００２９】
図４に示すように、実施の形態Ｉ−２に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１の像側面と第２レンズ素子Ｌ２の物体側面とは、いずれも非球面である。【００３０】
実施の形態Ｉ−２に係るズームレンズ系において、第２レンズ群Ｇ２は、物体側から像側へと順に、物体側に凸面を向けた正メニスカス形状の第３レンズ素子Ｌ３と、両凸形状の第４レンズ素子Ｌ４と、両凹形状の第５レンズ素子Ｌ５と、物体側に凸面を向けた正メニスカス形状の第６レンズ素子Ｌ６とからなる。これらのうち、第４レンズ素子Ｌ４と第５レンズ素子Ｌ５とが接合されており、後述する対応数値実施例における面データでは、これら第４レンズ素子Ｌ４と第５レンズ素子Ｌ５との間の接着剤層に面番号８が付与されている。また、第６レンズ素子Ｌ６は、その両面が非球面である。【００３１】
また実施の形態Ｉ−２に係るズームレンズ系において、第３レンズ群Ｇ３は、両凸形状の第７レンズ素子Ｌ７のみからなる。該第７レンズ素子Ｌ７は、その両面が非球面である。【００３２】
実施の形態Ｉ−２に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。【００３３】
図７に示すように、実施の形態Ｉ−３に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面であり、第２レンズ素子Ｌ２は、その物体側面が非球面である。【００３４】
実施の形態Ｉ−３に係るズームレンズ系において、第２レンズ群Ｇ２は、物体側から像側へと順に、物体側に凸面を向けた正メニスカス形状の第３レンズ素子Ｌ３と、両凸形状の第４レンズ素子Ｌ４と、両凹形状の第５レンズ素子Ｌ５と、両凸形状の第６レンズ素子Ｌ６とからなる。これらのうち、第４レンズ素子Ｌ４と第５レンズ素子Ｌ５とが接合されており、後述する対応数値実施例における面データでは、これら第４レンズ素子Ｌ４と第５レンズ素子Ｌ５との間の接着剤層に面番号８が付与されている。また、第３レンズ素子Ｌ３は、その物体側面が非球面である。【００３５】
また実施の形態Ｉ−３に係るズームレンズ系において、第３レンズ群Ｇ３は、像側に凸面を向けた正メニスカス形状の第７レンズ素子Ｌ７のみからなる。該第７レンズ素子Ｌ７は、その両面が非球面である。【００３６】
実施の形態Ｉ−３に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。【００３７】
図１０に示すように、実施の形態Ｉ−４に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面であり、第２レンズ素子Ｌ２は、その物体側面が非球面である。【００３８】
実施の形態Ｉ−４に係るズームレンズ系において、第２レンズ群Ｇ２は、物体側から像側へと順に、物体側に凸面を向けた正メニスカス形状の第３レンズ素子Ｌ３と、両凸形状の第４レンズ素子Ｌ４と、両凹形状の第５レンズ素子Ｌ５と、両凸形状の第６レンズ素子Ｌ６とからなる。これらのうち、第４レンズ素子Ｌ４と第５レンズ素子Ｌ５とが接合されており、後述する対応数値実施例における面データでは、これら第４レンズ素子Ｌ４と第５レンズ素子Ｌ５との間の接着剤層に面番号８が付与されている。また、第３レンズ素子Ｌ３は、その物体側面が非球面である。【００３９】
また実施の形態Ｉ−４に係るズームレンズ系において、第３レンズ群Ｇ３は、像側に凸面を向けた正メニスカス形状の第７レンズ素子Ｌ７のみからなる。該第７レンズ素子Ｌ７は、その両面が非球面である。【００４０】
実施の形態Ｉ−４に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。【００４１】
図１３に示すように、実施の形態Ｉ−５に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面であり、第２レンズ素子Ｌ２は、その物体側面が非球面である。【００４２】
実施の形態Ｉ−５に係るズームレンズ系において、第２レンズ群Ｇ２は、物体側から像側へと順に、物体側に凸面を向けた正メニスカス形状の第３レンズ素子Ｌ３と、両凸形状の第４レンズ素子Ｌ４と、両凹形状の第５レンズ素子Ｌ５と、両凸形状の第６レンズ素子Ｌ６とからなる。これらのうち、第４レンズ素子Ｌ４と第５レンズ素子Ｌ５とが接合されており、後述する対応数値実施例における面データでは、これら第４レンズ素子Ｌ４と第５レンズ素子Ｌ５との間の接着剤層に面番号８が付与されている。また、第３レンズ素子Ｌ３は、その物体側面が非球面である。【００４３】
また実施の形態Ｉ−５に係るズームレンズ系において、第３レンズ群Ｇ３は、像側に凸面を向けた正メニスカス形状の第７レンズ素子Ｌ７のみからなる。該第７レンズ素子Ｌ７は、その両面が非球面である。【００４４】
実施の形態Ｉ−５に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。【００４５】
図１６に示すように、実施の形態Ｉ−６に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１の像側面と第２レンズ素子Ｌ２の物体側面とは、いずれも非球面である。【００４６】
実施の形態Ｉ−６に係るズームレンズ系において、第２レンズ群Ｇ２は、物体側から像側へと順に、物体側に凸面を向けた正メニスカス形状の第３レンズ素子Ｌ３と、両凸形状の第４レンズ素子Ｌ４と、両凹形状の第５レンズ素子Ｌ５と、両凸形状の第６レンズ素子Ｌ６とからなる。これらのうち、第４レンズ素子Ｌ４と第５レンズ素子Ｌ５とが接合されており、後述する対応数値実施例における面データでは、これら第４レンズ素子Ｌ４と第５レンズ素子Ｌ５との間の接着剤層に面番号８が付与されている。また、第３レンズ素子Ｌ３は、その物体側面が非球面である。【００４７】
また実施の形態Ｉ−６に係るズームレンズ系において、第３レンズ群Ｇ３は、像側に凸面を向けた正メニスカス形状の第７レンズ素子Ｌ７のみからなる。該第７レンズ素子Ｌ７は、その両面が非球面である。【００４８】
実施の形態Ｉ−６に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。【００４９】
図１９に示すように、実施の形態Ｉ−７に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面であり、第２レンズ素子Ｌ２は、その物体側面が非球面である。【００５０】
実施の形態Ｉ−７に係るズームレンズ系において、第２レンズ群Ｇ２は、物体側から像側へと順に、物体側に凸面を向けた正メニスカス形状の第３レンズ素子Ｌ３と、両凸形状の第４レンズ素子Ｌ４と、両凹形状の第５レンズ素子Ｌ５と、両凸形状の第６レンズ素子Ｌ６とからなる。これらのうち、第４レンズ素子Ｌ４と第５レンズ素子Ｌ５とが接合されており、後述する対応数値実施例における面データでは、これら第４レンズ素子Ｌ４と第５レンズ素子Ｌ５との間の接着剤層に面番号８が付与されている。また、第３レンズ素子Ｌ３は、その物体側面が非球面である。【００５１】
また実施の形態Ｉ−７に係るズームレンズ系において、第３レンズ群Ｇ３は、像側に凸面を向けた正メニスカス形状の第７レンズ素子Ｌ７のみからなる。該第７レンズ素子Ｌ７は、その両面が非球面である。【００５２】
実施の形態Ｉ−７に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。【００５３】
図２２に示すように、実施の形態Ｉ−８に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面であり、第２レンズ素子Ｌ２は、その物体側面が非球面である。【００５４】
実施の形態Ｉ−８に係るズームレンズ系において、第２レンズ群Ｇ２は、物体側から像側へと順に、物体側に凸面を向けた正メニスカス形状の第３レンズ素子Ｌ３と、両凸形状の第４レンズ素子Ｌ４と、両凹形状の第５レンズ素子Ｌ５と、両凸形状の第６レンズ素子Ｌ６とからなる。これらのうち、第４レンズ素子Ｌ４と第５レンズ素子Ｌ５とが接合されており、後述する対応数値実施例における面データでは、これら第４レンズ素子Ｌ４と第５レンズ素子Ｌ５との間の接着剤層に面番号８が付与されている。また、第３レンズ素子Ｌ３は、その物体側面が非球面である。【００５５】
また実施の形態Ｉ−８に係るズームレンズ系において、第３レンズ群Ｇ３は、像側に凸面を向けた正メニスカス形状の第７レンズ素子Ｌ７のみからなる。該第７レンズ素子Ｌ７は、その両面が非球面である。【００５６】
実施の形態Ｉ−８に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。【００５７】
図２５に示すように、実施の形態Ｉ−９に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面である。【００５８】
実施の形態Ｉ−９に係るズームレンズ系において、第２レンズ群Ｇ２は、物体側から像側へと順に、両凸形状の第３レンズ素子Ｌ３と、両凸形状の第４レンズ素子Ｌ４と、両凹形状の第５レンズ素子Ｌ５と、両凸形状の第６レンズ素子Ｌ６とからなる。これらのうち、第４レンズ素子Ｌ４と第５レンズ素子Ｌ５とは接合されており、後述する対応数値実施例における面データでは、これら第４レンズ素子Ｌ４と第５レンズ素子Ｌ５との間の接着剤層に面番号８が付与されている。また、第３レンズ素子Ｌ３は、その物体側面が非球面である。【００５９】
また実施の形態Ｉ−９に係るズームレンズ系において、第３レンズ群Ｇ３は、像側に凸面を向けた正メニスカス形状の第７レンズ素子Ｌ７のみからなる。該第７レンズ素子Ｌ７は、その像側面が非球面である。【００６０】
実施の形態Ｉ−９に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。【００６１】
図２８に示すように、実施の形態Ｉ−１０に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面であり、第２レンズ素子Ｌ２は、その物体側面が非球面である。【００６２】
実施の形態Ｉ−１０に係るズームレンズ系において、第２レンズ群Ｇ２は、物体側から像側へと順に、両凸形状の第３レンズ素子Ｌ３と、両凹形状の第４レンズ素子Ｌ４と、両凸形状の第５レンズ素子Ｌ５とからなる。これらのうち、第３レンズ素子Ｌ３と第４レンズ素子Ｌ４とは接合されており、後述する対応数値実施例における面データでは、これら第３レンズ素子Ｌ３と第４レンズ素子Ｌ４との間の接着剤層に面番号６が付与されている。また、第３レンズ素子Ｌ３は、その物体側面が非球面である。【００６３】
また実施の形態Ｉ−１０に係るズームレンズ系において、第３レンズ群Ｇ３は、両凸形状の第６レンズ素子Ｌ６のみからなる。該第６レンズ素子Ｌ６は、その両面が非球面である。【００６４】
実施の形態Ｉ−１０に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。【００６５】
図３１に示すように、実施の形態Ｉ−１１に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面であり、第２レンズ素子Ｌ２は、その物体側面が非球面である。【００６６】
実施の形態Ｉ−１１に係るズームレンズ系において、第２レンズ群Ｇ２は、物体側から像側へと順に、両凸形状の第３レンズ素子Ｌ３と、両凹形状の第４レンズ素子Ｌ４と、両凸形状の第５レンズ素子Ｌ５とからなる。これらのうち、第３レンズ素子Ｌ３と第４レンズ素子Ｌ４とは接合されており、後述する対応数値実施例における面データでは、これら第３レンズ素子Ｌ３と第４レンズ素子Ｌ４との間の接着剤層に面番号６が付与されている。また、第３レンズ素子Ｌ３は、その物体側面が非球面である。【００６７】
また実施の形態Ｉ−１１に係るズームレンズ系において、第３レンズ群Ｇ３は、両凸形状の第６レンズ素子Ｌ６のみからなる。該第６レンズ素子Ｌ６は、その両面が非球面である。【００６８】
実施の形態Ｉ−１１に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。【００６９】
図３４に示すように、実施の形態Ｉ−１２に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１の像側面と第２レンズ素子Ｌ２の物体側面とは、いずれも非球面である。【００７０】
実施の形態Ｉ−１２に係るズームレンズ系において、第２レンズ群Ｇ２は、物体側から像側へと順に、両凸形状の第３レンズ素子Ｌ３と、両凹形状の第４レンズ素子Ｌ４と、両凸形状の第５レンズ素子Ｌ５とからなる。これらのうち、第３レンズ素子Ｌ３と第４レンズ素子Ｌ４とは接合されており、後述する対応数値実施例における面データでは、これら第３レンズ素子Ｌ３と第４レンズ素子Ｌ４との間の接着剤層に面番号６が付与されている。また、第３レンズ素子Ｌ３は、その物体側面が非球面である。【００７１】
また実施の形態Ｉ−１２に係るズームレンズ系において、第３レンズ群Ｇ３は、両凸形状の第６レンズ素子Ｌ６のみからなる。該第６レンズ素子Ｌ６は、その両面が非球面である。【００７２】
実施の形態Ｉ−１２に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。【００７３】
図３７に示すように、実施の形態Ｉ−１３に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面であり、第２レンズ素子Ｌ２は、その物体側面が非球面である。【００７４】
実施の形態Ｉ−１３に係るズームレンズ系において、第２レンズ群Ｇ２は、物体側から像側へと順に、物体側に凸面を向けた正メニスカス形状の第３レンズ素子Ｌ３と、物体側に凸面を向けた負メニスカス形状の第４レンズ素子Ｌ４と、両凸形状の第５レンズ素子Ｌ５とからなる。これらのうち、第３レンズ素子Ｌ３と第４レンズ素子Ｌ４とは接合されており、後述する対応数値実施例における面データでは、これら第３レンズ素子Ｌ３と第４レンズ素子Ｌ４との間の接着剤層に面番号６が付与されている。また、第３レンズ素子Ｌ３は、その物体側面が非球面である。【００７５】
また実施の形態Ｉ−１３に係るズームレンズ系において、第３レンズ群Ｇ３は、像側に凸面を向けた正メニスカス形状の第６レンズ素子Ｌ６のみからなる。該第６レンズ素子Ｌ６は、その両面が非球面である。【００７６】
実施の形態Ｉ−１３に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。【００７７】
図４０に示すように、実施の形態Ｉ−１４に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１の像側面と第２レンズ素子Ｌ２の物体側面とは、いずれも非球面である。【００７８】
実施の形態Ｉ−１４に係るズームレンズ系において、第２レンズ群Ｇ２は、物体側から像側へと順に、両凸形状の第３レンズ素子Ｌ３と、両凸形状の第４レンズ素子Ｌ４と、両凹形状の第５レンズ素子Ｌ５とからなる。これらのうち、第４レンズ素子Ｌ４と第５レンズ素子Ｌ５とは接合されており、後述する対応数値実施例における面データでは、これら第４レンズ素子Ｌ４と第５レンズ素子Ｌ５との間の接着剤層に面番号８が付与されている。また、第３レンズ素子Ｌ３は、その物体側面が非球面である。【００７９】
また実施の形態Ｉ−１４に係るズームレンズ系において、第３レンズ群Ｇ３は、像側に凸面を向けた正メニスカス形状の第６レンズ素子Ｌ６のみからなる。該第６レンズ素子Ｌ６は、その両面が非球面である。【００８０】
実施の形態Ｉ−１４に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。【００８１】
図４３に示すように、実施の形態Ｉ−１５に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１の像側面と第２レンズ素子Ｌ２の物体側面とは、いずれも非球面である。【００８２】
実施の形態Ｉ−１５に係るズームレンズ系において、第２レンズ群Ｇ２は、物体側から像側へと順に、両凸形状の第３レンズ素子Ｌ３と、両凸形状の第４レンズ素子Ｌ４と、両凹形状の第５レンズ素子Ｌ５とからなる。これらのうち、第４レンズ素子Ｌ４と第５レンズ素子Ｌ５とは接合されており、後述する対応数値実施例における面データでは、これら第４レンズ素子Ｌ４と第５レンズ素子Ｌ５との間の接着剤層に面番号８が付与されている。また、第３レンズ素子Ｌ３は、その物体側面が非球面である。【００８３】
また実施の形態Ｉ−１５に係るズームレンズ系において、第３レンズ群Ｇ３は、像側に凸面を向けた正メニスカス形状の第６レンズ素子Ｌ６のみからなる。該第６レンズ素子Ｌ６は、その両面が非球面である。【００８４】
実施の形態Ｉ−１５に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。【００８５】
図４６に示すように、実施の形態Ｉ−１６に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１の像側面と第２レンズ素子Ｌ２の物体側面とは、いずれも非球面である。【００８６】
実施の形態Ｉ−１６に係るズームレンズ系において、第２レンズ群Ｇ２は、物体側から像側へと順に、両凸形状の第３レンズ素子Ｌ３と、両凸形状の第４レンズ素子Ｌ４と、両凹形状の第５レンズ素子Ｌ５とからなる。これらのうち、第４レンズ素子Ｌ４と第５レンズ素子Ｌ５とは接合されており、後述する対応数値実施例における面データでは、これら第４レンズ素子Ｌ４と第５レンズ素子Ｌ５との間の接着剤層に面番号８が付与されている。また、第３レンズ素子Ｌ３は、その物体側面が非球面である。【００８７】
また実施の形態Ｉ−１６に係るズームレンズ系において、第３レンズ群Ｇ３は、像側に凸面を向けた正メニスカス形状の第６レンズ素子Ｌ６のみからなる。該第６レンズ素子Ｌ６は、その両面が非球面である。【００８８】
実施の形態Ｉ−１６に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。【００８９】
図４９に示すように、実施の形態Ｉ−１７に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１の像側面と第２レンズ素子Ｌ２の物体側面とは、いずれも非球面である。【００９０】
実施の形態Ｉ−１７に係るズームレンズ系において、第２レンズ群Ｇ２は、物体側から像側へと順に、両凸形状の第３レンズ素子Ｌ３と、両凹形状の第４レンズ素子Ｌ４と、両凸形状の第５レンズ素子Ｌ５とからなる。これらのうち、第３レンズ素子Ｌ３と第４レンズ素子Ｌ４とは接合されている。また、第３レンズ素子Ｌ３は、その物体側面が非球面である。【００９１】
また実施の形態Ｉ−１７に係るズームレンズ系において、第３レンズ群Ｇ３は、像側に凸面を向けた正メニスカス形状の第６レンズ素子Ｌ６のみからなる。該第６レンズ素子Ｌ６は、その両面が非球面である。【００９２】
実施の形態Ｉ−１７に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。【００９３】
図５２に示すように、実施の形態Ｉ−１８に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１の像側面と第２レンズ素子Ｌ２の物体側面とは、いずれも非球面である。【００９４】
実施の形態Ｉ−１８に係るズームレンズ系において、第２レンズ群Ｇ２は、物体側から像側へと順に、両凸形状の第３レンズ素子Ｌ３と、両凹形状の第４レンズ素子Ｌ４と、両凸形状の第５レンズ素子Ｌ５とからなる。これらのうち、第３レンズ素子Ｌ３と第４レンズ素子Ｌ４とは接合されている。また、第３レンズ素子Ｌ３は、その物体側面が非球面である。【００９５】
また実施の形態Ｉ−１８に係るズームレンズ系において、第３レンズ群Ｇ３は、両凸形状の第６レンズ素子Ｌ６のみからなる。該第６レンズ素子Ｌ６は、その両面が非球面である。【００９６】
実施の形態Ｉ−１８に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。【００９７】
図５５に示すように、実施の形態Ｉ−１９に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１の像側面と第２レンズ素子Ｌ２の物体側面とは、いずれも非球面である。【００９８】
実施の形態Ｉ−１９に係るズームレンズ系において、第２レンズ群Ｇ２は、物体側から像側へと順に、両凸形状の第３レンズ素子Ｌ３と、両凹形状の第４レンズ素子Ｌ４と、両凸形状の第５レンズ素子Ｌ５とからなる。これらのうち、第３レンズ素子Ｌ３と第４レンズ素子Ｌ４とは接合されている。また、第３レンズ素子Ｌ３は、その物体側面が非球面である。【００９９】
また実施の形態Ｉ−１９に係るズームレンズ系において、第３レンズ群Ｇ３は、両凸形状の第６レンズ素子Ｌ６のみからなる。該第６レンズ素子Ｌ６は、その両面が非球面である。【０１００】
実施の形態Ｉ−１９に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。【０１０１】
図５８に示すように、実施の形態Ｉ−２０に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面である。【０１０２】
実施の形態Ｉ−２０に係るズームレンズ系において、第２レンズ群Ｇ２は、物体側から像側へと順に、物体側に凸面を向けた正メニスカス形状の第３レンズ素子Ｌ３と、物体側に凸面を向けた負メニスカス形状の第４レンズ素子Ｌ４と、物体側に凸面を向けた負メニスカス形状の第５レンズ素子Ｌ５と、両凸形状の第６レンズ素子Ｌ６とからなる。これらのうち、第３レンズ素子Ｌ３と第４レンズ素子Ｌ４とが接合されており、第５レンズ素子Ｌ５と第６レンズ素子Ｌ６とが接合されている。また、第３レンズ素子Ｌ３は、その物体側面が非球面である。【０１０３】
また実施の形態Ｉ−２０に係るズームレンズ系において、第３レンズ群Ｇ３は、両凸形状の第７レンズ素子Ｌ７のみからなる。【０１０４】
実施の形態Ｉ−２０に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。【０１０５】
図６１に示すように、実施の形態Ｉ−２１に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面である。【０１０６】
実施の形態Ｉ−２１に係るズームレンズ系において、第２レンズ群Ｇ２は、物体側から像側へと順に、物体側に凸面を向けた正メニスカス形状の第３レンズ素子Ｌ３と、物体側に凸面を向けた負メニスカス形状の第４レンズ素子Ｌ４と、物体側に凸面を向けた負メニスカス形状の第５レンズ素子Ｌ５と、両凸形状の第６レンズ素子Ｌ６とからなる。これらのうち、第３レンズ素子Ｌ３と第４レンズ素子Ｌ４とが接合されており、第５レンズ素子Ｌ５と第６レンズ素子Ｌ６とが接合されている。また、第３レンズ素子Ｌ３は、その物体側面が非球面である。【０１０７】
また実施の形態Ｉ−２１に係るズームレンズ系において、第３レンズ群Ｇ３は、両凸形状の第７レンズ素子Ｌ７のみからなる。【０１０８】
実施の形態Ｉ−２１に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。【０１０９】
図６４に示すように、実施の形態Ｉ−２２に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面である。【０１１０】
実施の形態Ｉ−２２に係るズームレンズ系において、第２レンズ群Ｇ２は、物体側から像側へと順に、物体側に凸面を向けた正メニスカス形状の第３レンズ素子Ｌ３と、物体側に凸面を向けた負メニスカス形状の第４レンズ素子Ｌ４と、物体側に凸面を向けた負メニスカス形状の第５レンズ素子Ｌ５と、両凸形状の第６レンズ素子Ｌ６とからなる。これらのうち、第３レンズ素子Ｌ３と第４レンズ素子Ｌ４とが接合されており、第５レンズ素子Ｌ５と第６レンズ素子Ｌ６とが接合されている。また、第３レンズ素子Ｌ３は、その物体側面が非球面である。【０１１１】
また実施の形態Ｉ−２２に係るズームレンズ系において、第３レンズ群Ｇ３は、両凸形状の第７レンズ素子Ｌ７のみからなる。【０１１２】
実施の形態Ｉ−２２に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。【０１１３】
図６７に示すように、実施の形態Ｉ−２３に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面である。【０１１４】
実施の形態Ｉ−２３に係るズームレンズ系において、第２レンズ群Ｇ２は、物体側から像側へと順に、物体側に凸面を向けた正メニスカス形状の第３レンズ素子Ｌ３と、物体側に凸面を向けた負メニスカス形状の第４レンズ素子Ｌ４と、物体側に凸面を向けた負メニスカス形状の第５レンズ素子Ｌ５と、両凸形状の第６レンズ素子Ｌ６とからなる。これらのうち、第３レンズ素子Ｌ３と第４レンズ素子Ｌ４とが接合されており、第５レンズ素子Ｌ５と第６レンズ素子Ｌ６とが接合されている。また、第３レンズ素子Ｌ３は、その物体側面が非球面である。【０１１５】
また実施の形態Ｉ−２３に係るズームレンズ系において、第３レンズ群Ｇ３は、像側に凸面を向けた正メニスカス形状の第７レンズ素子Ｌ７のみからなる。【０１１６】
実施の形態Ｉ−２３に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。【０１１７】
図７０に示すように、実施の形態Ｉ−２４に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面である。【０１１８】
実施の形態Ｉ−２４に係るズームレンズ系において、第２レンズ群Ｇ２は、物体側から像側へと順に、物体側に凸面を向けた正メニスカス形状の第３レンズ素子Ｌ３と、物体側に凸面を向けた負メニスカス形状の第４レンズ素子Ｌ４と、物体側に凸面を向けた負メニスカス形状の第５レンズ素子Ｌ５と、両凸形状の第６レンズ素子Ｌ６とからなる。これらのうち、第３レンズ素子Ｌ３と第４レンズ素子Ｌ４とが接合されており、第５レンズ素子Ｌ５と第６レンズ素子Ｌ６とが接合されている。また、第３レンズ素子Ｌ３は、その物体側面が非球面である。【０１１９】
また実施の形態Ｉ−２４に係るズームレンズ系において、第３レンズ群Ｇ３は、両凸形状の第７レンズ素子Ｌ７のみからなる。【０１２０】
実施の形態Ｉ−２４に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。【０１２１】
特に、実施の形態Ｉ−１〜Ｉ−２４に係るズームレンズ系では、第１レンズ群Ｇ１が、物体側から像側へと順に、負のパワーを有するレンズ素子と、正のパワーを有し、物体側に凸面を向けたメニスカス形状のレンズ素子とで構成されているので、諸収差、特に広角端での歪曲収差を良好に補正しながらも、短い光学全長を実現することができる。【０１２２】
実施の形態Ｉ−１〜Ｉ−２４に係るズームレンズ系では、第１レンズ群Ｇ１が、非球面を有するレンズ素子を少なくとも１枚含むか、又は少なくとも２面の非球面を含んでいるので、収差をさらに良好に補正することができる。【０１２３】
実施の形態Ｉ−１〜Ｉ−２４に係るズームレンズ系では、第３レンズ群Ｇ３が１枚のレンズ素子で構成されているので、レンズ素子の総枚数が削減され、光学全長が短いレンズ系となっている。また、該第３レンズ群Ｇ３を構成する１枚のレンズ素子が、非球面を含む実施の形態では、収差をさらに良好に補正することができる。【０１２４】
実施の形態Ｉ−１〜Ｉ−２４に係るズームレンズ系では、第２レンズ群Ｇ２が、その中に１〜２組の接合レンズ素子を含む３〜４枚のレンズ素子で構成されているので、該第２レンズ群Ｇ２の厚みが小さく、光学全長が短いレンズ系となっている。【０１２５】
また実施の形態Ｉ−１〜Ｉ−２４に係るズームレンズ系では、撮像時の広角端から望遠端へのズーミングの際に、第１レンズ群Ｇ１、第２レンズ群Ｇ２及び第３レンズ群Ｇ３を光軸に沿ってそれぞれ移動させて変倍を行うが、これらレンズ群のうち、例えば第２レンズ群Ｇ２を光軸に対して垂直方向に移動させることによって、手ぶれ、振動等による像のぶれを光学的に補正することができる。【０１２６】
像のぶれを光学的に補正する場合、このように第２レンズ群Ｇ２が光軸に対して垂直方向に移動することにより、ズームレンズ系全体の大型化を抑制してコンパクトに構成しながら、偏心コマ収差や偏心非点収差が小さい優れた結像特性を維持して像ぶれの補正を行うことができる。【０１２７】
（実施の形態II−１〜II−２４）
図７３、７６、７９、８２、８５、８８、９１、９４、９７、１００、１０３、１０６、１０９、１１２、１１５、１１８、１２１、１２４、１２７、１３０、１３３、１３６、１３９及び１４２は、各々実施の形態II−１〜II−２４に係るズームレンズ系のレンズ配置図である。【０１２８】
図７３、７６、７９、８２、８５、８８、９１、９４、９７、１００、１０３、１０６、１０９、１１２、１１５、１１８、１２１、１２４、１２７、１３０、１３３、１３６、１３９及び１４２は、いずれも無限遠合焦状態にあるズームレンズ系を表している。各図において、（ａ）図は広角端（最短焦点距離状態：焦点距離ｆＷ）のレンズ構成、（ｂ）図は中間位置（中間焦点距離状態：焦点距離ｆＭ＝√（ｆＷ＊ｆＴ））のレンズ構成、（ｃ）図は望遠端（最長焦点距離状態：焦点距離ｆＴ）のレンズ構成をそれぞれ表している。また各図において、（ａ）図と（ｂ）図との間に設けられた折れ線の矢印は、上から順に、広角端、中間位置、望遠端の各状態におけるレンズ群の位置を結んで得られる直線である。したがって、広角端と中間位置との間、中間位置と望遠端との間は、単純に直線で接続されているだけであり、実際の各レンズ群の動きとは異なる。さらに各図において、レンズ群に付された矢印は、無限遠合焦状態から近接物体合焦状態へのフォーカシングを表す。すなわち、無限遠合焦状態から近接物体合焦状態へのフォーカシングの際の移動方向を示している。【０１２９】
各実施の形態に係るズームレンズ系は、物体側から像側へと順に、負のパワーを有する第１レンズ群Ｇ１と、正のパワーを有する第２レンズ群Ｇ２と、正のパワーを有する第３レンズ群Ｇ３とを備え、撮像時の広角端から望遠端へのズーミングの際に、前記第１レンズ群Ｇ１と第２レンズ群Ｇ２との間隔が減少し、かつ第２レンズ群Ｇ２と第３レンズ群Ｇ３との間隔が増大するように各レンズ群が光軸に沿ってそれぞれ移動する（以下、このレンズ構成を、実施の形態の基本構成IIという）。各実施の形態に係るズームレンズ系は、これら各レンズ群を所望のパワー配置にすることにより、高い光学性能を保持しつつ、レンズ系全体の小型化を可能にしている。【０１３０】
なお図７３、７６、７９、８２、８５、８８、９１、９４、９７、１００、１０３、１０６、１０９、１１２、１１５、１１８、１２１、１２４、１２７、１３０、１３３、１３６、１３９及び１４２において、特定の面に付されたアスタリスク＊は、該面が非球面であることを示している。また各図において、各レンズ群の符号に付された記号（＋）及び記号（−）は、各レンズ群のパワーの符号に対応する。また各図において、最も右側に記載された直線は、像面Ｓの位置を表し、該像面Ｓの物体側（像面Ｓと第３レンズ群Ｇ３の最像側レンズ面との間）には、光学的ローパスフィルタや撮像素子のフェースプレート等と等価な平行平板が設けられている。【０１３１】
さらに図７３、７６、７９、８２、８５、８８、９１、９４、９７、１００、１０３、１０６、１０９、１１２、１１５、１１８、１２１、１２４、１２７、１３０、１３３、１３６、１３９及び１４２において、第２レンズ群Ｇ２の像側（第２レンズ群Ｇ２の最像側レンズ面と第３レンズ群Ｇ３の最物体側レンズ面との間）には、開口絞りＡが設けられており、該開口絞りＡは、撮像時の広角端から望遠端へのズーミングの際に、第２レンズ群Ｇ２と一体的に光軸上を移動する。各実施の形態に係るズームレンズ系では、このように、第２レンズ群Ｇ２の像側に、撮像時の広角端から望遠端へのズーミングの際に該第２レンズ群Ｇ２と一体的に光軸上を移動する開口絞りＡが配置されているので、第１レンズ群Ｇ１と、該第２レンズ群Ｇ２との空気間隔を短くすることが可能となり、ネガティブリード型の３群構成であるにもかかわらず、短い光学全長と、５倍程度といった大きな変倍比とを同時に実現することができる。【０１３２】
図７３に示すように、実施の形態II−１に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面であり、第２レンズ素子Ｌ２は、その物体側面が非球面である。【０１３３】
実施の形態II−１に係るズームレンズ系において、第２レンズ群Ｇ２は、物体側から像側へと順に、物体側に凸面を向けた正メニスカス形状の第３レンズ素子Ｌ３と、両凸形状の第４レンズ素子Ｌ４と、両凹形状の第５レンズ素子Ｌ５と、両凸形状の第６レンズ素子Ｌ６とからなる。これらのうち、第４レンズ素子Ｌ４と第５レンズ素子Ｌ５とが接合されており、後述する対応数値実施例における面データでは、これら第４レンズ素子Ｌ４と第５レンズ素子Ｌ５との間の接着剤層に面番号８が付与されている。また、第３レンズ素子Ｌ３は、その物体側面が非球面である。【０１３４】
また実施の形態II−１に係るズームレンズ系において、第３レンズ群Ｇ３は、像側に凸面を向けた正メニスカス形状の第７レンズ素子Ｌ７のみからなる。該第７レンズ素子Ｌ７は、その両面が非球面である。【０１３５】
実施の形態II−１に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。【０１３６】
図７６に示すように、実施の形態II−２に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１の像側面と第２レンズ素子Ｌ２の物体側面とは、いずれも非球面である。【０１３７】
実施の形態II−２に係るズームレンズ系において、第２レンズ群Ｇ２は、物体側から像側へと順に、物体側に凸面を向けた正メニスカス形状の第３レンズ素子Ｌ３と、両凸形状の第４レンズ素子Ｌ４と、両凹形状の第５レンズ素子Ｌ５と、物体側に凸面を向けた正メニスカス形状の第６レンズ素子Ｌ６とからなる。これらのうち、第４レンズ素子Ｌ４と第５レンズ素子Ｌ５とが接合されており、後述する対応数値実施例における面データでは、これら第４レンズ素子Ｌ４と第５レンズ素子Ｌ５との間の接着剤層に面番号８が付与されている。また、第６レンズ素子Ｌ６は、その両面が非球面である。【０１３８】
また実施の形態II−２に係るズームレンズ系において、第３レンズ群Ｇ３は、両凸形状の第７レンズ素子Ｌ７のみからなる。該第７レンズ素子Ｌ７は、その両面が非球面である。【０１３９】
実施の形態II−２に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。【０１４０】
図７９に示すように、実施の形態II−３に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面であり、第２レンズ素子Ｌ２は、その物体側面が非球面である。【０１４１】
実施の形態II−３に係るズームレンズ系において、第２レンズ群Ｇ２は、物体側から像側へと順に、物体側に凸面を向けた正メニスカス形状の第３レンズ素子Ｌ３と、両凸形状の第４レンズ素子Ｌ４と、両凹形状の第５レンズ素子Ｌ５と、両凸形状の第６レンズ素子Ｌ６とからなる。これらのうち、第４レンズ素子Ｌ４と第５レンズ素子Ｌ５とが接合されており、後述する対応数値実施例における面データでは、これら第４レンズ素子Ｌ４と第５レンズ素子Ｌ５との間の接着剤層に面番号８が付与されている。また、第３レンズ素子Ｌ３は、その物体側面が非球面である。【０１４２】
また実施の形態II−３に係るズームレンズ系において、第３レンズ群Ｇ３は、像側に凸面を向けた正メニスカス形状の第７レンズ素子Ｌ７のみからなる。該第７レンズ素子Ｌ７は、その両面が非球面である。【０１４３】
実施の形態II−３に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。【０１４４】
図８２に示すように、実施の形態II−４に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面であり、第２レンズ素子Ｌ２は、その物体側面が非球面である。【０１４５】
実施の形態II−４に係るズームレンズ系において、第２レンズ群Ｇ２は、物体側から像側へと順に、物体側に凸面を向けた正メニスカス形状の第３レンズ素子Ｌ３と、両凸形状の第４レンズ素子Ｌ４と、両凹形状の第５レンズ素子Ｌ５と、両凸形状の第６レンズ素子Ｌ６とからなる。これらのうち、第４レンズ素子Ｌ４と第５レンズ素子Ｌ５とが接合されており、後述する対応数値実施例における面データでは、これら第４レンズ素子Ｌ４と第５レンズ素子Ｌ５との間の接着剤層に面番号８が付与されている。また、第３レンズ素子Ｌ３は、その物体側面が非球面である。【０１４６】
また実施の形態II−４に係るズームレンズ系において、第３レンズ群Ｇ３は、像側に凸面を向けた正メニスカス形状の第７レンズ素子Ｌ７のみからなる。該第７レンズ素子Ｌ７は、その両面が非球面である。【０１４７】
実施の形態II−４に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。【０１４８】
図８５に示すように、実施の形態II−５に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面であり、第２レンズ素子Ｌ２は、その物体側面が非球面である。【０１４９】
実施の形態II−５に係るズームレンズ系において、第２レンズ群Ｇ２は、物体側から像側へと順に、物体側に凸面を向けた正メニスカス形状の第３レンズ素子Ｌ３と、両凸形状の第４レンズ素子Ｌ４と、両凹形状の第５レンズ素子Ｌ５と、両凸形状の第６レンズ素子Ｌ６とからなる。これらのうち、第４レンズ素子Ｌ４と第５レンズ素子Ｌ５とが接合されており、後述する対応数値実施例における面データでは、これら第４レンズ素子Ｌ４と第５レンズ素子Ｌ５との間の接着剤層に面番号８が付与されている。また、第３レンズ素子Ｌ３は、その物体側面が非球面である。【０１５０】
また実施の形態II−５に係るズームレンズ系において、第３レンズ群Ｇ３は、像側に凸面を向けた正メニスカス形状の第７レンズ素子Ｌ７のみからなる。該第７レンズ素子Ｌ７は、その両面が非球面である。【０１５１】
実施の形態II−５に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。【０１５２】
図８８に示すように、実施の形態II−６に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１の像側面と第２レンズ素子Ｌ２の物体側面とは、いずれも非球面である。【０１５３】
実施の形態II−６に係るズームレンズ系において、第２レンズ群Ｇ２は、物体側から像側へと順に、物体側に凸面を向けた正メニスカス形状の第３レンズ素子Ｌ３と、両凸形状の第４レンズ素子Ｌ４と、両凹形状の第５レンズ素子Ｌ５と、両凸形状の第６レンズ素子Ｌ６とからなる。これらのうち、第４レンズ素子Ｌ４と第５レンズ素子Ｌ５とが接合されており、後述する対応数値実施例における面データでは、これら第４レンズ素子Ｌ４と第５レンズ素子Ｌ５との間の接着剤層に面番号８が付与されている。また、第３レンズ素子Ｌ３は、その物体側面が非球面である。【０１５４】
また実施の形態II−６に係るズームレンズ系において、第３レンズ群Ｇ３は、像側に凸面を向けた正メニスカス形状の第７レンズ素子Ｌ７のみからなる。該第７レンズ素子Ｌ７は、その両面が非球面である。【０１５５】
実施の形態II−６に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。【０１５６】
図９１に示すように、実施の形態II−７に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面であり、第２レンズ素子Ｌ２は、その物体側面が非球面である。【０１５７】
実施の形態II−７に係るズームレンズ系において、第２レンズ群Ｇ２は、物体側から像側へと順に、物体側に凸面を向けた正メニスカス形状の第３レンズ素子Ｌ３と、両凸形状の第４レンズ素子Ｌ４と、両凹形状の第５レンズ素子Ｌ５と、両凸形状の第６レンズ素子Ｌ６とからなる。これらのうち、第４レンズ素子Ｌ４と第５レンズ素子Ｌ５とが接合されており、後述する対応数値実施例における面データでは、これら第４レンズ素子Ｌ４と第５レンズ素子Ｌ５との間の接着剤層に面番号８が付与されている。また、第３レンズ素子Ｌ３は、その物体側面が非球面である。【０１５８】
また実施の形態II−７に係るズームレンズ系において、第３レンズ群Ｇ３は、像側に凸面を向けた正メニスカス形状の第７レンズ素子Ｌ７のみからなる。該第７レンズ素子Ｌ７は、その両面が非球面である。【０１５９】
実施の形態II−７に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。【０１６０】
図９４に示すように、実施の形態II−８に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面であり、第２レンズ素子Ｌ２は、その物体側面が非球面である。【０１６１】
実施の形態II−８に係るズームレンズ系において、第２レンズ群Ｇ２は、物体側から像側へと順に、物体側に凸面を向けた正メニスカス形状の第３レンズ素子Ｌ３と、両凸形状の第４レンズ素子Ｌ４と、両凹形状の第５レンズ素子Ｌ５と、両凸形状の第６レンズ素子Ｌ６とからなる。これらのうち、第４レンズ素子Ｌ４と第５レンズ素子Ｌ５とが接合されており、後述する対応数値実施例における面データでは、これら第４レンズ素子Ｌ４と第５レンズ素子Ｌ５との間の接着剤層に面番号８が付与されている。また、第３レンズ素子Ｌ３は、その物体側面が非球面である。【０１６２】
また実施の形態II−８に係るズームレンズ系において、第３レンズ群Ｇ３は、像側に凸面を向けた正メニスカス形状の第７レンズ素子Ｌ７のみからなる。該第７レンズ素子Ｌ７は、その両面が非球面である。【０１６３】
実施の形態II−８に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。【０１６４】
図９７に示すように、実施の形態II−９に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面である。【０１６５】
実施の形態II−９に係るズームレンズ系において、第２レンズ群Ｇ２は、物体側から像側へと順に、両凸形状の第３レンズ素子Ｌ３と、両凸形状の第４レンズ素子Ｌ４と、両凹形状の第５レンズ素子Ｌ５と、両凸形状の第６レンズ素子Ｌ６とからなる。これらのうち、第４レンズ素子Ｌ４と第５レンズ素子Ｌ５とは接合されており、後述する対応数値実施例における面データでは、これら第４レンズ素子Ｌ４と第５レンズ素子Ｌ５との間の接着剤層に面番号８が付与されている。また、第３レンズ素子Ｌ３は、その物体側面が非球面である。【０１６６】
また実施の形態II−９に係るズームレンズ系において、第３レンズ群Ｇ３は、像側に凸面を向けた正メニスカス形状の第７レンズ素子Ｌ７のみからなる。該第７レンズ素子Ｌ７は、その像側面が非球面である。【０１６７】
実施の形態II−９に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。【０１６８】
図１００に示すように、実施の形態II−１０に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面であり、第２レンズ素子Ｌ２は、その物体側面が非球面である。【０１６９】
実施の形態II−１０に係るズームレンズ系において、第２レンズ群Ｇ２は、物体側から像側へと順に、両凸形状の第３レンズ素子Ｌ３と、両凹形状の第４レンズ素子Ｌ４と、両凸形状の第５レンズ素子Ｌ５とからなる。これらのうち、第３レンズ素子Ｌ３と第４レンズ素子Ｌ４とは接合されており、後述する対応数値実施例における面データでは、これら第３レンズ素子Ｌ３と第４レンズ素子Ｌ４との間の接着剤層に面番号６が付与されている。また、第３レンズ素子Ｌ３は、その物体側面が非球面である。【０１７０】
また実施の形態II−１０に係るズームレンズ系において、第３レンズ群Ｇ３は、両凸形状の第６レンズ素子Ｌ６のみからなる。該第６レンズ素子Ｌ６は、その両面が非球面である。【０１７１】
実施の形態II−１０に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。【０１７２】
図１０３に示すように、実施の形態II−１１に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面であり、第２レンズ素子Ｌ２は、その物体側面が非球面である。【０１７３】
実施の形態II−１１に係るズームレンズ系において、第２レンズ群Ｇ２は、物体側から像側へと順に、両凸形状の第３レンズ素子Ｌ３と、両凹形状の第４レンズ素子Ｌ４と、両凸形状の第５レンズ素子Ｌ５とからなる。これらのうち、第３レンズ素子Ｌ３と第４レンズ素子Ｌ４とは接合されており、後述する対応数値実施例における面データでは、これら第３レンズ素子Ｌ３と第４レンズ素子Ｌ４との間の接着剤層に面番号６が付与されている。また、第３レンズ素子Ｌ３は、その物体側面が非球面である。【０１７４】
また実施の形態II−１１に係るズームレンズ系において、第３レンズ群Ｇ３は、両凸形状の第６レンズ素子Ｌ６のみからなる。該第６レンズ素子Ｌ６は、その両面が非球面である。【０１７５】
実施の形態II−１１に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。【０１７６】
図１０６に示すように、実施の形態II−１２に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１の像側面と第２レンズ素子Ｌ２の物体側面とは、いずれも非球面である。【０１７７】
実施の形態II−１２に係るズームレンズ系において、第２レンズ群Ｇ２は、物体側から像側へと順に、両凸形状の第３レンズ素子Ｌ３と、両凹形状の第４レンズ素子Ｌ４と、両凸形状の第５レンズ素子Ｌ５とからなる。これらのうち、第３レンズ素子Ｌ３と第４レンズ素子Ｌ４とは接合されており、後述する対応数値実施例における面データでは、これら第３レンズ素子Ｌ３と第４レンズ素子Ｌ４との間の接着剤層に面番号６が付与されている。また、第３レンズ素子Ｌ３は、その物体側面が非球面である。【０１７８】
また実施の形態II−１２に係るズームレンズ系において、第３レンズ群Ｇ３は、両凸形状の第６レンズ素子Ｌ６のみからなる。該第６レンズ素子Ｌ６は、その両面が非球面である。【０１７９】
実施の形態II−１２に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。【０１８０】
図１０９に示すように、実施の形態II−１３に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面であり、第２レンズ素子Ｌ２は、その物体側面が非球面である。【０１８１】
実施の形態II−１３に係るズームレンズ系において、第２レンズ群Ｇ２は、物体側から像側へと順に、物体側に凸面を向けた正メニスカス形状の第３レンズ素子Ｌ３と、物体側に凸面を向けた負メニスカス形状の第４レンズ素子Ｌ４と、両凸形状の第５レンズ素子Ｌ５とからなる。これらのうち、第３レンズ素子Ｌ３と第４レンズ素子Ｌ４とは接合されており、後述する対応数値実施例における面データでは、これら第３レンズ素子Ｌ３と第４レンズ素子Ｌ４との間の接着剤層に面番号６が付与されている。また、第３レンズ素子Ｌ３は、その物体側面が非球面である。【０１８２】
また実施の形態II−１３に係るズームレンズ系において、第３レンズ群Ｇ３は、像側に凸面を向けた正メニスカス形状の第６レンズ素子Ｌ６のみからなる。該第６レンズ素子Ｌ６は、その両面が非球面である。【０１８３】
実施の形態II−１３に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。【０１８４】
図１１２に示すように、実施の形態II−１４に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１の像側面と第２レンズ素子Ｌ２の物体側面とは、いずれも非球面である。【０１８５】
実施の形態II−１４に係るズームレンズ系において、第２レンズ群Ｇ２は、物体側から像側へと順に、両凸形状の第３レンズ素子Ｌ３と、両凸形状の第４レンズ素子Ｌ４と、両凹形状の第５レンズ素子Ｌ５とからなる。これらのうち、第４レンズ素子Ｌ４と第５レンズ素子Ｌ５とは接合されており、後述する対応数値実施例における面データでは、これら第４レンズ素子Ｌ４と第５レンズ素子Ｌ５との間の接着剤層に面番号８が付与されている。また、第３レンズ素子Ｌ３は、その物体側面が非球面である。【０１８６】
また実施の形態II−１４に係るズームレンズ系において、第３レンズ群Ｇ３は、像側に凸面を向けた正メニスカス形状の第６レンズ素子Ｌ６のみからなる。該第６レンズ素子Ｌ６は、その両面が非球面である。【０１８７】
実施の形態II−１４に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。【０１８８】
図１１５に示すように、実施の形態II−１５に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１の像側面と第２レンズ素子Ｌ２の物体側面とは、いずれも非球面である。【０１８９】
実施の形態II−１５に係るズームレンズ系において、第２レンズ群Ｇ２は、物体側から像側へと順に、両凸形状の第３レンズ素子Ｌ３と、両凸形状の第４レンズ素子Ｌ４と、両凹形状の第５レンズ素子Ｌ５とからなる。これらのうち、第４レンズ素子Ｌ４と第５レンズ素子Ｌ５とは接合されており、後述する対応数値実施例における面データでは、これら第４レンズ素子Ｌ４と第５レンズ素子Ｌ５との間の接着剤層に面番号８が付与されている。また、第３レンズ素子Ｌ３は、その物体側面が非球面である。【０１９０】
また実施の形態II−１５に係るズームレンズ系において、第３レンズ群Ｇ３は、像側に凸面を向けた正メニスカス形状の第６レンズ素子Ｌ６のみからなる。該第６レンズ素子Ｌ６は、その両面が非球面である。【０１９１】
実施の形態II−１５に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。【０１９２】
図１１８に示すように、実施の形態II−１６に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１の像側面と第２レンズ素子Ｌ２の物体側面とは、いずれも非球面である。【０１９３】
実施の形態II−１６に係るズームレンズ系において、第２レンズ群Ｇ２は、物体側から像側へと順に、両凸形状の第３レンズ素子Ｌ３と、両凸形状の第４レンズ素子Ｌ４と、両凹形状の第５レンズ素子Ｌ５とからなる。これらのうち、第４レンズ素子Ｌ４と第５レンズ素子Ｌ５とは接合されており、後述する対応数値実施例における面データでは、これら第４レンズ素子Ｌ４と第５レンズ素子Ｌ５との間の接着剤層に面番号８が付与されている。また、第３レンズ素子Ｌ３は、その物体側面が非球面である。【０１９４】
また実施の形態II−１６に係るズームレンズ系において、第３レンズ群Ｇ３は、像側に凸面を向けた正メニスカス形状の第６レンズ素子Ｌ６のみからなる。該第６レンズ素子Ｌ６は、その両面が非球面である。【０１９５】
実施の形態II−１６に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。【０１９６】
図１２１に示すように、実施の形態II−１７に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１の像側面と第２レンズ素子Ｌ２の物体側面とは、いずれも非球面である。【０１９７】
実施の形態II−１７に係るズームレンズ系において、第２レンズ群Ｇ２は、物体側から像側へと順に、両凸形状の第３レンズ素子Ｌ３と、両凹形状の第４レンズ素子Ｌ４と、両凸形状の第５レンズ素子Ｌ５とからなる。これらのうち、第３レンズ素子Ｌ３と第４レンズ素子Ｌ４とは接合されている。また、第３レンズ素子Ｌ３は、その物体側面が非球面である。【０１９８】
また実施の形態II−１７に係るズームレンズ系において、第３レンズ群Ｇ３は、像側に凸面を向けた正メニスカス形状の第６レンズ素子Ｌ６のみからなる。該第６レンズ素子Ｌ６は、その両面が非球面である。【０１９９】
実施の形態II−１７に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。【０２００】
図１２４に示すように、実施の形態II−１８に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１の像側面と第２レンズ素子Ｌ２の物体側面とは、いずれも非球面である。【０２０１】
実施の形態II−１８に係るズームレンズ系において、第２レンズ群Ｇ２は、物体側から像側へと順に、両凸形状の第３レンズ素子Ｌ３と、両凹形状の第４レンズ素子Ｌ４と、両凸形状の第５レンズ素子Ｌ５とからなる。これらのうち、第３レンズ素子Ｌ３と第４レンズ素子Ｌ４とは接合されている。また、第３レンズ素子Ｌ３は、その物体側面が非球面である。【０２０２】
また実施の形態II−１８に係るズームレンズ系において、第３レンズ群Ｇ３は、両凸形状の第６レンズ素子Ｌ６のみからなる。該第６レンズ素子Ｌ６は、その両面が非球面である。【０２０３】
実施の形態II−１８に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。【０２０４】
図１２７に示すように、実施の形態II−１９に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１の像側面と第２レンズ素子Ｌ２の物体側面とは、いずれも非球面である。【０２０５】
実施の形態II−１９に係るズームレンズ系において、第２レンズ群Ｇ２は、物体側から像側へと順に、両凸形状の第３レンズ素子Ｌ３と、両凹形状の第４レンズ素子Ｌ４と、両凸形状の第５レンズ素子Ｌ５とからなる。これらのうち、第３レンズ素子Ｌ３と第４レンズ素子Ｌ４とは接合されている。また、第３レンズ素子Ｌ３は、その物体側面が非球面である。【０２０６】
また実施の形態II−１９に係るズームレンズ系において、第３レンズ群Ｇ３は、両凸形状の第６レンズ素子Ｌ６のみからなる。該第６レンズ素子Ｌ６は、その両面が非球面である。【０２０７】
実施の形態II−１９に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。【０２０８】
図１３０に示すように、実施の形態II−２０に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面である。【０２０９】
実施の形態II−２０に係るズームレンズ系において、第２レンズ群Ｇ２は、物体側から像側へと順に、物体側に凸面を向けた正メニスカス形状の第３レンズ素子Ｌ３と、物体側に凸面を向けた負メニスカス形状の第４レンズ素子Ｌ４と、物体側に凸面を向けた負メニスカス形状の第５レンズ素子Ｌ５と、両凸形状の第６レンズ素子Ｌ６とからなる。これらのうち、第３レンズ素子Ｌ３と第４レンズ素子Ｌ４とが接合されており、第５レンズ素子Ｌ５と第６レンズ素子Ｌ６とが接合されている。また、第３レンズ素子Ｌ３は、その物体側面が非球面である。【０２１０】
また実施の形態II−２０に係るズームレンズ系において、第３レンズ群Ｇ３は、両凸形状の第７レンズ素子Ｌ７のみからなる。【０２１１】
実施の形態II−２０に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。【０２１２】
図１３３に示すように、実施の形態II−２１に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面である。【０２１３】
実施の形態II−２１に係るズームレンズ系において、第２レンズ群Ｇ２は、物体側から像側へと順に、物体側に凸面を向けた正メニスカス形状の第３レンズ素子Ｌ３と、物体側に凸面を向けた負メニスカス形状の第４レンズ素子Ｌ４と、物体側に凸面を向けた負メニスカス形状の第５レンズ素子Ｌ５と、両凸形状の第６レンズ素子Ｌ６とからなる。これらのうち、第３レンズ素子Ｌ３と第４レンズ素子Ｌ４とが接合されており、第５レンズ素子Ｌ５と第６レンズ素子Ｌ６とが接合されている。また、第３レンズ素子Ｌ３は、その物体側面が非球面である。【０２１４】
また実施の形態II−２１に係るズームレンズ系において、第３レンズ群Ｇ３は、両凸形状の第７レンズ素子Ｌ７のみからなる。【０２１５】
実施の形態II−２１に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。【０２１６】
図１３６に示すように、実施の形態II−２２に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面である。【０２１７】
実施の形態II−２２に係るズームレンズ系において、第２レンズ群Ｇ２は、物体側から像側へと順に、物体側に凸面を向けた正メニスカス形状の第３レンズ素子Ｌ３と、物体側に凸面を向けた負メニスカス形状の第４レンズ素子Ｌ４と、物体側に凸面を向けた負メニスカス形状の第５レンズ素子Ｌ５と、両凸形状の第６レンズ素子Ｌ６とからなる。これらのうち、第３レンズ素子Ｌ３と第４レンズ素子Ｌ４とが接合されており、第５レンズ素子Ｌ５と第６レンズ素子Ｌ６とが接合されている。また、第３レンズ素子Ｌ３は、その物体側面が非球面である。【０２１８】
また実施の形態II−２２に係るズームレンズ系において、第３レンズ群Ｇ３は、両凸形状の第７レンズ素子Ｌ７のみからなる。【０２１９】
実施の形態II−２２に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。【０２２０】
図１３９に示すように、実施の形態II−２３に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面である。【０２２１】
実施の形態II−２３に係るズームレンズ系において、第２レンズ群Ｇ２は、物体側から像側へと順に、物体側に凸面を向けた正メニスカス形状の第３レンズ素子Ｌ３と、物体側に凸面を向けた負メニスカス形状の第４レンズ素子Ｌ４と、物体側に凸面を向けた負メニスカス形状の第５レンズ素子Ｌ５と、両凸形状の第６レンズ素子Ｌ６とからなる。これらのうち、第３レンズ素子Ｌ３と第４レンズ素子Ｌ４とが接合されており、第５レンズ素子Ｌ５と第６レンズ素子Ｌ６とが接合されている。また、第３レンズ素子Ｌ３は、その物体側面が非球面である。【０２２２】
また実施の形態II−２３に係るズームレンズ系において、第３レンズ群Ｇ３は、像側に凸面を向けた正メニスカス形状の第７レンズ素子Ｌ７のみからなる。【０２２３】
実施の形態II−２３に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。【０２２４】
図１４２に示すように、実施の形態II−２４に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面である。【０２２５】
実施の形態II−２４に係るズームレンズ系において、第２レンズ群Ｇ２は、物体側から像側へと順に、物体側に凸面を向けた正メニスカス形状の第３レンズ素子Ｌ３と、物体側に凸面を向けた負メニスカス形状の第４レンズ素子Ｌ４と、物体側に凸面を向けた負メニスカス形状の第５レンズ素子Ｌ５と、両凸形状の第６レンズ素子Ｌ６とからなる。これらのうち、第３レンズ素子Ｌ３と第４レンズ素子Ｌ４とが接合されており、第５レンズ素子Ｌ５と第６レンズ素子Ｌ６とが接合されている。また、第３レンズ素子Ｌ３は、その物体側面が非球面である。【０２２６】
また実施の形態II−２４に係るズームレンズ系において、第３レンズ群Ｇ３は、像側に凸面を向けた正メニスカス形状の第７レンズ素子Ｌ７のみからなる。【０２２７】
実施の形態II−２４に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。【０２２８】
特に、実施の形態II−１〜II−２４に係るズームレンズ系では、第１レンズ群Ｇ１が、物体側から像側へと順に、負のパワーを有するレンズ素子と、正のパワーを有し、物体側に凸面を向けたメニスカス形状のレンズ素子とで構成されているので、諸収差、特に広角端での歪曲収差を良好に補正しながらも、短い光学全長を実現することができる。【０２２９】
実施の形態II−１〜II−２４に係るズームレンズ系では、第１レンズ群Ｇ１が、非球面を有するレンズ素子を少なくとも１枚含むか、又は少なくとも２面の非球面を含んでいるので、収差をさらに良好に補正することができる。【０２３０】
実施の形態II−１〜II−２４に係るズームレンズ系では、第３レンズ群Ｇ３が１枚のレンズ素子で構成されているので、レンズ素子の総枚数が削減され、光学全長が短いレンズ系となっている。また、該第３レンズ群Ｇ３を構成する１枚のレンズ素子が、非球面を含む実施の形態では、収差をさらに良好に補正することができる。【０２３１】
実施の形態II−１〜II−２４に係るズームレンズ系では、第２レンズ群Ｇ２が、その中に１〜２組の接合レンズ素子を含む３〜４枚のレンズ素子で構成されているので、該第２レンズ群Ｇ２の厚みが小さく、光学全長が短いレンズ系となっている。【０２３２】
また実施の形態II−１〜II−２４に係るズームレンズ系では、撮像時の広角端から望遠端へのズーミングの際に、第１レンズ群Ｇ１、第２レンズ群Ｇ２及び第３レンズ群Ｇ３を光軸に沿ってそれぞれ移動させて変倍を行うが、これらレンズ群のうち、例えば第２レンズ群Ｇ２を光軸に対して垂直方向に移動させることによって、手ぶれ、振動等による像のぶれを光学的に補正することができる。【０２３３】
像のぶれを光学的に補正する場合、このように第２レンズ群Ｇ２が光軸に対して垂直方向に移動することにより、ズームレンズ系全体の大型化を抑制してコンパクトに構成しながら、偏心コマ収差や偏心非点収差が小さい優れた結像特性を維持して像ぶれの補正を行うことができる。【０２３４】
以下、例えば実施の形態Ｉ−１〜Ｉ−２４に係るズームレンズ系のように、前記のごとき基本構成Ｉを有するズームレンズ系が満足することが好ましい条件、及び、例えば実施の形態II−１〜II−２４に係るズームレンズ系のように、前記のごとき基本構成IIを有するズームレンズ系が満足することが好ましい条件を説明する。なお、各実施の形態に係るズームレンズ系に対して、複数の好ましい条件が規定されるが、これら複数の条件すべてを満足するズームレンズ系の構成が最も望ましい。しかしながら、個別の条件を満足することにより、それぞれ対応する効果を奏するズームレンズ系を得ることも可能である。【０２３５】
例えば実施の形態Ｉ−１〜Ｉ−２４に係るズームレンズ系のごときズームレンズ系は、以下の条件（１）を満足する。また、例えば実施の形態II−１〜II−２４に係るズームレンズ系のごときズームレンズ系は、以下の条件（１）を満足することが好ましい。
０．１０＜Ｄ２／（Ｉｒ×Ｚ２）＜０．３０  ・・・（１）
（ただし、Ｚ＝ｆＴ／ｆＷ＞４．０、ωＷ＞３５）
ここで、
Ｄ２：望遠端から広角端へ向けての第２レンズ群の移動量（像側から物体側へ移動する場合を正とする）、
Ｉｒ：最大像高（Ｉｒ＝ｆＴ×ｔａｎ（ωＴ））、
ｆＴ：望遠端における全系の焦点距離、
ｆＷ：広角端における全系の焦点距離、
ωＷ：広角端における最大画角の半値（°）、
ωＴ：望遠端における最大画角の半値（°）
である。【０２３６】
前記条件（１）は、第２レンズ群の移動量に関する条件である。条件（１）の上限を上回ると、第２レンズ群のズーミングに伴う移動量が増大し、ズーミング時の収差変動を補正することが困難になる。一方、条件（１）の下限を下回ると、特に広角端における歪曲収差と像面湾曲とを同時に補正することが困難になる。【０２３７】
なお、さらに以下の条件（１）’及び（１）’’の少なくとも１つを満足することにより、前記効果をさらに奏功させることができる。
０．１５＜Ｄ２／（Ｉｒ×Ｚ２）  ・・・（１）’
Ｄ２／（Ｉｒ×Ｚ２）＜０．２５  ・・・（１）’’
（ただし、Ｚ＝ｆＴ／ｆＷ＞４．０、ωＷ＞３５）【０２３８】
また、前記条件（１）、（１）’及び（１）’’は、ωＷ＞４０において満足することがより望ましい。【０２３９】
例えば実施の形態II−１〜II−２４に係るズームレンズ系のごときズームレンズ系は、以下の条件（４）を満足する。また、例えば実施の形態Ｉ−１〜Ｉ−２４に係るズームレンズ系のごときズームレンズ系は、以下の条件（４）を満足することが好ましい。
０．１０＜（Ｄ２Ｔ−Ｄ２Ｗ）／（Ｉｒ×Ｚ２）＜０．３０  ・・・（４）
（ただし、Ｚ＝ｆＴ／ｆＷ＞４．０、ωＷ＞３５）
ここで、
Ｄ２Ｔ：望遠端における第２レンズ群の最像側から第３レンズ群の最物体側までの軸上間隔、
Ｄ２Ｗ：広角端における第２レンズ群の最像側から第３レンズ群の最物体側までの軸上間隔、
Ｉｒ：最大像高（Ｉｒ＝ｆＴ×ｔａｎ（ωＴ））、
ｆＴ：望遠端における全系の焦点距離、
ｆＷ：広角端における全系の焦点距離、
ωＷ：広角端における最大画角の半値（°）、
ωＴ：望遠端における最大画角の半値（°）
である。【０２４０】
前記条件（４）は、第２レンズ群の移動量に関する条件である。条件（４）の上限を上回ると、第２レンズ群のズーミングに伴う移動量が増大し、ズーミング時の収差変動を補正することが困難になる。一方、条件（４）の下限を下回ると、特に広角端における歪曲収差と像面湾曲とを同時に補正することが困難になる。【０２４１】
なお、さらに以下の条件（４）’及び（４）’’の少なくとも１つを満足することにより、前記効果をさらに奏功させることができる。
０．１５＜（Ｄ２Ｔ−Ｄ２Ｗ）／（Ｉｒ×Ｚ２）  ・・・（４）’
（Ｄ２Ｔ−Ｄ２Ｗ）／（Ｉｒ×Ｚ２）＜０．２７  ・・・（４）’’
（ただし、Ｚ＝ｆＴ／ｆＷ＞４．０、ωＷ＞３５）【０２４２】
また、前記条件（４）、（４）’及び（４）’’は、ωＷ＞４０において満足することがより望ましい。【０２４３】
例えば実施の形態Ｉ−１〜Ｉ−２４に係るズームレンズ系及び実施の形態II−１〜II−２４に係るズームレンズ系のように、第２レンズ群が光軸に対して垂直方向に移動するズームレンズ系では、以下の条件（２）及び（３）を全系において満足することが望ましい。
ＹＴ＞Ｙ  ・・・（２）
０．０５＜（Ｙ／ＹＴ）／（ｆ／ｆＴ）＜０．６０  ・・・（３）
（ただし、Ｚ＝ｆＴ／ｆＷ＞４．０、ωＷ＞３５である）
ここで、
ｆ：全系の焦点距離、
ｆＴ：望遠端における全系の焦点距離、
Ｙ：全系の焦点距離ｆにおける、第２レンズ群の、最大ぶれ補正時の光軸に対して垂直方向への移動量、
ＹＴ：望遠端での全系の焦点距離ｆＴにおける、第２レンズ群の、最大ぶれ補正時の光軸に対して垂直方向への移動量、
ｆＷ：広角端における全系の焦点距離、
ωＷ：広角端における最大画角の半値（°）
である。【０２４４】
前記条件（２）及び（３）は、光軸に対して垂直方向に移動する第２レンズ群の最大ぶれ補正時の移動量に関する条件である。ズームレンズ系の場合、補正角が全ズーム域で一定のときには、ズーム比が大きいほど、光軸に対して垂直方向に移動するレンズ群やレンズ素子の移動量が大きく、逆にズーム比が小さいほど、光軸に対して垂直方向に移動するレンズ群やレンズ素子の移動量が小さくなる。条件（２）を満足しない場合又は条件（３）の上限を上回ると、ぶれ補正が過剰となり、光学性能の劣化が大きくなる恐れがある。一方、条件（３）の下限を下回ると、充分にぶれを補正することができなくなる恐れがある。【０２４５】
なお、さらに以下の条件（３）’及び（３）’’の少なくとも１つを満足することにより、前記効果をさらに奏功させることができる。
０．０８＜（Ｙ／ＹＴ）／（ｆ／ｆＴ）  ・・・（３）’
（Ｙ／ＹＴ）／（ｆ／ｆＴ）＜０．５０  ・・・（３）’’
（ただし、Ｚ＝ｆＴ／ｆＷ＞４．０、ωＷ＞３５である）【０２４６】
また、前記条件（３）、（３）’及び（３）’’は、ωＷ＞４０において満足することがより望ましい。【０２４７】
例えば実施の形態Ｉ−１〜Ｉ−２４に係るズームレンズ系のごときズームレンズ系及び実施の形態II−１〜II−２４に係るズームレンズ系のごときズームレンズ系は、以下の条件（５）を満足することが望ましい。
−１．６０＜ｆＧ１／ｆＧ２＜−０．９０  ・・・（５）
ここで、
ｆＧ１：第１レンズ群の焦点距離、
ｆＧ２：第２レンズ群の焦点距離
である。【０２４８】
前記条件（５）は、第１レンズ群と第２レンズ群との焦点距離の比を規定する条件である。条件（５）の上限を上回ると、第２レンズ群の焦点距離が相対的に小さくなり過ぎ、第２レンズ群で発生する収差を補正することが困難になる恐れがある。一方、条件（５）の下限を下回ると、第１レンズ群の焦点距離が相対的に小さくなり過ぎ、第２レンズ群の変倍作用を維持することが困難になり、光学性能を維持したままで４倍を超えるズーム比を持つズームレンズ系を構成することが困難になる恐れがある。【０２４９】
なお、さらに以下の条件（５）’及び（５）’’の少なくとも１つを満足することにより、前記効果をさらに奏功させることができる。
−１．５０＜ｆＧ１／ｆＧ２  ・・・（５）’
ｆＧ１／ｆＧ２＜−１．００  ・・・（５）’’【０２５０】
例えば実施の形態Ｉ−１〜Ｉ−２４に係るズームレンズ系のごときズームレンズ系及び実施の形態II−１〜II−２４に係るズームレンズ系のごときズームレンズ系は、以下の条件（６）を満足することが望ましい。
−０．８０＜ｆＧ１／ｆＧ３＜−０．２０  ・・・（６）
ここで、
ｆＧ１：第１レンズ群の焦点距離、
ｆＧ３：第３レンズ群の焦点距離
である。【０２５１】
前記条件（６）は、第１レンズ群と第３レンズ群との焦点距離の比を規定する条件である。条件（６）の上限を上回ると、第１レンズ群の焦点距離が相対的に大きくなり過ぎ、コンパクトなズームレンズ系を達成することが困難になる恐れがある。一方、条件（６）の下限を下回ると、第３レンズ群の焦点距離が相対的に大きくなり過ぎ、像面における照度を確保することが困難になる恐れがある。【０２５２】
なお、さらに以下の条件（６）’及び（６）’’の少なくとも１つを満足することにより、前記効果をさらに奏功させることができる。
−０．７０＜ｆＧ１／ｆＧ３  ・・・（６）’
ｆＧ１／ｆＧ３＜−０．５０  ・・・（６）’’【０２５３】
例えば実施の形態Ｉ−１〜Ｉ−２４に係るズームレンズ系のごときズームレンズ系及び実施の形態II−１〜II−２４に係るズームレンズ系のごときズームレンズ系は、以下の条件（７）を満足することが望ましい。
０．２０＜ｆＧ２／ｆＧ３＜０．８０  ・・・（７）
ここで、
ｆＧ２：第２レンズ群の焦点距離、
ｆＧ３：第３レンズ群の焦点距離、
である。【０２５４】
前記条件（７）は、第２レンズ群と第３レンズ群との焦点距離の比を規定する条件である。条件（７）の上限を上回ると、第２レンズ群の焦点距離が相対的に大きくなり過ぎ、ズーミングに伴い第２レンズ群で発生する収差の変動を補正することが困難になる恐れがある。一方、条件（７）の下限を下回ると、第３レンズ群の焦点距離が相対的に大きくなり過ぎ、像面の照度を確保することが困難になる恐れがある。【０２５５】
なお、さらに以下の条件（７）’及び（７）’’の少なくとも１つを満足することにより、前記効果をさらに奏功させることができる。
０．３０＜ｆＧ２／ｆＧ３  ・・・（７）’
ｆＧ２／ｆＧ３＜０．５０  ・・・（７）’’【０２５６】
例えば実施の形態Ｉ−１〜Ｉ−２４に係るズームレンズ系のごときズームレンズ系及び実施の形態II−１〜II−２４に係るズームレンズ系のごときズームレンズ系は、以下の条件（８）を満足することが望ましい。
−０．８０＜ｆＧ１／ｆＴ＜−０．３０  ・・・（８）
（ただし、ｆＴ／ｆＷ＞４．０、ωｗ＞３５）
ここで、
ｆＧ１：第１レンズ群の焦点距離、
ｆＴ：望遠端における全系の焦点距離、
ｆＷ：広角端における全系の焦点距離、
ωＷ：広角端における最大画角の半値（°）
である。【０２５７】
前記条件（８）は、実質的に第１レンズ群の焦点距離を規定する条件である。条件（８）の上限を上回ると、第１レンズ群の焦点距離が大きくなり過ぎ、第１レンズ群の移動量が増大してコンパクトなズームレンズ系を達成することが困難になる。一方、条件（８）の下限を下回ると、第１レンズ群の焦点距離が小さくなり過ぎ、ズーミング時の第２レンズ群の移動を確保する程度の空気間隔を維持することが困難になり、４倍以上といった変倍比のズームレンズ系を達成することが困難になる恐れがある。【０２５８】
なお、さらに以下の条件（８）’及び（８）’’の少なくとも１つを満足することにより、前記効果をさらに奏功させることができる。
−０．６０＜ｆＧ１／ｆＴ  ・・・（８）’
ｆＧ１／ｆＴ＜−０．４０  ・・・（８）’’
（ただし、ｆＴ／ｆＷ＞４．０、ωｗ＞３５）【０２５９】
また、前記条件（８）、（８）’及び（８）’’は、ωｗ＞４０において満足することがより望ましい。【０２６０】
例えば実施の形態Ｉ−１〜Ｉ−２４に係るズームレンズ系のごときズームレンズ系及び実施の形態II−１〜II−２４に係るズームレンズ系のごときズームレンズ系は、以下の条件（９）を満足することが望ましい。
０．２０＜ｆＧ２／ｆＴ＜０．８０  ・・・（９）
（ただし、ｆＴ／ｆＷ＞４．０、ωＷ＞３５）
ここで、
ｆＧ２：第２レンズ群の焦点距離、
ｆＴ：望遠端における全系の焦点距離、
ｆＷ：広角端における全系の焦点距離、
ωＷ：広角端における最大画角の半値（°）
である。【０２６１】
前記条件（９）は、実質的に第２レンズ群の焦点距離を規定する条件である。条件（９）の上限を上回ると、第２レンズ群の焦点距離が大きくなり過ぎ、ズーミング時の第２レンズ群の移動量が増大するため、４倍以上といった変倍比のズームレンズ系をコンパクトに達成することが困難になる恐れがある。一方、条件（９）の下限を下回ると、第２レンズ群の焦点距離が小さくなり過ぎ、第２レンズ群の移動に伴う収差変動を補正することが困難になる恐れがある。また、条件（９）の下限を下回ると、歪曲収差の補正も困難になる恐れがある。【０２６２】
なお、さらに以下の条件（９）’及び（９）’’の少なくとも１つを満足することにより、前記効果をさらに奏功させることができる。
０．３０＜ｆＧ２／ｆＴ  ・・・（９）’
ｆＧ２／ｆＴ＜０．５０  ・・・（９）’’
（ただし、ｆＴ／ｆＷ＞４．０、ωｗ＞３５）【０２６３】
また、前記条件（９）、（９）’及び（９）’’は、ωｗ＞４０において満足することがより望ましい。【０２６４】
例えば実施の形態Ｉ−１〜Ｉ−２４に係るズームレンズ系のごときズームレンズ系及び実施の形態II−１〜II−２４に係るズームレンズ系のごときズームレンズ系は、以下の条件（１０）を満足することが望ましい。
０．６０＜ｆＧ３／ｆＴ＜１．５０  ・・・（１０）
（ただし、ｆＴ／ｆＷ＞４．０、ωＷ＞３５）
ここで、
ｆＧ３：第３レンズ群の焦点距離、
ｆＴ：望遠端における全系の焦点距離、
ｆＷ：広角端における全系の焦点距離、
ωＷ：広角端における最大画角の半値（°）
である。【０２６５】
前記条件（１０）は、実質的に第３レンズ群の焦点距離を規定する条件である。条件（１０）の上限を上回ると、第３レンズ群の焦点距離が大きくなり過ぎ、像面の適正な照度を確保することが困難になる恐れがある。一方、条件（１０）の下限を下回ると、第３レンズ群の焦点距離が小さくなり過ぎ、第３レンズ群で発生する収差を第２レンズ群で補正することが困難になる恐れがある。【０２６６】
なお、さらに以下の条件（１０）’及び（１０）’’の少なくとも１つを満足することにより、前記効果をさらに奏功させることができる。
０．７０＜ｆＧ３／ｆＴ  ・・・（１０）’
ｆＧ３／ｆＴ＜１．３０  ・・・（１０）’’
（ただし、ｆＴ／ｆＷ＞４．０、ωｗ＞３５）【０２６７】
また、前記条件（１０）、（１０）’及び（１０）’’は、ωｗ＞４０において満足することがより望ましい。【０２６８】
例えば実施の形態Ｉ−１〜Ｉ−２４に係るズームレンズ系のごときズームレンズ系及び実施の形態II−１〜II−２４に係るズームレンズ系のごときズームレンズ系は、以下の条件（１１）を満足することが望ましい。
０．３５＜（Ｄ１Ｗ＋Ｄ２Ｗ）／（Ｄ１Ｔ＋Ｄ２Ｔ）＜１．２０  ・・・（１１）
（ただし、ｆＴ／ｆＷ＞４．０、ωＷ＞３５）
ここで、
Ｄ１Ｗ：広角端における第１レンズ群の最像側から第２レンズ群の最物体側までの軸上間隔、
Ｄ２Ｗ：広角端における第２レンズ群の最像側から第３レンズ群の最物体側までの軸上間隔、
Ｄ１Ｔ：望遠端における第１レンズ群の最像側から第２レンズ群の最物体側までの軸上間隔、
Ｄ２Ｔ：望遠端における第２レンズ群の最像側から第３レンズ群の最物体側までの軸上間隔、
ｆＴ：望遠端における全系の焦点距離、
ｆＷ：広角端における全系の焦点距離、
ωＷ：広角端における最大画角の半値（°）
である。【０２６９】
前記条件（１１）は、第１レンズ群及び第２レンズ群のズーミング時の移動量に関する条件である。条件（１１）の上限を上回ると、広角端での歪曲収差の補正が不足し、良好な光学性能を達成することが困難になる恐れがある。一方、条件（１１）の下限を下回ると、各レンズ群のズーミングに伴う移動量が増大し、ズーミング時の収差変動を補正することが困難になる恐れがある。【０２７０】
なお、さらに以下の条件（１１）’及び（１１）’’の少なくとも１つを満足することにより、前記効果をさらに奏功させることができる。
０．４５＜（Ｄ１Ｗ＋Ｄ２Ｗ）／（Ｄ１Ｔ＋Ｄ２Ｔ）  ・・・（１１）’
（Ｄ１Ｗ＋Ｄ２Ｗ）／（Ｄ１Ｔ＋Ｄ２Ｔ）＜０．８０  ・・・（１１）’’
（ただし、ｆＴ／ｆＷ＞４．０、ωｗ＞３５）【０２７１】
また、前記条件（１１）、（１１）’及び（１１）’’は、ωＷ＞４０において満足することがより望ましい。【０２７２】
例えば実施の形態Ｉ−１〜Ｉ−２４に係るズームレンズ系のごときズームレンズ系及び実施の形態II−１〜II−２４に係るズームレンズ系のごときズームレンズ系は、以下の条件（１２）を満足することが望ましい。
２．００＜（Ｄ２Ｔ−Ｄ２Ｗ）／ｆＷ＜６．００  ・・・（１２）
（ただし、ｆＴ／ｆＷ＞４．０、ωＷ＞３５）
ここで、
Ｄ２Ｔ：望遠端における第２レンズ群の最像側から第３レンズ群の最物体側までの軸上間隔、
Ｄ２Ｗ：広角端における第２レンズ群の最像側から第３レンズ群の最物体側までの軸上間隔、
ｆＴ：望遠端における全系の焦点距離、
ｆＷ：広角端における全系の焦点距離、
ωＷ：広角端における最大画角の半値（°）
である。【０２７３】
前記条件（１２）は、第２レンズ群の移動量に関する条件である。条件（１２）の上限を上回ると、第２レンズ群のズーミングに伴う移動量が増大し、ズーミング時の収差変動を補正することが困難になる恐れがある。一方、条件（１２）の下限を下回ると、第２レンズ群の焦点距離が小さくなる傾向が著しくなり、特に広角端において歪曲収差の補正が困難になる恐れがある。【０２７４】
なお、さらに以下の条件（１２）’及び（１２）’’の少なくとも１つを満足することにより、前記効果をさらに奏功させることができる。
３．００＜（Ｄ２Ｔ−Ｄ２Ｗ）／ｆＷ  ・・・（１２）’
（Ｄ２Ｔ−Ｄ２Ｗ）／ｆＷ＜５．５０  ・・・（１２）’’
（ただし、ｆＴ／ｆＷ＞４．０、ωｗ＞３５）【０２７５】
また、前記条件（１２）、（１２）’及び（１２）’’は、ωＷ＞４０において満足することがより望ましい。【０２７６】
例えば実施の形態Ｉ−１〜Ｉ−２４に係るズームレンズ系のごときズームレンズ系及び実施の形態II−１〜II−２４に係るズームレンズ系のごときズームレンズ系は、以下の条件（１３）を満足することが望ましい。
０．６５＜（Ｄ２Ｔ−Ｄ２Ｗ）／ｆＴ＜１．１０  ・・・（１３）
（ただし、ｆＴ／ｆＷ＞４．０、ωＷ＞３５）
ここで、
Ｄ２Ｔ：望遠端における第２レンズ群の最像側から第３レンズ群の最物体側までの軸上間隔、
Ｄ２Ｗ：広角端における第２レンズ群の最像側から第３レンズ群の最物体側までの軸上間隔、
ｆＴ：望遠端における全系の焦点距離、
ｆＷ：広角端における全系の焦点距離、
ωＷ：広角端における最大画角の半値（°）
である。【０２７７】
前記条件（１３）は、第２レンズ群の移動量に関する条件である。条件（１３）の上限を上回ると、第２レンズ群のズーミングに伴う移動量が増大し、ズーミング時の収差変動を補正することが困難になる恐れがある。一方、条件（１３）の下限を下回ると、第２レンズ群の焦点距離が小さくなる傾向が著しくなり、特に広角端における歪曲収差と像面湾曲とを同時に補正することが困難になる恐れがある。【０２７８】
なお、さらに以下の条件（１３）’及び（１３）’’の少なくとも１つを満足することにより、前記効果をさらに奏功させることができる。
０．７５＜（Ｄ２Ｔ−Ｄ２Ｗ）／ｆＴ  ・・・（１３）’
（Ｄ２Ｔ−Ｄ２Ｗ）／ｆＴ＜０．９５  ・・・（１３）’’
（ただし、ｆＴ／ｆＷ＞４．０、ωｗ＞３５）【０２７９】
また、前記条件（１３）、（１３）’及び（１３）’’は、ωＷ＞４０において満足することがより望ましい。【０２８０】
例えば実施の形態Ｉ−１〜Ｉ−２４に係るズームレンズ系のごときズームレンズ系及び実施の形態II−１〜II−２４に係るズームレンズ系のごときズームレンズ系は、以下の条件（１４）を満足することが望ましい。
０．００＜Ｄ１Ｔ／Ｉｒ＜０．１０  ・・・（１４）
（ただし、ｆＴ／ｆＷ＞４．０、ωＷ＞３５）
ここで、
Ｄ１Ｔ：望遠端における第１レンズ群の最像側から第２レンズ群の最物体側までの軸上間隔、
Ｉｒ：最大像高（Ｉｒ＝ｆＴ×ｔａｎ（ωＴ））、
ｆＴ：望遠端における全系の焦点距離、
ｆＷ：広角端における全系の焦点距離、
ωＷ：広角端における最大画角の半値（°）、
ωＴ：望遠端における最大画角の半値（°）
である。【０２８１】
前記条件（１４）は、第１レンズ群と第２レンズ群との空気間隔に関する条件である。条件（１４）の上限を上回ると、第１レンズ群と第２レンズ群との空気間隔が大きくなり過ぎ、ズームレンズ系の倍率を確保することが困難になるとともに、特に広角端における歪曲収差を補正することが困難になる恐れがある。一方、条件（１４）の下限を下回ると、第１レンズ群と第２レンズ群との空気間隔が小さくなり過ぎ、同様に広角端における歪曲収差を補正することが困難になる恐れがある。【０２８２】
また、前記条件（１４）は、ωＷ＞４０において満足することがより望ましい。【０２８３】
例えば実施の形態Ｉ−１〜Ｉ−２４に係るズームレンズ系のごときズームレンズ系及び実施の形態II−１〜II−２４に係るズームレンズ系のごときズームレンズ系は、以下の条件（１５）を満足することが望ましい。
０．１０＜（ｆＷ／Ｉｒ）×（ｆＷ／ｆＴ）＜０．４０  ・・・（１５）
（ただし、Ｚ＝ｆＴ／ｆＷ＞４．０、ωＷ＞３５）
ここで、
Ｉｒ：最大像高（Ｉｒ＝ｆＴ×ｔａｎ（ωＴ））、
ｆＴ：望遠端における全系の焦点距離、
ｆＷ：広角端における全系の焦点距離、
ωＷ：広角端における最大画角の半値（°）
である。【０２８４】
前記条件（１５）は、ズームレンズ系の変倍比に関する条件である。条件（１５）の範囲を外れると、広角端における画角を維持しながら４倍程度といったズーム比を確保することが困難になる恐れがある。【０２８５】
なお、さらに以下の条件（１５）’及び（１５）’’の少なくとも１つを満足することにより、前記効果をさらに奏功させることができる。
０．２０＜（ｆＷ／Ｉｒ）×（ｆＷ／ｆＴ）  ・・・（１５）’
（ｆＷ／Ｉｒ）×（ｆＷ／ｆＴ）＜０．３５  ・・・（１５）’’
（ただし、ｆＴ／ｆＷ＞４．０、ωｗ＞３５）【０２８６】
また、前記条件（１５）、（１５）’及び（１５）’’は、ωＷ＞４０において満足することがより望ましい。【０２８７】
例えば実施の形態Ｉ−１〜Ｉ−２４に係るズームレンズ系のごときズームレンズ系及び実施の形態II−１〜II−２４に係るズームレンズ系のごときズームレンズ系は、以下の条件（１６）を満足することが望ましい。
２．５０＜ｔａｎ（ωＷ）×Ｚ＜６．００  ・・・（１６）
（ただし、Ｚ＝ｆＴ／ｆＷ＞４．０、ωＷ＞３５）
ここで、
ｆＴ：望遠端における全系の焦点距離、
ｆＷ：広角端における全系の焦点距離、
ωＷ：広角端における最大画角の半値（°）
である。【０２８８】
前記条件（１６）は、ズームレンズ系の変倍比に関する条件である。条件（１６）の範囲を外れると、広角端における画角を維持しながら４倍程度といったズーム比を確保することが困難になる恐れがある。【０２８９】
なお、さらに以下の条件（１６）’及び（１６）’’の少なくとも１つを満足することにより、前記効果をさらに奏功させることができる。
３．００＜ｔａｎ（ωＷ）×Ｚ  ・・・（１６）’
ｔａｎ（ωＷ）×Ｚ＜５．５０  ・・・（１６）’’
（ただし、ｆＴ／ｆＷ＞４．０、ωｗ＞３５）【０２９０】
また、前記条件（１６）、（１６）’及び（１６）’’は、ωＷ＞４０において満足することがより望ましい。【０２９１】
例えば実施の形態Ｉ−１〜Ｉ−２４に係るズームレンズ系のごときズームレンズ系及び実施の形態II−１〜II−２４に係るズームレンズ系のごときズームレンズ系は、以下の条件（１７）を満足することが望ましい。
２．００＜｜ｆＷ×ｆＧ１｜／Ｉｒ２＜６．００  ・・・（１７）
（ただし、Ｚ＝ｆＴ／ｆＷ＞４．０、ωＷ＞３５）
ここで、
Ｉｒ：最大像高（Ｉｒ＝ｆＴ×ｔａｎ（ωＴ））、
ｆＧ１：第１レンズ群の焦点距離、
ｆＴ：望遠端における全系の焦点距離、
ｆＷ：広角端における全系の焦点距離、
ωＷ：広角端における最大画角の半値（°）、
ωＴ：望遠端における最大画角の半値（°）
である。【０２９２】
前記条件（１７）は、実質的に第１レンズ群の焦点距離を規定する条件である。条件（１７）の上限を上回ると、第１レンズ群の焦点距離が大きくなり過ぎ、ズーミング時の第１レンズ群の移動量が増大するため、４倍以上といった変倍比のズームレンズ系をコンパクトに達成することが困難になる恐れがある。一方、条件（１７）の下限を下回ると、第１レンズ群の焦点距離が小さくなり過ぎ、広角端での画角を大きくしながら歪曲補正を行うことが困難になる恐れがある。【０２９３】
なお、さらに以下の条件（１７）’及び（１７）’’の少なくとも１つを満足することにより、前記効果をさらに奏功させることができる。
２．５０＜｜ｆＷ×ｆＧ１｜／Ｉｒ２  ・・・（１７）’
｜ｆＷ×ｆＧ１｜／Ｉｒ２＜５．００  ・・・（１７）’’
（ただし、ｆＴ／ｆＷ＞４．０、ωｗ＞３５）【０２９４】
また、前記条件（１７）、（１７）’及び（１７）’’は、ωＷ＞４０において満足することがより望ましい。【０２９５】
例えば実施の形態Ｉ−１〜Ｉ−２４に係るズームレンズ系のごときズームレンズ系及び実施の形態II−１〜II−２４に係るズームレンズ系のごときズームレンズ系は、以下の条件（１８）を満足することが望ましい。
２．００＜（ｆＷ・ｆＧ２）／Ｉｒ２＜６．００  ・・・（１８）
（ただし、Ｚ＝ｆＴ／ｆＷ＞４．０、ωＷ＞３５）
ここで、
Ｉｒ：最大像高（Ｉｒ＝ｆＴ×ｔａｎ（ωＴ））、
ｆＧ２：第２レンズ群の焦点距離、
ｆＴ：望遠端における全系の焦点距離、
ｆＷ：広角端における全系の焦点距離、
ωＷ：広角端における最大画角の半値（°）、
ωＴ：望遠端における最大画角の半値（°）
である。【０２９６】
前記条件（１８）は、実質的に第２レンズ群の焦点距離を規定する条件である。条件（１８）の上限を上回ると、第２レンズ群の焦点距離が大きくなり過ぎ、ズーミング時の第２レンズ群の移動量が増大するため、４倍以上といった変倍比のズームレンズ系をコンパクトに達成することが困難になる恐れがある。一方、条件（１８）の下限を下回ると、第２レンズ群の焦点距離が小さくなり過ぎ、第２レンズ群の移動に伴う収差変動を補正することが困難になる恐れがある。また、条件（１８）の下限を下回ると、歪曲収差の補正も困難になる恐れがある。【０２９７】
なお、さらに以下の条件（１８）’及び（１８）’’の少なくとも１つを満足することにより、前記効果をさらに奏功させることができる。
２．５０＜（ｆＷ・ｆＧ２）／Ｉｒ２  ・・・（１８）’
（ｆＷ・ｆＧ２）／Ｉｒ２＜５．００  ・・・（１８）’’
（ただし、ｆＴ／ｆＷ＞４．０、ωｗ＞３５）【０２９８】
また、前記条件（１８）、（１８）’及び（１８）’’は、ωＷ＞４０において満足することがより望ましい。【０２９９】
例えば実施の形態Ｉ−１〜Ｉ−２４に係るズームレンズ系のごときズームレンズ系及び実施の形態II−１〜II−２４に係るズームレンズ系のごときズームレンズ系は、以下の条件（１９）を満足することが望ましい。
（ＤＧ１＋ＤＧ２＋ＤＧ３）／ｆＴ＜０．７０  ・・・（１９）
（ただし、ｆＴ／ｆＷ＞４．０、ωＷ＞３５）
ここで、
ＤＧ１：第１レンズ群の最物体側から最像側までの軸上間隔、
ＤＧ２：第２レンズ群の最物体側から最像側までの軸上間隔、
ＤＧ３：第３レンズ群の最物体側から最像側までの軸上間隔、
ｆＴ：望遠端における全系の焦点距離、
ｆＷ：広角端における全系の焦点距離、
ωＷ：広角端における最大画角の半値（°）
である。【０３００】
前記条件（１９）は、収納時の全長に関する条件である。収納時に突出部を持たない、いわゆる沈胴構成を達成しようとすると、各レンズ群の軸上間隔の総和が小さいことが必要である。条件（１９）の上限を上回ると、沈胴時の全長が大きくなり過ぎるため、好ましくない。【０３０１】
例えば実施の形態Ｉ−１〜Ｉ−２４に係るズームレンズ系のごときズームレンズ系及び実施の形態II−１〜II−２４に係るズームレンズ系のごときズームレンズ系は、以下の条件（２０）を満足することが望ましい。
３．５＜（ＦＷ×ＦＴ）／Ｚ＜５．０  ・・・（２０）
（ただし、Ｚ＝ｆＴ／ｆＷ＞４．０、ωＷ＞３５）
ここで、
ＦＷ：広角端での最小Ｆナンバー、
ＦＴ：望遠端での最小Ｆナンバー、
ｆＴ：望遠端における全系の焦点距離、
ｆＷ：広角端における全系の焦点距離、
ωＷ：広角端における最大画角の半値（°）
である。【０３０２】
前記条件（２０）は、ズームレンズ系のＦナンバーに関する条件である。条件（２０）の範囲を外れると、光学性能を維持しながらＦナンバーの小さい明るいズームレンズ系を達成することが困難になる恐れがある。【０３０３】
なお、さらに以下の条件（２０）’を満足することにより、前記効果をさらに奏功させることができる。
（ＦＷ×ＦＴ）／Ｚ＜４．７  ・・・（２０）’
（ただし、Ｚ＝ｆＴ／ｆＷ＞４．０、ωＷ＞３５）【０３０４】
また、前記条件（２０）及び（２０）’は、ωＷ＞４０において満足することがより望ましい。【０３０５】
例えば実施の形態Ｉ−１〜Ｉ−２４に係るズームレンズ系のごときズームレンズ系及び実施の形態II−１〜II−２４に係るズームレンズ系のごときズームレンズ系は、以下の条件（２１）を満足することが望ましい。
１．５＜ＬＴ／（Ｉｒ×Ｚ）＜２．６  ・・・（２１）
（ただし、Ｚ＝ｆＴ／ｆＷ＞４．０、ωＷ＞３５）
ここで、
Ｉｒ：最大像高（Ｉｒ＝ｆＴ×ｔａｎ（ωＴ））、
ＬＴ：望遠端における全長（第１レンズ群の最物体側から像面までの距離）、
ｆＴ：望遠端における全系の焦点距離、
ｆＷ：広角端における全系の焦点距離、
ωＷ：広角端における最大画角の半値（°）、
ωＴ：望遠端における最大画角の半値（°）
である。【０３０６】
前記条件（２１）は、特に望遠端での全長を規定する条件である。条件（２１）の上限を上回ると、ズームレンズ系の全長が大きくなる傾向が著しくなり、コンパクトなズームレンズ系を達成することが困難になる恐れがある。一方、条件（２１）の下限を下回ると、ズームレンズ系の全長が小さくなる傾向が著しくなり、各レンズ群の焦点距離が小さくなり過ぎ、各収差の補正が困難になる恐れがある。【０３０７】
なお、前記条件（２１）は、ωＷ＞４０において満足することがより望ましい。【０３０８】
例えば実施の形態Ｉ−１〜Ｉ−２４に係るズームレンズ系のごときズームレンズ系及び実施の形態II−１〜II−２４に係るズームレンズ系のごときズームレンズ系は、以下の条件（２２）を満足することが望ましい。
４．０＜（ＤＧ２＋（ＤＧ２Ａ））／（ＤＧ２Ａ）＜２０．０  ・・・（２２）
ここで、
ＤＧ２：第２レンズ群の最物体側から最像側までの軸上間隔、
ＤＧ２Ａ：第２レンズ群の最像側から開口絞りまでの軸上間隔
である。【０３０９】
前記条件（２２）は、第２レンズ群と開口絞りとの適正な間隔を規定する条件である。条件（２２）の上限を上回ると、絞り位置が第２レンズ群から遠くなる傾向が著しくなり、第１レンズ群の有効径が大きくなり過ぎるとともに、特に広角端での歪曲収差とコマ収差との補正が困難になる恐れがある。一方、条件（２２）の下限を下回ると、絞り位置が第２レンズ群から近くなる傾向が著しくなり、第２レンズ群で補正すべき球面収差の補正が困難になる恐れがある。【０３１０】
なお、さらに以下の条件（２２）’を満足することにより、前記効果をさらに奏功させることができる。
８．０＜（ＤＧ２＋（ＤＧ２Ａ））／（ＤＧ２Ａ）  ・・・（２２）’【０３１１】
例えば実施の形態Ｉ−１〜Ｉ−２４に係るズームレンズ系のごときズームレンズ系及び実施の形態II−１〜II−２４に係るズームレンズ系のごときズームレンズ系において、第１レンズ群が、物体側から像側へと順に、負のパワーを有する第１レンズ素子と、正のパワーを有する第２レンズ素子とからなるとき、以下の条件（２３）を満足することが望ましい。
−２．００＜ｆＬ２／ｆＧ１＜−１．００  ・・・（２３）
ここで、
ｆＬ２：第２レンズ素子の焦点距離、
ｆＧ１：第１レンズ群の焦点距離
である。【０３１２】
前記条件（２３）は、第１レンズ群の第２レンズ素子の焦点距離を規定する条件である。条件（２３）の上限を上回ると、第２レンズ素子の焦点距離が大きくなり過ぎ、特に望遠端でのコマ収差の補正が困難になる恐れがある。一方、条件（２３）の下限を下回ると、第２レンズ素子の焦点距離が小さくなり過ぎ、広角端での歪曲収差の補正が困難になる恐れがある。【０３１３】
なお、さらに以下の条件（２３）’を満足することにより、前記効果をさらに奏功させることができる。
−１．６０＜ｆＬ２／ｆＧ１  ・・・（２３）’【０３１４】
例えば実施の形態Ｉ−１〜Ｉ−２４に係るズームレンズ系のごときズームレンズ系及び実施の形態II−１〜II−２４に係るズームレンズ系のごときズームレンズ系において、第１レンズ群が、物体側から像側へと順に、負のパワーを有する第１レンズ素子と、正のパワーを有する第２レンズ素子とからなるとき、以下の条件（２４）を満足することが望ましい。
０．２０＜Ｒ２Ｆ／ｆＴ＜０．５０  ・・・（２４）
（ただし、Ｚ＝ｆＴ／ｆＷ＞４．０、ωＷ＞３５）
ここで、
Ｒ２Ｆ：第２レンズ素子の物体側面の曲率半径、
ｆＴ：望遠端における全系の焦点距離、
ｆＷ：広角端における全系の焦点距離、
ωＷ：広角端における最大画角の半値（°）
である。【０３１５】
前記条件（２４）は、第１レンズ群の第２レンズ素子の物体側面を規定する条件である。条件（２４）の範囲を外れると、広角端での歪曲収差の補正が困難になる恐れがある。【０３１６】
なお、さらに以下の条件（２４）’を満足することにより、前記効果をさらに奏功させることができる。
Ｒ２Ｆ／ｆＴ＜０．４５  ・・・（２４）’
（ただし、Ｚ＝ｆＴ／ｆＷ＞４．０、ωＷ＞３５）【０３１７】
また、前記条件（２４）及び（２４）’は、ωＷ＞４０において満足することがより望ましい。【０３１８】
例えば実施の形態Ｉ−１〜Ｉ−２４に係るズームレンズ系のごときズームレンズ系及び実施の形態II−１〜II−２４に係るズームレンズ系のごときズームレンズ系において、第１レンズ群が、物体側から像側へと順に、負のパワーを有する第１レンズ素子と、正のパワーを有する第２レンズ素子とからなるとき、以下の条件（２５）を満足することが望ましい。
０．３０＜Ｒ２Ｒ／ｆＴ＜０．９０  ・・・（２５）
（ただし、Ｚ＝ｆＴ／ｆＷ＞４．０、ωＷ＞３５）
ここで、
Ｒ２Ｒ：第２レンズ素子の像側面の曲率半径、
ｆＴ：望遠端における全系の焦点距離、
ｆＷ：広角端における全系の焦点距離、
ωＷ：広角端における最大画角の半値（°）
である。【０３１９】
前記条件（２５）は、第１レンズ群の第２レンズ素子の像側面を規定する条件である。条件（２５）の範囲を外れると、広角端での歪曲収差の補正が困難になる恐れがある。【０３２０】
なお、さらに以下の条件（２５）’を満足することにより、前記効果をさらに奏功させることができる。
Ｒ２Ｒ／ｆＴ＜０．８５  ・・・（２５）’
（ただし、Ｚ＝ｆＴ／ｆＷ＞４．０、ωＷ＞３５）【０３２１】
また、前記条件（２５）及び（２５）’は、ωＷ＞４０において満足することがより望ましい。【０３２２】
例えば実施の形態Ｉ−１〜Ｉ−２４に係るズームレンズ系のごときズームレンズ系及び実施の形態II−１〜II−２４に係るズームレンズ系のごときズームレンズ系において、第１レンズ群が、物体側から像側へと順に、負のパワーを有する第１レンズ素子と、正のパワーを有する第２レンズ素子とからなるとき、以下の条件（２６）を満足することが望ましい。
０．５０＜ｆＬ２／ｆＴ＜１．００  ・・・（２６）
（ただし、Ｚ＝ｆＴ／ｆＷ＞４．０、ωＷ＞３５）
ここで、
ｆＬ２：第２レンズ素子の焦点距離、
ｆＴ：望遠端における全系の焦点距離、
ｆＷ：広角端における全系の焦点距離、
ωＷ：広角端における最大画角の半値（°）
である。【０３２３】
前記条件（２６）は、第１レンズ群の第２レンズ素子の焦点距離を規定する条件である。条件（２６）の上限を上回ると、第２レンズ素子の焦点距離が大きくなり過ぎるため、第１レンズ群全体の負のパワーが小さくなる。この結果、広角端の焦点距離を短くしながら諸収差、特に歪曲収差を補正することが困難になる恐れがある。また、条件（２６）の上限を上回ると、倍率色収差も大きく発生する恐れがある。一方、条件（２６）の下限を下回ると、第２レンズ素子の焦点距離が小さくなり過ぎ、光学性能を維持しつつ４倍以上といった高変倍率を確保することが困難になる恐れが生じるとともに、歪曲収差の補正も充分ではなくなる恐れがある。【０３２４】
なお、さらに以下の条件（２６）’を満足することにより、前記効果をさらに奏功させることができる。
ｆＬ２／ｆＴ＜０．９０  ・・・（２６）’
（ただし、Ｚ＝ｆＴ／ｆＷ＞４．０、ωＷ＞３５）【０３２５】
また、前記条件（２６）及び（２６）’は、ωＷ＞４０において満足することがより望ましい。【０３２６】
例えば実施の形態Ｉ−１〜Ｉ−２４に係るズームレンズ系のごときズームレンズ系及び実施の形態II−１〜II−２４に係るズームレンズ系のごときズームレンズ系において、第２レンズ群が、最物体側に正レンズ素子を有するとき、以下の条件（２７）を満足することが望ましい。
０．４０＜ｆＬ３／ｆＧ２＜１．００  ・・・（２７）
ここで、
ｆＬ３：第２レンズ群の最物体側に配置された正レンズ素子の焦点距離、
ｆＧ２：第２レンズ群の焦点距離
である。【０３２７】
前記条件（２７）は、第２レンズ群の最物体側に配置された正レンズ素子を規定する条件である。条件（２７）の上限を上回ると、広角端での歪曲収差の補正が困難になる恐れがある。一方、条件（２７）の下限を下回ると、全ズーム域を通じて球面収差の補正が困難になり、コンパクト化と光学性能の維持との両立ができずに、光学系としての基本的な結像性能が低下する恐れがある。【０３２８】
なお、さらに以下の条件（２７）’を満足することにより、前記効果をさらに奏功させることができる。
ｆＬ３／ｆＧ２＜０．９２  ・・・（２７）’【０３２９】
例えば実施の形態Ｉ−２０〜Ｉ−２４に係るズームレンズ系のごときズームレンズ系及び実施の形態II−２０〜II−２４に係るズームレンズ系のごときズームレンズ系において、第２レンズ群が、物体側から像側へと順に、２枚のレンズ素子を接合してなる第１接合レンズ素子と、２枚のレンズ素子を接合してなる第２接合レンズ素子とからなるとき、以下の条件（２８）を満足することが望ましい。
２．００＜ｆＧ２ａ／ｆＧ２ｂ＜３．００  ・・・（２８）
ここで、
ｆＧ２ａ：第１接合レンズ素子の焦点距離、
ｆＧ２ｂ：第２接合レンズ素子の焦点距離
である。【０３３０】
前記条件（２８）は、第２レンズ群が２組の接合レンズ素子からなる場合に、各接合レンズ素子の適正な焦点距離を規定する条件である。条件（２８）の上限を上回ると、第２レンズ群の偏心誤差感度が高くなり過ぎ、組み立て誤差による性能劣化、特に相対偏心による像面性の悪化が著しくなる恐れがある。一方、条件（２８）の下限を下回ると、第２レンズ群において発生する球面収差の補正が困難になる恐れがある。【０３３１】
なお、さらに以下の条件（２８）’を満足することにより、前記効果をさらに奏功させることができる。
２．２５＜ｆＧ２ａ／ｆＧ２ｂ  ・・・（２８）’【０３３２】
例えば実施の形態Ｉ−１〜Ｉ−２４に係るズームレンズ系及び実施の形態II−１〜II−２４に係るズームレンズ系のように、第２レンズ群が光軸に対して垂直方向に移動するズームレンズ系では、以下の条件（２９）を満足することが望ましい。
２．００＜（１−ｍ２Ｔ）×ｍ３Ｔ＜５．００  ・・・（２９）
（ただし、Ｚ＝ｆＴ／ｆＷ＞４．０、ωＷ＞３５）
ここで、
ｍ２Ｔ：望遠端かつ無限遠合焦状態における第２レンズ群の横倍率、
ｍ３Ｔ：望遠端かつ無限遠合焦状態における第３レンズ群の横倍率、
ｆＴ：望遠端における全系の焦点距離、
ｆＷ：広角端における全系の焦点距離、
ωＷ：広角端における最大画角の半値（°）
である。【０３３３】
前記条件（２９）は、第２レンズ群を光軸に対して垂直方向に移動させて像ぶれ補正を行う際に、結像特性を良好にするための条件である。条件（２９）の上限を上回ると、像を所定量だけ偏心させるのに必要な第２レンズ群の移動量が過小となるため、第２レンズ群を精度よく平行移動させることが困難になる。その結果、撮影中の画素ずれを充分に小さくすることができないため、像ぶれ補正時の結像特性を良好にすることが困難になる恐れがある。一方、条件（２９）の下限を下回ると、像を所定の量だけ偏心させるのに必要な第２レンズ群の偏心量が過大となるために、第２レンズ群の平行移動による収差の変化が大きくなり、画像周辺部の結像特性が低下する恐れがある。【０３３４】
なお、さらに以下の条件（２９）’を満足することにより、前記効果をさらに奏功させることができる。
２．５０＜（１−ｍ２Ｔ）×ｍ３Ｔ  ・・・（２９）’
（ただし、Ｚ＝ｆＴ／ｆＷ＞４．０、ωＷ＞３５）【０３３５】
また、前記条件（２９）及び（２９）’は、ωＷ＞４０において満足することがより望ましい。【０３３６】
例えば実施の形態Ｉ−１〜Ｉ−２４に係るズームレンズ系のごときズームレンズ系及び実施の形態II−１〜II−２４に係るズームレンズ系のごときズームレンズ系は、以下の条件（３０）を満足することが望ましい。
３．５０＜ｍ２Ｔ／ｍ２Ｗ＜５．５０  ・・・（３０）
（ただし、Ｚ＝ｆＴ／ｆＷ＞４．０、ωＷ＞３５）
ここで、
ｍ２Ｔ：望遠端かつ無限遠合焦状態における第２レンズ群の横倍率、
ｍ２Ｗ：広角端かつ無限遠合焦状態における第２レンズ群の横倍率、
ｆＴ：望遠端における全系の焦点距離、
ｆＷ：広角端における全系の焦点距離、
ωＷ：広角端における最大画角の半値（°）
である。【０３３７】
前記条件（３０）は、第２レンズ群の倍率変化を規定し、実質的に第２レンズ群のズーミング時の変倍負担を最適化する条件である。条件（３０）の範囲を外れると、第２レンズ群の変倍負担が適正でなくなり、光学性能を維持したままズームレンズ系をコンパクトに構成することが困難になる恐れがある。【０３３８】
なお、さらに以下の条件（３０）’を満足することにより、前記効果をさらに奏功させることができる。
４．００＜ｍ２Ｔ／ｍ２Ｗ  ・・・（３０）’
（ただし、Ｚ＝ｆＴ／ｆＷ＞４．０、ωＷ＞３５）【０３３９】
また、前記条件（３０）及び（３０）’は、ωＷ＞４０において満足することがより望ましい。【０３４０】
例えば実施の形態Ｉ−１〜Ｉ−２４に係るズームレンズ系のごときズームレンズ系及び実施の形態II−１〜II−２４に係るズームレンズ系のごときズームレンズ系は、以下の条件（３１）を満足することが望ましい。
−６．００＜（１−ｍ２Ｔ／ｍ２Ｗ）×（ｍ３Ｔ／ｍ３Ｗ）＜−３．００  ・・・（３１）
（ただし、Ｚ＝ｆＴ／ｆＷ＞４．０、ωＷ＞３５）
ここで、
ｍ２Ｔ：望遠端かつ無限遠合焦状態における第２レンズ群の横倍率、
ｍ２Ｗ：広角端かつ無限遠合焦状態における第２レンズ群の横倍率、
ｍ３Ｔ：望遠端かつ無限遠合焦状態における第３レンズ群の横倍率、
ｍ３Ｗ：広角端かつ無限遠合焦状態における第３レンズ群の横倍率、
ｆＴ：望遠端における全系の焦点距離、
ｆＷ：広角端における全系の焦点距離、
ωＷ：広角端における最大画角の半値（°）
である。【０３４１】
前記条件（３１）は、第２レンズ群及び第３レンズ群の倍率変化を規定し、実質的に第２レンズ群及び第３レンズ群のズーミング時の変倍負担を最適化する条件である。条件（３１）の範囲を外れると、第２レンズ群及び第３レンズ群の変倍負担の分配が適正でなくなり、光学性能を維持したままズームレンズ系をコンパクトに構成することが困難になる恐れがある。【０３４２】
なお、さらに以下の条件（３１）’を満足することにより、前記効果をさらに奏功させることができる。
−４．００＜（１−ｍ２Ｔ／ｍ２Ｗ）×（ｍ３Ｔ／ｍ３Ｗ）  ・・・（３１）’
（ただし、Ｚ＝ｆＴ／ｆＷ＞４．０、ωＷ＞３５）【０３４３】
また、前記条件（３１）及び（３１）’は、ωＷ＞４０において満足することがより望ましい。【０３４４】
例えば実施の形態Ｉ−１〜Ｉ−２４に係るズームレンズ系及び実施の形態II−１〜II−２４に係るズームレンズ系のように、第２レンズ群が光軸に対して垂直方向に移動するズームレンズ系では、以下の条件（３２）を満足することが望ましい。
１．００＜（１−ｍ２Ｗ）×ｍ３Ｗ＜１．５０  ・・・（３２）
（ただし、Ｚ＝ｆＴ／ｆＷ＞４．０、ωＷ＞３５）
ここで、
ｍ２Ｗ：広角端かつ無限遠合焦状態における第２レンズ群の横倍率、
ｍ３Ｗ：広角端かつ無限遠合焦状態における第３レンズ群の横倍率、
ｆＴ：望遠端における全系の焦点距離、
ｆＷ：広角端における全系の焦点距離、
ωＷ：広角端における最大画角の半値（°）
である。【０３４５】
前記条件（３２）は、第２レンズ群を光軸に対して垂直方向に移動させて像ぶれ補正を行う際に、結像特性を良好にするための条件である。条件（３２）の上限を上回ると、像を所定量だけ偏心させるのに必要な第２レンズ群の移動量が過小となるため、第２レンズ群を精度よく平行移動させることが困難になる恐れがある。その結果、撮影中の画素ずれを充分に小さくすることができないため、像ぶれ補正時の結像特性を良好にすることが困難になる恐れがある。一方、条件（３２）の下限を下回ると、像を所定の量だけ偏心させるのに必要な第２レンズ群の偏心量が過大となるために、第２レンズ群の平行移動による収差の変化が大きくなり、画像周辺部の結像特性が低下する恐れがある。【０３４６】
なお、さらに以下の条件（３２）’を満足することにより、前記効果をさらに奏功させることができる。
１．１５＜（１−ｍ２Ｔ）×ｍ３Ｔ  ・・・（３２）’
（ただし、Ｚ＝ｆＴ／ｆＷ＞４．０、ωＷ＞３５）【０３４７】
また、前記条件（３２）及び（３２）’は、ωＷ＞４０において満足することがより望ましい。【０３４８】
実施の形態Ｉ−１〜Ｉ−２４に係るズームレンズ系及び実施の形態II−１〜II−２４に係るズームレンズ系を構成している各レンズ群は、入射光線を屈折により偏向させる屈折型レンズ素子（すなわち、異なる屈折率を有する媒質同士の界面で偏向が行われるタイプのレンズ素子）のみで構成されているが、これに限定されるものではない。例えば、回折により入射光線を偏向させる回折型レンズ素子、回折作用と屈折作用との組み合わせで入射光線を偏向させる屈折・回折ハイブリッド型レンズ素子、入射光線を媒質内の屈折率分布により偏向させる屈折率分布型レンズ素子等で、各レンズ群を構成してもよい。【０３４９】
さらに各実施の形態では、像面Ｓの物体側（像面Ｓと第３レンズ群Ｇ３の最像側レンズ面との間）には、光学的ローパスフィルタや撮像素子のフェースプレート等と等価な平行平板を配置する構成を示したが、このローパスフィルタとしては、所定の結晶軸方向が調整された水晶等を材料とする複屈折型ローパスフィルタや、必要とされる光学的な遮断周波数の特性を回折効果により達成する位相型ローパスフィルタ等が適用可能である。【０３５０】
（実施の形態Ｉ−２５及びII−２５）
図１４５は、実施の形態Ｉ−２５及びII−２５に係るデジタルスチルカメラの概略構成図である。図１４５において、デジタルスチルカメラは、ズームレンズ系１とＣＣＤである撮像素子２とを含む撮像装置と、液晶モニタ３と、筐体４とから構成される。ズームレンズ系１として、実施の形態Ｉ−１及びII−１に係るズームレンズ系が用いられている。図１４５において、ズームレンズ系１は、第１レンズ群Ｇ１と、第２レンズ群Ｇ２と、開口絞りＡと、第３レンズ群Ｇ３とから構成されている。筐体４は、前側にズームレンズ系１が配置され、ズームレンズ系１の後側には、撮像素子２が配置されている。筐体４の後側に液晶モニタ３が配置され、ズームレンズ系１による被写体の光学的な像が像面Ｓに形成される。【０３５１】
鏡筒は、主鏡筒５と、移動鏡筒６と、円筒カム７とで構成されている。円筒カム７を回転させると、第１レンズ群Ｇ１、第２レンズ群Ｇ２と開口絞りＡ及び第３レンズ群Ｇ３が撮像素子２を基準にした所定の位置に移動し、広角端から望遠端までの変倍を行うことができる。第３レンズ群Ｇ３はフォーカス調整用モータにより光軸方向に移動可能である。【０３５２】
こうして、デジタルスチルカメラに実施の形態Ｉ−１及びII−１に係るズームレンズ系を用いることにより、解像度及び像面湾曲を補正する能力が高く、非使用時の光学全長が短い小型のデジタルスチルカメラを提供することができる。なお、図１４５に示したデジタルスチルカメラには、実施の形態Ｉ−１及びII−１に係るズームレンズ系の替わりに実施の形態Ｉ−２〜Ｉ−２４及びII−２〜II−２４に係るズームレンズ系のいずれかを用いてもよい。また、図１４５に示したデジタルスチルカメラの光学系は、動画像を対象とするデジタルビデオカメラに用いることもできる。この場合、静止画像だけでなく、解像度の高い動画像を撮影することができる。【０３５３】
なお、本実施の形態Ｉ−２５及びII−２５に係るデジタルスチルカメラでは、ズームレンズ系１として実施の形態Ｉ−１〜Ｉ−２４及びII−１〜II−２４に係るズームレンズ系を示したが、これらのズームレンズ系は、全てのズーミング域を使用する必要はない。すなわち、所望のズーミング域に応じて、光学性能が確保されている範囲を切り出し、実施の形態Ｉ−１〜Ｉ−２４及びII−１〜II−２４で説明したズームレンズ系よりも低倍率のズームレンズ系として使用してもよい。【０３５４】
さらに、実施の形態Ｉ−２５及びII−２５では、いわゆる沈胴構成の鏡筒にズームレンズ系を適用した例を示したが、これに限られない。例えば、第１レンズ群Ｇ１内等の任意の位置に、内部反射面を持つプリズムや、表面反射ミラーを配置し、いわゆる屈曲構成の鏡筒にズームレンズ系を適用してもよい。さらに、実施の形態Ｉ−２５及びII−２５において、第２レンズ群Ｇ２全体等のズームレンズ系を構成している一部のレンズ群を沈胴時に光軸上から退避させる、いわゆるスライディング鏡筒にズームレンズ系を適用してもよい。【０３５５】
また、以上説明した実施の形態Ｉ−１〜Ｉ−２４及びII−１〜II−２４に係るズームレンズ系と、ＣＣＤやＣＭＯＳ等の撮像素子とから構成される撮像装置を、携帯電話機器、ＰＤＡ（Ｐｅｒｓｏｎａｌ  Ｄｉｇｉｔａｌ  Ａｓｓｉｓｔａｎｃｅ）、監視システムにおける監視カメラ、Ｗｅｂカメラ、車載カメラ等に適用することもできる。【０３５６】
以下、実施の形態Ｉ−１〜Ｉ−２４及びII−１〜II−２４に係るズームレンズ系を具体的に実施した数値実施例を説明する。なお、各数値実施例において、表中の長さの単位はすべて「ｍｍ」であり、画角の単位はすべて「°」である。また、各数値実施例において、ｒは曲率半径、ｄは面間隔、ｎｄはｄ線に対する屈折率、ｖｄはｄ線に対するアッベ数である。また、各数値実施例において、＊印を付した面は非球面であり、非球面形状は次式で定義している。
2009096157.tif 000003
ここで、κは円錐定数、Ａ４、Ａ６、Ａ８、Ａ１０、Ａ１２及びＡ１４は、それぞれ４次、６次、８次、１０次、１２次及び１４次の非球面係数である。【０３５７】
図２、５、８、１１、１４、１７、２０、２３、２６、２９、３２、３５、３８、４１、４４、４７、５０、５３、５６、５９、６２、６５、６８及び７１は、各々実施の形態Ｉ−１〜Ｉ−２４に係るズームレンズ系の縦収差図である。【０３５８】
図７４、７７、８０、８３、８６、８９、９２、９５、９８、１０１、１０４、１０７、１１０、１１３、１１６、１１９、１２２、１２５、１２８、１３１、１３４、１３７、１４０及び１４３は、各々実施の形態II−１〜II−２４に係るズームレンズ系の縦収差図である。【０３５９】
各縦収差図において、（ａ）図は広角端、（ｂ）図は中間位置、（ｃ）図は望遠端における各収差を表す。各縦収差図は、左側から順に、球面収差（ＳＡ（ｍｍ））、非点収差（ＡＳＴ（ｍｍ））、歪曲収差（ＤＩＳ（％））を示す。球面収差図において、縦軸はＦナンバー（図中、Ｆで示す）を表し、実線はｄ線（ｄ−ｌｉｎｅ）、短破線はＦ線（Ｆ−ｌｉｎｅ）、長破線はＣ線（Ｃ−ｌｉｎｅ）の特性である。非点収差図において、縦軸は像高（図中、Ｈで示す）を表し、実線はサジタル平面（図中、ｓで示す）、破線はメリディオナル平面（図中、ｍで示す）の特性である。歪曲収差図において、縦軸は像高（図中、Ｈで示す）を表す。【０３６０】
図３、６、９、１２、１５、１８、２１、２４、２７、３０、３３、３６、３９、４２、４５、４８、５１、５４、５７、６０、６３、６６、６９及び７２は、各々実施の形態Ｉ−１〜Ｉ−２４に係るズームレンズ系の望遠端における横収差図である。【０３６１】
図７５、７８、８１、８４、８７、９０、９３、９６、９９、１０２、１０５、１０８、１１１、１１４、１１７、１２０、１２３、１２６、１２９、１３２、１３５、１３８、１４１及び１４４は、各々実施の形態II−１〜II−２４に係るズームレンズ系の望遠端における横収差図である。【０３６２】
各横収差図において、上段３つの収差図は、望遠端における像ぶれ補正を行っていない基本状態、下段３つの収差図は、第２レンズ群Ｇ２全体を光軸と垂直な方向に所定量移動させた望遠端における像ぶれ補正状態に、それぞれ対応する。基本状態の各横収差図のうち、上段は最大像高の７５％の像点における横収差、中段は軸上像点における横収差、下段は最大像高の−７５％の像点における横収差に、それぞれ対応する。像ぶれ補正状態の各横収差図のうち、上段は最大像高の７５％の像点における横収差、中段は軸上像点における横収差、下段は最大像高の−７５％の像点における横収差に、それぞれ対応する。また各横収差図において、横軸は瞳面上での主光線からの距離を表し、実線はｄ線（ｄ−ｌｉｎｅ）、短破線はＦ線（Ｆ−ｌｉｎｅ）、長破線はＣ線（Ｃ−ｌｉｎｅ）の特性である。なお各横収差図において、メリディオナル平面を、第１レンズ群Ｇ１の光軸と第２レンズ群Ｇ２の光軸とを含む平面としている。【０３６３】
なお、各実施例のズームレンズ系について、望遠端における、像ぶれ補正状態での第２レンズ群Ｇ２の光軸と垂直な方向への移動量（ＹＴ）は、以下に示すとおりである。
【表１】
2009096157.tif 000004
【表２】
2009096157.tif 000005
【０３６４】
撮影距離が∞で望遠端において、ズームレンズ系が０．６°だけ傾いた場合の像偏心量は、第２レンズ群Ｇ２全体が光軸と垂直な方向に上記の各値だけ平行移動するときの像偏心量に等しい。【０３６５】
各横収差図から明らかなように、軸上像点における横収差の対称性は良好であることがわかる。また、＋７５％像点における横収差と−７５％像点における横収差とを基本状態で比較すると、いずれも湾曲度が小さく、収差曲線の傾斜がほぼ等しいことから、偏心コマ収差、偏心非点収差が小さいことがわかる。このことは、像ぶれ補正状態であっても充分な結像性能が得られていることを意味している。また、ズームレンズ系の像ぶれ補正角が同じ場合には、ズームレンズ系全体の焦点距離が短くなるにつれて、像ぶれ補正に必要な平行移動量が減少する。したがって、いずれのズーム位置であっても、０．６°までの像ぶれ補正角に対して、結像特性を低下させることなく充分な像ぶれ補正を行うことが可能である。【０３６６】
（数値実施例Ｉ−１）
数値実施例Ｉ−１のズームレンズ系は、図１に示した実施の形態Ｉ−１に対応する。数値実施例Ｉ−１のズームレンズ系の面データを表Ｉ−１に、非球面データを表Ｉ−２に、各種データを表Ｉ−３に示す。【０３６７】
表  Ｉ−１（面データ）
面番号         r           d           nd         vd                
物面             ∞                                               
1*       188.92300     1.06000     1.85976    40.6               
2*         5.44500     1.73200                                   
3*         9.22600     1.98000     1.99537    20.7               
4         17.36000        可変                                   
5*         4.94900     1.55900     1.80434    40.8               
6        117.92500     0.15300                                   
7         13.15200     1.05000     1.72916    54.7               
8        -21.47500     0.01000     1.56732    42.8               
9        -21.47500     0.40000     1.76182    26.6               
10          3.74800     0.58300                                   
11         22.33900     1.01500     1.69680    55.5               
12        -19.41000     0.40000                                   
13(絞り)           ∞        可変                                   
14*      -116.08400     1.40700     1.68863    52.8               
15*       -12.09600        可変                                   
16               ∞     0.28000     1.51680    64.2               
17               ∞     0.50000                                   
18               ∞     0.50000     1.51680    64.2               
19               ∞        (BF)                                       
像面             ∞                                               【０３６８】
表  Ｉ−２（非球面データ）
第1面
K= 0.00000E+00, A4=-1.00660E-06, A6= 1.42786E-06, A8=-2.21841E-08 
A10= 4.62309E-11, A12= 0.00000E+00, A14= 0.00000E+00 
第2面
K=-1.50376E+00, A4= 9.16971E-04, A6= 9.94477E-06, A8=-3.69570E-06 
A10= 2.88772E-07, A12=-9.37503E-09, A14= 1.08167E-10 
第3面
K= 0.00000E+00, A4= 1.33735E-04, A6= 8.26828E-06, A8=-2.36263E-06 
A10= 1.72041E-07, A12=-5.39358E-09, A14= 6.14991E-11 
第5面
K= 0.00000E+00, A4=-7.21745E-04, A6=-2.78703E-06, A8=-1.01123E-05 
A10= 2.41573E-06, A12=-3.18270E-07, A14= 1.76444E-08 
第14面
K= 0.00000E+00, A4= 3.84582E-04, A6=-4.88167E-05, A8= 2.35198E-06 
A10= 4.74331E-08, A12=-3.53285E-09, A14= 0.00000E+00 
第15面
K= 0.00000E+00, A4= 5.69667E-04, A6=-3.94000E-05, A8= 1.79407E-06 
A10= 3.36301E-08, A12=-2.29056E-09, A14= 0.00000E+00【０３６９】
表  Ｉ−３（各種データ）
ズーム比     5.02077
広角      中間      望遠
焦点距離       4.2071   10.2045   21.1228
Ｆナンバー     2.90782   5.02380   6.11771
画角        46.1595   20.5403   10.1174
像高         3.8000    3.8000    3.8000
レンズ全長     33.0753   29.8672   37.3253
ＢＦ        0.42136   0.37974   0.40715
d4          14.3760    4.3000    0.2000 
d13          1.7728    9.7004   21.4167 
d15          3.8761    2.8581    2.6724 
ズームレンズ群データ
群    始面      焦点距離
1       1     -11.10099
2       5       9.35617
3      14      19.50093【０３７０】
（数値実施例Ｉ−２）
数値実施例Ｉ−２のズームレンズ系は、図４に示した実施の形態Ｉ−２に対応する。数値実施例Ｉ−２のズームレンズ系の面データを表Ｉ−４に、非球面データを表Ｉ−５に、各種データを表Ｉ−６に示す。【０３７１】
表  Ｉ−４（面データ）
面番号         r           d           nd         vd                
物面             ∞                                               
1         91.71600     1.06000     1.85976    40.6               
2*         5.02500     1.73200                                   
3*         8.10500     1.98000     1.99537    20.7               
4         15.41300        可変                                   
5          4.67900     1.55000     1.80434    40.8               
6         20.06000     0.15000                                   
7         17.38100     1.05000     1.72916    54.7               
8         -7.78900     0.01000     1.56732    42.8               
9         -7.78900     0.40000     1.76182    26.6               
10          5.54400     0.58300                                   
11*         9.60700     1.03000     1.69680    55.5               
12*        24.77100     0.40000                                   
13(絞り)           ∞        可変                                   
14*       143.86300     1.40700     1.68863    52.8               
15*       -14.99700        可変                                   
16               ∞     0.28000     1.51680    64.2               
17               ∞     0.50000                                   
18               ∞     0.50000     1.51680    64.2               
19               ∞        (BF)                                       
像面             ∞                                               【０３７２】
表  Ｉ−５（非球面データ）
第2面
K=-1.72393E+00, A4= 8.21522E-04, A6= 2.55266E-05, A8=-3.88679E-06 
A10= 2.77924E-07, A12=-9.47533E-09, A14= 1.16437E-10 
第3面
K= 0.00000E+00, A4=-2.24219E-04, A6= 2.10672E-05, A8=-2.55993E-06 
A10= 1.68943E-07, A12=-5.44312E-09, A14= 6.31627E-11 
第11面
K= 0.00000E+00, A4=-1.79281E-03, A6=-2.82240E-04, A8= 1.33862E-05 
A10= 7.24137E-06, A12= 0.00000E+00, A14= 0.00000E+00 
第12面
K= 0.00000E+00, A4= 8.20695E-04, A6=-3.73734E-05, A8=-4.11489E-07 
A10= 1.63224E-05, A12= 0.00000E+00, A14= 0.00000E+00 
第14面
K= 0.00000E+00, A4=-1.43793E-03, A6= 6.22989E-05, A8=-3.57284E-06 
A10= 4.27742E-08, A12= 1.29183E-09, A14= 0.00000E+00 
第15面
K= 0.00000E+00, A4=-1.03151E-03, A6=-6.84282E-06, A8= 2.21877E-06 
A10=-1.02480E-07, A12= 1.11563E-09, A14= 0.00000E+00【０３７３】
表  Ｉ−６（各種データ）
ズーム比     4.78728
広角      中間      望遠
焦点距離       4.5625   10.3339   21.8419
Ｆナンバー     2.91681   4.41216   6.27025
画角        43.7744   20.6796    9.7181
像高         3.8000    3.8000    3.8000
レンズ全長     32.9851   26.5722   37.4677
ＢＦ        0.42089   0.40791   0.39091
d4          13.9363    2.2741    0.2000 
d13          2.4243    4.3279   21.6993 
d15          3.5716    6.9303    2.5455 
ズームレンズ群データ
群    始面      焦点距離
1       1     -11.49994
2       5       9.44980
3      14      19.79358【０３７４】
（数値実施例Ｉ−３）
数値実施例Ｉ−３のズームレンズ系は、図７に示した実施の形態Ｉ−３に対応する。数値実施例Ｉ−３のズームレンズ系の面データを表Ｉ−７に、非球面データを表Ｉ−８に、各種データを表Ｉ−９に示す。【０３７５】
表  Ｉ−７（面データ）
面番号         r           d           nd         vd                
物面             ∞                                               
1*       140.23000     1.06000     1.89816    34.5               
2*         5.45300     1.73200                                   
3*         9.42700     1.98000     2.13854    17.8               
4         17.36000        可変                                   
5*         4.99100     1.55000     1.80434    40.8               
6        117.92500     0.15000                                   
7         12.94200     1.05000     1.72916    54.7               
8        -13.72800     0.01000     1.56732    42.8               
9        -13.72800     0.40000     1.76182    26.6               
10          3.74800     0.58300                                   
11         20.43300     1.03000     1.69680    55.5               
12        -21.48900     0.40000                                   
13(絞り)           ∞        可変                                   
14*      -116.08400     1.40700     1.68863    52.8               
15*       -12.26900        可変                                   
16               ∞     0.28000     1.51680    64.2               
17               ∞     0.50000                                   
18               ∞     0.50000     1.51680    64.2               
19               ∞        (BF)                                       
像面             ∞                                               【０３７６】
表  Ｉ−８（非球面データ）
第1面
K= 0.00000E+00, A4=-5.16032E-06, A6= 1.36006E-06, A8=-2.35032E-08 
A10= 9.64467E-12, A12= 0.00000E+00, A14= 0.00000E+00 
第2面
K=-1.54603E+00, A4= 8.66310E-04, A6= 1.05013E-05, A8=-3.56556E-06 
A10= 2.87567E-07, A12=-9.59572E-09, A14= 1.13274E-10 
第3面
K= 0.00000E+00, A4= 5.82564E-05, A6= 1.23467E-05, A8=-2.44842E-06 
A10= 1.70937E-07, A12=-5.28376E-09, A14= 6.04276E-11 
第5面
K= 0.00000E+00, A4=-6.59982E-04, A6=-1.07316E-05, A8=-7.67478E-06 
A10= 2.20031E-06, A12=-3.14693E-07, A14= 1.71160E-08 
第14面
K= 0.00000E+00, A4= 3.98783E-04, A6=-4.87903E-05, A8= 2.32347E-06 
A10= 4.49831E-08, A12=-3.64603E-09, A14= 0.00000E+00 
第15面
K= 0.00000E+00, A4= 6.66651E-04, A6=-6.35825E-05, A8= 3.80613E-06 
A10=-2.17291E-08, A12=-2.43698E-09, A14= 0.00000E+00【０３７７】
表  Ｉ−９（各種データ）
ズーム比     4.75067
広角      中間      望遠
焦点距離       4.5762   10.2956   21.7403
Ｆナンバー     2.90973   4.76492   6.12812
画角        43.6578   20.3579    9.8270
像高         3.8000    3.8000    3.8000
レンズ全長     32.9778   29.9914   37.7234
ＢＦ        0.40883   0.36012   0.36629
d4          13.7226    4.3000    0.2000 
d13          2.4223    9.4455   21.9297 
d15          3.7921    3.2538    2.5954 
ズームレンズ群データ
群    始面      焦点距離
1       1     -11.37494
2       5       9.50394
3      14      19.81261【０３７８】
（数値実施例Ｉ−４）
数値実施例Ｉ−４のズームレンズ系は、図１０示した実施の形態Ｉ−４に対応する。数値実施例Ｉ−４のズームレンズ系の面データを表Ｉ−１０、非球面データを表Ｉ−１１に、各種データを表Ｉ−１２に示す。【０３７９】
表  Ｉ−１０（面データ）
面番号         r           d           nd         vd                
物面             ∞                                               
1*       277.61100     1.06000     1.80470    41.0               
2*         5.18600     1.73200                                   
3*         9.15000     1.98000     1.99537    20.7               
4         17.36000        可変                                   
5*         5.00400     1.55000     1.80434    40.8               
6        117.92500     0.15000                                   
7         12.83700     1.05000     1.72916    54.7               
8        -16.64100     0.01000     1.56732    42.8               
9        -16.64100     0.40000     1.76182    26.6               
10          3.74800     0.58300                                   
11         19.27500     1.03000     1.69680    55.5               
12        -23.38700     0.40000                                   
13(絞り)           ∞        可変                                   
14*      -116.08400     1.40700     1.68863    52.8               
15*       -12.26800        可変                                   
16               ∞     0.28000     1.51680    64.2               
17               ∞     0.50000                                   
18               ∞     0.50000     1.51680    64.2               
19               ∞        (BF)                                       
像面             ∞                                               【０３８０】
表  Ｉ−１１（非球面データ）
第1面
K= 0.00000E+00, A4=-5.16032E-06, A6= 1.36006E-06, A8=-2.35032E-08 
A10= 9.64467E-12, A12= 0.00000E+00, A14= 0.00000E+00 
第2面
K=-1.36045E+00, A4= 9.62829E-04, A6= 9.75296E-06, A8=-3.60697E-06 
A10= 2.88964E-07, A12=-9.50399E-09, A14= 1.08374E-10 
第3面
K= 0.00000E+00, A4= 1.46718E-04, A6= 9.99932E-06, A8=-2.39751E-06 
A10= 1.71641E-07, A12=-5.32077E-09, A14= 5.98708E-11 
第5面
K= 0.00000E+00, A4=-6.52447E-04, A6=-7.02093E-06, A8=-1.00791E-05 
A10= 2.75597E-06, A12=-3.51282E-07, A14= 1.65967E-08 
第14面
K= 0.00000E+00, A4= 3.98783E-04, A6=-4.87903E-05, A8= 2.32347E-06 
A10= 4.49831E-08, A12=-3.64603E-09, A14= 0.00000E+00 
第15面
K= 0.00000E+00, A4= 6.34167E-04, A6=-6.11751E-05, A8= 3.80911E-06 
A10=-3.34184E-08, A12=-2.00676E-09, A14= 0.00000E+00【０３８１】
表  Ｉ−１２（各種データ）
ズーム比     4.74438
広角      中間      望遠
焦点距離       4.5794   10.3078   21.7266
Ｆナンバー     2.91050   4.77133   6.13310
画角        43.5230   20.3763    9.8525
像高         3.8000    3.8000    3.8000
レンズ全長     32.9845   30.0066   37.7343
ＢＦ        0.41553   0.37528   0.37716
d4          13.7226    4.3000    0.2000 
d13          2.4384    9.4758   21.9238 
d15          3.7760    3.2235    2.6013 
ズームレンズ群データ
群    始面      焦点距離
1       1     -11.37119
2       5       9.50694
3      14      19.81081【０３８２】
（数値実施例Ｉ−５）
数値実施例Ｉ−５のズームレンズ系は、図１３に示した実施の形態Ｉ−５に対応する。数値実施例Ｉ−５のズームレンズ系の面データを表Ｉ−１３に、非球面データを表Ｉ−１４に、各種データを表Ｉ−１５に示す。【０３８３】
表  Ｉ−１３（面データ）
面番号         r           d           nd         vd                
物面             ∞                                               
1*       277.61100     1.06000     1.80470    41.0               
2*         5.18600     1.73200                                   
3*         9.15400     1.98000     1.99537    20.7               
4         17.36000        可変                                   
5*         5.09400     1.55000     1.87290    40.8               
6        117.92500     0.15000                                   
7         16.28000     1.05000     1.72916    54.7               
8        -13.60500     0.01000     1.56732    42.8               
9        -13.60500     0.40000     1.76182    26.6               
10          3.74800     0.58300                                   
11         28.27400     1.03000     1.69680    55.5               
12        -16.70500     0.40000                                   
13(絞り)           ∞        可変                                   
14*      -116.08400     1.40700     1.68863    52.8               
15*       -12.24500        可変                                   
16               ∞     0.28000     1.51680    64.2               
17               ∞     0.50000                                   
18               ∞     0.50000     1.51680    64.2               
19               ∞        (BF)                                       
像面             ∞                                               【０３８４】
表  Ｉ−１４（非球面データ）
第1面
K= 0.00000E+00, A4=-5.16032E-06, A6= 1.36006E-06, A8=-2.35032E-08 
A10= 9.64467E-12, A12= 0.00000E+00, A14= 0.00000E+00 
第2面
K=-1.21146E+00, A4= 9.42719E-04, A6= 8.22480E-06, A8=-3.73153E-06 
A10= 2.89294E-07, A12=-9.56885E-09, A14= 1.15064E-10 
第3面
K= 0.00000E+00, A4= 1.96871E-04, A6= 9.09412E-06, A8=-2.42115E-06 
A10= 1.68578E-07, A12=-5.27161E-09, A14= 6.24497E-11 
第5面
K= 0.00000E+00, A4=-5.89690E-04, A6=-2.66456E-05, A8=-4.67652E-06 
A10= 2.49299E-06, A12=-4.37504E-07, A14= 2.60253E-08 
第14面
K= 0.00000E+00, A4= 3.98783E-04, A6=-4.87903E-05, A8= 2.32347E-06 
A10= 4.49831E-08, A12=-3.64603E-09, A14= 0.00000E+00 
第15面
K= 0.00000E+00, A4= 4.95733E-04, A6=-5.52926E-05, A8= 4.07254E-06 
A10=-8.39574E-08, A12=-3.60474E-10, A14= 0.00000E+00【０３８５】
表  Ｉ−１５（各種データ）
ズーム比     4.73379
広角      中間      望遠
焦点距離       4.5814   10.3126   21.6875
Ｆナンバー     2.90996   4.76998   6.12631
画角        43.6298   20.5699    9.9939
像高         3.8000    3.8000    3.8000
レンズ全長     32.9849   30.0104   37.7589
ＢＦ        0.41591   0.37912   0.40176
d4          13.7226    4.3000    0.2000 
d13          2.4562    9.4832   21.8879 
d15          3.7582    3.2161    2.6372 
ズームレンズ群データ
群    始面      焦点距離
1       1     -11.36300
2       5       9.50654
3      14      19.76931【０３８６】
（数値実施例Ｉ−６）
数値実施例Ｉ−６のズームレンズ系は、図１６に示した実施の形態Ｉ−６に対応する。数値実施例Ｉ−６のズームレンズ系の面データを表Ｉ−１６に、非球面データを表Ｉ−１７に、各種データを表Ｉ−１８に示す。【０３８７】
表  Ｉ−１６（面データ）
面番号         r           d           nd         vd                
物面             ∞                                               
1        126.42600     1.06000     1.86000    40.6               
2*         5.72700     1.53700                                   
3*         8.95800     1.77600     1.99537    20.7               
4         17.36000        可変                                   
5*         5.19400     1.56100     1.80434    40.8               
6        377.10900     0.30000                                   
7         17.42100     1.06600     1.72916    54.7               
8        -13.83000     0.01000     1.56732    42.8               
9        -13.83000     0.40000     1.76182    26.6               
10          4.00000     0.58300                                   
11         19.73300     1.07700     1.69680    55.5               
12        -23.72700     0.40000                                   
13(絞り)           ∞        可変                                   
14*     -1047.51300     1.40700     1.74993    45.4               
15*       -14.88700        可変                                   
16               ∞     0.28000     1.51680    64.2               
17               ∞     0.50000                                   
18               ∞     0.50000     1.51680    64.2               
19               ∞        (BF)                                       
像面             ∞                                               【０３８８】
表  Ｉ−１７（非球面データ）
第2面
K=-1.57344E+00, A4= 7.46340E-04, A6= 1.88232E-06, A8=-3.37126E-06 
A10= 2.89498E-07, A12=-9.69126E-09, A14= 1.14218E-10 
第3面
K= 0.00000E+00, A4= 6.08925E-05, A6= 2.83846E-06, A8=-2.14698E-06 
A10= 1.72132E-07, A12=-5.49899E-09, A14= 6.19799E-11 
第5面
K= 0.00000E+00, A4=-5.98636E-04, A6=-2.84764E-06, A8=-8.39427E-06 
A10= 2.21918E-06, A12=-2.87429E-07, A14= 1.45836E-08 
第14面
K= 0.00000E+00, A4=-1.30794E-04, A6=-9.53762E-06, A8=-1.31083E-06 
A10= 1.80961E-07, A12=-4.51916E-09, A14= 0.00000E+00 
第15面
K= 0.00000E+00, A4= 1.09118E-04, A6=-3.68938E-05, A8= 2.09767E-06 
A10=-3.35203E-08, A12= 5.68690E-10, A14= 0.00000E+00【０３８９】
表  Ｉ−１８（各種データ）
ズーム比     4.61126
広角      中間      望遠
焦点距離       5.1178   11.0963   23.5995
Ｆナンバー     2.90501   4.68134   6.13237
画角        39.2002   18.9429    9.0829
像高         3.8000    3.8000    3.8000
レンズ全長     33.5786   30.7415   38.3943
ＢＦ        0.41039   0.37079   0.37158
d4          14.1000    4.7084    0.2000 
d13          2.4138    9.8111   22.8264 
d15          4.1974    3.3942    2.5393 
ズームレンズ群データ
群    始面      焦点距離
1       1     -12.85293
2       5      10.12689
3      14      20.12562【０３９０】
（数値実施例Ｉ−７）
数値実施例Ｉ−７のズームレンズ系は、図１９に示した実施の形態Ｉ−７に対応する。数値実施例Ｉ−７のズームレンズ系の面データを表Ｉ−１９に、非球面データを表Ｉ−２０に、各種データを表Ｉ−２１に示す。【０３９１】
表  Ｉ−１９（面データ）
面番号         r           d           nd         vd                
物面             ∞                                               
1*       133.91200     1.06000     1.85976    40.6               
2*         5.42900     1.73200                                   
3*         9.15600     1.98000     1.99537    20.7               
4         17.36000        可変                                   
5*         4.97400     1.55000     1.80434    40.8               
6        117.92500     0.15000                                   
7         13.33900     1.05000     1.72916    54.7               
8        -20.65000     0.01000     1.56732    42.8               
9        -20.65000     0.40000     1.76182    26.6               
10          3.74800     0.58300                                   
11         17.95000     1.03000     1.69680    55.5               
12        -25.80200     0.40000                                   
13(絞り)           ∞        可変                                   
14*      -116.08400     1.40700     1.68863    52.8               
15*       -12.28300        可変                                   
16               ∞     0.28000     1.51680    64.2               
17               ∞     0.50000                                   
18               ∞     0.50000     1.51680    64.2               
19               ∞        (BF)                                       
像面             ∞                                               【０３９２】
表  Ｉ−２０（非球面データ）
第1面
K= 0.00000E+00, A4=-5.52740E-06, A6= 1.34755E-06, A8=-2.37945E-08 
A10= 6.53313E-12, A12= 0.00000E+00, A14= 0.00000E+00 
第2面
K=-1.51232E+00, A4= 9.13792E-04, A6= 1.00193E-05, A8=-3.69775E-06 
A10= 2.88686E-07, A12=-9.37576E-09, A14= 1.08259E-10 
第3面
K= 0.00000E+00, A4= 1.27176E-04, A6= 7.89593E-06, A8=-2.36128E-06 
A10= 1.72237E-07, A12=-5.38467E-09, A14= 6.18081E-11 
第5面
K= 0.00000E+00, A4=-7.06960E-04, A6=-3.25988E-07, A8=-9.87767E-06 
A10= 2.42687E-06, A12=-3.19796E-07, A14= 1.70210E-08 
第14面
K= 0.00000E+00, A4= 3.70421E-04, A6=-5.43849E-05, A8= 1.64888E-06 
A10= 1.80901E-09, A12=-5.31193E-09, A14= 0.00000E+00 
第15面
K= 0.00000E+00, A4= 5.24695E-04, A6=-4.63237E-05, A8= 1.20665E-06 
A10= 4.10694E-09, A12=-4.23522E-09, A14= 0.00000E+00【０３９３】
表  Ｉ−２１（各種データ）
ズーム比     5.35662
広角      中間      望遠
焦点距離       4.5928   10.2950   24.6021
Ｆナンバー     2.90896   4.74737   6.91879
画角        43.5348   20.5052    8.8865
像高         3.8000    3.8000    3.8000
レンズ全長     32.9479   30.0189   38.9815
ＢＦ        0.40477   0.36130   0.37320
d4          13.7226    4.3000    0.2000 
d13          2.2520    9.2104   24.8417 
d15          3.9365    3.5152    0.9346 
ズームレンズ群データ
群    始面      焦点距離
1       1     -11.42384
2       5       9.55095
3      14      19.83788【０３９４】
（数値実施例Ｉ−８）
数値実施例Ｉ−８のズームレンズ系は、図２２に示した実施の形態Ｉ−８に対応する。数値実施例Ｉ−８のズームレンズ系の面データを表Ｉ−２２に、非球面データを表Ｉ−２３に、各種データを表Ｉ−２４に示す。【０３９５】
表  Ｉ−２２（面データ）
面番号         r           d           nd         vd                
物面             ∞                                               
1*       102.49100     1.06000     1.85976    40.6               
2*         5.38400     1.73200                                   
3*         9.16300     1.98000     1.99537    20.7               
4         17.36000        可変                                   
5*         4.98100     1.55000     1.80434    40.8               
6        117.92500     0.15000                                   
7         13.41700     1.05000     1.72916    54.7               
8        -22.36400     0.01000     1.56732    42.8               
9        -22.36400     0.40000     1.76182    26.6               
10          3.74800     0.58300                                   
11         17.49900     1.03000     1.69680    55.5               
12        -27.91500     0.40000                                   
13(絞り)           ∞        可変                                   
14*      -116.08400     1.40700     1.68863    52.8               
15*       -12.30700        可変                                   
16               ∞     0.28000     1.51680    64.2               
17               ∞     0.50000                                   
18               ∞     0.50000     1.51680    64.2               
19               ∞        (BF)                                       
像面             ∞                                               【０３９６】
表  Ｉ−２３（非球面データ）
第1面
K= 0.00000E+00, A4=-9.58085E-06, A6= 1.28804E-06, A8=-2.45481E-08 
A10=-7.28916E-12, A12= 0.00000E+00, A14= 0.00000E+00 
第2面
K=-1.52889E+00, A4= 9.08403E-04, A6= 1.00563E-05, A8=-3.70044E-06 
A10= 2.88590E-07, A12=-9.37676E-09, A14= 1.08272E-10 
第3面
K= 0.00000E+00, A4= 1.17643E-04, A6= 7.85565E-06, A8=-2.35722E-06 
A10= 1.72387E-07, A12=-5.38158E-09, A14= 6.18075E-11 
第5面
K= 0.00000E+00, A4=-6.97064E-04, A6= 1.09037E-06, A8=-9.75291E-06 
A10= 2.43347E-06, A12=-3.20810E-07, A14= 1.65049E-08 
第14面
K= 0.00000E+00, A4= 3.07888E-04, A6=-5.28977E-05, A8= 1.68576E-06 
A10= 1.34836E-09, A12= 1.29575E-10, A14= 0.00000E+00 
第15面
K= 0.00000E+00, A4= 5.47465E-04, A6=-5.13331E-05, A8= 1.07290E-06 
A10= 4.69963E-08, A12=-1.02369E-09, A14= 0.00000E+00【０３９７】
表  Ｉ−２４（各種データ）
ズーム比     5.52871
広角      中間      望遠
焦点距離       4.6725   10.3808   25.8329
Ｆナンバー     2.94730   4.77127   7.24009
画角        42.6119   20.1748    8.3929
像高         3.8000    3.8000    3.8000
レンズ全長     33.0804   30.2033   40.0342
ＢＦ        0.40551   0.36552   0.38499
d4          13.7226    4.3000    0.2000 
d13          2.3123    9.1093   26.0977 
d15          4.0080    3.7965    0.7195 
ズームレンズ群データ
群    始面      焦点距離
1       1     -11.50512
2       5       9.64428
3      14      19.88122【０３９８】
（数値実施例Ｉ−９）
数値実施例Ｉ−９のズームレンズ系は、図２５に示した実施の形態Ｉ−９に対応する。数値実施例Ｉ−９のズームレンズ系の面データを表Ｉ−２５に、非球面データを表Ｉ−２６に、各種データを表Ｉ−２７に示す。【０３９９】
表  Ｉ−２５（面データ）
面番号         r           d           nd         vd                
物面             ∞                                               
1*        76.42751     1.00000     1.80470    41.0               
2*         6.64817     1.48000                                   
3          7.75447     1.60000     1.92286    20.9               
4         10.50123        可変                                   
5*         5.53570     1.50000     1.80434    40.8               
6       -674.52140     0.30000                                   
7         10.79499     1.10000     1.72916    54.7               
8        -15.59648     0.01000     1.56732    42.8               
9        -15.59648     0.40000     1.76182    26.6               
10          4.00000     0.64000                                   
11         40.99489     1.10000     1.80146    40.2               
12        -40.99489     0.30000                                   
13(絞り)           ∞        可変                                   
14        -53.29376     1.33000     1.68863    52.8               
15*       -12.58029        可変                                   
16               ∞     0.28000     1.51680    64.2               
17               ∞     0.50000                                   
18               ∞     0.50000     1.51680    64.2               
19               ∞        (BF)                                       
像面             ∞                                               【０４００】
表  Ｉ−２６（非球面データ）
第1面
K= 0.00000E+00, A4= 5.76012E-05, A6= 8.73773E-07, A8= 0.00000E+00 
A10= 0.00000E+00, A12= 0.00000E+00, A14= 0.00000E+00 
第2面
K=-1.43352E+00, A4= 6.73429E-04, A6=-1.70436E-07, A8= 1.25757E-07 
A10= 3.13106E-08, A12=-1.68591E-09, A14= 3.01568E-11 
第5面
K= 0.00000E+00, A4=-4.98245E-04, A6= 4.02131E-06, A8=-1.18557E-05 
A10= 2.68271E-06, A12=-2.79815E-07, A14= 1.08519E-08 
第15面
K= 0.00000E+00, A4=-3.33092E-05, A6= 2.24255E-05, A8=-2.42474E-06 
A10= 1.37066E-07, A12=-2.99454E-09, A14= 0.00000E+00【０４０１】
表  Ｉ−２７（各種データ）
ズーム比     4.72712
広角      中間      望遠
焦点距離       6.0022   13.0594   28.3731
Ｆナンバー     3.44370   5.55842   6.33102
画角        34.9812   16.3974    7.6997
像高         3.8000    3.8000    3.8000
レンズ全長     33.8543   31.0006   39.9649
ＢＦ        0.46119   0.40554   0.37123
d4          14.2069    4.6883    0.2000 
d13          2.9360   10.1917   24.3632 
d15          4.2102    3.6751    2.9905 
ズームレンズ群データ
群    始面      焦点距離
1       1     -13.93476
2       5      10.14370
3      14      23.59911【０４０２】
（数値実施例Ｉ−１０）
数値実施例Ｉ−１０のズームレンズ系は、図２８に示した実施の形態Ｉ−１０に対応する。数値実施例Ｉ−１０のズームレンズ系の面データを表Ｉ−２８に、非球面データを表Ｉ−２９に、各種データを表Ｉ−３０に示す。【０４０３】
表  Ｉ−２８（面データ）
面番号         r           d           nd         vd                
物面             ∞                                               
1*        59.05000     1.06000     1.85280    39.0               
2*         5.46200     1.50400                                   
3*         8.60600     1.75000     1.99537    20.7               
4         14.38100        可変                                   
5*         4.36700     2.50000     1.80359    40.8               
6        -67.53500     0.00000                                   
7        -67.53500     0.40000     1.80518    25.5               
8          3.80100     0.47700                                   
9         12.23200     1.14400     1.77250    49.6               
10        -16.77300     0.30000                                   
11(絞り)           ∞        可変                                   
12*       145.66100     1.33400     1.60602    57.4               
13*       -11.92000        可変                                   
14               ∞     0.78000     1.51680    64.2               
15               ∞        (BF)                                       
像面             ∞                                               【０４０４】
表  Ｉ−２９（非球面データ）
第1面
K= 0.00000E+00, A4= 3.04043E-06, A6= 8.38044E-08, A8= 3.68394E-10 
A10= 1.11988E-11, A12= 0.00000E+00, A14= 0.00000E+00 
第2面
K=-1.14246E+00, A4= 9.52084E-04, A6= 1.16305E-05, A8=-3.37781E-06 
A10= 2.84249E-07, A12=-9.68993E-09, A14= 1.17859E-10 
第3面
K= 0.00000E+00, A4= 2.77587E-04, A6= 7.49692E-06, A8=-2.20563E-06 
A10= 1.70898E-07, A12=-5.50993E-09, A14= 6.41238E-11 
第5面
K=-2.43504E-01, A4=-3.61300E-04, A6= 1.01452E-05, A8=-3.95475E-06 
A10= 2.05823E-07, A12= 0.00000E+00, A14= 0.00000E+00 
第12面
K= 0.00000E+00, A4=-3.11808E-04, A6= 1.60552E-05, A8=-9.71795E-07 
A10= 2.22891E-07, A12=-2.85194E-09, A14= 0.00000E+00 
第13面
K= 0.00000E+00, A4= 3.67285E-05, A6=-1.48330E-05, A8= 2.12933E-06 
A10= 5.52463E-08, A12= 2.05349E-09, A14= 0.00000E+00【０４０５】
表  Ｉ−３０（各種データ）
ズーム比     4.70964
広角      中間      望遠
焦点距離       4.2182   10.9848   19.8661
Ｆナンバー     2.91810   4.94788   6.15928
画角        45.5442   19.1934   10.7826
像高         3.8000    3.8000    3.8000
レンズ全長     32.2531   29.2032   33.9277
ＢＦ        0.89844   0.85770   0.89904
d4          14.1856    3.9014    0.2000 
d11          2.1610   11.4996   19.9321 
d13          3.7591    1.6955    1.6476 
ズームレンズ群データ
群    始面      焦点距離
1       1     -11.81909
2       5       9.29435
3      12      18.23972【０４０６】
（数値実施例Ｉ−１１）
数値実施例Ｉ−１１のズームレンズ系は、図３１に示した実施の形態Ｉ−１１に対応する。数値実施例Ｉ−１１のズームレンズ系の面データを表Ｉ−３１に、非球面データを表Ｉ−３２に、各種データを表Ｉ−３３に示す。【０４０７】
表  Ｉ−３１（面データ）
面番号         r           d           nd         vd                
物面             ∞                                               
1*        48.20000     1.06000     1.85280    39.0               
2*         5.40600     1.50400                                   
3*         8.59700     1.75000     1.99537    20.7               
4         14.38100        可変                                   
5*         4.37800     2.50000     1.80359    40.8               
6        -74.88600     0.00000                                   
7        -74.88600     0.40000     1.80518    25.5               
8          3.79800     0.47700                                   
9         12.73200     1.14400     1.77250    49.6               
10        -16.77300     0.30000                                   
11(絞り)           ∞        可変                                   
12*       147.88000     1.33400     1.60602    57.4               
13*       -13.66400        可変                                   
14               ∞     0.78000     1.51680    64.2               
15               ∞        (BF)                                       
像面             ∞                                               【０４０８】
表  Ｉ−３２（非球面データ）
第1面
K= 0.00000E+00, A4= 3.27932E-07, A6=-4.95347E-08, A8= 0.00000E+00 
A10= 0.00000E+00, A12= 0.00000E+00, A14= 0.00000E+00 
第2面
K=-1.15549E+00, A4= 9.45387E-04, A6= 1.00448E-05, A8=-3.40038E-06 
A10= 2.83776E-07, A12=-9.69584E-09, A14= 1.17520E-10 
第3面
K= 0.00000E+00, A4= 2.60379E-04, A6= 6.67780E-06, A8=-2.20806E-06 
A10= 1.70845E-07, A12=-5.50808E-09, A14= 6.38203E-11 
第5面
K=-2.33677E-01, A4=-3.37270E-04, A6= 5.87427E-06, A8=-3.18469E-06 
A10= 2.15900E-07, A12= 0.00000E+00, A14= 0.00000E+00 
第12面
K= 0.00000E+00, A4=-3.84815E-04, A6= 1.89763E-05, A8=-9.66009E-07 
A10= 2.07197E-07, A12=-2.90921E-09, A14= 0.00000E+00 
第13面
K= 0.00000E+00, A4=-8.25767E-05, A6=-1.37702E-05, A8= 1.82480E-06 
A10= 5.49510E-08, A12= 2.05096E-09, A14= 0.00000E+00【０４０９】
表  Ｉ−３３（各種データ）
ズーム比     4.66639
広角      中間      望遠
焦点距離       4.5138   11.0107   21.0630
Ｆナンバー     2.92234   4.74573   6.11588
画角        42.9660   19.1684   10.1843
像高         3.8000    3.8000    3.8000
レンズ全長     32.9135   29.6175   34.9167
ＢＦ        0.89634   0.86350   0.87175
d4          14.3758    4.2462    0.2000 
d11          2.4307   11.1258   20.7413 
d13          3.9617    2.1330    1.8547 
ズームレンズ群データ
群    始面      焦点距離
1       1     -12.09887
2       5       9.49321
3      12      20.70451【０４１０】
（数値実施例Ｉ−１２）
数値実施例Ｉ−１２のズームレンズ系は、図３４に示した実施の形態Ｉ−１２に対応する。数値実施例Ｉ−１２のズームレンズ系の面データを表Ｉ−３４に、非球面データを表Ｉ−３５に、各種データを表Ｉ−３６に示す。【０４１１】
表  Ｉ−３４（面データ）
面番号         r           d           nd         vd                
物面             ∞                                               
1         43.56000     1.06000     1.85280    39.0               
2*         5.54700     1.50400                                   
3*         8.64600     1.75000     1.99537    20.7               
4         14.38100        可変                                   
5*         4.39600     2.50000     1.80359    40.8               
6       -115.81400     0.00000                                   
7       -115.81400     0.40000     1.80518    25.5               
8          3.79300     0.47700                                   
9         14.69100     1.14400     1.77250    49.6               
10        -16.77300     0.30000                                   
11(絞り)           ∞        可変                                   
12*        79.01900     1.33400     1.60602    57.4               
13*       -14.68200        可変                                   
14               ∞     0.78000     1.51680    64.2               
15               ∞        (BF)                                       
像面             ∞                                               【０４１２】
表  Ｉ−３５（非球面データ）
第2面
K=-1.11955E+00, A4= 9.72575E-04, A6= 5.28421E-06, A8=-3.33441E-06 
A10= 2.83170E-07, A12=-9.76538E-09, A14= 1.18913E-10 
第3面
K= 0.00000E+00, A4= 2.96666E-04, A6= 4.70617E-06, A8=-2.23721E-06 
A10= 1.71468E-07, A12=-5.48027E-09, A14= 6.24905E-11 
第5面
K=-2.21945E-01, A4=-3.12123E-04, A6= 4.68008E-06, A8=-3.33833E-06 
A10= 2.42304E-07, A12= 0.00000E+00, A14= 0.00000E+00 
第12面
K= 0.00000E+00, A4=-5.07858E-04, A6= 1.16247E-05, A8=-1.11086E-06 
A10= 1.55636E-07, A12=-9.60910E-10, A14= 0.00000E+00 
第13面
K= 0.00000E+00, A4=-4.92557E-04, A6=-2.33283E-06, A8= 7.70699E-07 
A10= 4.54566E-08, A12= 2.00412E-09, A14= 0.00000E+00【０４１３】
表  Ｉ−３６（各種データ）
ズーム比     4.65926
広角      中間      望遠
焦点距離       4.9826   11.0055   23.2154
Ｆナンバー     2.96523   4.88875   6.11703
画角        38.2008   18.4701    8.9029
像高         3.6000    3.6000    3.6000
レンズ全長     33.4459   31.3516   38.0142
ＢＦ        0.90869   0.86454   0.89389
d4          14.2459    5.5449    0.2000 
d11          2.6393   11.7655   23.1698 
d13          4.4030    1.9277    2.5015 
ズームレンズ群データ
群    始面      焦点距離
1       1     -12.88044
2       5      10.10697
3      12      20.54116【０４１４】
（数値実施例Ｉ−１３）
数値実施例Ｉ−１３のズームレンズ系は、図３７に示した実施の形態Ｉ−１３に対応する。数値実施例Ｉ−１３のズームレンズ系の面データを表Ｉ−３７に、非球面データを表Ｉ−３８に、各種データを表Ｉ−３９に示す。【０４１５】
表  Ｉ−３７（面データ）
面番号         r           d           nd         vd                
物面             ∞                                               
1*        65.26800     1.06000     1.85280    39.0               
2*         5.43100     1.50400                                   
3*         8.75800     1.75000     1.99537    20.7               
4         14.38100        可変                                   
5*         4.34800     2.50000     1.80359    40.8               
6        154.36000     0.00000                                   
7        154.36000     0.40000     1.80518    25.5               
8          3.78600     0.47700                                   
9         12.80100     1.14400     1.77250    49.6               
10        -16.77300     0.30000                                   
11(絞り)           ∞        可変                                   
12*       -21.93400     1.33400     1.60602    57.4               
13*        -8.75000        可変                                   
14               ∞     0.78000     1.51680    64.2               
15               ∞        (BF)                                       
像面             ∞                                               【０４１６】
表  Ｉ−３８（非球面データ）
第1面
K= 0.00000E+00, A4= 1.92866E-06, A6=-2.59806E-07, A8= 0.00000E+00 
A10= 0.00000E+00, A12= 0.00000E+00, A14= 0.00000E+00 
第2面
K=-1.12457E+00, A4= 9.65240E-04, A6= 7.72275E-06, A8=-3.45452E-06 
A10= 2.84301E-07, A12=-9.70703E-09, A14= 1.17484E-10 
第3面
K= 0.00000E+00, A4= 2.90216E-04, A6= 7.30560E-06, A8=-2.22065E-06 
A10= 1.70191E-07, A12=-5.52242E-09, A14= 6.43532E-11 
第5面
K=-2.32994E-01, A4=-3.37630E-04, A6= 2.79870E-06, A8=-3.71831E-06 
A10= 3.04308E-07, A12= 0.00000E+00, A14= 0.00000E+00 
第12面
K= 0.00000E+00, A4=-3.98270E-04, A6= 1.52053E-05, A8=-8.64592E-07 
A10= 2.48416E-07, A12=-4.83203E-09, A14= 0.00000E+00 
第13面
K= 0.00000E+00, A4= 1.48124E-04, A6=-1.28334E-05, A8= 2.23453E-06 
A10= 2.99201E-08, A12= 1.47871E-09, A14= 0.00000E+00【０４１７】
表  Ｉ−３９（各種データ）
ズーム比     5.64043
広角      中間      望遠
焦点距離       4.5204   11.0121   25.4968
Ｆナンバー     2.92132   5.03801   7.49395
画角        41.3621   18.1278    7.9812
像高         3.6000    3.6000    3.6000
レンズ全長     33.3391   30.6877   39.6399
ＢＦ        0.90466   0.88115   0.85890
d4          14.3758    4.8086    0.2000 
d11          2.2899   11.5361   25.6839 
d13          4.5197    2.2129    1.6481 
ズームレンズ群データ
群    始面      焦点距離
1       1     -11.17647
2       5       9.42887
3      12      23.13762【０４１８】
（数値実施例Ｉ−１４）
数値実施例Ｉ−１４のズームレンズ系は、図４０に示した実施の形態Ｉ−１４に対応する。数値実施例Ｉ−１４のズームレンズ系の面データを表Ｉ−４０に、非球面データを表Ｉ−４１に、各種データを表Ｉ−４２に示す。【０４１９】
表  Ｉ−４０（面データ）
面番号         r           d           nd         vd                
物面             ∞                                               
1        105.88040     1.06000     1.85280    39.0               
2*         6.23376     1.50400                                   
3*         8.46665     1.75000     1.99537    20.7               
4         14.38100        可変                                   
5*         6.15230     1.88160     1.68863    52.8               
6        -32.24219     0.10000                                   
7          8.16407     1.41330     1.83481    42.7               
8         -7.68828     0.01000     1.56732    42.8               
9         -7.68828     0.40000     1.71736    29.5               
10          3.50287     0.98500                                   
11(絞り)           ∞        可変                                   
12*       -35.85802     1.33400     1.68863    52.8               
13*       -10.16980        可変                                   
14               ∞     0.28000     1.51680    64.2               
15               ∞     0.50000                                   
16               ∞     0.50000     1.51680    64.2               
17               ∞        (BF)                                       
像面             ∞                                               【０４２０】
表  Ｉ−４１（非球面データ）
第2面
K=-1.45141E+00, A4= 7.96134E-04, A6= 4.37615E-06, A8=-3.49951E-06 
A10= 2.82588E-07, A12=-9.66903E-09, A14= 1.19040E-10 
第3面
K= 0.00000E+00, A4= 1.49295E-04, A6= 1.49208E-06, A8=-2.19105E-06 
A10= 1.69875E-07, A12=-5.56163E-09, A14= 6.49477E-11 
第5面
K= 0.00000E+00, A4=-8.65393E-04, A6=-1.02618E-05, A8=-2.85667E-07 
A10=-1.61372E-07, A12= 3.29730E-08, A14=-1.69534E-09 
第12面
K= 0.00000E+00, A4= 6.56179E-04, A6=-9.84731E-08, A8=-1.07336E-06 
A10= 1.54031E-07, A12=-4.49727E-09, A14= 0.00000E+00 
第13面
K= 0.00000E+00, A4= 8.30977E-04, A6=-9.79112E-06, A8= 1.21591E-06 
A10= 1.19379E-08, A12=-1.54444E-09, A14= 0.00000E+00【０４２１】
表  Ｉ−４２（各種データ）
ズーム比     4.63150
広角      中間      望遠
焦点距離       5.7864   11.4767   26.7998
Ｆナンバー     3.02921   4.55167   6.53395
画角        35.3303   18.1967    8.0769
像高         3.8000    3.8000    3.8000
レンズ全長     33.1983   29.8606   38.1607
ＢＦ        0.40164   0.34662   0.39982
d4          14.1463    5.2646    0.2000 
d11          2.6360    8.5161   23.1569 
d13          4.2965    4.0154    2.6861 
ズームレンズ群データ
群    始面      焦点距離
1       1     -14.29099
2       5      10.14036
3      12      20.18727【０４２２】
（数値実施例Ｉ−１５）
数値実施例Ｉ−１５のズームレンズ系は、図４３に示した実施の形態Ｉ−１５に対応する。数値実施例Ｉ−１５のズームレンズ系の面データを表Ｉ−４３に、非球面データを表Ｉ−４４に、各種データを表Ｉ−４５に示す。【０４２３】
表  Ｉ−４３（面データ）
面番号         r           d           nd         vd                
物面             ∞                                               
1         67.11508     1.06000     1.85280    39.0               
2*         5.93643     1.50400                                   
3*         8.67244     1.75000     1.99537    20.7               
4         14.38100        可変                                   
5*         6.04644     1.50070     1.68863    52.8               
6        -31.45638     0.10000                                   
7          8.02778     1.52600     1.83481    42.7               
8         -7.47219     0.01000     1.56732    42.8               
9         -7.47219     0.40000     1.71736    29.5               
10          3.50287     0.98500                                   
11(絞り)           ∞        可変                                   
12*      -107.31420     1.33400     1.68863    52.8               
13*       -12.02005        可変                                   
14               ∞     0.28000     1.51680    64.2               
15               ∞     0.50000                                   
16               ∞     0.50000     1.51680    64.2               
17               ∞        (BF)                                       
像面             ∞                                               【０４２４】
表  Ｉ−４４（非球面データ）
第2面
K=-1.40725E+00, A4= 8.24033E-04, A6= 7.65767E-06, A8=-3.31358E-06 
A10= 2.82628E-07, A12=-9.81656E-09, A14= 1.18891E-10 
第3面
K= 0.00000E+00, A4= 1.68357E-04, A6= 3.35244E-06, A8=-2.18545E-06 
A10= 1.71187E-07, A12=-5.50659E-09, A14= 6.20096E-11 
第5面
K= 0.00000E+00, A4=-9.09029E-04, A6=-1.11663E-05, A8=-3.76602E-07 
A10=-1.69774E-07, A12= 3.26901E-08, A14=-1.59319E-09 
第12面
K= 0.00000E+00, A4= 4.98372E-05, A6= 2.36765E-05, A8=-1.16504E-06 
A10= 1.33583E-07, A12=-4.07360E-09, A14= 0.00000E+00 
第13面
K= 0.00000E+00, A4= 5.23496E-04, A6=-1.18940E-05, A8= 1.57366E-06 
A10= 3.05910E-08, A12=-2.51680E-09, A14= 0.00000E+00【０４２５】
表  Ｉ−４５（各種データ）
ズーム比     4.97350
広角      中間      望遠
焦点距離       4.9440   10.9999   24.5887
Ｆナンバー     2.86849   4.47181   6.02934
画角        40.5984   18.7047    8.5997
像高         3.8000    3.8000    3.8000
レンズ全長     33.3276   28.0492   36.0296
ＢＦ        0.42910   0.35221   0.38698
d4          15.4234    4.4723    0.2000 
d11          2.6360    7.7519   21.3068 
d13          3.3894    4.0230    2.6861 
ズームレンズ群データ
群    始面      焦点距離
1       1     -13.26565
2       5       9.49125
3      12      19.54515【０４２６】
（数値実施例Ｉ−１６）
数値実施例Ｉ−１６のズームレンズ系は、図４６に示した実施の形態Ｉ−１６に対応する。数値実施例Ｉ−１６のズームレンズ系の面データを表Ｉ−４６に、非球面データを表Ｉ−４７に、各種データを表Ｉ−４８に示す。【０４２７】
表  Ｉ−４６（面データ）
面番号         r           d           nd         vd                
物面             ∞                                               
1         66.99756     1.06000     1.85280    39.0               
2*         5.92693     1.50400                                   
3*         8.66891     1.75000     1.99537    20.7               
4         14.38100        可変                                   
5*         6.04238     1.47300     1.68863    52.8               
6        -31.84957     0.10000                                   
7          7.97831     1.52260     1.83481    42.7               
8         -7.42943     0.01000     1.56732    42.8               
9         -7.42943     0.40000     1.71736    29.5               
10          3.50287     0.98500                                   
11(絞り)           ∞        可変                                   
12*      -124.53680     1.33400     1.68863    52.8               
13*       -11.63546        可変                                   
14               ∞     0.28000     1.51680    64.2               
15               ∞     0.50000                                   
16               ∞     0.50000     1.51680    64.2               
17               ∞        (BF)                                       
像面             ∞                                               【０４２８】
表  Ｉ−４７（非球面データ）
第2面
K=-1.40989E+00, A4= 8.22545E-04, A6= 7.45234E-06, A8=-3.31504E-06 
A10= 2.82561E-07, A12=-9.82067E-09, A14= 1.18701E-10 
第3面
K= 0.00000E+00, A4= 1.68883E-04, A6= 3.36000E-06, A8=-2.18923E-06 
A10= 1.71073E-07, A12=-5.50897E-09, A14= 6.19721E-11 
第5面
K= 0.00000E+00, A4=-9.17209E-04, A6=-1.14922E-05, A8=-3.86295E-07 
A10=-1.69119E-07, A12= 3.29873E-08, A14=-1.52387E-09 
第12面
K= 0.00000E+00, A4= 3.44434E-05, A6= 2.52919E-05, A8=-1.15251E-06 
A10= 1.31557E-07, A12=-3.96388E-09, A14= 0.00000E+00 
第13面
K= 0.00000E+00, A4= 5.44445E-04, A6=-1.16407E-05, A8= 1.60284E-06 
A10= 3.33080E-08, A12=-2.54996E-09, A14= 0.00000E+00【０４２９】
表  Ｉ−４８（各種データ）
ズーム比     4.94889
広角      中間      望遠
焦点距離       4.8230    9.8989   23.8686
Ｆナンバー     2.92673   4.29935   6.02423
画角        41.2896   20.6747    8.8279
像高         3.8000    3.8000    3.8000
レンズ全長     33.3145   27.6252   35.5444
ＢＦ        0.42965   0.35867   0.38805
d4          15.5588    5.1363    0.2000 
d11          2.6360    6.7258   20.8516 
d13          3.2715    3.9858    2.6861 
ズームレンズ群データ
群    始面      焦点距離
1       1     -13.24063
2       5       9.45447
3      12      18.54849【０４３０】
（数値実施例Ｉ−１７）
数値実施例Ｉ−１７のズームレンズ系は、図４９に示した実施の形態Ｉ−１７に対応する。数値実施例Ｉ−１７のズームレンズ系の面データを表Ｉ−４９に、非球面データを表Ｉ−５０に、各種データを表Ｉ−５１に示す。【０４３１】
表  Ｉ−４９（面データ）
面番号         r           d           nd         vd                
物面             ∞                                               
1         42.52694     1.06000     1.85280    39.0               
2*         5.68093     1.50400                                   
3*         8.67288     1.75000     1.99537    20.7               
4         14.38100        可変                                   
5*         4.36525     2.50000     1.80359    40.8               
6        -71.54269     0.40000     1.80518    25.5               
7          3.82048     0.47690                                   
8         17.07332     1.14410     1.77250    49.6               
9        -16.77307     0.30000                                   
10(絞り)           ∞        可変                                   
11*       -80.54801     1.33400     1.68863    52.8               
12*       -11.93863        可変                                   
13               ∞     0.28000     1.51680    64.2               
14               ∞     0.50000                                   
15               ∞     0.50000     1.51680    64.2               
16               ∞        (BF)                                       
像面             ∞                                               【０４３２】
表  Ｉ−５０（非球面データ）
第2面
K=-1.34333E+00, A4= 8.43676E-04, A6= 3.59200E-06, A8=-3.29172E-06 
A10= 2.85355E-07, A12=-9.76033E-09, A14= 1.18324E-10 
第3面
K= 0.00000E+00, A4= 1.80977E-04, A6= 4.80208E-06, A8=-2.19007E-06 
A10= 1.70661E-07, A12=-5.49780E-09, A14= 6.36027E-11 
第5面
K=-2.27637E-01, A4=-3.76705E-04, A6= 2.78981E-05, A8=-8.69457E-06 
A10= 6.43727E-07, A12= 0.00000E+00, A14= 0.00000E+00 
第11面
K= 0.00000E+00, A4=-1.52329E-04, A6=-2.60128E-06, A8=-7.83396E-07 
A10= 1.95923E-07, A12=-3.84055E-09, A14= 0.00000E+00 
第12面
K= 0.00000E+00, A4= 3.23671E-05, A6=-1.87291E-05, A8= 1.47652E-06 
A10= 3.09913E-08, A12= 7.47159E-10, A14= 0.00000E+00【０４３３】
表  Ｉ−５１（各種データ）
ズーム比     4.53687
広角      中間      望遠
焦点距離       5.2926   11.4781   24.0120
Ｆナンバー     3.04251   4.88869   6.20669
画角        36.5361   18.3530    9.0055
像高         3.8000    3.8000    3.8000
レンズ全長     33.5962   31.4434   38.5006
ＢＦ        0.42600   0.35251   0.38880
d4          14.0464    5.0701    0.2000 
d10          2.6360   11.1355   23.4767 
d12          4.7387    3.1363    2.6861 
ズームレンズ群データ
群    始面      焦点距離
1       1     -13.49971
2       5      10.36991
3      11      20.19342【０４３４】
（数値実施例Ｉ−１８）
数値実施例Ｉ−１８のズームレンズ系は、図５２に示した実施の形態Ｉ−１８に対応する。数値実施例Ｉ−１８のズームレンズ系の面データを表Ｉ−５２に、非球面データを表Ｉ−５３に、各種データを表Ｉ−５４に示す。【０４３５】
表  Ｉ−５２（面データ）
面番号         r           d           nd         vd                
物面             ∞                                               
1         42.70102     1.06000     1.85280    39.0               
2*         5.57066     1.50400                                   
3*         8.68434     1.75000     1.99537    20.7               
4         14.38100        可変                                   
5*         4.39069     2.50000     1.80359    40.8               
6        -70.26053     0.40000     1.80518    25.5               
7          3.79211     0.47690                                   
8         14.95528     1.14410     1.77250    49.6               
9        -16.77307     0.30000                                   
10(絞り)           ∞        可変                                   
11*        75.54035     1.33400     1.68863    52.8               
12*       -16.87201        可変                                   
13               ∞     0.28000     1.51680    64.2               
14               ∞     0.50000                                   
15               ∞     0.50000     1.51680    64.2               
16               ∞        (BF)                                       
像面             ∞                                               【０４３６】
表  Ｉ−５３（非球面データ）
第2面
K=-1.10895E+00, A4= 9.80110E-04, A6= 5.37935E-06, A8=-3.31816E-06 
A10= 2.82550E-07, A12=-9.79287E-09, A14= 1.19194E-10 
第3面
K= 0.00000E+00, A4= 3.16620E-04, A6= 4.52889E-06, A8=-2.24766E-06 
A10= 1.71664E-07, A12=-5.47562E-09, A14= 6.19684E-11 
第5面
K=-2.23619E-01, A4=-3.15552E-04, A6= 4.51483E-06, A8=-3.56603E-06 
A10= 2.70787E-07, A12= 0.00000E+00, A14= 0.00000E+00 
第11面
K= 0.00000E+00, A4=-5.09159E-04, A6= 3.02877E-06, A8=-1.27336E-06 
A10= 1.46792E-07, A12=-1.63257E-09, A14= 0.00000E+00 
第12面
K= 0.00000E+00, A4=-5.90562E-04, A6=-3.70497E-06, A8= 3.88633E-07 
A10= 2.62396E-08, A12= 1.43856E-09, A14= 0.00000E+00【０４３７】
表  Ｉ−５４（各種データ）
ズーム比     4.64119
広角      中間      望遠
焦点距離       4.9861   11.0001   23.1414
Ｆナンバー     2.95520   4.87262   6.08135
画角        39.9116   19.5373    9.4812
像高         3.8000    3.8000    3.8000
レンズ全長     33.4464   31.4551   38.2247
ＢＦ        0.41065   0.34276   0.37653
d4          14.2276    5.5541    0.2000 
d10          2.6360   11.7632   23.2131 
d12          4.4231    2.0461    2.6861 
ズームレンズ群データ
群    始面      焦点距離
1       1     -12.94754
2       5      10.15020
3      11      20.14624【０４３８】
（数値実施例Ｉ−１９）
数値実施例Ｉ−１９のズームレンズ系は、図５５に示した実施の形態Ｉ−１９に対応する。数値実施例Ｉ−１９のズームレンズ系の面データを表Ｉ−５５に、非球面データを表Ｉ−５６に、各種データを表Ｉ−５７に示す。【０４３９】
表  Ｉ−５５（面データ）
面番号         r           d           nd         vd                
物面             ∞                                               
1         35.42244     1.06000     1.85280    39.0               
2*         5.32451     1.50400                                   
3*         8.65227     1.75000     1.99537    20.7               
4         14.38100        可変                                   
5*         4.27762     2.50000     1.80359    40.8               
6       -494.42940     0.40000     1.80518    25.5               
7          3.70655     0.47690                                   
8         17.62745     1.14410     1.77250    49.6               
9        -16.77307     0.30000                                   
10(絞り)           ∞        可変                                   
11*        46.41221     1.33400     1.68863    52.8               
12*       -19.53072        可変                                   
13               ∞     0.28000     1.51680    64.2               
14               ∞     0.50000                                   
15               ∞     0.50000     1.51680    64.2               
16               ∞        (BF)                                       
像面             ∞                                               【０４４０】
表  Ｉ−５６（非球面データ）
第2面
K=-1.02588E+00, A4= 1.00837E-03, A6=-1.35772E-05, A8=-2.98948E-06 
A10= 2.92183E-07, A12=-9.57272E-09, A14= 1.06236E-10 
第3面
K= 0.00000E+00, A4= 3.49391E-04, A6=-3.31939E-06, A8=-2.26288E-06 
A10= 1.85846E-07, A12=-5.62099E-09, A14= 5.85455E-11 
第5面
K=-2.28466E-01, A4=-3.11847E-04, A6=-9.62733E-06, A8=-9.01185E-08 
A10= 1.56445E-08, A12= 0.00000E+00, A14= 0.00000E+00 
第11面
K= 0.00000E+00, A4=-8.40972E-04, A6= 8.55587E-05, A8=-5.50326E-06 
A10= 9.49363E-08, A12= 1.92040E-09, A14= 0.00000E+00 
第12面
K= 0.00000E+00, A4=-8.48616E-04, A6= 5.97906E-05, A8=-1.72782E-06 
A10=-1.09232E-07, A12= 5.79395E-09, A14= 0.00000E+00【０４４１】
表  Ｉ−５７（各種データ）
ズーム比     5.67343
広角      中間      望遠
焦点距離       5.2010   12.0508   29.5073
Ｆナンバー     3.08108   5.36923   7.77372
画角        37.3653   17.8273    7.4457
像高         3.8000    3.8000    3.8000
レンズ全長     33.5190   33.3381   46.5304
ＢＦ        0.41574   0.34122   0.36643
d4          13.9022    5.5477    0.2000 
d10          2.6360   13.4442   31.5289 
d12          4.8160    2.2560    2.6861 
ズームレンズ群データ
群    始面      焦点距離
1       1     -12.61134
2       5      10.47662
3      11      20.12769【０４４２】
（数値実施例Ｉ−２０）
数値実施例Ｉ−２０のズームレンズ系は、図５８に示した実施の形態Ｉ−２０に対応する。数値実施例Ｉ−２０のズームレンズ系の面データを表Ｉ−５８に、非球面データを表Ｉ−５９に、各種データを表Ｉ−６０に示す。【０４４３】
表  Ｉ−５８（面データ）
面番号         r           d           nd         vd                
物面             ∞                                               
1*       121.77400     1.35000     1.88300    40.8               
2*         4.59300     1.66900                                   
3          7.05800     1.60000     1.92287    18.9               
4         11.92800        可変                                   
5*         4.18500     2.00000     1.77250    49.6               
6         10.87900     0.50000     1.64769    33.8               
7          3.66100     0.48000                                   
8          8.24900     0.50000     1.76183    26.5               
9          3.97900     2.00000     1.60311    60.6               
10        -10.51800     0.30000                                   
11(絞り)           ∞        可変                                   
12         45.65100     1.60000     1.60311    60.6               
13        -23.91400        可変                                   
14               ∞     1.40000     1.51633    64.1               
15               ∞        (BF)                                       
像面             ∞                                               【０４４４】
表  Ｉ−５９（非球面データ）
第1面
K= 0.00000E+00, A4= 3.18638E-04, A6=-4.73036E-06, A8= 3.76995E-08 
A10= 0.00000E+00 
第2面
K=-1.47866E+00, A4= 1.64875E-03, A6= 1.02150E-05, A8=-4.99629E-07 
A10= 2.42134E-08 
第5面
K=-4.49065E-01, A4=-9.97316E-05, A6= 1.40893E-06, A8= 0.00000E+00 
A10= 0.00000E+00【０４４５】
表  Ｉ−６０（各種データ）
ズーム比     4.80185
広角      中間      望遠
焦点距離       3.8997   10.4303   18.7259
Ｆナンバー     2.80200   5.33669   6.11778
画角        46.5205   19.4974   10.9872
像高         3.6000    3.6000    3.6000
レンズ全長     30.7959   30.3826   37.2037
ＢＦ        1.02501   1.00139   1.01023
d4          11.4400    2.9456    0.1500 
d11          1.2672   11.9186   21.1596 
d13          3.6647    1.1180    1.4849 
ズームレンズ群データ
群    始面      焦点距離
1       1      -8.66678
2       5       8.54395
3      12      26.24759【０４４６】
（数値実施例Ｉ−２１）
数値実施例Ｉ−２１のズームレンズ系は、図６１に示した実施の形態Ｉ−２１に対応する。数値実施例Ｉ−２１のズームレンズ系の面データを表Ｉ−６１に、非球面データを表Ｉ−６２に、各種データを表Ｉ−６３に示す。【０４４７】
表  Ｉ−６１（面データ）
面番号         r           d           nd         vd                
物面             ∞                                               
1*        48.47300     1.35000     1.88300    40.8               
2*         4.63300     1.85200                                   
3          6.92300     1.60000     1.92287    18.9               
4         10.69800        可変                                   
5*         4.22900     2.00000     1.77250    49.6               
6          9.57900     0.50000     1.64769    33.8               
7          3.67100     0.48000                                   
8          8.29500     0.50000     1.76183    26.5               
9          4.00400     2.00000     1.60311    60.6               
10        -11.40200     0.30000                                   
11(絞り)           ∞        可変                                   
12         37.29000     1.60000     1.60311    60.6               
13        -27.36500        可変                                   
14               ∞     1.40000     1.51633    64.1               
15               ∞        (BF)                                       
像面             ∞                                               【０４４８】
表  Ｉ−６２（非球面データ）
第1面
K= 0.00000E+00, A4= 3.31285E-04, A6=-5.35621E-06, A8= 3.55229E-08 
A10= 0.00000E+00 
第2面
K=-1.43656E+00, A4= 1.64031E-03, A6= 1.16442E-05, A8= 3.54201E-08 
A10=-9.67420E-10 
第5面
K=-4.28742E-01, A4=-6.17926E-05, A6= 4.71413E-07, A8= 0.00000E+00 
A10= 0.00000E+00【０４４９】
表  Ｉ−６３（各種データ）
ズーム比     4.80032
広角      中間      望遠
焦点距離       4.2673   10.4197   20.4845
Ｆナンバー     2.91435   4.96430   6.19959
画角        43.2524   19.5496   10.0291
像高         3.6000    3.6000    3.6000
レンズ全長     31.5321   30.1266   39.5238
ＢＦ        1.02447   1.01735   1.00496
d4          11.4400    2.3581    0.1500 
d11          1.5124    7.8769   23.1427 
d13          3.9732    5.2922    1.6441 
ズームレンズ群データ
群    始面      焦点距離
1       1      -9.22516
2       5       8.95909
3      12      26.41505【０４５０】
（数値実施例Ｉ−２２）
数値実施例Ｉ−２２のズームレンズ系は、図６４に示した実施の形態Ｉ−２２に対応する。数値実施例Ｉ−２２のズームレンズ系の面データを表Ｉ−６４に、非球面データを表Ｉ−６５に、各種データを表Ｉ−６６に示す。【０４５１】
表  Ｉ−６４（面データ）
面番号         r           d           nd         vd                
物面             ∞                                               
1*        34.18200     1.35000     1.88300    40.8               
2*         4.69900     1.88700                                   
3          7.07000     1.60000     1.92287    18.9               
4         10.87800        可変                                   
5*         4.25100     2.00000     1.77250    49.6               
6          8.92800     0.50000     1.64769    33.8               
7          3.69800     0.48000                                   
8          8.66500     0.50000     1.76183    26.5               
9          4.04000     2.00000     1.60311    60.6               
10        -12.32600     0.30000                                   
11(絞り)           ∞        可変                                   
12         26.45400     1.60000     1.60311    60.6               
13        -48.99600        可変                                   
14               ∞     1.40000     1.51633    64.1               
15               ∞        (BF)                                       
像面             ∞                                               【０４５２】
表  Ｉ−６５（非球面データ）
第1面
K= 0.00000E+00, A4= 3.62205E-04, A6=-5.63958E-06, A8= 3.53569E-08 
A10= 0.00000E+00 
第2面
K=-1.52605E+00, A4= 1.70369E-03, A6= 2.17529E-05, A8=-5.40577E-07 
A10= 8.14121E-09 
第5面
K=-4.35512E-01, A4=-8.44450E-07, A6= 3.99899E-06, A8= 0.00000E+00 
A10= 0.00000E+00【０４５３】
表  Ｉ−６６（各種データ）
ズーム比     4.76804
広角      中間      望遠
焦点距離       4.7145   10.4216   22.4791
Ｆナンバー     2.82795   4.62162   6.42143
画角        39.1095   19.4169    9.1025
像高         3.6000    3.6000    3.6000
レンズ全長     31.8271   31.1332   41.1670
ＢＦ        1.03932   1.00578   0.97275
d4          11.4400    3.4367    0.1500 
d11          0.8955    8.6718   24.7468 
d13          4.8353    4.4019    1.6804 
ズームレンズ群データ
群    始面      焦点距離
1       1     -10.05331
2       5       9.42654
3      12      28.71276【０４５４】
（数値実施例Ｉ−２３）
数値実施例Ｉ−２３のズームレンズ系は、図６７に示した実施の形態Ｉ−２３に対応する。数値実施例Ｉ−２３のズームレンズ系の面データを表Ｉ−６７に、非球面データを表Ｉ−６８に、各種データを表Ｉ−６９に示す。【０４５５】
表  Ｉ−６７（面データ）
面番号         r           d           nd         vd                
物面             ∞                                               
1*       132.95400     1.35000     1.88300    40.8               
2*         4.68700     1.46800                                   
3          6.81900     1.60000     1.92287    18.9               
4         11.04200        可変                                   
5*         4.17000     2.00000     1.77632    52.6               
6         10.88700     0.50000     1.64619    31.8               
7          3.66300     0.48000                                   
8          8.27600     0.50000     1.76287    27.7               
9          4.01800     2.00000     1.60281    56.0               
10        -11.07600     0.30000                                   
11(絞り)           ∞        可変                                   
12        -90.89600     1.60000     1.60311    60.6               
13        -17.48600        可変                                   
14               ∞     1.40000     1.51633    64.1               
15               ∞        (BF)                                       
像面             ∞                                               【０４５６】
表  Ｉ−６８（非球面データ）
第1面
K= 0.00000E+00, A4= 2.44936E-04, A6=-4.54400E-06, A8= 5.72566E-08 
A10= 0.00000E+00 
第2面
K=-1.48880E+00, A4= 1.58237E-03, A6= 2.31084E-06, A8=-5.39884E-07 
A10= 4.21354E-08 
第5面
K=-4.35869E-01, A4=-7.86886E-05, A6=-3.25838E-06, A8= 0.00000E+00 
A10= 0.00000E+00【０４５７】
表  Ｉ−６９（各種データ）
ズーム比     5.57548
広角      中間      望遠
焦点距離       4.3036   10.4658   23.9944
Ｆナンバー     2.92255   5.16214   7.21745
画角        43.8656   19.5147    8.6343
像高         3.6000    3.6000    3.6000
レンズ全長     31.2161   30.7032   41.9501
ＢＦ        1.05074   1.06124   1.01753
d4          11.4400    3.5088    0.1500 
d11          0.9832   10.2556   26.1962 
d13          4.5442    2.6796    1.3884 
ズームレンズ群データ
群    始面      焦点距離
1       1      -8.59764
2       5       8.56522
3      12      35.60713【０４５８】
（数値実施例Ｉ−２４）
数値実施例Ｉ−２４のズームレンズ系は、図７０に示した実施の形態Ｉ−２４に対応する。数値実施例Ｉ−２４のズームレンズ系の面データを表Ｉ−７０に、非球面データを表Ｉ−７１に、各種データを表Ｉ−７２に示す。【０４５９】
表  Ｉ−７０（面データ）
面番号         r           d           nd         vd                
物面             ∞                                               
1*        38.98800     1.35000     1.88300    40.8               
2*         4.84400     1.42500                                   
3          6.47600     1.60000     1.92287    18.9               
4          9.52600        可変                                   
5*         4.20800     2.00000     1.78129    58.0               
6          9.08000     0.50000     1.64147    23.9               
7          3.67300     0.48000                                   
8          8.42900     0.50000     1.75881    27.4               
9          4.04600     2.00000     1.60469    40.7               
10        -12.41000     0.30000                                   
11(絞り)           ∞        可変                                   
12        110.98100     1.60000     1.60311    60.6               
13        -22.55600        可変                                   
14               ∞     1.40000     1.51633    64.1               
15               ∞        (BF)                                       
像面             ∞                                               【０４６０】
表  Ｉ−７１（非球面データ）
第1面
K= 0.00000E+00, A4= 3.22213E-04, A6=-5.80780E-06, A8= 5.15896E-08 
A10= 0.00000E+00 
第2面
K=-1.51520E+00, A4= 1.64681E-03, A6= 1.57014E-05, A8=-4.00394E-07 
A10= 1.75249E-08 
第5面
K=-4.40198E-01, A4= 1.03406E-06, A6=-1.84751E-06, A8= 0.00000E+00 
A10= 0.00000E+00【０４６１】
表  Ｉ−７２（各種データ）
ズーム比     5.10625
広角      中間      望遠
焦点距離       4.8387   10.4090   24.7076
Ｆナンバー     2.88073   4.54052   6.64735
画角        38.8209   19.4873    8.3429
像高         3.6000    3.6000    3.6000
レンズ全長     31.2899   29.5852   41.1813
ＢＦ        1.06325   1.06953   0.97479
d4          11.4400    3.4674    0.1500 
d11          0.9838    6.4142   25.1290 
d13          4.6478    5.4791    1.7725 
ズームレンズ群データ
群    始面      焦点距離
1       1      -9.96310
2       5       8.98371
3      12      31.22300【０４６２】
以下の表Ｉ−７３に、各数値実施例のズームレンズ系における各条件の対応値を示す。ただし表Ｉ−７３中、ＹＷは、
ＹＷ：広角端での全系の焦点距離ｆＷにおける、第２レンズ群の、最大ぶれ補正時の光軸に対して垂直方向への移動量
を示し、ズームレンズ系が広角端の状態のとき、すなわち条件式（３）においてＹ＝ＹＷ（ｆ＝ｆＷ）のときの対応値（ＹＷ／ＹＴ）／（ｆＷ／ｆＴ）を求めた。【０４６３】
表  Ｉ−７３（条件の対応値）
【表３】
2009096157.tif 000006
【表４】
2009096157.tif 000007
【表５】
2009096157.tif 000008
【表６】
2009096157.tif 000009
【表７】
2009096157.tif 000010
【表８】
2009096157.tif 000011
【０４６４】
（数値実施例II−１）
数値実施例II−１のズームレンズ系は、図７３に示した実施の形態II−１に対応する。数値実施例II−１のズームレンズ系の面データを表II−１に、非球面データを表II−２に、各種データを表II−３に示す。【０４６５】
表  II−１（面データ）
面番号         r           d           nd         vd                
物面             ∞                                               
1*       188.92300     1.06000     1.85976    40.6               
2*         5.44500     1.73200                                   
3*         9.22600     1.98000     1.99537    20.7               
4         17.36000        可変                                   
5*         4.94900     1.55900     1.80434    40.8               
6        117.92500     0.15300                                   
7         13.15200     1.05000     1.72916    54.7               
8        -21.47500     0.01000     1.56732    42.8               
9        -21.47500     0.40000     1.76182    26.6               
10          3.74800     0.58300                                   
11         22.33900     1.01500     1.69680    55.5               
12        -19.41000     0.40000                                   
13(絞り)           ∞        可変                                   
14*      -116.08400     1.40700     1.68863    52.8               
15*       -12.09600        可変                                   
16               ∞     0.28000     1.51680    64.2               
17               ∞     0.50000                                   
18               ∞     0.50000     1.51680    64.2               
19               ∞        (BF)                                       
像面             ∞                                               【０４６６】
表  II−２（非球面データ）
第1面
K= 0.00000E+00, A4=-1.00660E-06, A6= 1.42786E-06, A8=-2.21841E-08 
A10= 4.62309E-11, A12= 0.00000E+00, A14= 0.00000E+00 
第2面
K=-1.50376E+00, A4= 9.16971E-04, A6= 9.94477E-06, A8=-3.69570E-06 
A10= 2.88772E-07, A12=-9.37503E-09, A14= 1.08167E-10 
第3面
K= 0.00000E+00, A4= 1.33735E-04, A6= 8.26828E-06, A8=-2.36263E-06 
A10= 1.72041E-07, A12=-5.39358E-09, A14= 6.14991E-11 
第5面
K= 0.00000E+00, A4=-7.21745E-04, A6=-2.78703E-06, A8=-1.01123E-05 
A10= 2.41573E-06, A12=-3.18270E-07, A14= 1.76444E-08 
第14面
K= 0.00000E+00, A4= 3.84582E-04, A6=-4.88167E-05, A8= 2.35198E-06 
A10= 4.74331E-08, A12=-3.53285E-09, A14= 0.00000E+00 
第15面
K= 0.00000E+00, A4= 5.69667E-04, A6=-3.94000E-05, A8= 1.79407E-06 
A10= 3.36301E-08, A12=-2.29056E-09, A14= 0.00000E+00【０４６７】
表  II−３（各種データ）
ズーム比     5.02077
広角      中間      望遠
焦点距離       4.2071   10.2045   21.1228
Ｆナンバー     2.90782   5.02380   6.11771
画角        46.1595   20.5403   10.1174
像高         3.8000    3.8000    3.8000
レンズ全長     33.0753   29.8672   37.3253
ＢＦ        0.42136   0.37974   0.40715
d4          14.3760    4.3000    0.2000 
d13          1.7728    9.7004   21.4167 
d15          3.8761    2.8581    2.6724 
ズームレンズ群データ
群    始面      焦点距離
1       1     -11.10099
2       5       9.35617
3      14      19.50093【０４６８】
（数値実施例II−２）
数値実施例II−２のズームレンズ系は、図７６に示した実施の形態II−２に対応する。数値実施例II−２のズームレンズ系の面データを表II−４に、非球面データを表II−５に、各種データを表II−６に示す。【０４６９】
表  II−４（面データ）
面番号         r           d           nd         vd                
物面             ∞                                               
1         91.71600     1.06000     1.85976    40.6               
2*         5.02500     1.73200                                   
3*         8.10500     1.98000     1.99537    20.7               
4         15.41300        可変                                   
5          4.67900     1.55000     1.80434    40.8               
6         20.06000     0.15000                                   
7         17.38100     1.05000     1.72916    54.7               
8         -7.78900     0.01000     1.56732    42.8               
9         -7.78900     0.40000     1.76182    26.6               
10          5.54400     0.58300                                   
11*         9.60700     1.03000     1.69680    55.5               
12*        24.77100     0.40000                                   
13(絞り)           ∞        可変                                   
14*       143.86300     1.40700     1.68863    52.8               
15*       -14.99700        可変                                   
16               ∞     0.28000     1.51680    64.2               
17               ∞     0.50000                                   
18               ∞     0.50000     1.51680    64.2               
19               ∞        (BF)                                       
像面             ∞                                               【０４７０】
表  II−５（非球面データ）
第2面
K=-1.72393E+00, A4= 8.21522E-04, A6= 2.55266E-05, A8=-3.88679E-06 
A10= 2.77924E-07, A12=-9.47533E-09, A14= 1.16437E-10 
第3面
K= 0.00000E+00, A4=-2.24219E-04, A6= 2.10672E-05, A8=-2.55993E-06 
A10= 1.68943E-07, A12=-5.44312E-09, A14= 6.31627E-11 
第11面
K= 0.00000E+00, A4=-1.79281E-03, A6=-2.82240E-04, A8= 1.33862E-05 
A10= 7.24137E-06, A12= 0.00000E+00, A14= 0.00000E+00 
第12面
K= 0.00000E+00, A4= 8.20695E-04, A6=-3.73734E-05, A8=-4.11489E-07 
A10= 1.63224E-05, A12= 0.00000E+00, A14= 0.00000E+00 
第14面
K= 0.00000E+00, A4=-1.43793E-03, A6= 6.22989E-05, A8=-3.57284E-06 
A10= 4.27742E-08, A12= 1.29183E-09, A14= 0.00000E+00 
第15面
K= 0.00000E+00, A4=-1.03151E-03, A6=-6.84282E-06, A8= 2.21877E-06 
A10=-1.02480E-07, A12= 1.11563E-09, A14= 0.00000E+00【０４７１】
表  II−６（各種データ）
ズーム比     4.78728
広角      中間      望遠
焦点距離       4.5625   10.3339   21.8419
Ｆナンバー     2.91681   4.41216   6.27025
画角        43.7744   20.6796    9.7181
像高         3.8000    3.8000    3.8000
レンズ全長     32.9851   26.5722   37.4677
ＢＦ        0.42089   0.40791   0.39091
d4          13.9363    2.2741    0.2000 
d13          2.4243    4.3279   21.6993 
d15          3.5716    6.9303    2.5455 
ズームレンズ群データ
群    始面      焦点距離
1       1     -11.49994
2       5       9.44980
3      14      19.79358【０４７２】
（数値実施例II−３）
数値実施例II−３のズームレンズ系は、図７９に示した実施の形態II−３に対応する。数値実施例II−３のズームレンズ系の面データを表II−７に、非球面データを表II−８に、各種データを表II−９に示す。【０４７３】
表  II−７（面データ）
面番号         r           d           nd         vd                
物面             ∞                                               
1*       140.23000     1.06000     1.89816    34.5               
2*         5.45300     1.73200                                   
3*         9.42700     1.98000     2.13854    17.8               
4         17.36000        可変                                   
5*         4.99100     1.55000     1.80434    40.8               
6        117.92500     0.15000                                   
7         12.94200     1.05000     1.72916    54.7               
8        -13.72800     0.01000     1.56732    42.8               
9        -13.72800     0.40000     1.76182    26.6               
10          3.74800     0.58300                                   
11         20.43300     1.03000     1.69680    55.5               
12        -21.48900     0.40000                                   
13(絞り)           ∞        可変                                   
14*      -116.08400     1.40700     1.68863    52.8               
15*       -12.26900        可変                                   
16               ∞     0.28000     1.51680    64.2               
17               ∞     0.50000                                   
18               ∞     0.50000     1.51680    64.2               
19               ∞        (BF)                                       
像面             ∞                                               【０４７４】
表  II−８（非球面データ）
第1面
K= 0.00000E+00, A4=-5.16032E-06, A6= 1.36006E-06, A8=-2.35032E-08 
A10= 9.64467E-12, A12= 0.00000E+00, A14= 0.00000E+00 
第2面
K=-1.54603E+00, A4= 8.66310E-04, A6= 1.05013E-05, A8=-3.56556E-06 
A10= 2.87567E-07, A12=-9.59572E-09, A14= 1.13274E-10 
第3面
K= 0.00000E+00, A4= 5.82564E-05, A6= 1.23467E-05, A8=-2.44842E-06 
A10= 1.70937E-07, A12=-5.28376E-09, A14= 6.04276E-11 
第5面
K= 0.00000E+00, A4=-6.59982E-04, A6=-1.07316E-05, A8=-7.67478E-06 
A10= 2.20031E-06, A12=-3.14693E-07, A14= 1.71160E-08 
第14面
K= 0.00000E+00, A4= 3.98783E-04, A6=-4.87903E-05, A8= 2.32347E-06 
A10= 4.49831E-08, A12=-3.64603E-09, A14= 0.00000E+00 
第15面
K= 0.00000E+00, A4= 6.66651E-04, A6=-6.35825E-05, A8= 3.80613E-06 
A10=-2.17291E-08, A12=-2.43698E-09, A14= 0.00000E+00【０４７５】
表  II−９（各種データ）
ズーム比     4.75067
広角      中間      望遠
焦点距離       4.5762   10.2956   21.7403
Ｆナンバー     2.90973   4.76492   6.12812
画角        43.6578   20.3579    9.8270
像高         3.8000    3.8000    3.8000
レンズ全長     32.9778   29.9914   37.7234
ＢＦ        0.40883   0.36012   0.36629
d4          13.7226    4.3000    0.2000 
d13          2.4223    9.4455   21.9297 
d15          3.7921    3.2538    2.5954 
ズームレンズ群データ
群    始面      焦点距離
1       1     -11.37494
2       5       9.50394
3      14      19.81261【０４７６】
（数値実施例II−４）
数値実施例II−４のズームレンズ系は、図８２示した実施の形態II−４に対応する。数値実施例II−４のズームレンズ系の面データを表II−１０、非球面データを表II−１１に、各種データを表II−１２に示す。【０４７７】
表  II−１０（面データ）
面番号         r           d           nd         vd                
物面             ∞                                               
1*       277.61100     1.06000     1.80470    41.0               
2*         5.18600     1.73200                                   
3*         9.15000     1.98000     1.99537    20.7               
4         17.36000        可変                                   
5*         5.00400     1.55000     1.80434    40.8               
6        117.92500     0.15000                                   
7         12.83700     1.05000     1.72916    54.7               
8        -16.64100     0.01000     1.56732    42.8               
9        -16.64100     0.40000     1.76182    26.6               
10          3.74800     0.58300                                   
11         19.27500     1.03000     1.69680    55.5               
12        -23.38700     0.40000                                   
13(絞り)           ∞        可変                                   
14*      -116.08400     1.40700     1.68863    52.8               
15*       -12.26800        可変                                   
16               ∞     0.28000     1.51680    64.2               
17               ∞     0.50000                                   
18               ∞     0.50000     1.51680    64.2               
19               ∞        (BF)                                       
像面             ∞                                               【０４７８】
表  II−１１（非球面データ）
第1面
K= 0.00000E+00, A4=-5.16032E-06, A6= 1.36006E-06, A8=-2.35032E-08 
A10= 9.64467E-12, A12= 0.00000E+00, A14= 0.00000E+00 
第2面
K=-1.36045E+00, A4= 9.62829E-04, A6= 9.75296E-06, A8=-3.60697E-06 
A10= 2.88964E-07, A12=-9.50399E-09, A14= 1.08374E-10 
第3面
K= 0.00000E+00, A4= 1.46718E-04, A6= 9.99932E-06, A8=-2.39751E-06 
A10= 1.71641E-07, A12=-5.32077E-09, A14= 5.98708E-11 
第5面
K= 0.00000E+00, A4=-6.52447E-04, A6=-7.02093E-06, A8=-1.00791E-05 
A10= 2.75597E-06, A12=-3.51282E-07, A14= 1.65967E-08 
第14面
K= 0.00000E+00, A4= 3.98783E-04, A6=-4.87903E-05, A8= 2.32347E-06 
A10= 4.49831E-08, A12=-3.64603E-09, A14= 0.00000E+00 
第15面
K= 0.00000E+00, A4= 6.34167E-04, A6=-6.11751E-05, A8= 3.80911E-06 
A10=-3.34184E-08, A12=-2.00676E-09, A14= 0.00000E+00【０４７９】
表  II−１２（各種データ）
ズーム比     4.74438
広角      中間      望遠
焦点距離       4.5794   10.3078   21.7266
Ｆナンバー     2.91050   4.77133   6.13310
画角        43.5230   20.3763    9.8525
像高         3.8000    3.8000    3.8000
レンズ全長     32.9845   30.0066   37.7343
ＢＦ        0.41553   0.37528   0.37716
d4          13.7226    4.3000    0.2000 
d13          2.4384    9.4758   21.9238 
d15          3.7760    3.2235    2.6013 
ズームレンズ群データ
群    始面      焦点距離
1       1     -11.37119
2       5       9.50694
3      14      19.81081【０４８０】
（数値実施例II−５）
数値実施例II−５のズームレンズ系は、図８５に示した実施の形態II−５に対応する。数値実施例II−５のズームレンズ系の面データを表II−１３に、非球面データを表II−１４に、各種データを表II−１５に示す。【０４８１】
表  II−１３（面データ）
面番号         r           d           nd         vd                
物面             ∞                                               
1*       177.47800     1.03900     1.85976    40.6               
2*         6.63600     2.05700                                   
3*        11.13100     2.32400     1.99537    20.7               
4         21.12900        可変                                   
5*         6.03400     1.85100     1.80434    40.8               
6        143.52700     0.20100                                   
7         15.89500     1.28000     1.72916    54.7               
8        -20.09100     0.01200     1.56732    42.8               
9        -20.09100     0.47900     1.76182    26.6               
10          4.56200     0.74600                                   
11         24.99300     1.11300     1.69680    55.5               
12        -26.97000     0.48700                                   
13(絞り)           ∞        可変                                   
14*      -141.28500     1.53800     1.68863    52.8               
15*       -14.74800        可変                                   
16               ∞     0.34100     1.51680    64.2               
17               ∞     0.60900                                   
18               ∞     0.60900     1.51680    64.2               
19               ∞        (BF)                                       
像面             ∞                                               【０４８２】
表  II−１４（非球面データ）
第1面
K= 0.00000E+00, A4=-2.86219E-06, A6= 5.09247E-07, A8=-5.94077E-09 
A10= 1.64570E-12, A12= 0.00000E+00, A14= 0.00000E+00 
第2面
K=-1.53666E+00, A4= 5.02282E-04, A6= 4.46163E-06, A8=-9.10715E-07 
A10= 4.91821E-08, A12=-1.09034E-09, A14= 8.46522E-12 
第3面
K= 0.00000E+00, A4= 5.74073E-05, A6= 3.98544E-06, A8=-6.02600E-07 
A10= 2.93515E-08, A12=-6.16876E-10, A14= 4.72214E-12 
第5面
K= 0.00000E+00, A4=-3.87012E-04, A6= 1.94856E-06, A8=-3.17953E-06 
A10= 4.47726E-07, A12=-3.24123E-08, A14= 9.30481E-10 
第14面
K= 0.00000E+00, A4= 2.21186E-04, A6=-1.82685E-05, A8= 5.87291E-07 
A10= 7.67561E-09, A12=-4.19983E-10, A14= 0.00000E+00 
第15面
K= 0.00000E+00, A4= 3.95412E-04, A6=-2.36935E-05, A8= 8.28888E-07 
A10= 3.84189E-09, A12=-4.16995E-10, A14= 0.00000E+00【０４８３】
表  II−１５（各種データ）
ズーム比     4.78219
広角      中間      望遠
焦点距離       5.5419   12.5134   26.5024
Ｆナンバー     2.88513   4.73316   6.09875
画角        43.7864   20.3478    9.7989
像高         4.6250    4.6250    4.6250
レンズ全長     39.4596   35.8400   45.2842
ＢＦ        0.50832   0.46420   0.50531
d4          16.7018    5.2335    0.2434 
d13          2.9482   11.5357   26.7513 
d15          4.6153    3.9206    3.0982 
ズームレンズ群データ
群    始面      焦点距離
1       1     -13.88579
2       5      11.53034
3      14      23.79460【０４８４】
（数値実施例II−６）
数値実施例II−６のズームレンズ系は、図８８に示した実施の形態II−６に対応する。数値実施例II−６のズームレンズ系の面データを表II−１６に、非球面データを表II−１７に、各種データを表II−１８に示す。【０４８５】
表  II−１６（面データ）
面番号         r           d           nd         vd                
物面             ∞                                               
1        126.42600     1.06000     1.86000    40.6               
2*         5.72700     1.53700                                   
3*         8.95800     1.77600     1.99537    20.7               
4         17.36000        可変                                   
5*         5.19400     1.56100     1.80434    40.8               
6        377.10900     0.30000                                   
7         17.42100     1.06600     1.72916    54.7               
8        -13.83000     0.01000     1.56732    42.8               
9        -13.83000     0.40000     1.76182    26.6               
10          4.00000     0.58300                                   
11         19.73300     1.07700     1.69680    55.5               
12        -23.72700     0.40000                                   
13(絞り)           ∞        可変                                   
14*     -1047.51300     1.40700     1.74993    45.4               
15*       -14.88700        可変                                   
16               ∞     0.28000     1.51680    64.2               
17               ∞     0.50000                                   
18               ∞     0.50000     1.51680    64.2               
19               ∞        (BF)                                       
像面             ∞                                               【０４８６】
表  II−１７（非球面データ）
第2面
K=-1.57344E+00, A4= 7.46340E-04, A6= 1.88232E-06, A8=-3.37126E-06 
A10= 2.89498E-07, A12=-9.69126E-09, A14= 1.14218E-10 
第3面
K= 0.00000E+00, A4= 6.08925E-05, A6= 2.83846E-06, A8=-2.14698E-06 
A10= 1.72132E-07, A12=-5.49899E-09, A14= 6.19799E-11 
第5面
K= 0.00000E+00, A4=-5.98636E-04, A6=-2.84764E-06, A8=-8.39427E-06 
A10= 2.21918E-06, A12=-2.87429E-07, A14= 1.45836E-08 
第14面
K= 0.00000E+00, A4=-1.30794E-04, A6=-9.53762E-06, A8=-1.31083E-06 
A10= 1.80961E-07, A12=-4.51916E-09, A14= 0.00000E+00 
第15面
K= 0.00000E+00, A4= 1.09118E-04, A6=-3.68938E-05, A8= 2.09767E-06 
A10=-3.35203E-08, A12= 5.68690E-10, A14= 0.00000E+00【０４８７】
表  II−１８（各種データ）
ズーム比     4.61126
広角      中間      望遠
焦点距離       5.1178   11.0963   23.5995
Ｆナンバー     2.90501   4.68134   6.13237
画角        39.2002   18.9429    9.0829
像高         3.8000    3.8000    3.8000
レンズ全長     33.5786   30.7415   38.3943
ＢＦ        0.41039   0.37079   0.37158
d4          14.1000    4.7084    0.2000 
d13          2.4138    9.8111   22.8264 
d15          4.1974    3.3942    2.5393 
ズームレンズ群データ
群    始面      焦点距離
1       1     -12.85293
2       5      10.12689
3      14      20.12562【０４８８】
（数値実施例II−７）
数値実施例II−７のズームレンズ系は、図９１に示した実施の形態II−７に対応する。数値実施例II−７のズームレンズ系の面データを表II−１９に、非球面データを表II−２０に、各種データを表II−２１に示す。【０４８９】
表  II−１９（面データ）
面番号         r           d           nd         vd                
物面             ∞                                               
1*       133.91200     1.06000     1.85976    40.6               
2*         5.42900     1.73200                                   
3*         9.15600     1.98000     1.99537    20.7               
4         17.36000        可変                                   
5*         4.97400     1.55000     1.80434    40.8               
6        117.92500     0.15000                                   
7         13.33900     1.05000     1.72916    54.7               
8        -20.65000     0.01000     1.56732    42.8               
9        -20.65000     0.40000     1.76182    26.6               
10          3.74800     0.58300                                   
11         17.95000     1.03000     1.69680    55.5               
12        -25.80200     0.40000                                   
13(絞り)           ∞        可変                                   
14*      -116.08400     1.40700     1.68863    52.8               
15*       -12.28300        可変                                   
16               ∞     0.28000     1.51680    64.2               
17               ∞     0.50000                                   
18               ∞     0.50000     1.51680    64.2               
19               ∞        (BF)                                       
像面             ∞                                               【０４９０】
表  II−２０（非球面データ）
第1面
K= 0.00000E+00, A4=-5.52740E-06, A6= 1.34755E-06, A8=-2.37945E-08 
A10= 6.53313E-12, A12= 0.00000E+00, A14= 0.00000E+00 
第2面
K=-1.51232E+00, A4= 9.13792E-04, A6= 1.00193E-05, A8=-3.69775E-06 
A10= 2.88686E-07, A12=-9.37576E-09, A14= 1.08259E-10 
第3面
K= 0.00000E+00, A4= 1.27176E-04, A6= 7.89593E-06, A8=-2.36128E-06 
A10= 1.72237E-07, A12=-5.38467E-09, A14= 6.18081E-11 
第5面
K= 0.00000E+00, A4=-7.06960E-04, A6=-3.25988E-07, A8=-9.87767E-06 
A10= 2.42687E-06, A12=-3.19796E-07, A14= 1.70210E-08 
第14面
K= 0.00000E+00, A4= 3.70421E-04, A6=-5.43849E-05, A8= 1.64888E-06 
A10= 1.80901E-09, A12=-5.31193E-09, A14= 0.00000E+00 
第15面
K= 0.00000E+00, A4= 5.24695E-04, A6=-4.63237E-05, A8= 1.20665E-06 
A10= 4.10694E-09, A12=-4.23522E-09, A14= 0.00000E+00【０４９１】
表  II−２１（各種データ）
ズーム比     5.35662
広角      中間      望遠
焦点距離       4.5928   10.2950   24.6021
Ｆナンバー     2.90896   4.74737   6.91879
画角        43.5348   20.5052    8.8865
像高         3.8000    3.8000    3.8000
レンズ全長     32.9479   30.0189   38.9815
ＢＦ        0.40477   0.36130   0.37320
d4          13.7226    4.3000    0.2000 
d13          2.2520    9.2104   24.8417 
d15          3.9365    3.5152    0.9346 
ズームレンズ群データ
群    始面      焦点距離
1       1     -11.42384
2       5       9.55095
3      14      19.83788【０４９２】
（数値実施例II−８）
数値実施例II−８のズームレンズ系は、図９４に示した実施の形態II−８に対応する。数値実施例II−８のズームレンズ系の面データを表II−２２に、非球面データを表II−２３に、各種データを表II−２４に示す。【０４９３】
表  II−２２（面データ）
面番号         r           d           nd         vd                
物面             ∞                                               
1*       102.49100     1.06000     1.85976    40.6               
2*         5.38400     1.73200                                   
3*         9.16300     1.98000     1.99537    20.7               
4         17.36000        可変                                   
5*         4.98100     1.55000     1.80434    40.8               
6        117.92500     0.15000                                   
7         13.41700     1.05000     1.72916    54.7               
8        -22.36400     0.01000     1.56732    42.8               
9        -22.36400     0.40000     1.76182    26.6               
10          3.74800     0.58300                                   
11         17.49900     1.03000     1.69680    55.5               
12        -27.91500     0.40000                                   
13(絞り)           ∞        可変                                   
14*      -116.08400     1.40700     1.68863    52.8               
15*       -12.30700        可変                                   
16               ∞     0.28000     1.51680    64.2               
17               ∞     0.50000                                   
18               ∞     0.50000     1.51680    64.2               
19               ∞        (BF)                                       
像面             ∞                                               【０４９４】
表  II−２３（非球面データ）
第1面
K= 0.00000E+00, A4=-9.58085E-06, A6= 1.28804E-06, A8=-2.45481E-08 
A10=-7.28916E-12, A12= 0.00000E+00, A14= 0.00000E+00 
第2面
K=-1.52889E+00, A4= 9.08403E-04, A6= 1.00563E-05, A8=-3.70044E-06 
A10= 2.88590E-07, A12=-9.37676E-09, A14= 1.08272E-10 
第3面
K= 0.00000E+00, A4= 1.17643E-04, A6= 7.85565E-06, A8=-2.35722E-06 
A10= 1.72387E-07, A12=-5.38158E-09, A14= 6.18075E-11 
第5面
K= 0.00000E+00, A4=-6.97064E-04, A6= 1.09037E-06, A8=-9.75291E-06 
A10= 2.43347E-06, A12=-3.20810E-07, A14= 1.65049E-08 
第14面
K= 0.00000E+00, A4= 3.07888E-04, A6=-5.28977E-05, A8= 1.68576E-06 
A10= 1.34836E-09, A12= 1.29575E-10, A14= 0.00000E+00 
第15面
K= 0.00000E+00, A4= 5.47465E-04, A6=-5.13331E-05, A8= 1.07290E-06 
A10= 4.69963E-08, A12=-1.02369E-09, A14= 0.00000E+00【０４９５】
表  II−２４（各種データ）
ズーム比     5.52871
広角      中間      望遠
焦点距離       4.6725   10.3808   25.8329
Ｆナンバー     2.94730   4.77127   7.24009
画角        42.6119   20.1748    8.3929
像高         3.8000    3.8000    3.8000
レンズ全長     33.0804   30.2033   40.0342
ＢＦ        0.40551   0.36552   0.38499
d4          13.7226    4.3000    0.2000 
d13          2.3123    9.1093   26.0977 
d15          4.0080    3.7965    0.7195 
ズームレンズ群データ
群    始面      焦点距離
1       1     -11.50512
2       5       9.64428
3      14      19.88122【０４９６】
（数値実施例II−９）
数値実施例II−９のズームレンズ系は、図９７に示した実施の形態II−９に対応する。数値実施例II−９のズームレンズ系の面データを表II−２５に、非球面データを表II−２６に、各種データを表II−２７に示す。【０４９７】
表  II−２５（面データ）
面番号         r           d           nd         vd                
物面             ∞                                               
1*        76.42751     1.00000     1.80470    41.0               
2*         6.64817     1.48000                                   
3          7.75447     1.60000     1.92286    20.9               
4         10.50123        可変                                   
5*         5.53570     1.50000     1.80434    40.8               
6       -674.52140     0.30000                                   
7         10.79499     1.10000     1.72916    54.7               
8        -15.59648     0.01000     1.56732    42.8               
9        -15.59648     0.40000     1.76182    26.6               
10          4.00000     0.64000                                   
11         40.99489     1.10000     1.80146    40.2               
12        -40.99489     0.30000                                   
13(絞り)           ∞        可変                                   
14        -53.29376     1.33000     1.68863    52.8               
15*       -12.58029        可変                                   
16               ∞     0.28000     1.51680    64.2               
17               ∞     0.50000                                   
18               ∞     0.50000     1.51680    64.2               
19               ∞        (BF)                                       
像面             ∞                                               【０４９８】
表  II−２６（非球面データ）
第1面
K= 0.00000E+00, A4= 5.76012E-05, A6= 8.73773E-07, A8= 0.00000E+00 
A10= 0.00000E+00, A12= 0.00000E+00, A14= 0.00000E+00 
第2面
K=-1.43352E+00, A4= 6.73429E-04, A6=-1.70436E-07, A8= 1.25757E-07 
A10= 3.13106E-08, A12=-1.68591E-09, A14= 3.01568E-11 
第5面
K= 0.00000E+00, A4=-4.98245E-04, A6= 4.02131E-06, A8=-1.18557E-05 
A10= 2.68271E-06, A12=-2.79815E-07, A14= 1.08519E-08 
第15面
K= 0.00000E+00, A4=-3.33092E-05, A6= 2.24255E-05, A8=-2.42474E-06 
A10= 1.37066E-07, A12=-2.99454E-09, A14= 0.00000E+00【０４９９】
表  II−２７（各種データ）
ズーム比     4.72712
広角      中間      望遠
焦点距離       6.0022   13.0594   28.3731
Ｆナンバー     3.44370   5.55842   6.33102
画角        34.9812   16.3974    7.6997
像高         3.8000    3.8000    3.8000
レンズ全長     33.8543   31.0006   39.9649
ＢＦ        0.46119   0.40554   0.37123
d4          14.2069    4.6883    0.2000 
d13          2.9360   10.1917   24.3632 
d15          4.2102    3.6751    2.9905 
ズームレンズ群データ
群    始面      焦点距離
1       1     -13.93476
2       5      10.14370
3      14      23.59911【０５００】
（数値実施例II−１０）
数値実施例II−１０のズームレンズ系は、図１００に示した実施の形態II−１０に対応する。数値実施例II−１０のズームレンズ系の面データを表II−２８に、非球面データを表II−２９に、各種データを表II−３０に示す。【０５０１】
表  II−２８（面データ）
面番号         r           d           nd         vd                
物面             ∞                                               
1*        59.05000     1.06000     1.85280    39.0               
2*         5.46200     1.50400                                   
3*         8.60600     1.75000     1.99537    20.7               
4         14.38100        可変                                   
5*         4.36700     2.50000     1.80359    40.8               
6        -67.53500     0.00000                                   
7        -67.53500     0.40000     1.80518    25.5               
8          3.80100     0.47700                                   
9         12.23200     1.14400     1.77250    49.6               
10        -16.77300     0.30000                                   
11(絞り)           ∞        可変                                   
12*       145.66100     1.33400     1.60602    57.4               
13*       -11.92000        可変                                   
14               ∞     0.78000     1.51680    64.2               
15               ∞        (BF)                                       
像面             ∞                                               【０５０２】
表  II−２９（非球面データ）
第1面
K= 0.00000E+00, A4= 3.04043E-06, A6= 8.38044E-08, A8= 3.68394E-10 
A10= 1.11988E-11, A12= 0.00000E+00, A14= 0.00000E+00 
第2面
K=-1.14246E+00, A4= 9.52084E-04, A6= 1.16305E-05, A8=-3.37781E-06 
A10= 2.84249E-07, A12=-9.68993E-09, A14= 1.17859E-10 
第3面
K= 0.00000E+00, A4= 2.77587E-04, A6= 7.49692E-06, A8=-2.20563E-06 
A10= 1.70898E-07, A12=-5.50993E-09, A14= 6.41238E-11 
第5面
K=-2.43504E-01, A4=-3.61300E-04, A6= 1.01452E-05, A8=-3.95475E-06 
A10= 2.05823E-07, A12= 0.00000E+00, A14= 0.00000E+00 
第12面
K= 0.00000E+00, A4=-3.11808E-04, A6= 1.60552E-05, A8=-9.71795E-07 
A10= 2.22891E-07, A12=-2.85194E-09, A14= 0.00000E+00 
第13面
K= 0.00000E+00, A4= 3.67285E-05, A6=-1.48330E-05, A8= 2.12933E-06 
A10= 5.52463E-08, A12= 2.05349E-09, A14= 0.00000E+00【０５０３】
表  II−３０（各種データ）
ズーム比     4.70964
広角      中間      望遠
焦点距離       4.2182   10.9848   19.8661
Ｆナンバー     2.91810   4.94788   6.15928
画角        45.5442   19.1934   10.7826
像高         3.8000    3.8000    3.8000
レンズ全長     32.2531   29.2032   33.9277
ＢＦ        0.89844   0.85770   0.89904
d4          14.1856    3.9014    0.2000 
d11          2.1610   11.4996   19.9321 
d13          3.7591    1.6955    1.6476 
ズームレンズ群データ
群    始面      焦点距離
1       1     -11.81909
2       5       9.29435
3      12      18.23972【０５０４】
（数値実施例II−１１）
数値実施例II−１１のズームレンズ系は、図１０３に示した実施の形態II−１１に対応する。数値実施例II−１１のズームレンズ系の面データを表II−３１に、非球面データを表II−３２に、各種データを表II−３３に示す。【０５０５】
表  II−３１（面データ）
面番号         r           d           nd         vd                
物面             ∞                                               
1*        48.20000     1.06000     1.85280    39.0               
2*         5.40600     1.50400                                   
3*         8.59700     1.75000     1.99537    20.7               
4         14.38100        可変                                   
5*         4.37800     2.50000     1.80359    40.8               
6        -74.88600     0.00000                                   
7        -74.88600     0.40000     1.80518    25.5               
8          3.79800     0.47700                                   
9         12.73200     1.14400     1.77250    49.6               
10        -16.77300     0.30000                                   
11(絞り)           ∞        可変                                   
12*       147.88000     1.33400     1.60602    57.4               
13*       -13.66400        可変                                   
14               ∞     0.78000     1.51680    64.2               
15               ∞        (BF)                                       
像面             ∞                                               【０５０６】
表  II−３２（非球面データ）
第1面
K= 0.00000E+00, A4= 3.27932E-07, A6=-4.95347E-08, A8= 0.00000E+00 
A10= 0.00000E+00, A12= 0.00000E+00, A14= 0.00000E+00 
第2面
K=-1.15549E+00, A4= 9.45387E-04, A6= 1.00448E-05, A8=-3.40038E-06 
A10= 2.83776E-07, A12=-9.69584E-09, A14= 1.17520E-10 
第3面
K= 0.00000E+00, A4= 2.60379E-04, A6= 6.67780E-06, A8=-2.20806E-06 
A10= 1.70845E-07, A12=-5.50808E-09, A14= 6.38203E-11 
第5面
K=-2.33677E-01, A4=-3.37270E-04, A6= 5.87427E-06, A8=-3.18469E-06 
A10= 2.15900E-07, A12= 0.00000E+00, A14= 0.00000E+00 
第12面
K= 0.00000E+00, A4=-3.84815E-04, A6= 1.89763E-05, A8=-9.66009E-07 
A10= 2.07197E-07, A12=-2.90921E-09, A14= 0.00000E+00 
第13面
K= 0.00000E+00, A4=-8.25767E-05, A6=-1.37702E-05, A8= 1.82480E-06 
A10= 5.49510E-08, A12= 2.05096E-09, A14= 0.00000E+00【０５０７】
表  II−３３（各種データ）
ズーム比     4.66639
広角      中間      望遠
焦点距離       4.5138   11.0107   21.0630
Ｆナンバー     2.92234   4.74573   6.11588
画角        42.9660   19.1684   10.1843
像高         3.8000    3.8000    3.8000
レンズ全長     32.9135   29.6175   34.9167
ＢＦ        0.89634   0.86350   0.87175
d4          14.3758    4.2462    0.2000 
d11          2.4307   11.1258   20.7413 
d13          3.9617    2.1330    1.8547 
ズームレンズ群データ
群    始面      焦点距離
1       1     -12.09887
2       5       9.49321
3      12      20.70451【０５０８】
（数値実施例II−１２）
数値実施例II−１２のズームレンズ系は、図１０６に示した実施の形態II−１２に対応する。数値実施例II−１２のズームレンズ系の面データを表II−３４に、非球面データを表II−３５に、各種データを表II−３６に示す。【０５０９】
表  II−３４（面データ）
面番号         r           d           nd         vd                
物面             ∞                                               
1         43.56000     1.06000     1.85280    39.0               
2*         5.54700     1.50400                                   
3*         8.64600     1.75000     1.99537    20.7               
4         14.38100        可変                                   
5*         4.39600     2.50000     1.80359    40.8               
6       -115.81400     0.00000                                   
7       -115.81400     0.40000     1.80518    25.5               
8          3.79300     0.47700                                   
9         14.69100     1.14400     1.77250    49.6               
10        -16.77300     0.30000                                   
11(絞り)           ∞        可変                                   
12*        79.01900     1.33400     1.60602    57.4               
13*       -14.68200        可変                                   
14               ∞     0.78000     1.51680    64.2               
15               ∞        (BF)                                       
像面             ∞                                               【０５１０】
表  II−３５（非球面データ）
第2面
K=-1.11955E+00, A4= 9.72575E-04, A6= 5.28421E-06, A8=-3.33441E-06 
A10= 2.83170E-07, A12=-9.76538E-09, A14= 1.18913E-10 
第3面
K= 0.00000E+00, A4= 2.96666E-04, A6= 4.70617E-06, A8=-2.23721E-06 
A10= 1.71468E-07, A12=-5.48027E-09, A14= 6.24905E-11 
第5面
K=-2.21945E-01, A4=-3.12123E-04, A6= 4.68008E-06, A8=-3.33833E-06 
A10= 2.42304E-07, A12= 0.00000E+00, A14= 0.00000E+00 
第12面
K= 0.00000E+00, A4=-5.07858E-04, A6= 1.16247E-05, A8=-1.11086E-06 
A10= 1.55636E-07, A12=-9.60910E-10, A14= 0.00000E+00 
第13面
K= 0.00000E+00, A4=-4.92557E-04, A6=-2.33283E-06, A8= 7.70699E-07 
A10= 4.54566E-08, A12= 2.00412E-09, A14= 0.00000E+00【０５１１】
表  II−３６（各種データ）
ズーム比     4.65926
広角      中間      望遠
焦点距離       4.9826   11.0055   23.2154
Ｆナンバー     2.96523   4.88875   6.11703
画角        38.2008   18.4701    8.9029
像高         3.6000    3.6000    3.6000
レンズ全長     33.4459   31.3516   38.0142
ＢＦ        0.90869   0.86454   0.89389
d4          14.2459    5.5449    0.2000 
d11          2.6393   11.7655   23.1698 
d13          4.4030    1.9277    2.5015 
ズームレンズ群データ
群    始面      焦点距離
1       1     -12.88044
2       5      10.10697
3      12      20.54116【０５１２】
（数値実施例II−１３）
数値実施例II−１３のズームレンズ系は、図１０９に示した実施の形態II−１３に対応する。数値実施例II−１３のズームレンズ系の面データを表II−３７に、非球面データを表II−３８に、各種データを表II−３９に示す。【０５１３】
表  II−３７（面データ）
面番号         r           d           nd         vd                
物面             ∞                                               
1*        65.26800     1.06000     1.85280    39.0               
2*         5.43100     1.50400                                   
3*         8.75800     1.75000     1.99537    20.7               
4         14.38100        可変                                   
5*         4.34800     2.50000     1.80359    40.8               
6        154.36000     0.00000                                   
7        154.36000     0.40000     1.80518    25.5               
8          3.78600     0.47700                                   
9         12.80100     1.14400     1.77250    49.6               
10        -16.77300     0.30000                                   
11(絞り)           ∞        可変                                   
12*       -21.93400     1.33400     1.60602    57.4               
13*        -8.75000        可変                                   
14               ∞     0.78000     1.51680    64.2               
15               ∞        (BF)                                       
像面             ∞                                               【０５１４】
表  II−３８（非球面データ）
第1面
K= 0.00000E+00, A4= 1.92866E-06, A6=-2.59806E-07, A8= 0.00000E+00 
A10= 0.00000E+00, A12= 0.00000E+00, A14= 0.00000E+00 
第2面
K=-1.12457E+00, A4= 9.65240E-04, A6= 7.72275E-06, A8=-3.45452E-06 
A10= 2.84301E-07, A12=-9.70703E-09, A14= 1.17484E-10 
第3面
K= 0.00000E+00, A4= 2.90216E-04, A6= 7.30560E-06, A8=-2.22065E-06 
A10= 1.70191E-07, A12=-5.52242E-09, A14= 6.43532E-11 
第5面
K=-2.32994E-01, A4=-3.37630E-04, A6= 2.79870E-06, A8=-3.71831E-06 
A10= 3.04308E-07, A12= 0.00000E+00, A14= 0.00000E+00 
第12面
K= 0.00000E+00, A4=-3.98270E-04, A6= 1.52053E-05, A8=-8.64592E-07 
A10= 2.48416E-07, A12=-4.83203E-09, A14= 0.00000E+00 
第13面
K= 0.00000E+00, A4= 1.48124E-04, A6=-1.28334E-05, A8= 2.23453E-06 
A10= 2.99201E-08, A12= 1.47871E-09, A14= 0.00000E+00【０５１５】
表  II−３９（各種データ）
ズーム比     5.64043
広角      中間      望遠
焦点距離       4.5204   11.0121   25.4968
Ｆナンバー     2.92132   5.03801   7.49395
画角        41.3621   18.1278    7.9812
像高         3.6000    3.6000    3.6000
レンズ全長     33.3391   30.6877   39.6399
ＢＦ        0.90466   0.88115   0.85890
d4          14.3758    4.8086    0.2000 
d11          2.2899   11.5361   25.6839 
d13          4.5197    2.2129    1.6481 
ズームレンズ群データ
群    始面      焦点距離
1       1     -11.17647
2       5       9.42887
3      12      23.13762【０５１６】
（数値実施例II−１４）
数値実施例II−１４のズームレンズ系は、図１１２に示した実施の形態II−１４に対応する。数値実施例II−１４のズームレンズ系の面データを表II−４０に、非球面データを表II−４１に、各種データを表II−４２に示す。【０５１７】
表  II−４０（面データ）
面番号         r           d           nd         vd                
物面             ∞                                               
1         63.47399     1.06000     1.85280    39.0               
2*         6.01722     1.50400                                   
3*         8.59181     1.75000     1.99537    20.7               
4         14.38100        可変                                   
5*         6.08005     1.56770     1.68863    52.8               
6        -35.80408     0.10000                                   
7          7.98466     1.48630     1.83481    42.7               
8         -7.57710     0.01000     1.56732    42.8               
9         -7.57710     0.40000     1.71736    29.5               
10          3.50287     0.98500                                   
11(絞り)           ∞        可変                                   
12*      -122.39270     1.33400     1.68863    52.8               
13*       -12.51244        可変                                   
14               ∞     0.28000     1.51680    64.2               
15               ∞     0.50000                                   
16               ∞     0.50000     1.51680    64.2               
17               ∞        (BF)                                       
像面             ∞                                               【０５１８】
表  II−４１（非球面データ）
第2面
K=-1.40153E+00, A4= 8.22636E-04, A6= 7.20741E-06, A8=-3.32095E-06 
A10= 2.82431E-07, A12=-9.82219E-09, A14= 1.18759E-10 
第3面
K= 0.00000E+00, A4= 1.68228E-04, A6= 3.35892E-06, A8=-2.18948E-06 
A10= 1.71047E-07, A12=-5.51145E-09, A14= 6.18100E-11 
第5面
K= 0.00000E+00, A4=-8.68691E-04, A6=-1.04599E-05, A8=-4.13399E-07 
A10=-1.71635E-07, A12= 3.28061E-08, A14=-1.59341E-09 
第12面
K= 0.00000E+00, A4= 7.33143E-05, A6= 8.19768E-07, A8=-1.14709E-06 
A10= 1.69694E-07, A12=-4.34250E-09, A14= 0.00000E+00 
第13面
K= 0.00000E+00, A4= 3.98865E-04, A6=-2.32267E-05, A8= 1.39281E-06 
A10= 2.04809E-08, A12=-9.18152E-10, A14= 0.00000E+00【０５１９】
表  II−４２（各種データ）
ズーム比     4.69249
広角      中間      望遠
焦点距離       5.3887   11.4765   25.2865
Ｆナンバー     2.90678   4.47443   6.16111
画角        37.6440   18.1179    8.4394
像高         3.8000    3.8000    3.8000
レンズ全長     33.2324   28.8126   36.4906
ＢＦ        0.41957   0.34467   0.39309
d4          14.8608    4.6809    0.2000 
d11          2.6360    8.2604   21.7344 
d13          3.8390    4.0496    2.6861 
ズームレンズ群データ
群    始面      焦点距離
1       1     -14.00580
2       5       9.86327
3      12      20.13942【０５２０】
（数値実施例II−１５）
数値実施例II−１５のズームレンズ系は、図１１５に示した実施の形態II−１５に対応する。数値実施例II−１５のズームレンズ系の面データを表II−４３に、非球面データを表II−４４に、各種データを表II−４５に示す。【０５２１】
表  II−４３（面データ）
面番号         r           d           nd         vd                
物面             ∞                                               
1         67.11508     1.06000     1.85280    39.0               
2*         5.93643     1.50400                                   
3*         8.67244     1.75000     1.99537    20.7               
4         14.38100        可変                                   
5*         6.04644     1.50070     1.68863    52.8               
6        -31.45638     0.10000                                   
7          8.02778     1.52600     1.83481    42.7               
8         -7.47219     0.01000     1.56732    42.8               
9         -7.47219     0.40000     1.71736    29.5               
10          3.50287     0.98500                                   
11(絞り)           ∞        可変                                   
12*      -107.31420     1.33400     1.68863    52.8               
13*       -12.02005        可変                                   
14               ∞     0.28000     1.51680    64.2               
15               ∞     0.50000                                   
16               ∞     0.50000     1.51680    64.2               
17               ∞        (BF)                                       
像面             ∞                                               【０５２２】
表  II−４４（非球面データ）
第2面
K=-1.40725E+00, A4= 8.24033E-04, A6= 7.65767E-06, A8=-3.31358E-06 
A10= 2.82628E-07, A12=-9.81656E-09, A14= 1.18891E-10 
第3面
K= 0.00000E+00, A4= 1.68357E-04, A6= 3.35244E-06, A8=-2.18545E-06 
A10= 1.71187E-07, A12=-5.50659E-09, A14= 6.20096E-11 
第5面
K= 0.00000E+00, A4=-9.09029E-04, A6=-1.11663E-05, A8=-3.76602E-07 
A10=-1.69774E-07, A12= 3.26901E-08, A14=-1.59319E-09 
第12面
K= 0.00000E+00, A4= 4.98372E-05, A6= 2.36765E-05, A8=-1.16504E-06 
A10= 1.33583E-07, A12=-4.07360E-09, A14= 0.00000E+00 
第13面
K= 0.00000E+00, A4= 5.23496E-04, A6=-1.18940E-05, A8= 1.57366E-06 
A10= 3.05910E-08, A12=-2.51680E-09, A14= 0.00000E+00【０５２３】
表  II−４５（各種データ）
ズーム比     4.97350
広角      中間      望遠
焦点距離       4.9440   10.9999   24.5887
Ｆナンバー     2.86849   4.47181   6.02934
画角        40.5984   18.7047    8.5997
像高         3.8000    3.8000    3.8000
レンズ全長     33.3276   28.0492   36.0296
ＢＦ        0.42910   0.35221   0.38698
d4          15.4234    4.4723    0.2000 
d11          2.6360    7.7519   21.3068 
d13          3.3894    4.0230    2.6861 
ズームレンズ群データ
群    始面      焦点距離
1       1     -13.26565
2       5       9.49125
3      12      19.54515【０５２４】
（数値実施例II−１６）
数値実施例II−１６のズームレンズ系は、図１１８に示した実施の形態II−１６に対応する。数値実施例II−１６のズームレンズ系の面データを表II−４６に、非球面データを表II−４７に、各種データを表II−４８に示す。【０５２５】
表  II−４６（面データ）
面番号         r           d           nd         vd                
物面             ∞                                               
1         66.99756     1.06000     1.85280    39.0               
2*         5.92693     1.50400                                   
3*         8.66891     1.75000     1.99537    20.7               
4         14.38100        可変                                   
5*         6.04238     1.47300     1.68863    52.8               
6        -31.84957     0.10000                                   
7          7.97831     1.52260     1.83481    42.7               
8         -7.42943     0.01000     1.56732    42.8               
9         -7.42943     0.40000     1.71736    29.5               
10          3.50287     0.98500                                   
11(絞り)           ∞        可変                                   
12*      -124.53680     1.33400     1.68863    52.8               
13*       -11.63546        可変                                   
14               ∞     0.28000     1.51680    64.2               
15               ∞     0.50000                                   
16               ∞     0.50000     1.51680    64.2               
17               ∞        (BF)                                       
像面             ∞                                               【０５２６】
表  II−４７（非球面データ）
第2面
K=-1.40989E+00, A4= 8.22545E-04, A6= 7.45234E-06, A8=-3.31504E-06 
A10= 2.82561E-07, A12=-9.82067E-09, A14= 1.18701E-10 
第3面
K= 0.00000E+00, A4= 1.68883E-04, A6= 3.36000E-06, A8=-2.18923E-06 
A10= 1.71073E-07, A12=-5.50897E-09, A14= 6.19721E-11 
第5面
K= 0.00000E+00, A4=-9.17209E-04, A6=-1.14922E-05, A8=-3.86295E-07 
A10=-1.69119E-07, A12= 3.29873E-08, A14=-1.52387E-09 
第12面
K= 0.00000E+00, A4= 3.44434E-05, A6= 2.52919E-05, A8=-1.15251E-06 
A10= 1.31557E-07, A12=-3.96388E-09, A14= 0.00000E+00 
第13面
K= 0.00000E+00, A4= 5.44445E-04, A6=-1.16407E-05, A8= 1.60284E-06 
A10= 3.33080E-08, A12=-2.54996E-09, A14= 0.00000E+00【０５２７】
表  II−４８（各種データ）
ズーム比     4.94889
広角      中間      望遠
焦点距離       4.8230    9.8989   23.8686
Ｆナンバー     2.92673   4.29935   6.02423
画角        41.2896   20.6747    8.8279
像高         3.8000    3.8000    3.8000
レンズ全長     33.3145   27.6252   35.5444
ＢＦ        0.42965   0.35867   0.38805
d4          15.5588    5.1363    0.2000 
d11          2.6360    6.7258   20.8516 
d13          3.2715    3.9858    2.6861 
ズームレンズ群データ
群    始面      焦点距離
1       1     -13.24063
2       5       9.45447
3      12      18.54849【０５２８】
（数値実施例II−１７）
数値実施例II−１７のズームレンズ系は、図１２１に示した実施の形態II−１７に対応する。数値実施例II−１７のズームレンズ系の面データを表II−４９に、非球面データを表II−５０に、各種データを表II−５１に示す。【０５２９】
表  II−４９（面データ）
面番号         r           d           nd         vd                
物面             ∞                                               
1         42.52694     1.06000     1.85280    39.0               
2*         5.68093     1.50400                                   
3*         8.67288     1.75000     1.99537    20.7               
4         14.38100        可変                                   
5*         4.36525     2.50000     1.80359    40.8               
6        -71.54269     0.40000     1.80518    25.5               
7          3.82048     0.47690                                   
8         17.07332     1.14410     1.77250    49.6               
9        -16.77307     0.30000                                   
10(絞り)           ∞        可変                                   
11*       -80.54801     1.33400     1.68863    52.8               
12*       -11.93863        可変                                   
13               ∞     0.28000     1.51680    64.2               
14               ∞     0.50000                                   
15               ∞     0.50000     1.51680    64.2               
16               ∞        (BF)                                       
像面             ∞                                               【０５３０】
表  II−５０（非球面データ）
第2面
K=-1.34333E+00, A4= 8.43676E-04, A6= 3.59200E-06, A8=-3.29172E-06 
A10= 2.85355E-07, A12=-9.76033E-09, A14= 1.18324E-10 
第3面
K= 0.00000E+00, A4= 1.80977E-04, A6= 4.80208E-06, A8=-2.19007E-06 
A10= 1.70661E-07, A12=-5.49780E-09, A14= 6.36027E-11 
第5面
K=-2.27637E-01, A4=-3.76705E-04, A6= 2.78981E-05, A8=-8.69457E-06 
A10= 6.43727E-07, A12= 0.00000E+00, A14= 0.00000E+00 
第11面
K= 0.00000E+00, A4=-1.52329E-04, A6=-2.60128E-06, A8=-7.83396E-07 
A10= 1.95923E-07, A12=-3.84055E-09, A14= 0.00000E+00 
第12面
K= 0.00000E+00, A4= 3.23671E-05, A6=-1.87291E-05, A8= 1.47652E-06 
A10= 3.09913E-08, A12= 7.47159E-10, A14= 0.00000E+00【０５３１】
表  II−５１（各種データ）
ズーム比     4.53687
広角      中間      望遠
焦点距離       5.2926   11.4781   24.0120
Ｆナンバー     3.04251   4.88869   6.20669
画角        36.5361   18.3530    9.0055
像高         3.8000    3.8000    3.8000
レンズ全長     33.5962   31.4434   38.5006
ＢＦ        0.42600   0.35251   0.38880
d4          14.0464    5.0701    0.2000 
d10          2.6360   11.1355   23.4767 
d12          4.7387    3.1363    2.6861 
ズームレンズ群データ
群    始面      焦点距離
1       1     -13.49971
2       5      10.36991
3      11      20.19342【０５３２】
（数値実施例II−１８）
数値実施例II−１８のズームレンズ系は、図１２４に示した実施の形態II−１８に対応する。数値実施例II−１８のズームレンズ系の面データを表II−５２に、非球面データを表II−５３に、各種データを表II−５４に示す。【０５３３】
表  II−５２（面データ）
面番号         r           d           nd         vd                
物面             ∞                                               
1         42.70102     1.06000     1.85280    39.0               
2*         5.57066     1.50400                                   
3*         8.68434     1.75000     1.99537    20.7               
4         14.38100        可変                                   
5*         4.39069     2.50000     1.80359    40.8               
6        -70.26053     0.40000     1.80518    25.5               
7          3.79211     0.47690                                   
8         14.95528     1.14410     1.77250    49.6               
9        -16.77307     0.30000                                   
10(絞り)           ∞        可変                                   
11*        75.54035     1.33400     1.68863    52.8               
12*       -16.87201        可変                                   
13               ∞     0.28000     1.51680    64.2               
14               ∞     0.50000                                   
15               ∞     0.50000     1.51680    64.2               
16               ∞        (BF)                                       
像面             ∞                                               【０５３４】
表  II−５３（非球面データ）
第2面
K=-1.10895E+00, A4= 9.80110E-04, A6= 5.37935E-06, A8=-3.31816E-06 
A10= 2.82550E-07, A12=-9.79287E-09, A14= 1.19194E-10 
第3面
K= 0.00000E+00, A4= 3.16620E-04, A6= 4.52889E-06, A8=-2.24766E-06 
A10= 1.71664E-07, A12=-5.47562E-09, A14= 6.19684E-11 
第5面
K=-2.23619E-01, A4=-3.15552E-04, A6= 4.51483E-06, A8=-3.56603E-06 
A10= 2.70787E-07, A12= 0.00000E+00, A14= 0.00000E+00 
第11面
K= 0.00000E+00, A4=-5.09159E-04, A6= 3.02877E-06, A8=-1.27336E-06 
A10= 1.46792E-07, A12=-1.63257E-09, A14= 0.00000E+00 
第12面
K= 0.00000E+00, A4=-5.90562E-04, A6=-3.70497E-06, A8= 3.88633E-07 
A10= 2.62396E-08, A12= 1.43856E-09, A14= 0.00000E+00【０５３５】
表  II−５４（各種データ）
ズーム比     4.64119
広角      中間      望遠
焦点距離       4.9861   11.0001   23.1414
Ｆナンバー     2.95520   4.87262   6.08135
画角        39.9116   19.5373    9.4812
像高         3.8000    3.8000    3.8000
レンズ全長     33.4464   31.4551   38.2247
ＢＦ        0.41065   0.34276   0.37653
d4          14.2276    5.5541    0.2000 
d10          2.6360   11.7632   23.2131 
d12          4.4231    2.0461    2.6861 
ズームレンズ群データ
群    始面      焦点距離
1       1     -12.94754
2       5      10.15020
3      11      20.14624【０５３６】
（数値実施例II−１９）
数値実施例II−１９のズームレンズ系は、図１２７に示した実施の形態II−１９に対応する。数値実施例II−１９のズームレンズ系の面データを表II−５５に、非球面データを表II−５６に、各種データを表II−５７に示す。【０５３７】
表  II−５５（面データ）
面番号         r           d           nd         vd                
物面             ∞                                               
1         35.42244     1.06000     1.85280    39.0               
2*         5.32451     1.50400                                   
3*         8.65227     1.75000     1.99537    20.7               
4         14.38100        可変                                   
5*         4.27762     2.50000     1.80359    40.8               
6       -494.42940     0.40000     1.80518    25.5               
7          3.70655     0.47690                                   
8         17.62745     1.14410     1.77250    49.6               
9        -16.77307     0.30000                                   
10(絞り)           ∞        可変                                   
11*        46.41221     1.33400     1.68863    52.8               
12*       -19.53072        可変                                   
13               ∞     0.28000     1.51680    64.2               
14               ∞     0.50000                                   
15               ∞     0.50000     1.51680    64.2               
16               ∞        (BF)                                       
像面             ∞                                               【０５３８】
表  II−５６（非球面データ）
第2面
K=-1.02588E+00, A4= 1.00837E-03, A6=-1.35772E-05, A8=-2.98948E-06 
A10= 2.92183E-07, A12=-9.57272E-09, A14= 1.06236E-10 
第3面
K= 0.00000E+00, A4= 3.49391E-04, A6=-3.31939E-06, A8=-2.26288E-06 
A10= 1.85846E-07, A12=-5.62099E-09, A14= 5.85455E-11 
第5面
K=-2.28466E-01, A4=-3.11847E-04, A6=-9.62733E-06, A8=-9.01185E-08 
A10= 1.56445E-08, A12= 0.00000E+00, A14= 0.00000E+00 
第11面
K= 0.00000E+00, A4=-8.40972E-04, A6= 8.55587E-05, A8=-5.50326E-06 
A10= 9.49363E-08, A12= 1.92040E-09, A14= 0.00000E+00 
第12面
K= 0.00000E+00, A4=-8.48616E-04, A6= 5.97906E-05, A8=-1.72782E-06 
A10=-1.09232E-07, A12= 5.79395E-09, A14= 0.00000E+00【０５３９】
表  II−５７（各種データ）
ズーム比     5.67343
広角      中間      望遠
焦点距離       5.2010   12.0508   29.5073
Ｆナンバー     3.08108   5.36923   7.77372
画角        37.3653   17.8273    7.4457
像高         3.8000    3.8000    3.8000
レンズ全長     33.5190   33.3381   46.5304
ＢＦ        0.41574   0.34122   0.36643
d4          13.9022    5.5477    0.2000 
d10          2.6360   13.4442   31.5289 
d12          4.8160    2.2560    2.6861 
ズームレンズ群データ
群    始面      焦点距離
1       1     -12.61134
2       5      10.47662
3      11      20.12769【０５４０】
（数値実施例II−２０）
数値実施例II−２０のズームレンズ系は、図１３０に示した実施の形態II−２０に対応する。数値実施例II−２０のズームレンズ系の面データを表II−５８に、非球面データを表II−５９に、各種データを表II−６０に示す。【０５４１】
表  II−５８（面データ）
面番号         r           d           nd         vd                
物面             ∞                                               
1*       121.77400     1.35000     1.88300    40.8               
2*         4.59300     1.66900                                   
3          7.05800     1.60000     1.92287    18.9               
4         11.92800        可変                                   
5*         4.18500     2.00000     1.77250    49.6               
6         10.87900     0.50000     1.64769    33.8               
7          3.66100     0.48000                                   
8          8.24900     0.50000     1.76183    26.5               
9          3.97900     2.00000     1.60311    60.6               
10        -10.51800     0.30000                                   
11(絞り)           ∞        可変                                   
12         45.65100     1.60000     1.60311    60.6               
13        -23.91400        可変                                   
14               ∞     1.40000     1.51633    64.1               
15               ∞        (BF)                                       
像面             ∞                                               【０５４２】
表  II−５９（非球面データ）
第1面
K= 0.00000E+00, A4= 3.18638E-04, A6=-4.73036E-06, A8= 3.76995E-08 
A10= 0.00000E+00 
第2面
K=-1.47866E+00, A4= 1.64875E-03, A6= 1.02150E-05, A8=-4.99629E-07 
A10= 2.42134E-08 
第5面
K=-4.49065E-01, A4=-9.97316E-05, A6= 1.40893E-06, A8= 0.00000E+00 
A10= 0.00000E+00【０５４３】
表  II−６０（各種データ）
ズーム比     4.80185
広角      中間      望遠
焦点距離       3.8997   10.4303   18.7259
Ｆナンバー     2.80200   5.33669   6.11778
画角        46.5205   19.4974   10.9872
像高         3.6000    3.6000    3.6000
レンズ全長     30.7959   30.3826   37.2037
ＢＦ        1.02501   1.00139   1.01023
d4          11.4400    2.9456    0.1500 
d11          1.2672   11.9186   21.1596 
d13          3.6647    1.1180    1.4849 
ズームレンズ群データ
群    始面      焦点距離
1       1      -8.66678
2       5       8.54395
3      12      26.24759【０５４４】
（数値実施例II−２１）
数値実施例II−２１のズームレンズ系は、図１３３に示した実施の形態II−２１に対応する。数値実施例II−２１のズームレンズ系の面データを表II−６１に、非球面データを表II−６２に、各種データを表II−６３に示す。【０５４５】
表  II−６１（面データ）
面番号         r           d           nd         vd                
物面             ∞                                               
1*        48.47300     1.35000     1.88300    40.8               
2*         4.63300     1.85200                                   
3          6.92300     1.60000     1.92287    18.9               
4         10.69800        可変                                   
5*         4.22900     2.00000     1.77250    49.6               
6          9.57900     0.50000     1.64769    33.8               
7          3.67100     0.48000                                   
8          8.29500     0.50000     1.76183    26.5               
9          4.00400     2.00000     1.60311    60.6               
10        -11.40200     0.30000                                   
11(絞り)           ∞        可変                                   
12         37.29000     1.60000     1.60311    60.6               
13        -27.36500        可変                                   
14               ∞     1.40000     1.51633    64.1               
15               ∞        (BF)                                       
像面             ∞                                               【０５４６】
表  II−６２（非球面データ）
第1面
K= 0.00000E+00, A4= 3.31285E-04, A6=-5.35621E-06, A8= 3.55229E-08 
A10= 0.00000E+00 
第2面
K=-1.43656E+00, A4= 1.64031E-03, A6= 1.16442E-05, A8= 3.54201E-08 
A10=-9.67420E-10 
第5面
K=-4.28742E-01, A4=-6.17926E-05, A6= 4.71413E-07, A8= 0.00000E+00 
A10= 0.00000E+00【０５４７】
表  II−６３（各種データ）
ズーム比     4.80032
広角      中間      望遠
焦点距離       4.2673   10.4197   20.4845
Ｆナンバー     2.91435   4.96430   6.19959
画角        43.2524   19.5496   10.0291
像高         3.6000    3.6000    3.6000
レンズ全長     31.5321   30.1266   39.5238
ＢＦ        1.02447   1.01735   1.00496
d4          11.4400    2.3581    0.1500 
d11          1.5124    7.8769   23.1427 
d13          3.9732    5.2922    1.6441 
ズームレンズ群データ
群    始面      焦点距離
1       1      -9.22516
2       5       8.95909
3      12      26.41505【０５４８】
（数値実施例II−２２）
数値実施例II−２２のズームレンズ系は、図１３６に示した実施の形態II−２２に対応する。数値実施例II−２２のズームレンズ系の面データを表II−６４に、非球面データを表II−６５に、各種データを表II−６６に示す。【０５４９】
表  II−６４（面データ）
面番号         r           d           nd         vd                
物面             ∞                                               
1*        34.18200     1.35000     1.88300    40.8               
2*         4.69900     1.88700                                   
3          7.07000     1.60000     1.92287    18.9               
4         10.87800        可変                                   
5*         4.25100     2.00000     1.77250    49.6               
6          8.92800     0.50000     1.64769    33.8               
7          3.69800     0.48000                                   
8          8.66500     0.50000     1.76183    26.5               
9          4.04000     2.00000     1.60311    60.6               
10        -12.32600     0.30000                                   
11(絞り)           ∞        可変                                   
12         26.45400     1.60000     1.60311    60.6               
13        -48.99600        可変                                   
14               ∞     1.40000     1.51633    64.1               
15               ∞        (BF)                                       
像面             ∞                                               【０５５０】
表  II−６５（非球面データ）
第1面
K= 0.00000E+00, A4= 3.62205E-04, A6=-5.63958E-06, A8= 3.53569E-08 
A10= 0.00000E+00 
第2面
K=-1.52605E+00, A4= 1.70369E-03, A6= 2.17529E-05, A8=-5.40577E-07 
A10= 8.14121E-09 
第5面
K=-4.35512E-01, A4=-8.44450E-07, A6= 3.99899E-06, A8= 0.00000E+00 
A10= 0.00000E+00【０５５１】
表  II−６６（各種データ）
ズーム比     4.76804
広角      中間      望遠
焦点距離       4.7145   10.4216   22.4791
Ｆナンバー     2.82795   4.62162   6.42143
画角        39.1095   19.4169    9.1025
像高         3.6000    3.6000    3.6000
レンズ全長     31.8271   31.1332   41.1670
ＢＦ        1.03932   1.00578   0.97275
d4          11.4400    3.4367    0.1500 
d11          0.8955    8.6718   24.7468 
d13          4.8353    4.4019    1.6804 
ズームレンズ群データ
群    始面      焦点距離
1       1     -10.05331
2       5       9.42654
3      12      28.71276【０５５２】
（数値実施例II−２３）
数値実施例II−２３のズームレンズ系は、図１３９に示した実施の形態II−２３に対応する。数値実施例II−２３のズームレンズ系の面データを表II−６７に、非球面データを表II−６８に、各種データを表II−６９に示す。【０５５３】
表  II−６７（面データ）
面番号         r           d           nd         vd                
物面             ∞                                               
1*       132.95400     1.35000     1.88300    40.8               
2*         4.68700     1.46800                                   
3          6.81900     1.60000     1.92287    18.9               
4         11.04200        可変                                   
5*         4.17000     2.00000     1.77632    52.6               
6         10.88700     0.50000     1.64619    31.8               
7          3.66300     0.48000                                   
8          8.27600     0.50000     1.76287    27.7               
9          4.01800     2.00000     1.60281    56.0               
10        -11.07600     0.30000                                   
11(絞り)           ∞        可変                                   
12        -90.89600     1.60000     1.60311    60.6               
13        -17.48600        可変                                   
14               ∞     1.40000     1.51633    64.1               
15               ∞        (BF)                                       
像面             ∞                                               【０５５４】
表  II−６８（非球面データ）
第1面
K= 0.00000E+00, A4= 2.44936E-04, A6=-4.54400E-06, A8= 5.72566E-08 
A10= 0.00000E+00 
第2面
K=-1.48880E+00, A4= 1.58237E-03, A6= 2.31084E-06, A8=-5.39884E-07 
A10= 4.21354E-08 
第5面
K=-4.35869E-01, A4=-7.86886E-05, A6=-3.25838E-06, A8= 0.00000E+00 
A10= 0.00000E+00【０５５５】
表  II−６９（各種データ）
ズーム比     5.57548
広角      中間      望遠
焦点距離       4.3036   10.4658   23.9944
Ｆナンバー     2.92255   5.16214   7.21745
画角        43.8656   19.5147    8.6343
像高         3.6000    3.6000    3.6000
レンズ全長     31.2161   30.7032   41.9501
ＢＦ        1.05074   1.06124   1.01753
d4          11.4400    3.5088    0.1500 
d11          0.9832   10.2556   26.1962 
d13          4.5442    2.6796    1.3884 
ズームレンズ群データ
群    始面      焦点距離
1       1      -8.59764
2       5       8.56522
3      12      35.60713【０５５６】
（数値実施例II−２４）
数値実施例II−２４のズームレンズ系は、図１４２に示した実施の形態II−２４に対応する。数値実施例II−２４のズームレンズ系の面データを表II−７０に、非球面データを表II−７１に、各種データを表II−７２に示す。【０５５７】
表  II−７０（面データ）
面番号         r           d           nd         vd                
物面             ∞                                               
1*        54.53300     1.35000     1.88300    40.8               
2*         4.96100     1.47200                                   
3          6.67300     1.60000     1.92287    18.9               
4         10.19200        可変                                   
5*         4.20800     2.00000     1.78129    58.0               
6          9.60800     0.50000     1.64147    23.9               
7          3.58500     0.48000                                   
8          7.93100     0.50000     1.75881    27.4               
9          4.13600     2.00000     1.60469    40.7               
10        -14.12900     0.30000                                   
11(絞り)           ∞        可変                                   
12       -154.55700     1.60000     1.60311    60.6               
13        -16.64500        可変                                   
14               ∞     1.40000     1.51633    64.1               
15               ∞        (BF)                                       
像面             ∞                                               【０５５８】
表  II−７１（非球面データ）
第1面
K= 0.00000E+00, A4= 2.53590E-04, A6=-5.06029E-06, A8= 7.20897E-08 
A10= 0.00000E+00 
第2面
K=-1.59957E+00, A4= 1.57219E-03, A6= 1.11451E-05, A8=-8.91772E-07 
A10= 5.36076E-08 
第5面
K=-4.33780E-01, A4= 2.73110E-06, A6= 5.63913E-07, A8= 0.00000E+00 
A10= 0.00000E+00【０５５９】
表  II−７２（各種データ）
ズーム比     5.56401
広角      中間      望遠
焦点距離       4.8460   10.4141   26.9631
Ｆナンバー     2.90201   4.44683   7.33626
画角        39.6112   19.5730    7.6976
像高         3.6000    3.6000    3.6000
レンズ全長     31.3839   28.2301   42.7099
ＢＦ        1.04922   1.08220   0.98344
d4          11.4400    2.8111    0.1500 
d11          0.5529    2.7579   28.0785 
d13          5.1398    8.3769    0.2960 
ズームレンズ群データ
群    始面      焦点距離
1       1      -9.94113
2       5       9.09119
3      12      30.79516【０５６０】
以下の表II−７３に、各数値実施例のズームレンズ系における各条件の対応値を示す。ただし表II−７３中、ＹＷは、
ＹＷ：広角端での全系の焦点距離ｆＷにおける、第２レンズ群の、最大ぶれ補正時の光軸に対して垂直方向への移動量
を示し、ズームレンズ系が広角端の状態のとき、すなわち条件式（３）においてＹ＝ＹＷ（ｆ＝ｆＷ）のときの対応値（ＹＷ／ＹＴ）／（ｆＷ／ｆＴ）を求めた。【０５６１】
表  II−７３（条件の対応値）
【表９】
2009096157.tif 000012
【表１０】
2009096157.tif 000013
【表１１】
2009096157.tif 000014
【表１２】
2009096157.tif 000015
【表１３】
2009096157.tif 000016
【表１４】
2009096157.tif 000017
【産業上の利用可能性】
【０５６２】
本発明に係るズームレンズ系は、デジタルカメラ、携帯電話機器、ＰＤＡ（Ｐｅｒｓｏｎａｌ  Ｄｉｇｉｔａｌ  Ａｓｓｉｓｔａｎｃｅ）、監視システムにおける監視カメラ、Ｗｅｂカメラ、車載カメラ等のデジタル入力装置に適用可能であり、特にデジタルカメラ等の高画質が要求される撮影光学系に好適である。
【図１】
2009096157.tif 000018
【図２】
2009096157.tif 000019
【図３】
2009096157.tif 000020
【図４】
2009096157.tif 000021
【図５】
2009096157.tif 000022
【図６】
2009096157.tif 000023
【図７】
2009096157.tif 000024
【図８】
2009096157.tif 000025
【図９】
2009096157.tif 000026
【図１０】
2009096157.tif 000027
【図１１】
2009096157.tif 000028
【図１２】
2009096157.tif 000029
【図１３】
2009096157.tif 000030
【図１４】
2009096157.tif 000031
【図１５】
2009096157.tif 000032
【図１６】
2009096157.tif 000033
【図１７】
2009096157.tif 000034
【図１８】
2009096157.tif 000035
【図１９】
2009096157.tif 000036
【図２０】
2009096157.tif 000037
【図２１】
2009096157.tif 000038
【図２２】
2009096157.tif 000039
【図２３】
2009096157.tif 000040
【図２４】
2009096157.tif 000041
【図２５】
2009096157.tif 000042
【図２６】
2009096157.tif 000043
【図２７】
2009096157.tif 000044
【図２８】
2009096157.tif 000045
【図２９】
2009096157.tif 000046
【図３０】
2009096157.tif 000047
【図３１】
2009096157.tif 000048
【図３２】
2009096157.tif 000049
【図３３】
2009096157.tif 000050
【図３４】
2009096157.tif 000051
【図３５】
2009096157.tif 000052
【図３６】
2009096157.tif 000053
【図３７】
2009096157.tif 000054
【図３８】
2009096157.tif 000055
【図３９】
2009096157.tif 000056
【図４０】
2009096157.tif 000057
【図４１】
2009096157.tif 000058
【図４２】
2009096157.tif 000059
【図４３】
2009096157.tif 000060
【図４４】
2009096157.tif 000061
【図４５】
2009096157.tif 000062
【図４６】
2009096157.tif 000063
【図４７】
2009096157.tif 000064
【図４８】
2009096157.tif 000065
【図４９】
2009096157.tif 000066
【図５０】
2009096157.tif 000067
【図５１】
2009096157.tif 000068
【図５２】
2009096157.tif 000069
【図５３】
2009096157.tif 000070
【図５４】
2009096157.tif 000071
【図５５】
2009096157.tif 000072
【図５６】
2009096157.tif 000073
【図５７】
2009096157.tif 000074
【図５８】
2009096157.tif 000075
【図５９】
2009096157.tif 000076
【図６０】
2009096157.tif 000077
【図６１】
2009096157.tif 000078
【図６２】
2009096157.tif 000079
【図６３】
2009096157.tif 000080
【図６４】
2009096157.tif 000081
【図６５】
2009096157.tif 000082
【図６６】
2009096157.tif 000083
【図６７】
2009096157.tif 000084
【図６８】
2009096157.tif 000085
【図６９】
2009096157.tif 000086
【図７０】
2009096157.tif 000087
【図７１】
2009096157.tif 000088
【図７２】
2009096157.tif 000089
【図７３】
2009096157.tif 000090
【図７４】
2009096157.tif 000091
【図７５】
2009096157.tif 000092
【図７６】
2009096157.tif 000093
【図７７】
2009096157.tif 000094
【図７８】
2009096157.tif 000095
【図７９】
2009096157.tif 000096
【図８０】
2009096157.tif 000097
【図８１】
2009096157.tif 000098
【図８２】
2009096157.tif 000099
【図８３】
2009096157.tif 000100
【図８４】
2009096157.tif 000101
【図８５】
2009096157.tif 000102
【図８６】
2009096157.tif 000103
【図８７】
2009096157.tif 000104
【図８８】
2009096157.tif 000105
【図８９】
2009096157.tif 000106
【図９０】
2009096157.tif 000107
【図９１】
2009096157.tif 000108
【図９２】
2009096157.tif 000109
【図９３】
2009096157.tif 000110
【図９４】
2009096157.tif 000111
【図９５】
2009096157.tif 000112
【図９６】
2009096157.tif 000113
【図９７】
2009096157.tif 000114
【図９８】
2009096157.tif 000115
【図９９】
2009096157.tif 000116
【図１００】
2009096157.tif 000117
【図１０１】
2009096157.tif 000118
【図１０２】
2009096157.tif 000119
【図１０３】
2009096157.tif 000120
【図１０４】
2009096157.tif 000121
【図１０５】
2009096157.tif 000122
【図１０６】
2009096157.tif 000123
【図１０７】
2009096157.tif 000124
【図１０８】
2009096157.tif 000125
【図１０９】
2009096157.tif 000126
【図１１０】
2009096157.tif 000127
【図１１１】
2009096157.tif 000128
【図１１２】
2009096157.tif 000129
【図１１３】
2009096157.tif 000130
【図１１４】
2009096157.tif 000131
【図１１５】
2009096157.tif 000132
【図１１６】
2009096157.tif 000133
【図１１７】
2009096157.tif 000134
【図１１８】
2009096157.tif 000135
【図１１９】
2009096157.tif 000136
【図１２０】
2009096157.tif 000137
【図１２１】
2009096157.tif 000138
【図１２２】
2009096157.tif 000139
【図１２３】
2009096157.tif 000140
【図１２４】
2009096157.tif 000141
【図１２５】
2009096157.tif 000142
【図１２６】
2009096157.tif 000143
【図１２７】
2009096157.tif 000144
【図１２８】
2009096157.tif 000145
【図１２９】
2009096157.tif 000146
【図１３０】
2009096157.tif 000147
【図１３１】
2009096157.tif 000148
【図１３２】
2009096157.tif 000149
【図１３３】
2009096157.tif 000150
【図１３４】
2009096157.tif 000151
【図１３５】
2009096157.tif 000152
【図１３６】
2009096157.tif 000153
【図１３７】
2009096157.tif 000154
【図１３８】
2009096157.tif 000155
【図１３９】
2009096157.tif 000156
【図１４０】
2009096157.tif 000157
【図１４１】
2009096157.tif 000158
【図１４２】
2009096157.tif 000159
【図１４３】
2009096157.tif 000160
【図１４４】
2009096157.tif 000161
【図１４５】
2009096157.tif 000162
【手続補正書】
【提出日】平成22年7月27日(2010.7.27)
【手続補正１】
【補正対象書類名】明細書
【補正対象項目名】全文
【補正方法】変更
【補正の内容】
【発明の詳細な説明】
【技術分野】
【０００１】
本発明は、ズームレンズ系、撮像装置及びカメラに関する。特に本発明は、高解像度を有するのは勿論のこと、光学全長（レンズ全長）が短いだけでなく、変倍比が５倍程度と大きく、しかも広角端での画角が７０°程度で広角撮影に充分に適応し得るズームレンズ系、該ズームレンズ系を含む撮像装置、及び該撮像装置を備えた薄型で極めてコンパクトなカメラに関する。
【背景技術】
【０００２】
近年、高画素のＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）等の固体撮像素子の開発が進み、これら高画素の固体撮像素子に対応した、高い光学性能を有する撮像光学系を含む撮像装置を備えたデジタルスチルカメラやデジタルビデオカメラ（以下、単に「デジタルカメラ」という）が急速に普及してきている。このような高い光学性能を有するデジタルカメラの中でも、特にコンパクトタイプのデジタルカメラの需要が高まってきている。
【０００３】
前記コンパクトタイプのデジタルカメラに対しては、携帯及び収納が容易であるという点から、さらなる薄型化が求められている。このようなコンパクトタイプで薄型のデジタルカメラを実現するために、従来より、物体側から像側へと順に、負のパワーを有する第１レンズ群と、正のパワーを有する第２レンズ群と、正のパワーを有する第３レンズ群とが配置されたネガティブリード型の３群構成で、光学全長（レンズ全長：レンズ系全体の最も物体側のレンズ面の頂点から像面までの距離）が短いズームレンズ系が種々提案されている。
【０００４】
例えば特許第３５１３３６９号公報には、物体側から像側へと順に負正正の３つのレンズ群を有し、広角端と比較して望遠端で、第１、第２レンズ群の間隔及び第２、第３レンズ群の間隔が何れも減少するように各レンズ群を移動させて変倍を行い、第１レンズ群は負正２枚のレンズから、第２レンズ群は独立した正負２枚のレンズから、第３レンズ群は１枚の正レンズからなり、第２レンズ群に含まれる負レンズの物体側面の曲率半径と、全系の広角端での焦点距離とが特定の関係を満足するズームレンズが開示されている。かかる特許第３５１３３６９号公報に開示のズームレンズは、光学全長の短縮化が図られ、全変倍範囲にわたり高い光学性能を有するものである。
【０００５】
また特開２００６−３０１１５４号公報には、物体側から像側へと順に負正正の３つのレンズ群を有し、変倍時に各レンズ群の間隔が変化し、撮影像高と全系の広角端での焦点距離、第１、第２レンズ群の軸上間隔と第１レンズ群の焦点距離、第１、第２レンズ群の軸上間隔と第２レンズ群の焦点距離が、各々特定の関係を満足し、特定範囲の変倍比を有するズームレンズが開示されている。かかる特開２００６−３０１１５４号公報に開示のズームレンズは、広角端での画角が大きく、比較的大きい変倍比を有するものである。
【０００６】
また特開２００６−０６５０３４号公報には、物体側から像側へと順に負正正の３つのレンズ群を有し、変倍時に各レンズ群の間隔が変化し、第１レンズ群は負正２枚のレンズから、第２レンズ群は正負２枚のレンズで構成される第２ａレンズ群と該第２ａレンズ群の像側に配置された少なくとも１枚の正レンズで構成される第２ｂレンズ群とから、第３レンズ群は少なくとも１枚の正レンズからなり、第２レンズ群の広角端、望遠端での結像倍率、第１、第２レンズ群の広角端での間隔、第２、第３レンズ群の望遠端での間隔が特定の関係を満足するズームレンズが開示されている。かかる特開２００６−０６５０３４号公報に開示のズームレンズは、所望の光学性能を維持しつつ、構成レンズ枚数が少なく、比較的コンパクトなものである。
【先行技術文献】
【特許文献】
【０００７】
【特許文献１】特許第３５１３３６９号公報
【特許文献２】特開２００６−３０１１５４号公報
【特許文献３】特開２００６−０６５０３４号公報
【発明の概要】
【発明が解決しようとする課題】
【０００８】
しかしながら、特許第３５１３３６９号公報に開示のズームレンズは、高い光学性能を有し、広角端での画角も６５〜７５°と大きく、光学全長が短いのでコンパクトタイプのデジタルカメラのさらなる薄型化が可能であるものの、変倍比が３倍程度と小さく、近年のコンパクトタイプのデジタルカメラに対する要求を満足し得るものではない。
【０００９】
また特開２００６−３０１１５４号公報に開示のズームレンズは、広角撮影に充分な画角を有し、前記特許第３５１３３６９号公報に開示のズームレンズよりも大きな変倍比を有するものの、変倍時における第２レンズ群の光軸上の移動量が大きくなるようなレンズ構成であるので、光学全長が長く、コンパクトタイプのデジタルカメラのさらなる薄型化を図ることができない。
【００１０】
また特開２００６−０６５０３４号公報に開示のズームレンズも、前記特許第３５１３３６９号公報に開示のズームレンズと同様に、所望の光学性能を維持しつつ、広角撮影に充分な画角を有し、光学全長が短いのでコンパクトタイプのデジタルカメラのさらなる薄型化が可能であるものの、やはり変倍比が３倍程度と小さく、近年のコンパクトタイプのデジタルカメラに対する要求を満足し得るものではない。
【００１１】
本発明の目的は、高解像度を有するのは勿論のこと、光学全長が短いだけでなく、変倍比が５倍程度と大きく、しかも広角端での画角が７０°程度で広角撮影に充分に適応し得るズームレンズ系、該ズームレンズ系を含む撮像装置、及び該撮像装置を備えた薄型で極めてコンパクトなカメラを提供することである。
【課題を解決するための手段】
【００１２】
（Ｉ）上記目的の１つは、以下のズームレンズ系により達成される。すなわち本発明は、
少なくとも１枚のレンズ素子で構成されたレンズ群を複数有するズームレンズ系であって、
物体側から像側へと順に、
負のパワーを有し、２枚のレンズ素子からなる第１レンズ群と、
正のパワーを有する第２レンズ群と、
正のパワーを有する第３レンズ群とを備え、
撮像時の広角端から望遠端へのズーミングの際に、前記第１レンズ群と第２レンズ群との間隔が減少し、かつ第２レンズ群と第３レンズ群との間隔が増大するように各レンズ群を光軸に沿ってそれぞれ移動させて変倍を行い、
以下の条件（１）：
０．１０＜Ｄ２／（Ｉｒ×Ｚ２）＜０．３０  ・・・（１）
（ただし、Ｚ＝ｆＴ／ｆＷ＞４．０、ωＷ＞３５）
（ここで、
Ｄ２：望遠端から広角端へ向けての第２レンズ群の移動量（像側から物体側へ移動する場合を正とする）、
Ｉｒ：最大像高（Ｉｒ＝ｆＴ×ｔａｎ（ωＴ））、
ｆＴ：望遠端における全系の焦点距離、
ｆＷ：広角端における全系の焦点距離、
ωＷ：広角端における最大画角の半値（°）、
ωＴ：望遠端における最大画角の半値（°）
である）
を満足する、ズームレンズ系
に関する。
【００１３】
上記目的の１つは、以下の撮像装置により達成される。すなわち本発明は、
物体の光学的な像を電気的な画像信号として出力可能な撮像装置であって、
物体の光学的な像を形成するズームレンズ系と、
該ズームレンズ系により形成された光学的な像を電気的な画像信号に変換する撮像素子とを備え、
前記ズームレンズ系が、
少なくとも１枚のレンズ素子で構成されたレンズ群を複数有し、
物体側から像側へと順に、
負のパワーを有し、２枚のレンズ素子からなる第１レンズ群と、
正のパワーを有する第２レンズ群と、
正のパワーを有する第３レンズ群とを備え、
撮像時の広角端から望遠端へのズーミングの際に、前記第１レンズ群と第２レンズ群との間隔が減少し、かつ第２レンズ群と第３レンズ群との間隔が増大するように各レンズ群を光軸に沿ってそれぞれ移動させて変倍を行い、
以下の条件（１）：
０．１０＜Ｄ２／（Ｉｒ×Ｚ２）＜０．３０  ・・・（１）
（ただし、Ｚ＝ｆＴ／ｆＷ＞４．０、ωＷ＞３５）
（ここで、
Ｄ２：望遠端から広角端へ向けての第２レンズ群の移動量（像側から物体側へ移動する場合を正とする）、
Ｉｒ：最大像高（Ｉｒ＝ｆＴ×ｔａｎ（ωＴ））、
ｆＴ：望遠端における全系の焦点距離、
ｆＷ：広角端における全系の焦点距離、
ωＷ：広角端における最大画角の半値（°）、
ωＴ：望遠端における最大画角の半値（°）
である）
を満足するズームレンズ系である、撮像装置
に関する。
【００１４】
上記目的の１つは、以下のカメラにより達成される。すなわち本発明は、
物体の光学的な像を電気的な画像信号に変換し、変換された画像信号の表示及び記憶の少なくとも一方を行うカメラであって、
物体の光学的な像を形成するズームレンズ系と、該ズームレンズ系により形成された光学的な像を電気的な画像信号に変換する撮像素子とを含む撮像装置を備え、
前記ズームレンズ系が、
少なくとも１枚のレンズ素子で構成されたレンズ群を複数有し、
物体側から像側へと順に、
負のパワーを有し、２枚のレンズ素子からなる第１レンズ群と、
正のパワーを有する第２レンズ群と、
正のパワーを有する第３レンズ群とを備え、
撮像時の広角端から望遠端へのズーミングの際に、前記第１レンズ群と第２レンズ群との間隔が減少し、かつ第２レンズ群と第３レンズ群との間隔が増大するように各レンズ群を光軸に沿ってそれぞれ移動させて変倍を行い、
以下の条件（１）：
０．１０＜Ｄ２／（Ｉｒ×Ｚ２）＜０．３０  ・・・（１）
（ただし、Ｚ＝ｆＴ／ｆＷ＞４．０、ωＷ＞３５）
（ここで、
Ｄ２：望遠端から広角端へ向けての第２レンズ群の移動量（像側から物体側へ移動する場合を正とする）、
Ｉｒ：最大像高（Ｉｒ＝ｆＴ×ｔａｎ（ωＴ））、
ｆＴ：望遠端における全系の焦点距離、
ｆＷ：広角端における全系の焦点距離、
ωＷ：広角端における最大画角の半値（°）、
ωＴ：望遠端における最大画角の半値（°）
である）
を満足するズームレンズ系である、カメラ
に関する。
【００１５】
（II）上記目的の１つは、以下のズームレンズ系により達成される。すなわち本発明は、
少なくとも１枚のレンズ素子で構成されたレンズ群を複数有するズームレンズ系であって、
物体側から像側へと順に、
負のパワーを有し、２枚のレンズ素子からなる第１レンズ群と、
正のパワーを有する第２レンズ群と、
正のパワーを有する第３レンズ群とを備え、
撮像時の広角端から望遠端へのズーミングの際に、前記第１レンズ群と第２レンズ群との間隔が減少し、かつ第２レンズ群と第３レンズ群との間隔が増大するように各レンズ群を光軸に沿ってそれぞれ移動させて変倍を行い、
以下の条件（４）：
０．１０＜（Ｄ２Ｔ−Ｄ２Ｗ）／（Ｉｒ×Ｚ２）＜０．３０  ・・・（４）
（ただし、Ｚ＝ｆＴ／ｆＷ＞４．０、ωＷ＞３５）
（ここで、
Ｄ２Ｔ：望遠端における第２レンズ群の最像側から第３レンズ群の最物体側までの軸上間隔、
Ｄ２Ｗ：広角端における第２レンズ群の最像側から第３レンズ群の最物体側までの軸上間隔、
Ｉｒ：最大像高（Ｉｒ＝ｆＴ×ｔａｎ（ωＴ））、
ｆＴ：望遠端における全系の焦点距離、
ｆＷ：広角端における全系の焦点距離、
ωＷ：広角端における最大画角の半値（°）、
ωＴ：望遠端における最大画角の半値（°）
である）
を満足する、ズームレンズ系
に関する。
【００１６】
上記目的の１つは、以下の撮像装置により達成される。すなわち本発明は、
物体の光学的な像を電気的な画像信号として出力可能な撮像装置であって、
物体の光学的な像を形成するズームレンズ系と、
該ズームレンズ系により形成された光学的な像を電気的な画像信号に変換する撮像素子とを備え、
前記ズームレンズ系が、
少なくとも１枚のレンズ素子で構成されたレンズ群を複数有し、
物体側から像側へと順に、
負のパワーを有し、２枚のレンズ素子からなる第１レンズ群と、
正のパワーを有する第２レンズ群と、
正のパワーを有する第３レンズ群とを備え、
撮像時の広角端から望遠端へのズーミングの際に、前記第１レンズ群と第２レンズ群との間隔が減少し、かつ第２レンズ群と第３レンズ群との間隔が増大するように各レンズ群を光軸に沿ってそれぞれ移動させて変倍を行い、
以下の条件（４）：
０．１０＜（Ｄ２Ｔ−Ｄ２Ｗ）／（Ｉｒ×Ｚ２）＜０．３０  ・・・（４）
（ただし、Ｚ＝ｆＴ／ｆＷ＞４．０、ωＷ＞３５）
（ここで、
Ｄ２Ｔ：望遠端における第２レンズ群の最像側から第３レンズ群の最物体側までの軸上間隔、
Ｄ２Ｗ：広角端における第２レンズ群の最像側から第３レンズ群の最物体側までの軸上間隔、
Ｉｒ：最大像高（Ｉｒ＝ｆＴ×ｔａｎ（ωＴ））、
ｆＴ：望遠端における全系の焦点距離、
ｆＷ：広角端における全系の焦点距離、
ωＷ：広角端における最大画角の半値（°）、
ωＴ：望遠端における最大画角の半値（°）
である）
を満足するズームレンズ系である、撮像装置
に関する。
【００１７】
上記目的の１つは、以下のカメラにより達成される。すなわち本発明は、
物体の光学的な像を電気的な画像信号に変換し、変換された画像信号の表示及び記憶の少なくとも一方を行うカメラであって、
物体の光学的な像を形成するズームレンズ系と、該ズームレンズ系により形成された光学的な像を電気的な画像信号に変換する撮像素子とを含む撮像装置を備え、
前記ズームレンズ系が、
少なくとも１枚のレンズ素子で構成されたレンズ群を複数有し、
物体側から像側へと順に、
負のパワーを有し、２枚のレンズ素子からなる第１レンズ群と、
正のパワーを有する第２レンズ群と、
正のパワーを有する第３レンズ群とを備え、
撮像時の広角端から望遠端へのズーミングの際に、前記第１レンズ群と第２レンズ群との間隔が減少し、かつ第２レンズ群と第３レンズ群との間隔が増大するように各レンズ群を光軸に沿ってそれぞれ移動させて変倍を行い、
以下の条件（４）：
０．１０＜（Ｄ２Ｔ−Ｄ２Ｗ）／（Ｉｒ×Ｚ２）＜０．３０  ・・・（４）
（ただし、Ｚ＝ｆＴ／ｆＷ＞４．０、ωＷ＞３５）
（ここで、
Ｄ２Ｔ：望遠端における第２レンズ群の最像側から第３レンズ群の最物体側までの軸上間隔、
Ｄ２Ｗ：広角端における第２レンズ群の最像側から第３レンズ群の最物体側までの軸上間隔、
Ｉｒ：最大像高（Ｉｒ＝ｆＴ×ｔａｎ（ωＴ））、
ｆＴ：望遠端における全系の焦点距離、
ｆＷ：広角端における全系の焦点距離、
ωＷ：広角端における最大画角の半値（°）、
ωＴ：望遠端における最大画角の半値（°）
である）
を満足するズームレンズ系である、カメラ
に関する。
【発明の効果】
【００１８】
本発明によれば、高解像度を有するのは勿論のこと、光学全長が短いだけでなく、変倍比が５倍程度と大きく、しかも広角端での画角が７０°程度で広角撮影に充分に適応し得るズームレンズ系を提供することができる。さらに本発明によれば、該ズームレンズ系を含む撮像装置、及び該撮像装置を備えた薄型で極めてコンパクトなカメラを提供することができる。
【図面の簡単な説明】
【００１９】
【図１】実施の形態Ｉ−１（実施例Ｉ−１）に係るズームレンズ系の無限遠合焦状態を示すレンズ配置図
【図２】実施例Ｉ−１に係るズームレンズ系の無限遠合焦状態の縦収差図
【図３】実施例Ｉ−１に係るズームレンズ系の望遠端における、像ぶれ補正を行っていない基本状態及び像ぶれ補正状態での横収差図
【図４】実施の形態Ｉ−２（実施例Ｉ−２）に係るズームレンズ系の無限遠合焦状態を示すレンズ配置図
【図５】実施例Ｉ−２に係るズームレンズ系の無限遠合焦状態の縦収差図
【図６】実施例Ｉ−２に係るズームレンズ系の望遠端における、像ぶれ補正を行っていない基本状態及び像ぶれ補正状態での横収差図
【図７】実施の形態Ｉ−３（実施例Ｉ−３）に係るズームレンズ系の無限遠合焦状態を示すレンズ配置図
【図８】実施例Ｉ−３に係るズームレンズ系の無限遠合焦状態の縦収差図
【図９】実施例Ｉ−３に係るズームレンズ系の望遠端における、像ぶれ補正を行っていない基本状態及び像ぶれ補正状態での横収差図
【図１０】実施の形態Ｉ−４（実施例Ｉ−４）に係るズームレンズ系の無限遠合焦状態を示すレンズ配置図
【図１１】実施例Ｉ−４に係るズームレンズ系の無限遠合焦状態の縦収差図
【図１２】実施例Ｉ−４に係るズームレンズ系の望遠端における、像ぶれ補正を行っていない基本状態及び像ぶれ補正状態での横収差図
【図１３】実施の形態Ｉ−５（実施例Ｉ−５）に係るズームレンズ系の無限遠合焦状態を示すレンズ配置図
【図１４】実施例Ｉ−５に係るズームレンズ系の無限遠合焦状態の縦収差図
【図１５】実施例Ｉ−５に係るズームレンズ系の望遠端における、像ぶれ補正を行っていない基本状態及び像ぶれ補正状態での横収差図
【図１６】実施の形態Ｉ−６（実施例Ｉ−６）に係るズームレンズ系の無限遠合焦状態を示すレンズ配置図
【図１７】実施例Ｉ−６に係るズームレンズ系の無限遠合焦状態の縦収差図
【図１８】実施例Ｉ−６に係るズームレンズ系の望遠端における、像ぶれ補正を行っていない基本状態及び像ぶれ補正状態での横収差図
【図１９】実施の形態Ｉ−７（実施例Ｉ−７）に係るズームレンズ系の無限遠合焦状態を示すレンズ配置図
【図２０】実施例Ｉ−７に係るズームレンズ系の無限遠合焦状態の縦収差図
【図２１】実施例Ｉ−７に係るズームレンズ系の望遠端における、像ぶれ補正を行っていない基本状態及び像ぶれ補正状態での横収差図
【図２２】実施の形態Ｉ−８（実施例Ｉ−８）に係るズームレンズ系の無限遠合焦状態を示すレンズ配置図
【図２３】実施例Ｉ−８に係るズームレンズ系の無限遠合焦状態の縦収差図
【図２４】実施例Ｉ−８に係るズームレンズ系の望遠端における、像ぶれ補正を行っていない基本状態及び像ぶれ補正状態での横収差図
【図２５】実施の形態Ｉ−９（実施例Ｉ−９）に係るズームレンズ系の無限遠合焦状態を示すレンズ配置図
【図２６】実施例Ｉ−９に係るズームレンズ系の無限遠合焦状態の縦収差図
【図２７】実施例Ｉ−９に係るズームレンズ系の望遠端における、像ぶれ補正を行っていない基本状態及び像ぶれ補正状態での横収差図
【図２８】実施の形態Ｉ−１０（実施例Ｉ−１０）に係るズームレンズ系の無限遠合焦状態を示すレンズ配置図
【図２９】実施例Ｉ−１０に係るズームレンズ系の無限遠合焦状態の縦収差図
【図３０】実施例Ｉ−１０に係るズームレンズ系の望遠端における、像ぶれ補正を行っていない基本状態及び像ぶれ補正状態での横収差図
【図３１】実施の形態Ｉ−１１（実施例Ｉ−１１）に係るズームレンズ系の無限遠合焦状態を示すレンズ配置図
【図３２】実施例Ｉ−１１に係るズームレンズ系の無限遠合焦状態の縦収差図
【図３３】実施例Ｉ−１１に係るズームレンズ系の望遠端における、像ぶれ補正を行っていない基本状態及び像ぶれ補正状態での横収差図
【図３４】実施の形態Ｉ−１２（実施例Ｉ−１２）に係るズームレンズ系の無限遠合焦状態を示すレンズ配置図
【図３５】実施例Ｉ−１２に係るズームレンズ系の無限遠合焦状態の縦収差図
【図３６】実施例Ｉ−１２に係るズームレンズ系の望遠端における、像ぶれ補正を行っていない基本状態及び像ぶれ補正状態での横収差図
【図３７】実施の形態Ｉ−１３（実施例Ｉ−１３）に係るズームレンズ系の無限遠合焦状態を示すレンズ配置図
【図３８】実施例Ｉ−１３に係るズームレンズ系の無限遠合焦状態の縦収差図
【図３９】実施例Ｉ−１３に係るズームレンズ系の望遠端における、像ぶれ補正を行っていない基本状態及び像ぶれ補正状態での横収差図
【図４０】実施の形態Ｉ−１４（実施例Ｉ−１４）に係るズームレンズ系の無限遠合焦状態を示すレンズ配置図
【図４１】実施例Ｉ−１４に係るズームレンズ系の無限遠合焦状態の縦収差図
【図４２】実施例Ｉ−１４に係るズームレンズ系の望遠端における、像ぶれ補正を行っていない基本状態及び像ぶれ補正状態での横収差図
【図４３】実施の形態Ｉ−１５（実施例Ｉ−１５）に係るズームレンズ系の無限遠合焦状態を示すレンズ配置図
【図４４】実施例Ｉ−１５に係るズームレンズ系の無限遠合焦状態の縦収差図
【図４５】実施例Ｉ−１５に係るズームレンズ系の望遠端における、像ぶれ補正を行っていない基本状態及び像ぶれ補正状態での横収差図
【図４６】実施の形態Ｉ−１６（実施例Ｉ−１６）に係るズームレンズ系の無限遠合焦状態を示すレンズ配置図
【図４７】実施例Ｉ−１６に係るズームレンズ系の無限遠合焦状態の縦収差図
【図４８】実施例Ｉ−１６に係るズームレンズ系の望遠端における、像ぶれ補正を行っていない基本状態及び像ぶれ補正状態での横収差図
【図４９】実施の形態Ｉ−１７（実施例Ｉ−１７）に係るズームレンズ系の無限遠合焦状態を示すレンズ配置図
【図５０】実施例Ｉ−１７に係るズームレンズ系の無限遠合焦状態の縦収差図
【図５１】実施例Ｉ−１７に係るズームレンズ系の望遠端における、像ぶれ補正を行っていない基本状態及び像ぶれ補正状態での横収差図
【図５２】実施の形態Ｉ−１８（実施例Ｉ−１８）に係るズームレンズ系の無限遠合焦状態を示すレンズ配置図
【図５３】実施例Ｉ−１８に係るズームレンズ系の無限遠合焦状態の縦収差図
【図５４】実施例Ｉ−１８に係るズームレンズ系の望遠端における、像ぶれ補正を行っていない基本状態及び像ぶれ補正状態での横収差図
【図５５】実施の形態Ｉ−１９（実施例Ｉ−１９）に係るズームレンズ系の無限遠合焦状態を示すレンズ配置図
【図５６】実施例Ｉ−１９に係るズームレンズ系の無限遠合焦状態の縦収差図
【図５７】実施例Ｉ−１９に係るズームレンズ系の望遠端における、像ぶれ補正を行っていない基本状態及び像ぶれ補正状態での横収差図
【図５８】実施の形態Ｉ−２０（実施例Ｉ−２０）に係るズームレンズ系の無限遠合焦状態を示すレンズ配置図
【図５９】実施例Ｉ−２０に係るズームレンズ系の無限遠合焦状態の縦収差図
【図６０】実施例Ｉ−２０に係るズームレンズ系の望遠端における、像ぶれ補正を行っていない基本状態及び像ぶれ補正状態での横収差図
【図６１】実施の形態Ｉ−２１（実施例Ｉ−２１）に係るズームレンズ系の無限遠合焦状態を示すレンズ配置図
【図６２】実施例Ｉ−２１に係るズームレンズ系の無限遠合焦状態の縦収差図
【図６３】実施例Ｉ−２１に係るズームレンズ系の望遠端における、像ぶれ補正を行っていない基本状態及び像ぶれ補正状態での横収差図
【図６４】実施の形態Ｉ−２２（実施例Ｉ−２２）に係るズームレンズ系の無限遠合焦状態を示すレンズ配置図
【図６５】実施例Ｉ−２２に係るズームレンズ系の無限遠合焦状態の縦収差図
【図６６】実施例Ｉ−２２に係るズームレンズ系の望遠端における、像ぶれ補正を行っていない基本状態及び像ぶれ補正状態での横収差図
【図６７】実施の形態Ｉ−２３（実施例Ｉ−２３）に係るズームレンズ系の無限遠合焦状態を示すレンズ配置図
【図６８】実施例Ｉ−２３に係るズームレンズ系の無限遠合焦状態の縦収差図
【図６９】実施例Ｉ−２３に係るズームレンズ系の望遠端における、像ぶれ補正を行っていない基本状態及び像ぶれ補正状態での横収差図
【図７０】実施の形態Ｉ−２４（実施例Ｉ−２４）に係るズームレンズ系の無限遠合焦状態を示すレンズ配置図
【図７１】実施例Ｉ−２４に係るズームレンズ系の無限遠合焦状態の縦収差図
【図７２】実施例Ｉ−２４に係るズームレンズ系の望遠端における、像ぶれ補正を行っていない基本状態及び像ぶれ補正状態での横収差図
【図７３】実施の形態II−１（実施例II−１）に係るズームレンズ系の無限遠合焦状態を示すレンズ配置図
【図７４】実施例II−１に係るズームレンズ系の無限遠合焦状態の縦収差図
【図７５】実施例II−１に係るズームレンズ系の望遠端における、像ぶれ補正を行っていない基本状態及び像ぶれ補正状態での横収差図
【図７６】実施の形態II−２（実施例II−２）に係るズームレンズ系の無限遠合焦状態を示すレンズ配置図
【図７７】実施例II−２に係るズームレンズ系の無限遠合焦状態の縦収差図
【図７８】実施例II−２に係るズームレンズ系の望遠端における、像ぶれ補正を行っていない基本状態及び像ぶれ補正状態での横収差図
【図７９】実施の形態II−３（実施例II−３）に係るズームレンズ系の無限遠合焦状態を示すレンズ配置図
【図８０】実施例II−３に係るズームレンズ系の無限遠合焦状態の縦収差図
【図８１】実施例II−３に係るズームレンズ系の望遠端における、像ぶれ補正を行っていない基本状態及び像ぶれ補正状態での横収差図
【図８２】実施の形態II−４（実施例II−４）に係るズームレンズ系の無限遠合焦状態を示すレンズ配置図
【図８３】実施例II−４に係るズームレンズ系の無限遠合焦状態の縦収差図
【図８４】実施例II−４に係るズームレンズ系の望遠端における、像ぶれ補正を行っていない基本状態及び像ぶれ補正状態での横収差図
【図８５】実施の形態II−５（実施例II−５）に係るズームレンズ系の無限遠合焦状態を示すレンズ配置図
【図８６】実施例II−５に係るズームレンズ系の無限遠合焦状態の縦収差図
【図８７】実施例II−５に係るズームレンズ系の望遠端における、像ぶれ補正を行っていない基本状態及び像ぶれ補正状態での横収差図
【図８８】実施の形態II−６（実施例II−６）に係るズームレンズ系の無限遠合焦状態を示すレンズ配置図
【図８９】実施例II−６に係るズームレンズ系の無限遠合焦状態の縦収差図
【図９０】実施例II−６に係るズームレンズ系の望遠端における、像ぶれ補正を行っていない基本状態及び像ぶれ補正状態での横収差図
【図９１】実施の形態II−７（実施例II−７）に係るズームレンズ系の無限遠合焦状態を示すレンズ配置図
【図９２】実施例II−７に係るズームレンズ系の無限遠合焦状態の縦収差図
【図９３】実施例II−７に係るズームレンズ系の望遠端における、像ぶれ補正を行っていない基本状態及び像ぶれ補正状態での横収差図
【図９４】実施の形態II−８（実施例II−８）に係るズームレンズ系の無限遠合焦状態を示すレンズ配置図
【図９５】実施例II−８に係るズームレンズ系の無限遠合焦状態の縦収差図
【図９６】実施例II−８に係るズームレンズ系の望遠端における、像ぶれ補正を行っていない基本状態及び像ぶれ補正状態での横収差図
【図９７】実施の形態II−９（実施例II−９）に係るズームレンズ系の無限遠合焦状態を示すレンズ配置図
【図９８】実施例II−９に係るズームレンズ系の無限遠合焦状態の縦収差図
【図９９】実施例II−９に係るズームレンズ系の望遠端における、像ぶれ補正を行っていない基本状態及び像ぶれ補正状態での横収差図
【図１００】実施の形態II−１０（実施例II−１０）に係るズームレンズ系の無限遠合焦状態を示すレンズ配置図
【図１０１】実施例II−１０に係るズームレンズ系の無限遠合焦状態の縦収差図
【図１０２】実施例II−１０に係るズームレンズ系の望遠端における、像ぶれ補正を行っていない基本状態及び像ぶれ補正状態での横収差図
【図１０３】実施の形態II−１１（実施例II−１１）に係るズームレンズ系の無限遠合焦状態を示すレンズ配置図
【図１０４】実施例II−１１に係るズームレンズ系の無限遠合焦状態の縦収差図
【図１０５】実施例II−１１に係るズームレンズ系の望遠端における、像ぶれ補正を行っていない基本状態及び像ぶれ補正状態での横収差図
【図１０６】実施の形態II−１２（実施例II−１２）に係るズームレンズ系の無限遠合焦状態を示すレンズ配置図
【図１０７】実施例II−１２に係るズームレンズ系の無限遠合焦状態の縦収差図
【図１０８】実施例II−１２に係るズームレンズ系の望遠端における、像ぶれ補正を行っていない基本状態及び像ぶれ補正状態での横収差図
【図１０９】実施の形態II−１３（実施例II−１３）に係るズームレンズ系の無限遠合焦状態を示すレンズ配置図
【図１１０】実施例II−１３に係るズームレンズ系の無限遠合焦状態の縦収差図
【図１１１】実施例II−１３に係るズームレンズ系の望遠端における、像ぶれ補正を行っていない基本状態及び像ぶれ補正状態での横収差図
【図１１２】実施の形態II−１４（実施例II−１４）に係るズームレンズ系の無限遠合焦状態を示すレンズ配置図
【図１１３】実施例II−１４に係るズームレンズ系の無限遠合焦状態の縦収差図
【図１１４】実施例II−１４に係るズームレンズ系の望遠端における、像ぶれ補正を行っていない基本状態及び像ぶれ補正状態での横収差図
【図１１５】実施の形態II−１５（実施例II−１５）に係るズームレンズ系の無限遠合焦状態を示すレンズ配置図
【図１１６】実施例II−１５に係るズームレンズ系の無限遠合焦状態の縦収差図
【図１１７】実施例II−１５に係るズームレンズ系の望遠端における、像ぶれ補正を行っていない基本状態及び像ぶれ補正状態での横収差図
【図１１８】実施の形態II−１６（実施例II−１６）に係るズームレンズ系の無限遠合焦状態を示すレンズ配置図
【図１１９】実施例II−１６に係るズームレンズ系の無限遠合焦状態の縦収差図
【図１２０】実施例II−１６に係るズームレンズ系の望遠端における、像ぶれ補正を行っていない基本状態及び像ぶれ補正状態での横収差図
【図１２１】実施の形態II−１７（実施例II−１７）に係るズームレンズ系の無限遠合焦状態を示すレンズ配置図
【図１２２】実施例II−１７に係るズームレンズ系の無限遠合焦状態の縦収差図
【図１２３】実施例II−１７に係るズームレンズ系の望遠端における、像ぶれ補正を行っていない基本状態及び像ぶれ補正状態での横収差図
【図１２４】実施の形態II−１８（実施例II−１８）に係るズームレンズ系の無限遠合焦状態を示すレンズ配置図
【図１２５】実施例II−１８に係るズームレンズ系の無限遠合焦状態の縦収差図
【図１２６】実施例II−１８に係るズームレンズ系の望遠端における、像ぶれ補正を行っていない基本状態及び像ぶれ補正状態での横収差図
【図１２７】実施の形態II−１９（実施例II−１９）に係るズームレンズ系の無限遠合焦状態を示すレンズ配置図
【図１２８】実施例II−１９に係るズームレンズ系の無限遠合焦状態の縦収差図
【図１２９】実施例II−１９に係るズームレンズ系の望遠端における、像ぶれ補正を行っていない基本状態及び像ぶれ補正状態での横収差図
【図１３０】実施の形態II−２０（実施例II−２０）に係るズームレンズ系の無限遠合焦状態を示すレンズ配置図
【図１３１】実施例II−２０に係るズームレンズ系の無限遠合焦状態の縦収差図
【図１３２】実施例II−２０に係るズームレンズ系の望遠端における、像ぶれ補正を行っていない基本状態及び像ぶれ補正状態での横収差図
【図１３３】実施の形態II−２１（実施例II−２１）に係るズームレンズ系の無限遠合焦状態を示すレンズ配置図
【図１３４】実施例II−２１に係るズームレンズ系の無限遠合焦状態の縦収差図
【図１３５】実施例II−２１に係るズームレンズ系の望遠端における、像ぶれ補正を行っていない基本状態及び像ぶれ補正状態での横収差図
【図１３６】実施の形態II−２２（実施例II−２２）に係るズームレンズ系の無限遠合焦状態を示すレンズ配置図
【図１３７】実施例II−２２に係るズームレンズ系の無限遠合焦状態の縦収差図
【図１３８】実施例II−２２に係るズームレンズ系の望遠端における、像ぶれ補正を行っていない基本状態及び像ぶれ補正状態での横収差図
【図１３９】実施の形態II−２３（実施例II−２３）に係るズームレンズ系の無限遠合焦状態を示すレンズ配置図
【図１４０】実施例II−２３に係るズームレンズ系の無限遠合焦状態の縦収差図
【図１４１】実施例II−２３に係るズームレンズ系の望遠端における、像ぶれ補正を行っていない基本状態及び像ぶれ補正状態での横収差図
【図１４２】実施の形態II−２４（実施例II−２４）に係るズームレンズ系の無限遠合焦状態を示すレンズ配置図
【図１４３】実施例II−２４に係るズームレンズ系の無限遠合焦状態の縦収差図
【図１４４】実施例II−２４に係るズームレンズ系の望遠端における、像ぶれ補正を行っていない基本状態及び像ぶれ補正状態での横収差図
【図１４５】実施の形態Ｉ−２５及びII−２５に係るデジタルスチルカメラの概略構成図
【発明を実施するための形態】
【００２０】
（実施の形態Ｉ−１〜Ｉ−２４）
図１、４、７、１０、１３、１６、１９、２２、２５、２８、３１、３４、３７、４０、４３、４６、４９、５２、５５、５８、６１、６４、６７及び７０は、各々実施の形態Ｉ−１〜Ｉ−２４に係るズームレンズ系のレンズ配置図である。
【００２１】
図１、４、７、１０、１３、１６、１９、２２、２５、２８、３１、３４、３７、４０、４３、４６、４９、５２、５５、５８、６１、６４、６７及び７０は、いずれも無限遠合焦状態にあるズームレンズ系を表している。各図において、（ａ）図は広角端（最短焦点距離状態：焦点距離ｆＷ）のレンズ構成、（ｂ）図は中間位置（中間焦点距離状態：焦点距離ｆＭ＝√（ｆＷ＊ｆＴ））のレンズ構成、（ｃ）図は望遠端（最長焦点距離状態：焦点距離ｆＴ）のレンズ構成をそれぞれ表している。また各図において、（ａ）図と（ｂ）図との間に設けられた折れ線の矢印は、上から順に、広角端、中間位置、望遠端の各状態におけるレンズ群の位置を結んで得られる直線である。したがって、広角端と中間位置との間、中間位置と望遠端との間は、単純に直線で接続されているだけであり、実際の各レンズ群の動きとは異なる。さらに各図において、レンズ群に付された矢印は、無限遠合焦状態から近接物体合焦状態へのフォーカシングを表す。すなわち、無限遠合焦状態から近接物体合焦状態へのフォーカシングの際の移動方向を示している。
【００２２】
各実施の形態に係るズームレンズ系は、物体側から像側へと順に、負のパワーを有する第１レンズ群Ｇ１と、正のパワーを有する第２レンズ群Ｇ２と、正のパワーを有する第３レンズ群Ｇ３とを備え、撮像時の広角端から望遠端へのズーミングの際に、前記第１レンズ群Ｇ１と第２レンズ群Ｇ２との間隔が減少し、かつ第２レンズ群Ｇ２と第３レンズ群Ｇ３との間隔が増大するように各レンズ群が光軸に沿ってそれぞれ移動する（以下、このレンズ構成を、実施の形態の基本構成Ｉという）。各実施の形態に係るズームレンズ系は、これら各レンズ群を所望のパワー配置にすることにより、高い光学性能を保持しつつ、レンズ系全体の小型化を可能にしている。
【００２３】
なお図１、４、７、１０、１３、１６、１９、２２、２５、２８、３１、３４、３７、４０、４３、４６、４９、５２、５５、５８、６１、６４、６７及び７０において、特定の面に付されたアスタリスク＊は、該面が非球面であることを示している。また各図において、各レンズ群の符号に付された記号（＋）及び記号（−）は、各レンズ群のパワーの符号に対応する。また各図において、最も右側に記載された直線は、像面Ｓの位置を表し、該像面Ｓの物体側（像面Ｓと第３レンズ群Ｇ３の最像側レンズ面との間）には、光学的ローパスフィルタや撮像素子のフェースプレート等と等価な平行平板が設けられている。
【００２４】
さらに図１、４、７、１０、１３、１６、１９、２２、２５、２８、３１、３４、３７、４０、４３、４６、４９、５２、５５、５８、６１、６４、６７及び７０において、第２レンズ群Ｇ２の像側（第２レンズ群Ｇ２の最像側レンズ面と第３レンズ群Ｇ３の最物体側レンズ面との間）には、開口絞りＡが設けられており、該開口絞りＡは、撮像時の広角端から望遠端へのズーミングの際に、第２レンズ群Ｇ２と一体的に光軸上を移動する。各実施の形態に係るズームレンズ系では、このように、第２レンズ群Ｇ２の像側に、撮像時の広角端から望遠端へのズーミングの際に該第２レンズ群Ｇ２と一体的に光軸上を移動する開口絞りＡが配置されているので、第１レンズ群Ｇ１と、該第２レンズ群Ｇ２との空気間隔を短くすることが可能となり、ネガティブリード型の３群構成であるにもかかわらず、短い光学全長と、５倍程度といった大きな変倍比とを同時に実現することができる。
【００２５】
図１に示すように、実施の形態Ｉ−１に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面であり、第２レンズ素子Ｌ２は、その物体側面が非球面である。
【００２６】
実施の形態Ｉ−１に係るズームレンズ系において、第２レンズ群Ｇ２は、物体側から像側へと順に、物体側に凸面を向けた正メニスカス形状の第３レンズ素子Ｌ３と、両凸形状の第４レンズ素子Ｌ４と、両凹形状の第５レンズ素子Ｌ５と、両凸形状の第６レンズ素子Ｌ６とからなる。これらのうち、第４レンズ素子Ｌ４と第５レンズ素子Ｌ５とが接合されており、後述する対応数値実施例における面データでは、これら第４レンズ素子Ｌ４と第５レンズ素子Ｌ５との間の接着剤層に面番号８が付与されている。また、第３レンズ素子Ｌ３は、その物体側面が非球面である。
【００２７】
また実施の形態Ｉ−１に係るズームレンズ系において、第３レンズ群Ｇ３は、像側に凸面を向けた正メニスカス形状の第７レンズ素子Ｌ７のみからなる。該第７レンズ素子Ｌ７は、その両面が非球面である。
【００２８】
実施の形態Ｉ−１に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。
【００２９】
図４に示すように、実施の形態Ｉ−２に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１の像側面と第２レンズ素子Ｌ２の物体側面とは、いずれも非球面である。
【００３０】
実施の形態Ｉ−２に係るズームレンズ系において、第２レンズ群Ｇ２は、物体側から像側へと順に、物体側に凸面を向けた正メニスカス形状の第３レンズ素子Ｌ３と、両凸形状の第４レンズ素子Ｌ４と、両凹形状の第５レンズ素子Ｌ５と、物体側に凸面を向けた正メニスカス形状の第６レンズ素子Ｌ６とからなる。これらのうち、第４レンズ素子Ｌ４と第５レンズ素子Ｌ５とが接合されており、後述する対応数値実施例における面データでは、これら第４レンズ素子Ｌ４と第５レンズ素子Ｌ５との間の接着剤層に面番号８が付与されている。また、第６レンズ素子Ｌ６は、その両面が非球面である。
【００３１】
また実施の形態Ｉ−２に係るズームレンズ系において、第３レンズ群Ｇ３は、両凸形状の第７レンズ素子Ｌ７のみからなる。該第７レンズ素子Ｌ７は、その両面が非球面である。
【００３２】
実施の形態Ｉ−２に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。
【００３３】
図７に示すように、実施の形態Ｉ−３に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面であり、第２レンズ素子Ｌ２は、その物体側面が非球面である。
【００３４】
実施の形態Ｉ−３に係るズームレンズ系において、第２レンズ群Ｇ２は、物体側から像側へと順に、物体側に凸面を向けた正メニスカス形状の第３レンズ素子Ｌ３と、両凸形状の第４レンズ素子Ｌ４と、両凹形状の第５レンズ素子Ｌ５と、両凸形状の第６レンズ素子Ｌ６とからなる。これらのうち、第４レンズ素子Ｌ４と第５レンズ素子Ｌ５とが接合されており、後述する対応数値実施例における面データでは、これら第４レンズ素子Ｌ４と第５レンズ素子Ｌ５との間の接着剤層に面番号８が付与されている。また、第３レンズ素子Ｌ３は、その物体側面が非球面である。
【００３５】
また実施の形態Ｉ−３に係るズームレンズ系において、第３レンズ群Ｇ３は、像側に凸面を向けた正メニスカス形状の第７レンズ素子Ｌ７のみからなる。該第７レンズ素子Ｌ７は、その両面が非球面である。
【００３６】
実施の形態Ｉ−３に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。
【００３７】
図１０に示すように、実施の形態Ｉ−４に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面であり、第２レンズ素子Ｌ２は、その物体側面が非球面である。
【００３８】
実施の形態Ｉ−４に係るズームレンズ系において、第２レンズ群Ｇ２は、物体側から像側へと順に、物体側に凸面を向けた正メニスカス形状の第３レンズ素子Ｌ３と、両凸形状の第４レンズ素子Ｌ４と、両凹形状の第５レンズ素子Ｌ５と、両凸形状の第６レンズ素子Ｌ６とからなる。これらのうち、第４レンズ素子Ｌ４と第５レンズ素子Ｌ５とが接合されており、後述する対応数値実施例における面データでは、これら第４レンズ素子Ｌ４と第５レンズ素子Ｌ５との間の接着剤層に面番号８が付与されている。また、第３レンズ素子Ｌ３は、その物体側面が非球面である。
【００３９】
また実施の形態Ｉ−４に係るズームレンズ系において、第３レンズ群Ｇ３は、像側に凸面を向けた正メニスカス形状の第７レンズ素子Ｌ７のみからなる。該第７レンズ素子Ｌ７は、その両面が非球面である。
【００４０】
実施の形態Ｉ−４に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。
【００４１】
図１３に示すように、実施の形態Ｉ−５に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面であり、第２レンズ素子Ｌ２は、その物体側面が非球面である。
【００４２】
実施の形態Ｉ−５に係るズームレンズ系において、第２レンズ群Ｇ２は、物体側から像側へと順に、物体側に凸面を向けた正メニスカス形状の第３レンズ素子Ｌ３と、両凸形状の第４レンズ素子Ｌ４と、両凹形状の第５レンズ素子Ｌ５と、両凸形状の第６レンズ素子Ｌ６とからなる。これらのうち、第４レンズ素子Ｌ４と第５レンズ素子Ｌ５とが接合されており、後述する対応数値実施例における面データでは、これら第４レンズ素子Ｌ４と第５レンズ素子Ｌ５との間の接着剤層に面番号８が付与されている。また、第３レンズ素子Ｌ３は、その物体側面が非球面である。
【００４３】
また実施の形態Ｉ−５に係るズームレンズ系において、第３レンズ群Ｇ３は、像側に凸面を向けた正メニスカス形状の第７レンズ素子Ｌ７のみからなる。該第７レンズ素子Ｌ７は、その両面が非球面である。
【００４４】
実施の形態Ｉ−５に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。
【００４５】
図１６に示すように、実施の形態Ｉ−６に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１の像側面と第２レンズ素子Ｌ２の物体側面とは、いずれも非球面である。
【００４６】
実施の形態Ｉ−６に係るズームレンズ系において、第２レンズ群Ｇ２は、物体側から像側へと順に、物体側に凸面を向けた正メニスカス形状の第３レンズ素子Ｌ３と、両凸形状の第４レンズ素子Ｌ４と、両凹形状の第５レンズ素子Ｌ５と、両凸形状の第６レンズ素子Ｌ６とからなる。これらのうち、第４レンズ素子Ｌ４と第５レンズ素子Ｌ５とが接合されており、後述する対応数値実施例における面データでは、これら第４レンズ素子Ｌ４と第５レンズ素子Ｌ５との間の接着剤層に面番号８が付与されている。また、第３レンズ素子Ｌ３は、その物体側面が非球面である。
【００４７】
また実施の形態Ｉ−６に係るズームレンズ系において、第３レンズ群Ｇ３は、像側に凸面を向けた正メニスカス形状の第７レンズ素子Ｌ７のみからなる。該第７レンズ素子Ｌ７は、その両面が非球面である。
【００４８】
実施の形態Ｉ−６に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。
【００４９】
図１９に示すように、実施の形態Ｉ−７に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面であり、第２レンズ素子Ｌ２は、その物体側面が非球面である。
【００５０】
実施の形態Ｉ−７に係るズームレンズ系において、第２レンズ群Ｇ２は、物体側から像側へと順に、物体側に凸面を向けた正メニスカス形状の第３レンズ素子Ｌ３と、両凸形状の第４レンズ素子Ｌ４と、両凹形状の第５レンズ素子Ｌ５と、両凸形状の第６レンズ素子Ｌ６とからなる。これらのうち、第４レンズ素子Ｌ４と第５レンズ素子Ｌ５とが接合されており、後述する対応数値実施例における面データでは、これら第４レンズ素子Ｌ４と第５レンズ素子Ｌ５との間の接着剤層に面番号８が付与されている。また、第３レンズ素子Ｌ３は、その物体側面が非球面である。
【００５１】
また実施の形態Ｉ−７に係るズームレンズ系において、第３レンズ群Ｇ３は、像側に凸面を向けた正メニスカス形状の第７レンズ素子Ｌ７のみからなる。該第７レンズ素子Ｌ７は、その両面が非球面である。
【００５２】
実施の形態Ｉ−７に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。
【００５３】
図２２に示すように、実施の形態Ｉ−８に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面であり、第２レンズ素子Ｌ２は、その物体側面が非球面である。
【００５４】
実施の形態Ｉ−８に係るズームレンズ系において、第２レンズ群Ｇ２は、物体側から像側へと順に、物体側に凸面を向けた正メニスカス形状の第３レンズ素子Ｌ３と、両凸形状の第４レンズ素子Ｌ４と、両凹形状の第５レンズ素子Ｌ５と、両凸形状の第６レンズ素子Ｌ６とからなる。これらのうち、第４レンズ素子Ｌ４と第５レンズ素子Ｌ５とが接合されており、後述する対応数値実施例における面データでは、これら第４レンズ素子Ｌ４と第５レンズ素子Ｌ５との間の接着剤層に面番号８が付与されている。また、第３レンズ素子Ｌ３は、その物体側面が非球面である。
【００５５】
また実施の形態Ｉ−８に係るズームレンズ系において、第３レンズ群Ｇ３は、像側に凸面を向けた正メニスカス形状の第７レンズ素子Ｌ７のみからなる。該第７レンズ素子Ｌ７は、その両面が非球面である。
【００５６】
実施の形態Ｉ−８に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。
【００５７】
図２５に示すように、実施の形態Ｉ−９に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面である。
【００５８】
実施の形態Ｉ−９に係るズームレンズ系において、第２レンズ群Ｇ２は、物体側から像側へと順に、両凸形状の第３レンズ素子Ｌ３と、両凸形状の第４レンズ素子Ｌ４と、両凹形状の第５レンズ素子Ｌ５と、両凸形状の第６レンズ素子Ｌ６とからなる。これらのうち、第４レンズ素子Ｌ４と第５レンズ素子Ｌ５とは接合されており、後述する対応数値実施例における面データでは、これら第４レンズ素子Ｌ４と第５レンズ素子Ｌ５との間の接着剤層に面番号８が付与されている。また、第３レンズ素子Ｌ３は、その物体側面が非球面である。
【００５９】
また実施の形態Ｉ−９に係るズームレンズ系において、第３レンズ群Ｇ３は、像側に凸面を向けた正メニスカス形状の第７レンズ素子Ｌ７のみからなる。該第７レンズ素子Ｌ７は、その像側面が非球面である。
【００６０】
実施の形態Ｉ−９に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。
【００６１】
図２８に示すように、実施の形態Ｉ−１０に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面であり、第２レンズ素子Ｌ２は、その物体側面が非球面である。
【００６２】
実施の形態Ｉ−１０に係るズームレンズ系において、第２レンズ群Ｇ２は、物体側から像側へと順に、両凸形状の第３レンズ素子Ｌ３と、両凹形状の第４レンズ素子Ｌ４と、両凸形状の第５レンズ素子Ｌ５とからなる。これらのうち、第３レンズ素子Ｌ３と第４レンズ素子Ｌ４とは接合されており、後述する対応数値実施例における面データでは、これら第３レンズ素子Ｌ３と第４レンズ素子Ｌ４との間の接着剤層に面番号６が付与されている。また、第３レンズ素子Ｌ３は、その物体側面が非球面である。
【００６３】
また実施の形態Ｉ−１０に係るズームレンズ系において、第３レンズ群Ｇ３は、両凸形状の第６レンズ素子Ｌ６のみからなる。該第６レンズ素子Ｌ６は、その両面が非球面である。
【００６４】
実施の形態Ｉ−１０に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。
【００６５】
図３１に示すように、実施の形態Ｉ−１１に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面であり、第２レンズ素子Ｌ２は、その物体側面が非球面である。
【００６６】
実施の形態Ｉ−１１に係るズームレンズ系において、第２レンズ群Ｇ２は、物体側から像側へと順に、両凸形状の第３レンズ素子Ｌ３と、両凹形状の第４レンズ素子Ｌ４と、両凸形状の第５レンズ素子Ｌ５とからなる。これらのうち、第３レンズ素子Ｌ３と第４レンズ素子Ｌ４とは接合されており、後述する対応数値実施例における面データでは、これら第３レンズ素子Ｌ３と第４レンズ素子Ｌ４との間の接着剤層に面番号６が付与されている。また、第３レンズ素子Ｌ３は、その物体側面が非球面である。
【００６７】
また実施の形態Ｉ−１１に係るズームレンズ系において、第３レンズ群Ｇ３は、両凸形状の第６レンズ素子Ｌ６のみからなる。該第６レンズ素子Ｌ６は、その両面が非球面である。
【００６８】
実施の形態Ｉ−１１に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。
【００６９】
図３４に示すように、実施の形態Ｉ−１２に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１の像側面と第２レンズ素子Ｌ２の物体側面とは、いずれも非球面である。
【００７０】
実施の形態Ｉ−１２に係るズームレンズ系において、第２レンズ群Ｇ２は、物体側から像側へと順に、両凸形状の第３レンズ素子Ｌ３と、両凹形状の第４レンズ素子Ｌ４と、両凸形状の第５レンズ素子Ｌ５とからなる。これらのうち、第３レンズ素子Ｌ３と第４レンズ素子Ｌ４とは接合されており、後述する対応数値実施例における面データでは、これら第３レンズ素子Ｌ３と第４レンズ素子Ｌ４との間の接着剤層に面番号６が付与されている。また、第３レンズ素子Ｌ３は、その物体側面が非球面である。
【００７１】
また実施の形態Ｉ−１２に係るズームレンズ系において、第３レンズ群Ｇ３は、両凸形状の第６レンズ素子Ｌ６のみからなる。該第６レンズ素子Ｌ６は、その両面が非球面である。
【００７２】
実施の形態Ｉ−１２に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。
【００７３】
図３７に示すように、実施の形態Ｉ−１３に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面であり、第２レンズ素子Ｌ２は、その物体側面が非球面である。
【００７４】
実施の形態Ｉ−１３に係るズームレンズ系において、第２レンズ群Ｇ２は、物体側から像側へと順に、物体側に凸面を向けた正メニスカス形状の第３レンズ素子Ｌ３と、物体側に凸面を向けた負メニスカス形状の第４レンズ素子Ｌ４と、両凸形状の第５レンズ素子Ｌ５とからなる。これらのうち、第３レンズ素子Ｌ３と第４レンズ素子Ｌ４とは接合されており、後述する対応数値実施例における面データでは、これら第３レンズ素子Ｌ３と第４レンズ素子Ｌ４との間の接着剤層に面番号６が付与されている。また、第３レンズ素子Ｌ３は、その物体側面が非球面である。
【００７５】
また実施の形態Ｉ−１３に係るズームレンズ系において、第３レンズ群Ｇ３は、像側に凸面を向けた正メニスカス形状の第６レンズ素子Ｌ６のみからなる。該第６レンズ素子Ｌ６は、その両面が非球面である。
【００７６】
実施の形態Ｉ−１３に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。
【００７７】
図４０に示すように、実施の形態Ｉ−１４に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１の像側面と第２レンズ素子Ｌ２の物体側面とは、いずれも非球面である。
【００７８】
実施の形態Ｉ−１４に係るズームレンズ系において、第２レンズ群Ｇ２は、物体側から像側へと順に、両凸形状の第３レンズ素子Ｌ３と、両凸形状の第４レンズ素子Ｌ４と、両凹形状の第５レンズ素子Ｌ５とからなる。これらのうち、第４レンズ素子Ｌ４と第５レンズ素子Ｌ５とは接合されており、後述する対応数値実施例における面データでは、これら第４レンズ素子Ｌ４と第５レンズ素子Ｌ５との間の接着剤層に面番号８が付与されている。また、第３レンズ素子Ｌ３は、その物体側面が非球面である。
【００７９】
また実施の形態Ｉ−１４に係るズームレンズ系において、第３レンズ群Ｇ３は、像側に凸面を向けた正メニスカス形状の第６レンズ素子Ｌ６のみからなる。該第６レンズ素子Ｌ６は、その両面が非球面である。
【００８０】
実施の形態Ｉ−１４に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。
【００８１】
図４３に示すように、実施の形態Ｉ−１５に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１の像側面と第２レンズ素子Ｌ２の物体側面とは、いずれも非球面である。
【００８２】
実施の形態Ｉ−１５に係るズームレンズ系において、第２レンズ群Ｇ２は、物体側から像側へと順に、両凸形状の第３レンズ素子Ｌ３と、両凸形状の第４レンズ素子Ｌ４と、両凹形状の第５レンズ素子Ｌ５とからなる。これらのうち、第４レンズ素子Ｌ４と第５レンズ素子Ｌ５とは接合されており、後述する対応数値実施例における面データでは、これら第４レンズ素子Ｌ４と第５レンズ素子Ｌ５との間の接着剤層に面番号８が付与されている。また、第３レンズ素子Ｌ３は、その物体側面が非球面である。
【００８３】
また実施の形態Ｉ−１５に係るズームレンズ系において、第３レンズ群Ｇ３は、像側に凸面を向けた正メニスカス形状の第６レンズ素子Ｌ６のみからなる。該第６レンズ素子Ｌ６は、その両面が非球面である。
【００８４】
実施の形態Ｉ−１５に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。
【００８５】
図４６に示すように、実施の形態Ｉ−１６に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１の像側面と第２レンズ素子Ｌ２の物体側面とは、いずれも非球面である。
【００８６】
実施の形態Ｉ−１６に係るズームレンズ系において、第２レンズ群Ｇ２は、物体側から像側へと順に、両凸形状の第３レンズ素子Ｌ３と、両凸形状の第４レンズ素子Ｌ４と、両凹形状の第５レンズ素子Ｌ５とからなる。これらのうち、第４レンズ素子Ｌ４と第５レンズ素子Ｌ５とは接合されており、後述する対応数値実施例における面データでは、これら第４レンズ素子Ｌ４と第５レンズ素子Ｌ５との間の接着剤層に面番号８が付与されている。また、第３レンズ素子Ｌ３は、その物体側面が非球面である。
【００８７】
また実施の形態Ｉ−１６に係るズームレンズ系において、第３レンズ群Ｇ３は、像側に凸面を向けた正メニスカス形状の第６レンズ素子Ｌ６のみからなる。該第６レンズ素子Ｌ６は、その両面が非球面である。
【００８８】
実施の形態Ｉ−１６に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。
【００８９】
図４９に示すように、実施の形態Ｉ−１７に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１の像側面と第２レンズ素子Ｌ２の物体側面とは、いずれも非球面である。
【００９０】
実施の形態Ｉ−１７に係るズームレンズ系において、第２レンズ群Ｇ２は、物体側から像側へと順に、両凸形状の第３レンズ素子Ｌ３と、両凹形状の第４レンズ素子Ｌ４と、両凸形状の第５レンズ素子Ｌ５とからなる。これらのうち、第３レンズ素子Ｌ３と第４レンズ素子Ｌ４とは接合されている。また、第３レンズ素子Ｌ３は、その物体側面が非球面である。
【００９１】
また実施の形態Ｉ−１７に係るズームレンズ系において、第３レンズ群Ｇ３は、像側に凸面を向けた正メニスカス形状の第６レンズ素子Ｌ６のみからなる。該第６レンズ素子Ｌ６は、その両面が非球面である。
【００９２】
実施の形態Ｉ−１７に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。
【００９３】
図５２に示すように、実施の形態Ｉ−１８に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１の像側面と第２レンズ素子Ｌ２の物体側面とは、いずれも非球面である。
【００９４】
実施の形態Ｉ−１８に係るズームレンズ系において、第２レンズ群Ｇ２は、物体側から像側へと順に、両凸形状の第３レンズ素子Ｌ３と、両凹形状の第４レンズ素子Ｌ４と、両凸形状の第５レンズ素子Ｌ５とからなる。これらのうち、第３レンズ素子Ｌ３と第４レンズ素子Ｌ４とは接合されている。また、第３レンズ素子Ｌ３は、その物体側面が非球面である。
【００９５】
また実施の形態Ｉ−１８に係るズームレンズ系において、第３レンズ群Ｇ３は、両凸形状の第６レンズ素子Ｌ６のみからなる。該第６レンズ素子Ｌ６は、その両面が非球面である。
【００９６】
実施の形態Ｉ−１８に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。
【００９７】
図５５に示すように、実施の形態Ｉ−１９に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１の像側面と第２レンズ素子Ｌ２の物体側面とは、いずれも非球面である。
【００９８】
実施の形態Ｉ−１９に係るズームレンズ系において、第２レンズ群Ｇ２は、物体側から像側へと順に、両凸形状の第３レンズ素子Ｌ３と、両凹形状の第４レンズ素子Ｌ４と、両凸形状の第５レンズ素子Ｌ５とからなる。これらのうち、第３レンズ素子Ｌ３と第４レンズ素子Ｌ４とは接合されている。また、第３レンズ素子Ｌ３は、その物体側面が非球面である。
【００９９】
また実施の形態Ｉ−１９に係るズームレンズ系において、第３レンズ群Ｇ３は、両凸形状の第６レンズ素子Ｌ６のみからなる。該第６レンズ素子Ｌ６は、その両面が非球面である。
【０１００】
実施の形態Ｉ−１９に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。
【０１０１】
図５８に示すように、実施の形態Ｉ−２０に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面である。
【０１０２】
実施の形態Ｉ−２０に係るズームレンズ系において、第２レンズ群Ｇ２は、物体側から像側へと順に、物体側に凸面を向けた正メニスカス形状の第３レンズ素子Ｌ３と、物体側に凸面を向けた負メニスカス形状の第４レンズ素子Ｌ４と、物体側に凸面を向けた負メニスカス形状の第５レンズ素子Ｌ５と、両凸形状の第６レンズ素子Ｌ６とからなる。これらのうち、第３レンズ素子Ｌ３と第４レンズ素子Ｌ４とが接合されており、第５レンズ素子Ｌ５と第６レンズ素子Ｌ６とが接合されている。また、第３レンズ素子Ｌ３は、その物体側面が非球面である。
【０１０３】
また実施の形態Ｉ−２０に係るズームレンズ系において、第３レンズ群Ｇ３は、両凸形状の第７レンズ素子Ｌ７のみからなる。
【０１０４】
実施の形態Ｉ−２０に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。
【０１０５】
図６１に示すように、実施の形態Ｉ−２１に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面である。
【０１０６】
実施の形態Ｉ−２１に係るズームレンズ系において、第２レンズ群Ｇ２は、物体側から像側へと順に、物体側に凸面を向けた正メニスカス形状の第３レンズ素子Ｌ３と、物体側に凸面を向けた負メニスカス形状の第４レンズ素子Ｌ４と、物体側に凸面を向けた負メニスカス形状の第５レンズ素子Ｌ５と、両凸形状の第６レンズ素子Ｌ６とからなる。これらのうち、第３レンズ素子Ｌ３と第４レンズ素子Ｌ４とが接合されており、第５レンズ素子Ｌ５と第６レンズ素子Ｌ６とが接合されている。また、第３レンズ素子Ｌ３は、その物体側面が非球面である。
【０１０７】
また実施の形態Ｉ−２１に係るズームレンズ系において、第３レンズ群Ｇ３は、両凸形状の第７レンズ素子Ｌ７のみからなる。
【０１０８】
実施の形態Ｉ−２１に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。
【０１０９】
図６４に示すように、実施の形態Ｉ−２２に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面である。
【０１１０】
実施の形態Ｉ−２２に係るズームレンズ系において、第２レンズ群Ｇ２は、物体側から像側へと順に、物体側に凸面を向けた正メニスカス形状の第３レンズ素子Ｌ３と、物体側に凸面を向けた負メニスカス形状の第４レンズ素子Ｌ４と、物体側に凸面を向けた負メニスカス形状の第５レンズ素子Ｌ５と、両凸形状の第６レンズ素子Ｌ６とからなる。これらのうち、第３レンズ素子Ｌ３と第４レンズ素子Ｌ４とが接合されており、第５レンズ素子Ｌ５と第６レンズ素子Ｌ６とが接合されている。また、第３レンズ素子Ｌ３は、その物体側面が非球面である。
【０１１１】
また実施の形態Ｉ−２２に係るズームレンズ系において、第３レンズ群Ｇ３は、両凸形状の第７レンズ素子Ｌ７のみからなる。
【０１１２】
実施の形態Ｉ−２２に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。
【０１１３】
図６７に示すように、実施の形態Ｉ−２３に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面である。
【０１１４】
実施の形態Ｉ−２３に係るズームレンズ系において、第２レンズ群Ｇ２は、物体側から像側へと順に、物体側に凸面を向けた正メニスカス形状の第３レンズ素子Ｌ３と、物体側に凸面を向けた負メニスカス形状の第４レンズ素子Ｌ４と、物体側に凸面を向けた負メニスカス形状の第５レンズ素子Ｌ５と、両凸形状の第６レンズ素子Ｌ６とからなる。これらのうち、第３レンズ素子Ｌ３と第４レンズ素子Ｌ４とが接合されており、第５レンズ素子Ｌ５と第６レンズ素子Ｌ６とが接合されている。また、第３レンズ素子Ｌ３は、その物体側面が非球面である。
【０１１５】
また実施の形態Ｉ−２３に係るズームレンズ系において、第３レンズ群Ｇ３は、像側に凸面を向けた正メニスカス形状の第７レンズ素子Ｌ７のみからなる。
【０１１６】
実施の形態Ｉ−２３に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。
【０１１７】
図７０に示すように、実施の形態Ｉ−２４に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面である。
【０１１８】
実施の形態Ｉ−２４に係るズームレンズ系において、第２レンズ群Ｇ２は、物体側から像側へと順に、物体側に凸面を向けた正メニスカス形状の第３レンズ素子Ｌ３と、物体側に凸面を向けた負メニスカス形状の第４レンズ素子Ｌ４と、物体側に凸面を向けた負メニスカス形状の第５レンズ素子Ｌ５と、両凸形状の第６レンズ素子Ｌ６とからなる。これらのうち、第３レンズ素子Ｌ３と第４レンズ素子Ｌ４とが接合されており、第５レンズ素子Ｌ５と第６レンズ素子Ｌ６とが接合されている。また、第３レンズ素子Ｌ３は、その物体側面が非球面である。
【０１１９】
また実施の形態Ｉ−２４に係るズームレンズ系において、第３レンズ群Ｇ３は、両凸形状の第７レンズ素子Ｌ７のみからなる。
【０１２０】
実施の形態Ｉ−２４に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。
【０１２１】
特に、実施の形態Ｉ−１〜Ｉ−２４に係るズームレンズ系では、第１レンズ群Ｇ１が、物体側から像側へと順に、負のパワーを有するレンズ素子と、正のパワーを有し、物体側に凸面を向けたメニスカス形状のレンズ素子とで構成されているので、諸収差、特に広角端での歪曲収差を良好に補正しながらも、短い光学全長を実現することができる。
【０１２２】
実施の形態Ｉ−１〜Ｉ−２４に係るズームレンズ系では、第１レンズ群Ｇ１が、非球面を有するレンズ素子を少なくとも１枚含むか、又は少なくとも２面の非球面を含んでいるので、収差をさらに良好に補正することができる。
【０１２３】
実施の形態Ｉ−１〜Ｉ−２４に係るズームレンズ系では、第３レンズ群Ｇ３が１枚のレンズ素子で構成されているので、レンズ素子の総枚数が削減され、光学全長が短いレンズ系となっている。また、該第３レンズ群Ｇ３を構成する１枚のレンズ素子が、非球面を含む実施の形態では、収差をさらに良好に補正することができる。
【０１２４】
実施の形態Ｉ−１〜Ｉ−２４に係るズームレンズ系では、第２レンズ群Ｇ２が、その中に１〜２組の接合レンズ素子を含む３〜４枚のレンズ素子で構成されているので、該第２レンズ群Ｇ２の厚みが小さく、光学全長が短いレンズ系となっている。
【０１２５】
また実施の形態Ｉ−１〜Ｉ−２４に係るズームレンズ系では、撮像時の広角端から望遠端へのズーミングの際に、第１レンズ群Ｇ１、第２レンズ群Ｇ２及び第３レンズ群Ｇ３を光軸に沿ってそれぞれ移動させて変倍を行うが、これらレンズ群のうち、例えば第２レンズ群Ｇ２を光軸に対して垂直方向に移動させることによって、手ぶれ、振動等による像のぶれを光学的に補正することができる。
【０１２６】
像のぶれを光学的に補正する場合、このように第２レンズ群Ｇ２が光軸に対して垂直方向に移動することにより、ズームレンズ系全体の大型化を抑制してコンパクトに構成しながら、偏心コマ収差や偏心非点収差が小さい優れた結像特性を維持して像ぶれの補正を行うことができる。
【０１２７】
（実施の形態II−１〜II−２４）
図７３、７６、７９、８２、８５、８８、９１、９４、９７、１００、１０３、１０６、１０９、１１２、１１５、１１８、１２１、１２４、１２７、１３０、１３３、１３６、１３９及び１４２は、各々実施の形態II−１〜II−２４に係るズームレンズ系のレンズ配置図である。
【０１２８】
図７３、７６、７９、８２、８５、８８、９１、９４、９７、１００、１０３、１０６、１０９、１１２、１１５、１１８、１２１、１２４、１２７、１３０、１３３、１３６、１３９及び１４２は、いずれも無限遠合焦状態にあるズームレンズ系を表している。各図において、（ａ）図は広角端（最短焦点距離状態：焦点距離ｆＷ）のレンズ構成、（ｂ）図は中間位置（中間焦点距離状態：焦点距離ｆＭ＝√（ｆＷ＊ｆＴ））のレンズ構成、（ｃ）図は望遠端（最長焦点距離状態：焦点距離ｆＴ）のレンズ構成をそれぞれ表している。また各図において、（ａ）図と（ｂ）図との間に設けられた折れ線の矢印は、上から順に、広角端、中間位置、望遠端の各状態におけるレンズ群の位置を結んで得られる直線である。したがって、広角端と中間位置との間、中間位置と望遠端との間は、単純に直線で接続されているだけであり、実際の各レンズ群の動きとは異なる。さらに各図において、レンズ群に付された矢印は、無限遠合焦状態から近接物体合焦状態へのフォーカシングを表す。すなわち、無限遠合焦状態から近接物体合焦状態へのフォーカシングの際の移動方向を示している。
【０１２９】
各実施の形態に係るズームレンズ系は、物体側から像側へと順に、負のパワーを有する第１レンズ群Ｇ１と、正のパワーを有する第２レンズ群Ｇ２と、正のパワーを有する第３レンズ群Ｇ３とを備え、撮像時の広角端から望遠端へのズーミングの際に、前記第１レンズ群Ｇ１と第２レンズ群Ｇ２との間隔が減少し、かつ第２レンズ群Ｇ２と第３レンズ群Ｇ３との間隔が増大するように各レンズ群が光軸に沿ってそれぞれ移動する（以下、このレンズ構成を、実施の形態の基本構成IIという）。各実施の形態に係るズームレンズ系は、これら各レンズ群を所望のパワー配置にすることにより、高い光学性能を保持しつつ、レンズ系全体の小型化を可能にしている。
【０１３０】
なお図７３、７６、７９、８２、８５、８８、９１、９４、９７、１００、１０３、１０６、１０９、１１２、１１５、１１８、１２１、１２４、１２７、１３０、１３３、１３６、１３９及び１４２において、特定の面に付されたアスタリスク＊は、該面が非球面であることを示している。また各図において、各レンズ群の符号に付された記号（＋）及び記号（−）は、各レンズ群のパワーの符号に対応する。また各図において、最も右側に記載された直線は、像面Ｓの位置を表し、該像面Ｓの物体側（像面Ｓと第３レンズ群Ｇ３の最像側レンズ面との間）には、光学的ローパスフィルタや撮像素子のフェースプレート等と等価な平行平板が設けられている。
【０１３１】
さらに図７３、７６、７９、８２、８５、８８、９１、９４、９７、１００、１０３、１０６、１０９、１１２、１１５、１１８、１２１、１２４、１２７、１３０、１３３、１３６、１３９及び１４２において、第２レンズ群Ｇ２の像側（第２レンズ群Ｇ２の最像側レンズ面と第３レンズ群Ｇ３の最物体側レンズ面との間）には、開口絞りＡが設けられており、該開口絞りＡは、撮像時の広角端から望遠端へのズーミングの際に、第２レンズ群Ｇ２と一体的に光軸上を移動する。各実施の形態に係るズームレンズ系では、このように、第２レンズ群Ｇ２の像側に、撮像時の広角端から望遠端へのズーミングの際に該第２レンズ群Ｇ２と一体的に光軸上を移動する開口絞りＡが配置されているので、第１レンズ群Ｇ１と、該第２レンズ群Ｇ２との空気間隔を短くすることが可能となり、ネガティブリード型の３群構成であるにもかかわらず、短い光学全長と、５倍程度といった大きな変倍比とを同時に実現することができる。
【０１３２】
図７３に示すように、実施の形態II−１に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面であり、第２レンズ素子Ｌ２は、その物体側面が非球面である。
【０１３３】
実施の形態II−１に係るズームレンズ系において、第２レンズ群Ｇ２は、物体側から像側へと順に、物体側に凸面を向けた正メニスカス形状の第３レンズ素子Ｌ３と、両凸形状の第４レンズ素子Ｌ４と、両凹形状の第５レンズ素子Ｌ５と、両凸形状の第６レンズ素子Ｌ６とからなる。これらのうち、第４レンズ素子Ｌ４と第５レンズ素子Ｌ５とが接合されており、後述する対応数値実施例における面データでは、これら第４レンズ素子Ｌ４と第５レンズ素子Ｌ５との間の接着剤層に面番号８が付与されている。また、第３レンズ素子Ｌ３は、その物体側面が非球面である。
【０１３４】
また実施の形態II−１に係るズームレンズ系において、第３レンズ群Ｇ３は、像側に凸面を向けた正メニスカス形状の第７レンズ素子Ｌ７のみからなる。該第７レンズ素子Ｌ７は、その両面が非球面である。
【０１３５】
実施の形態II−１に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。
【０１３６】
図７６に示すように、実施の形態II−２に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１の像側面と第２レンズ素子Ｌ２の物体側面とは、いずれも非球面である。
【０１３７】
実施の形態II−２に係るズームレンズ系において、第２レンズ群Ｇ２は、物体側から像側へと順に、物体側に凸面を向けた正メニスカス形状の第３レンズ素子Ｌ３と、両凸形状の第４レンズ素子Ｌ４と、両凹形状の第５レンズ素子Ｌ５と、物体側に凸面を向けた正メニスカス形状の第６レンズ素子Ｌ６とからなる。これらのうち、第４レンズ素子Ｌ４と第５レンズ素子Ｌ５とが接合されており、後述する対応数値実施例における面データでは、これら第４レンズ素子Ｌ４と第５レンズ素子Ｌ５との間の接着剤層に面番号８が付与されている。また、第６レンズ素子Ｌ６は、その両面が非球面である。
【０１３８】
また実施の形態II−２に係るズームレンズ系において、第３レンズ群Ｇ３は、両凸形状の第７レンズ素子Ｌ７のみからなる。該第７レンズ素子Ｌ７は、その両面が非球面である。
【０１３９】
実施の形態II−２に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。
【０１４０】
図７９に示すように、実施の形態II−３に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面であり、第２レンズ素子Ｌ２は、その物体側面が非球面である。
【０１４１】
実施の形態II−３に係るズームレンズ系において、第２レンズ群Ｇ２は、物体側から像側へと順に、物体側に凸面を向けた正メニスカス形状の第３レンズ素子Ｌ３と、両凸形状の第４レンズ素子Ｌ４と、両凹形状の第５レンズ素子Ｌ５と、両凸形状の第６レンズ素子Ｌ６とからなる。これらのうち、第４レンズ素子Ｌ４と第５レンズ素子Ｌ５とが接合されており、後述する対応数値実施例における面データでは、これら第４レンズ素子Ｌ４と第５レンズ素子Ｌ５との間の接着剤層に面番号８が付与されている。また、第３レンズ素子Ｌ３は、その物体側面が非球面である。
【０１４２】
また実施の形態II−３に係るズームレンズ系において、第３レンズ群Ｇ３は、像側に凸面を向けた正メニスカス形状の第７レンズ素子Ｌ７のみからなる。該第７レンズ素子Ｌ７は、その両面が非球面である。
【０１４３】
実施の形態II−３に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。
【０１４４】
図８２に示すように、実施の形態II−４に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面であり、第２レンズ素子Ｌ２は、その物体側面が非球面である。
【０１４５】
実施の形態II−４に係るズームレンズ系において、第２レンズ群Ｇ２は、物体側から像側へと順に、物体側に凸面を向けた正メニスカス形状の第３レンズ素子Ｌ３と、両凸形状の第４レンズ素子Ｌ４と、両凹形状の第５レンズ素子Ｌ５と、両凸形状の第６レンズ素子Ｌ６とからなる。これらのうち、第４レンズ素子Ｌ４と第５レンズ素子Ｌ５とが接合されており、後述する対応数値実施例における面データでは、これら第４レンズ素子Ｌ４と第５レンズ素子Ｌ５との間の接着剤層に面番号８が付与されている。また、第３レンズ素子Ｌ３は、その物体側面が非球面である。
【０１４６】
また実施の形態II−４に係るズームレンズ系において、第３レンズ群Ｇ３は、像側に凸面を向けた正メニスカス形状の第７レンズ素子Ｌ７のみからなる。該第７レンズ素子Ｌ７は、その両面が非球面である。
【０１４７】
実施の形態II−４に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。
【０１４８】
図８５に示すように、実施の形態II−５に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面であり、第２レンズ素子Ｌ２は、その物体側面が非球面である。
【０１４９】
実施の形態II−５に係るズームレンズ系において、第２レンズ群Ｇ２は、物体側から像側へと順に、物体側に凸面を向けた正メニスカス形状の第３レンズ素子Ｌ３と、両凸形状の第４レンズ素子Ｌ４と、両凹形状の第５レンズ素子Ｌ５と、両凸形状の第６レンズ素子Ｌ６とからなる。これらのうち、第４レンズ素子Ｌ４と第５レンズ素子Ｌ５とが接合されており、後述する対応数値実施例における面データでは、これら第４レンズ素子Ｌ４と第５レンズ素子Ｌ５との間の接着剤層に面番号８が付与されている。また、第３レンズ素子Ｌ３は、その物体側面が非球面である。
【０１５０】
また実施の形態II−５に係るズームレンズ系において、第３レンズ群Ｇ３は、像側に凸面を向けた正メニスカス形状の第７レンズ素子Ｌ７のみからなる。該第７レンズ素子Ｌ７は、その両面が非球面である。
【０１５１】
実施の形態II−５に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。
【０１５２】
図８８に示すように、実施の形態II−６に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１の像側面と第２レンズ素子Ｌ２の物体側面とは、いずれも非球面である。
【０１５３】
実施の形態II−６に係るズームレンズ系において、第２レンズ群Ｇ２は、物体側から像側へと順に、物体側に凸面を向けた正メニスカス形状の第３レンズ素子Ｌ３と、両凸形状の第４レンズ素子Ｌ４と、両凹形状の第５レンズ素子Ｌ５と、両凸形状の第６レンズ素子Ｌ６とからなる。これらのうち、第４レンズ素子Ｌ４と第５レンズ素子Ｌ５とが接合されており、後述する対応数値実施例における面データでは、これら第４レンズ素子Ｌ４と第５レンズ素子Ｌ５との間の接着剤層に面番号８が付与されている。また、第３レンズ素子Ｌ３は、その物体側面が非球面である。
【０１５４】
また実施の形態II−６に係るズームレンズ系において、第３レンズ群Ｇ３は、像側に凸面を向けた正メニスカス形状の第７レンズ素子Ｌ７のみからなる。該第７レンズ素子Ｌ７は、その両面が非球面である。
【０１５５】
実施の形態II−６に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。
【０１５６】
図９１に示すように、実施の形態II−７に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面であり、第２レンズ素子Ｌ２は、その物体側面が非球面である。
【０１５７】
実施の形態II−７に係るズームレンズ系において、第２レンズ群Ｇ２は、物体側から像側へと順に、物体側に凸面を向けた正メニスカス形状の第３レンズ素子Ｌ３と、両凸形状の第４レンズ素子Ｌ４と、両凹形状の第５レンズ素子Ｌ５と、両凸形状の第６レンズ素子Ｌ６とからなる。これらのうち、第４レンズ素子Ｌ４と第５レンズ素子Ｌ５とが接合されており、後述する対応数値実施例における面データでは、これら第４レンズ素子Ｌ４と第５レンズ素子Ｌ５との間の接着剤層に面番号８が付与されている。また、第３レンズ素子Ｌ３は、その物体側面が非球面である。
【０１５８】
また実施の形態II−７に係るズームレンズ系において、第３レンズ群Ｇ３は、像側に凸面を向けた正メニスカス形状の第７レンズ素子Ｌ７のみからなる。該第７レンズ素子Ｌ７は、その両面が非球面である。
【０１５９】
実施の形態II−７に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。
【０１６０】
図９４に示すように、実施の形態II−８に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面であり、第２レンズ素子Ｌ２は、その物体側面が非球面である。
【０１６１】
実施の形態II−８に係るズームレンズ系において、第２レンズ群Ｇ２は、物体側から像側へと順に、物体側に凸面を向けた正メニスカス形状の第３レンズ素子Ｌ３と、両凸形状の第４レンズ素子Ｌ４と、両凹形状の第５レンズ素子Ｌ５と、両凸形状の第６レンズ素子Ｌ６とからなる。これらのうち、第４レンズ素子Ｌ４と第５レンズ素子Ｌ５とが接合されており、後述する対応数値実施例における面データでは、これら第４レンズ素子Ｌ４と第５レンズ素子Ｌ５との間の接着剤層に面番号８が付与されている。また、第３レンズ素子Ｌ３は、その物体側面が非球面である。
【０１６２】
また実施の形態II−８に係るズームレンズ系において、第３レンズ群Ｇ３は、像側に凸面を向けた正メニスカス形状の第７レンズ素子Ｌ７のみからなる。該第７レンズ素子Ｌ７は、その両面が非球面である。
【０１６３】
実施の形態II−８に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。
【０１６４】
図９７に示すように、実施の形態II−９に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面である。
【０１６５】
実施の形態II−９に係るズームレンズ系において、第２レンズ群Ｇ２は、物体側から像側へと順に、両凸形状の第３レンズ素子Ｌ３と、両凸形状の第４レンズ素子Ｌ４と、両凹形状の第５レンズ素子Ｌ５と、両凸形状の第６レンズ素子Ｌ６とからなる。これらのうち、第４レンズ素子Ｌ４と第５レンズ素子Ｌ５とは接合されており、後述する対応数値実施例における面データでは、これら第４レンズ素子Ｌ４と第５レンズ素子Ｌ５との間の接着剤層に面番号８が付与されている。また、第３レンズ素子Ｌ３は、その物体側面が非球面である。
【０１６６】
また実施の形態II−９に係るズームレンズ系において、第３レンズ群Ｇ３は、像側に凸面を向けた正メニスカス形状の第７レンズ素子Ｌ７のみからなる。該第７レンズ素子Ｌ７は、その像側面が非球面である。
【０１６７】
実施の形態II−９に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。
【０１６８】
図１００に示すように、実施の形態II−１０に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面であり、第２レンズ素子Ｌ２は、その物体側面が非球面である。
【０１６９】
実施の形態II−１０に係るズームレンズ系において、第２レンズ群Ｇ２は、物体側から像側へと順に、両凸形状の第３レンズ素子Ｌ３と、両凹形状の第４レンズ素子Ｌ４と、両凸形状の第５レンズ素子Ｌ５とからなる。これらのうち、第３レンズ素子Ｌ３と第４レンズ素子Ｌ４とは接合されており、後述する対応数値実施例における面データでは、これら第３レンズ素子Ｌ３と第４レンズ素子Ｌ４との間の接着剤層に面番号６が付与されている。また、第３レンズ素子Ｌ３は、その物体側面が非球面である。
【０１７０】
また実施の形態II−１０に係るズームレンズ系において、第３レンズ群Ｇ３は、両凸形状の第６レンズ素子Ｌ６のみからなる。該第６レンズ素子Ｌ６は、その両面が非球面である。
【０１７１】
実施の形態II−１０に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。
【０１７２】
図１０３に示すように、実施の形態II−１１に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面であり、第２レンズ素子Ｌ２は、その物体側面が非球面である。
【０１７３】
実施の形態II−１１に係るズームレンズ系において、第２レンズ群Ｇ２は、物体側から像側へと順に、両凸形状の第３レンズ素子Ｌ３と、両凹形状の第４レンズ素子Ｌ４と、両凸形状の第５レンズ素子Ｌ５とからなる。これらのうち、第３レンズ素子Ｌ３と第４レンズ素子Ｌ４とは接合されており、後述する対応数値実施例における面データでは、これら第３レンズ素子Ｌ３と第４レンズ素子Ｌ４との間の接着剤層に面番号６が付与されている。また、第３レンズ素子Ｌ３は、その物体側面が非球面である。
【０１７４】
また実施の形態II−１１に係るズームレンズ系において、第３レンズ群Ｇ３は、両凸形状の第６レンズ素子Ｌ６のみからなる。該第６レンズ素子Ｌ６は、その両面が非球面である。
【０１７５】
実施の形態II−１１に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。
【０１７６】
図１０６に示すように、実施の形態II−１２に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１の像側面と第２レンズ素子Ｌ２の物体側面とは、いずれも非球面である。
【０１７７】
実施の形態II−１２に係るズームレンズ系において、第２レンズ群Ｇ２は、物体側から像側へと順に、両凸形状の第３レンズ素子Ｌ３と、両凹形状の第４レンズ素子Ｌ４と、両凸形状の第５レンズ素子Ｌ５とからなる。これらのうち、第３レンズ素子Ｌ３と第４レンズ素子Ｌ４とは接合されており、後述する対応数値実施例における面データでは、これら第３レンズ素子Ｌ３と第４レンズ素子Ｌ４との間の接着剤層に面番号６が付与されている。また、第３レンズ素子Ｌ３は、その物体側面が非球面である。
【０１７８】
また実施の形態II−１２に係るズームレンズ系において、第３レンズ群Ｇ３は、両凸形状の第６レンズ素子Ｌ６のみからなる。該第６レンズ素子Ｌ６は、その両面が非球面である。
【０１７９】
実施の形態II−１２に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。
【０１８０】
図１０９に示すように、実施の形態II−１３に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面であり、第２レンズ素子Ｌ２は、その物体側面が非球面である。
【０１８１】
実施の形態II−１３に係るズームレンズ系において、第２レンズ群Ｇ２は、物体側から像側へと順に、物体側に凸面を向けた正メニスカス形状の第３レンズ素子Ｌ３と、物体側に凸面を向けた負メニスカス形状の第４レンズ素子Ｌ４と、両凸形状の第５レンズ素子Ｌ５とからなる。これらのうち、第３レンズ素子Ｌ３と第４レンズ素子Ｌ４とは接合されており、後述する対応数値実施例における面データでは、これら第３レンズ素子Ｌ３と第４レンズ素子Ｌ４との間の接着剤層に面番号６が付与されている。また、第３レンズ素子Ｌ３は、その物体側面が非球面である。
【０１８２】
また実施の形態II−１３に係るズームレンズ系において、第３レンズ群Ｇ３は、像側に凸面を向けた正メニスカス形状の第６レンズ素子Ｌ６のみからなる。該第６レンズ素子Ｌ６は、その両面が非球面である。
【０１８３】
実施の形態II−１３に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。
【０１８４】
図１１２に示すように、実施の形態II−１４に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１の像側面と第２レンズ素子Ｌ２の物体側面とは、いずれも非球面である。
【０１８５】
実施の形態II−１４に係るズームレンズ系において、第２レンズ群Ｇ２は、物体側から像側へと順に、両凸形状の第３レンズ素子Ｌ３と、両凸形状の第４レンズ素子Ｌ４と、両凹形状の第５レンズ素子Ｌ５とからなる。これらのうち、第４レンズ素子Ｌ４と第５レンズ素子Ｌ５とは接合されており、後述する対応数値実施例における面データでは、これら第４レンズ素子Ｌ４と第５レンズ素子Ｌ５との間の接着剤層に面番号８が付与されている。また、第３レンズ素子Ｌ３は、その物体側面が非球面である。
【０１８６】
また実施の形態II−１４に係るズームレンズ系において、第３レンズ群Ｇ３は、像側に凸面を向けた正メニスカス形状の第６レンズ素子Ｌ６のみからなる。該第６レンズ素子Ｌ６は、その両面が非球面である。
【０１８７】
実施の形態II−１４に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。
【０１８８】
図１１５に示すように、実施の形態II−１５に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１の像側面と第２レンズ素子Ｌ２の物体側面とは、いずれも非球面である。
【０１８９】
実施の形態II−１５に係るズームレンズ系において、第２レンズ群Ｇ２は、物体側から像側へと順に、両凸形状の第３レンズ素子Ｌ３と、両凸形状の第４レンズ素子Ｌ４と、両凹形状の第５レンズ素子Ｌ５とからなる。これらのうち、第４レンズ素子Ｌ４と第５レンズ素子Ｌ５とは接合されており、後述する対応数値実施例における面データでは、これら第４レンズ素子Ｌ４と第５レンズ素子Ｌ５との間の接着剤層に面番号８が付与されている。また、第３レンズ素子Ｌ３は、その物体側面が非球面である。
【０１９０】
また実施の形態II−１５に係るズームレンズ系において、第３レンズ群Ｇ３は、像側に凸面を向けた正メニスカス形状の第６レンズ素子Ｌ６のみからなる。該第６レンズ素子Ｌ６は、その両面が非球面である。
【０１９１】
実施の形態II−１５に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。
【０１９２】
図１１８に示すように、実施の形態II−１６に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１の像側面と第２レンズ素子Ｌ２の物体側面とは、いずれも非球面である。
【０１９３】
実施の形態II−１６に係るズームレンズ系において、第２レンズ群Ｇ２は、物体側から像側へと順に、両凸形状の第３レンズ素子Ｌ３と、両凸形状の第４レンズ素子Ｌ４と、両凹形状の第５レンズ素子Ｌ５とからなる。これらのうち、第４レンズ素子Ｌ４と第５レンズ素子Ｌ５とは接合されており、後述する対応数値実施例における面データでは、これら第４レンズ素子Ｌ４と第５レンズ素子Ｌ５との間の接着剤層に面番号８が付与されている。また、第３レンズ素子Ｌ３は、その物体側面が非球面である。
【０１９４】
また実施の形態II−１６に係るズームレンズ系において、第３レンズ群Ｇ３は、像側に凸面を向けた正メニスカス形状の第６レンズ素子Ｌ６のみからなる。該第６レンズ素子Ｌ６は、その両面が非球面である。
【０１９５】
実施の形態II−１６に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。
【０１９６】
図１２１に示すように、実施の形態II−１７に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１の像側面と第２レンズ素子Ｌ２の物体側面とは、いずれも非球面である。
【０１９７】
実施の形態II−１７に係るズームレンズ系において、第２レンズ群Ｇ２は、物体側から像側へと順に、両凸形状の第３レンズ素子Ｌ３と、両凹形状の第４レンズ素子Ｌ４と、両凸形状の第５レンズ素子Ｌ５とからなる。これらのうち、第３レンズ素子Ｌ３と第４レンズ素子Ｌ４とは接合されている。また、第３レンズ素子Ｌ３は、その物体側面が非球面である。
【０１９８】
また実施の形態II−１７に係るズームレンズ系において、第３レンズ群Ｇ３は、像側に凸面を向けた正メニスカス形状の第６レンズ素子Ｌ６のみからなる。該第６レンズ素子Ｌ６は、その両面が非球面である。
【０１９９】
実施の形態II−１７に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。
【０２００】
図１２４に示すように、実施の形態II−１８に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１の像側面と第２レンズ素子Ｌ２の物体側面とは、いずれも非球面である。
【０２０１】
実施の形態II−１８に係るズームレンズ系において、第２レンズ群Ｇ２は、物体側から像側へと順に、両凸形状の第３レンズ素子Ｌ３と、両凹形状の第４レンズ素子Ｌ４と、両凸形状の第５レンズ素子Ｌ５とからなる。これらのうち、第３レンズ素子Ｌ３と第４レンズ素子Ｌ４とは接合されている。また、第３レンズ素子Ｌ３は、その物体側面が非球面である。
【０２０２】
また実施の形態II−１８に係るズームレンズ系において、第３レンズ群Ｇ３は、両凸形状の第６レンズ素子Ｌ６のみからなる。該第６レンズ素子Ｌ６は、その両面が非球面である。
【０２０３】
実施の形態II−１８に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。
【０２０４】
図１２７に示すように、実施の形態II−１９に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１の像側面と第２レンズ素子Ｌ２の物体側面とは、いずれも非球面である。
【０２０５】
実施の形態II−１９に係るズームレンズ系において、第２レンズ群Ｇ２は、物体側から像側へと順に、両凸形状の第３レンズ素子Ｌ３と、両凹形状の第４レンズ素子Ｌ４と、両凸形状の第５レンズ素子Ｌ５とからなる。これらのうち、第３レンズ素子Ｌ３と第４レンズ素子Ｌ４とは接合されている。また、第３レンズ素子Ｌ３は、その物体側面が非球面である。
【０２０６】
また実施の形態II−１９に係るズームレンズ系において、第３レンズ群Ｇ３は、両凸形状の第６レンズ素子Ｌ６のみからなる。該第６レンズ素子Ｌ６は、その両面が非球面である。
【０２０７】
実施の形態II−１９に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。
【０２０８】
図１３０に示すように、実施の形態II−２０に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面である。
【０２０９】
実施の形態II−２０に係るズームレンズ系において、第２レンズ群Ｇ２は、物体側から像側へと順に、物体側に凸面を向けた正メニスカス形状の第３レンズ素子Ｌ３と、物体側に凸面を向けた負メニスカス形状の第４レンズ素子Ｌ４と、物体側に凸面を向けた負メニスカス形状の第５レンズ素子Ｌ５と、両凸形状の第６レンズ素子Ｌ６とからなる。これらのうち、第３レンズ素子Ｌ３と第４レンズ素子Ｌ４とが接合されており、第５レンズ素子Ｌ５と第６レンズ素子Ｌ６とが接合されている。また、第３レンズ素子Ｌ３は、その物体側面が非球面である。
【０２１０】
また実施の形態II−２０に係るズームレンズ系において、第３レンズ群Ｇ３は、両凸形状の第７レンズ素子Ｌ７のみからなる。
【０２１１】
実施の形態II−２０に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。
【０２１２】
図１３３に示すように、実施の形態II−２１に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面である。
【０２１３】
実施の形態II−２１に係るズームレンズ系において、第２レンズ群Ｇ２は、物体側から像側へと順に、物体側に凸面を向けた正メニスカス形状の第３レンズ素子Ｌ３と、物体側に凸面を向けた負メニスカス形状の第４レンズ素子Ｌ４と、物体側に凸面を向けた負メニスカス形状の第５レンズ素子Ｌ５と、両凸形状の第６レンズ素子Ｌ６とからなる。これらのうち、第３レンズ素子Ｌ３と第４レンズ素子Ｌ４とが接合されており、第５レンズ素子Ｌ５と第６レンズ素子Ｌ６とが接合されている。また、第３レンズ素子Ｌ３は、その物体側面が非球面である。
【０２１４】
また実施の形態II−２１に係るズームレンズ系において、第３レンズ群Ｇ３は、両凸形状の第７レンズ素子Ｌ７のみからなる。
【０２１５】
実施の形態II−２１に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。
【０２１６】
図１３６に示すように、実施の形態II−２２に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面である。
【０２１７】
実施の形態II−２２に係るズームレンズ系において、第２レンズ群Ｇ２は、物体側から像側へと順に、物体側に凸面を向けた正メニスカス形状の第３レンズ素子Ｌ３と、物体側に凸面を向けた負メニスカス形状の第４レンズ素子Ｌ４と、物体側に凸面を向けた負メニスカス形状の第５レンズ素子Ｌ５と、両凸形状の第６レンズ素子Ｌ６とからなる。これらのうち、第３レンズ素子Ｌ３と第４レンズ素子Ｌ４とが接合されており、第５レンズ素子Ｌ５と第６レンズ素子Ｌ６とが接合されている。また、第３レンズ素子Ｌ３は、その物体側面が非球面である。
【０２１８】
また実施の形態II−２２に係るズームレンズ系において、第３レンズ群Ｇ３は、両凸形状の第７レンズ素子Ｌ７のみからなる。
【０２１９】
実施の形態II−２２に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。
【０２２０】
図１３９に示すように、実施の形態II−２３に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面である。
【０２２１】
実施の形態II−２３に係るズームレンズ系において、第２レンズ群Ｇ２は、物体側から像側へと順に、物体側に凸面を向けた正メニスカス形状の第３レンズ素子Ｌ３と、物体側に凸面を向けた負メニスカス形状の第４レンズ素子Ｌ４と、物体側に凸面を向けた負メニスカス形状の第５レンズ素子Ｌ５と、両凸形状の第６レンズ素子Ｌ６とからなる。これらのうち、第３レンズ素子Ｌ３と第４レンズ素子Ｌ４とが接合されており、第５レンズ素子Ｌ５と第６レンズ素子Ｌ６とが接合されている。また、第３レンズ素子Ｌ３は、その物体側面が非球面である。
【０２２２】
また実施の形態II−２３に係るズームレンズ系において、第３レンズ群Ｇ３は、像側に凸面を向けた正メニスカス形状の第７レンズ素子Ｌ７のみからなる。
【０２２３】
実施の形態II−２３に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。
【０２２４】
図１４２に示すように、実施の形態II−２４に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面である。
【０２２５】
実施の形態II−２４に係るズームレンズ系において、第２レンズ群Ｇ２は、物体側から像側へと順に、物体側に凸面を向けた正メニスカス形状の第３レンズ素子Ｌ３と、物体側に凸面を向けた負メニスカス形状の第４レンズ素子Ｌ４と、物体側に凸面を向けた負メニスカス形状の第５レンズ素子Ｌ５と、両凸形状の第６レンズ素子Ｌ６とからなる。これらのうち、第３レンズ素子Ｌ３と第４レンズ素子Ｌ４とが接合されており、第５レンズ素子Ｌ５と第６レンズ素子Ｌ６とが接合されている。また、第３レンズ素子Ｌ３は、その物体側面が非球面である。
【０２２６】
また実施の形態II−２４に係るズームレンズ系において、第３レンズ群Ｇ３は、像側に凸面を向けた正メニスカス形状の第７レンズ素子Ｌ７のみからなる。
【０２２７】
実施の形態II−２４に係るズームレンズ系において、撮像時の広角端から望遠端へのズーミングの際に、第１レンズ群Ｇ１は、像側に凸の軌跡を描いて物体側へ移動し、第２レンズ群Ｇ２は、開口絞りＡと共に物体側へ移動し、第３レンズ群Ｇ３は、像側へ移動する。すなわち、撮像時の広角端から望遠端へのズーミングの際に、第１レンズ群Ｇ１と第２レンズ群Ｇ２との間隔が減少し、かつ第２レンズ群Ｇ２と第３レンズ群Ｇ３との間隔が増大するように、各レンズ群が光軸に沿ってそれぞれ移動する。
【０２２８】
特に、実施の形態II−１〜II−２４に係るズームレンズ系では、第１レンズ群Ｇ１が、物体側から像側へと順に、負のパワーを有するレンズ素子と、正のパワーを有し、物体側に凸面を向けたメニスカス形状のレンズ素子とで構成されているので、諸収差、特に広角端での歪曲収差を良好に補正しながらも、短い光学全長を実現することができる。
【０２２９】
実施の形態II−１〜II−２４に係るズームレンズ系では、第１レンズ群Ｇ１が、非球面を有するレンズ素子を少なくとも１枚含むか、又は少なくとも２面の非球面を含んでいるので、収差をさらに良好に補正することができる。
【０２３０】
実施の形態II−１〜II−２４に係るズームレンズ系では、第３レンズ群Ｇ３が１枚のレンズ素子で構成されているので、レンズ素子の総枚数が削減され、光学全長が短いレンズ系となっている。また、該第３レンズ群Ｇ３を構成する１枚のレンズ素子が、非球面を含む実施の形態では、収差をさらに良好に補正することができる。
【０２３１】
実施の形態II−１〜II−２４に係るズームレンズ系では、第２レンズ群Ｇ２が、その中に１〜２組の接合レンズ素子を含む３〜４枚のレンズ素子で構成されているので、該第２レンズ群Ｇ２の厚みが小さく、光学全長が短いレンズ系となっている。
【０２３２】
また実施の形態II−１〜II−２４に係るズームレンズ系では、撮像時の広角端から望遠端へのズーミングの際に、第１レンズ群Ｇ１、第２レンズ群Ｇ２及び第３レンズ群Ｇ３を光軸に沿ってそれぞれ移動させて変倍を行うが、これらレンズ群のうち、例えば第２レンズ群Ｇ２を光軸に対して垂直方向に移動させることによって、手ぶれ、振動等による像のぶれを光学的に補正することができる。
【０２３３】
像のぶれを光学的に補正する場合、このように第２レンズ群Ｇ２が光軸に対して垂直方向に移動することにより、ズームレンズ系全体の大型化を抑制してコンパクトに構成しながら、偏心コマ収差や偏心非点収差が小さい優れた結像特性を維持して像ぶれの補正を行うことができる。
【０２３４】
以下、例えば実施の形態Ｉ−１〜Ｉ−２４に係るズームレンズ系のように、前記のごとき基本構成Ｉを有するズームレンズ系が満足することが好ましい条件、及び、例えば実施の形態II−１〜II−２４に係るズームレンズ系のように、前記のごとき基本構成IIを有するズームレンズ系が満足することが好ましい条件を説明する。なお、各実施の形態に係るズームレンズ系に対して、複数の好ましい条件が規定されるが、これら複数の条件すべてを満足するズームレンズ系の構成が最も望ましい。しかしながら、個別の条件を満足することにより、それぞれ対応する効果を奏するズームレンズ系を得ることも可能である。
【０２３５】
例えば実施の形態Ｉ−１〜Ｉ−２４に係るズームレンズ系のごときズームレンズ系は、以下の条件（１）を満足する。また、例えば実施の形態II−１〜II−２４に係るズームレンズ系のごときズームレンズ系は、以下の条件（１）を満足することが好ましい。
０．１０＜Ｄ２／（Ｉｒ×Ｚ２）＜０．３０  ・・・（１）
（ただし、Ｚ＝ｆＴ／ｆＷ＞４．０、ωＷ＞３５）
ここで、
Ｄ２：望遠端から広角端へ向けての第２レンズ群の移動量（像側から物体側へ移動する場合を正とする）、
Ｉｒ：最大像高（Ｉｒ＝ｆＴ×ｔａｎ（ωＴ））、
ｆＴ：望遠端における全系の焦点距離、
ｆＷ：広角端における全系の焦点距離、
ωＷ：広角端における最大画角の半値（°）、
ωＴ：望遠端における最大画角の半値（°）
である。
【０２３６】
前記条件（１）は、第２レンズ群の移動量に関する条件である。条件（１）の上限を上回ると、第２レンズ群のズーミングに伴う移動量が増大し、ズーミング時の収差変動を補正することが困難になる。一方、条件（１）の下限を下回ると、特に広角端における歪曲収差と像面湾曲とを同時に補正することが困難になる。
【０２３７】
なお、さらに以下の条件（１）’及び（１）’’の少なくとも１つを満足することにより、前記効果をさらに奏功させることができる。
０．１５＜Ｄ２／（Ｉｒ×Ｚ２）  ・・・（１）’
Ｄ２／（Ｉｒ×Ｚ２）＜０．２５  ・・・（１）’’
（ただし、Ｚ＝ｆＴ／ｆＷ＞４．０、ωＷ＞３５）
【０２３８】
また、前記条件（１）、（１）’及び（１）’’は、ωＷ＞４０において満足することがより望ましい。
【０２３９】
例えば実施の形態II−１〜II−２４に係るズームレンズ系のごときズームレンズ系は、以下の条件（４）を満足する。また、例えば実施の形態Ｉ−１〜Ｉ−２４に係るズームレンズ系のごときズームレンズ系は、以下の条件（４）を満足することが好ましい。
０．１０＜（Ｄ２Ｔ−Ｄ２Ｗ）／（Ｉｒ×Ｚ２）＜０．３０  ・・・（４）
（ただし、Ｚ＝ｆＴ／ｆＷ＞４．０、ωＷ＞３５）
ここで、
Ｄ２Ｔ：望遠端における第２レンズ群の最像側から第３レンズ群の最物体側までの軸上間隔、
Ｄ２Ｗ：広角端における第２レンズ群の最像側から第３レンズ群の最物体側までの軸上間隔、
Ｉｒ：最大像高（Ｉｒ＝ｆＴ×ｔａｎ（ωＴ））、
ｆＴ：望遠端における全系の焦点距離、
ｆＷ：広角端における全系の焦点距離、
ωＷ：広角端における最大画角の半値（°）、
ωＴ：望遠端における最大画角の半値（°）
である。
【０２４０】
前記条件（４）は、第２レンズ群の移動量に関する条件である。条件（４）の上限を上回ると、第２レンズ群のズーミングに伴う移動量が増大し、ズーミング時の収差変動を補正することが困難になる。一方、条件（４）の下限を下回ると、特に広角端における歪曲収差と像面湾曲とを同時に補正することが困難になる。
【０２４１】
なお、さらに以下の条件（４）’及び（４）’’の少なくとも１つを満足することにより、前記効果をさらに奏功させることができる。
０．１５＜（Ｄ２Ｔ−Ｄ２Ｗ）／（Ｉｒ×Ｚ２）  ・・・（４）’
（Ｄ２Ｔ−Ｄ２Ｗ）／（Ｉｒ×Ｚ２）＜０．２７  ・・・（４）’’
（ただし、Ｚ＝ｆＴ／ｆＷ＞４．０、ωＷ＞３５）
【０２４２】
また、前記条件（４）、（４）’及び（４）’’は、ωＷ＞４０において満足することがより望ましい。
【０２４３】
例えば実施の形態Ｉ−１〜Ｉ−２４に係るズームレンズ系及び実施の形態II−１〜II−２４に係るズームレンズ系のように、第２レンズ群が光軸に対して垂直方向に移動するズームレンズ系では、以下の条件（２）及び（３）を全系において満足することが望ましい。
ＹＴ＞Ｙ  ・・・（２）
０．０５＜（Ｙ／ＹＴ）／（ｆＴ／ｆ）＜０．６０  ・・・（３）
（ただし、Ｚ＝ｆＴ／ｆＷ＞４．０、ωＷ＞３５である）
ここで、
ｆ：全系の焦点距離、
ｆＴ：望遠端における全系の焦点距離、
Ｙ：全系の焦点距離ｆにおける、第２レンズ群の、最大ぶれ補正時の光軸に対して垂直方向への移動量、
ＹＴ：望遠端での全系の焦点距離ｆＴにおける、第２レンズ群の、最大ぶれ補正時の光軸に対して垂直方向への移動量、
ｆＷ：広角端における全系の焦点距離、
ωＷ：広角端における最大画角の半値（°）
である。
【０２４４】
前記条件（２）及び（３）は、光軸に対して垂直方向に移動する第２レンズ群の最大ぶれ補正時の移動量に関する条件である。ズームレンズ系の場合、補正角が全ズーム域で一定のときには、ズーム比が大きいほど、光軸に対して垂直方向に移動するレンズ群やレンズ素子の移動量が大きく、逆にズーム比が小さいほど、光軸に対して垂直方向に移動するレンズ群やレンズ素子の移動量が小さくなる。条件（２）を満足しない場合又は条件（３）の上限を上回ると、ぶれ補正が過剰となり、光学性能の劣化が大きくなる恐れがある。一方、条件（３）の下限を下回ると、充分にぶれを補正することができなくなる恐れがある。
【０２４５】
なお、さらに以下の条件（３）’及び（３）’’の少なくとも１つを満足することにより、前記効果をさらに奏功させることができる。
０．０８＜（Ｙ／ＹＴ）／（ｆＴ／ｆ）  ・・・（３）’
（Ｙ／ＹＴ）／（ｆＴ／ｆ）＜０．５０  ・・・（３）’’
（ただし、Ｚ＝ｆＴ／ｆＷ＞４．０、ωＷ＞３５である）
【０２４６】
また、前記条件（３）、（３）’及び（３）’’は、ωＷ＞４０において満足することがより望ましい。
【０２４７】
例えば実施の形態Ｉ−１〜Ｉ−２４に係るズームレンズ系のごときズームレンズ系及び実施の形態II−１〜II−２４に係るズームレンズ系のごときズームレンズ系は、以下の条件（５）を満足することが望ましい。
−１．６０＜ｆＧ１／ｆＧ２＜−０．９０  ・・・（５）
ここで、
ｆＧ１：第１レンズ群の焦点距離、
ｆＧ２：第２レンズ群の焦点距離
である。
【０２４８】
前記条件（５）は、第１レンズ群と第２レンズ群との焦点距離の比を規定する条件である。条件（５）の上限を上回ると、第２レンズ群の焦点距離が相対的に小さくなり過ぎ、第２レンズ群で発生する収差を補正することが困難になる恐れがある。一方、条件（５）の下限を下回ると、第１レンズ群の焦点距離が相対的に小さくなり過ぎ、第２レンズ群の変倍作用を維持することが困難になり、光学性能を維持したままで４倍を超えるズーム比を持つズームレンズ系を構成することが困難になる恐れがある。
【０２４９】
なお、さらに以下の条件（５）’及び（５）’’の少なくとも１つを満足することにより、前記効果をさらに奏功させることができる。
−１．５０＜ｆＧ１／ｆＧ２  ・・・（５）’
ｆＧ１／ｆＧ２＜−１．００  ・・・（５）’’
【０２５０】
例えば実施の形態Ｉ−１〜Ｉ−２４に係るズームレンズ系のごときズームレンズ系及び実施の形態II−１〜II−２４に係るズームレンズ系のごときズームレンズ系は、以下の条件（６）を満足することが望ましい。
−０．８０＜ｆＧ１／ｆＧ３＜−０．２０  ・・・（６）
ここで、
ｆＧ１：第１レンズ群の焦点距離、
ｆＧ３：第３レンズ群の焦点距離
である。
【０２５１】
前記条件（６）は、第１レンズ群と第３レンズ群との焦点距離の比を規定する条件である。条件（６）の上限を上回ると、第１レンズ群の焦点距離が相対的に大きくなり過ぎ、コンパクトなズームレンズ系を達成することが困難になる恐れがある。一方、条件（６）の下限を下回ると、第３レンズ群の焦点距離が相対的に大きくなり過ぎ、像面における照度を確保することが困難になる恐れがある。
【０２５２】
なお、さらに以下の条件（６）’及び（６）’’の少なくとも１つを満足することにより、前記効果をさらに奏功させることができる。
−０．７０＜ｆＧ１／ｆＧ３  ・・・（６）’
ｆＧ１／ｆＧ３＜−０．５０  ・・・（６）’’
【０２５３】
例えば実施の形態Ｉ−１〜Ｉ−２４に係るズームレンズ系のごときズームレンズ系及び実施の形態II−１〜II−２４に係るズームレンズ系のごときズームレンズ系は、以下の条件（７）を満足することが望ましい。
０．２０＜ｆＧ２／ｆＧ３＜０．８０  ・・・（７）
ここで、
ｆＧ２：第２レンズ群の焦点距離、
ｆＧ３：第３レンズ群の焦点距離、
である。
【０２５４】
前記条件（７）は、第２レンズ群と第３レンズ群との焦点距離の比を規定する条件である。条件（７）の上限を上回ると、第２レンズ群の焦点距離が相対的に大きくなり過ぎ、ズーミングに伴い第２レンズ群で発生する収差の変動を補正することが困難になる恐れがある。一方、条件（７）の下限を下回ると、第３レンズ群の焦点距離が相対的に大きくなり過ぎ、像面の照度を確保することが困難になる恐れがある。
【０２５５】
なお、さらに以下の条件（７）’及び（７）’’の少なくとも１つを満足することにより、前記効果をさらに奏功させることができる。
０．３０＜ｆＧ２／ｆＧ３  ・・・（７）’
ｆＧ２／ｆＧ３＜０．５０  ・・・（７）’’
【０２５６】
例えば実施の形態Ｉ−１〜Ｉ−２４に係るズームレンズ系のごときズームレンズ系及び実施の形態II−１〜II−２４に係るズームレンズ系のごときズームレンズ系は、以下の条件（８）を満足することが望ましい。
−０．８０＜ｆＧ１／ｆＴ＜−０．３０  ・・・（８）
（ただし、ｆＴ／ｆＷ＞４．０、ωｗ＞３５）
ここで、
ｆＧ１：第１レンズ群の焦点距離、
ｆＴ：望遠端における全系の焦点距離、
ｆＷ：広角端における全系の焦点距離、
ωＷ：広角端における最大画角の半値（°）
である。
【０２５７】
前記条件（８）は、実質的に第１レンズ群の焦点距離を規定する条件である。条件（８）の上限を上回ると、第１レンズ群の焦点距離が大きくなり過ぎ、第１レンズ群の移動量が増大してコンパクトなズームレンズ系を達成することが困難になる。一方、条件（８）の下限を下回ると、第１レンズ群の焦点距離が小さくなり過ぎ、ズーミング時の第２レンズ群の移動を確保する程度の空気間隔を維持することが困難になり、４倍以上といった変倍比のズームレンズ系を達成することが困難になる恐れがある。
【０２５８】
なお、さらに以下の条件（８）’及び（８）’’の少なくとも１つを満足することにより、前記効果をさらに奏功させることができる。
−０．６０＜ｆＧ１／ｆＴ  ・・・（８）’
ｆＧ１／ｆＴ＜−０．４０  ・・・（８）’’
（ただし、ｆＴ／ｆＷ＞４．０、ωｗ＞３５）
【０２５９】
また、前記条件（８）、（８）’及び（８）’’は、ωｗ＞４０において満足することがより望ましい。
【０２６０】
例えば実施の形態Ｉ−１〜Ｉ−２４に係るズームレンズ系のごときズームレンズ系及び実施の形態II−１〜II−２４に係るズームレンズ系のごときズームレンズ系は、以下の条件（９）を満足することが望ましい。
０．２０＜ｆＧ２／ｆＴ＜０．８０  ・・・（９）
（ただし、ｆＴ／ｆＷ＞４．０、ωＷ＞３５）
ここで、
ｆＧ２：第２レンズ群の焦点距離、
ｆＴ：望遠端における全系の焦点距離、
ｆＷ：広角端における全系の焦点距離、
ωＷ：広角端における最大画角の半値（°）
である。
【０２６１】
前記条件（９）は、実質的に第２レンズ群の焦点距離を規定する条件である。条件（９）の上限を上回ると、第２レンズ群の焦点距離が大きくなり過ぎ、ズーミング時の第２レンズ群の移動量が増大するため、４倍以上といった変倍比のズームレンズ系をコンパクトに達成することが困難になる恐れがある。一方、条件（９）の下限を下回ると、第２レンズ群の焦点距離が小さくなり過ぎ、第２レンズ群の移動に伴う収差変動を補正することが困難になる恐れがある。また、条件（９）の下限を下回ると、歪曲収差の補正も困難になる恐れがある。
【０２６２】
なお、さらに以下の条件（９）’及び（９）’’の少なくとも１つを満足することにより、前記効果をさらに奏功させることができる。
０．３０＜ｆＧ２／ｆＴ  ・・・（９）’
ｆＧ２／ｆＴ＜０．５０  ・・・（９）’’
（ただし、ｆＴ／ｆＷ＞４．０、ωｗ＞３５）
【０２６３】
また、前記条件（９）、（９）’及び（９）’’は、ωｗ＞４０において満足することがより望ましい。
【０２６４】
例えば実施の形態Ｉ−１〜Ｉ−２４に係るズームレンズ系のごときズームレンズ系及び実施の形態II−１〜II−２４に係るズームレンズ系のごときズームレンズ系は、以下の条件（１０）を満足することが望ましい。
０．６０＜ｆＧ３／ｆＴ＜１．５０  ・・・（１０）
（ただし、ｆＴ／ｆＷ＞４．０、ωＷ＞３５）
ここで、
ｆＧ３：第３レンズ群の焦点距離、
ｆＴ：望遠端における全系の焦点距離、
ｆＷ：広角端における全系の焦点距離、
ωＷ：広角端における最大画角の半値（°）
である。
【０２６５】
前記条件（１０）は、実質的に第３レンズ群の焦点距離を規定する条件である。条件（１０）の上限を上回ると、第３レンズ群の焦点距離が大きくなり過ぎ、像面の適正な照度を確保することが困難になる恐れがある。一方、条件（１０）の下限を下回ると、第３レンズ群の焦点距離が小さくなり過ぎ、第３レンズ群で発生する収差を第２レンズ群で補正することが困難になる恐れがある。
【０２６６】
なお、さらに以下の条件（１０）’及び（１０）’’の少なくとも１つを満足することにより、前記効果をさらに奏功させることができる。
０．７０＜ｆＧ３／ｆＴ  ・・・（１０）’
ｆＧ３／ｆＴ＜１．３０  ・・・（１０）’’
（ただし、ｆＴ／ｆＷ＞４．０、ωｗ＞３５）
【０２６７】
また、前記条件（１０）、（１０）’及び（１０）’’は、ωｗ＞４０において満足することがより望ましい。
【０２６８】
例えば実施の形態Ｉ−１〜Ｉ−２４に係るズームレンズ系のごときズームレンズ系及び実施の形態II−１〜II−２４に係るズームレンズ系のごときズームレンズ系は、以下の条件（１１）を満足することが望ましい。
０．３５＜（Ｄ１Ｗ＋Ｄ２Ｗ）／（Ｄ１Ｔ＋Ｄ２Ｔ）＜１．２０  ・・・（１１）
（ただし、ｆＴ／ｆＷ＞４．０、ωＷ＞３５）
ここで、
Ｄ１Ｗ：広角端における第１レンズ群の最像側から第２レンズ群の最物体側までの軸上間隔、
Ｄ２Ｗ：広角端における第２レンズ群の最像側から第３レンズ群の最物体側までの軸上間隔、
Ｄ１Ｔ：望遠端における第１レンズ群の最像側から第２レンズ群の最物体側までの軸上間隔、
Ｄ２Ｔ：望遠端における第２レンズ群の最像側から第３レンズ群の最物体側までの軸上間隔、
ｆＴ：望遠端における全系の焦点距離、
ｆＷ：広角端における全系の焦点距離、
ωＷ：広角端における最大画角の半値（°）
である。
【０２６９】
前記条件（１１）は、第１レンズ群及び第２レンズ群のズーミング時の移動量に関する条件である。条件（１１）の上限を上回ると、広角端での歪曲収差の補正が不足し、良好な光学性能を達成することが困難になる恐れがある。一方、条件（１１）の下限を下回ると、各レンズ群のズーミングに伴う移動量が増大し、ズーミング時の収差変動を補正することが困難になる恐れがある。
【０２７０】
なお、さらに以下の条件（１１）’及び（１１）’’の少なくとも１つを満足することにより、前記効果をさらに奏功させることができる。
０．４５＜（Ｄ１Ｗ＋Ｄ２Ｗ）／（Ｄ１Ｔ＋Ｄ２Ｔ）  ・・・（１１）’
（Ｄ１Ｗ＋Ｄ２Ｗ）／（Ｄ１Ｔ＋Ｄ２Ｔ）＜０．８０  ・・・（１１）’’
（ただし、ｆＴ／ｆＷ＞４．０、ωｗ＞３５）
【０２７１】
また、前記条件（１１）、（１１）’及び（１１）’’は、ωＷ＞４０において満足することがより望ましい。
【０２７２】
例えば実施の形態Ｉ−１〜Ｉ−２４に係るズームレンズ系のごときズームレンズ系及び実施の形態II−１〜II−２４に係るズームレンズ系のごときズームレンズ系は、以下の条件（１２）を満足することが望ましい。
２．００＜（Ｄ２Ｔ−Ｄ２Ｗ）／ｆＷ＜６．００  ・・・（１２）
（ただし、ｆＴ／ｆＷ＞４．０、ωＷ＞３５）
ここで、
Ｄ２Ｔ：望遠端における第２レンズ群の最像側から第３レンズ群の最物体側までの軸上間隔、
Ｄ２Ｗ：広角端における第２レンズ群の最像側から第３レンズ群の最物体側までの軸上間隔、
ｆＴ：望遠端における全系の焦点距離、
ｆＷ：広角端における全系の焦点距離、
ωＷ：広角端における最大画角の半値（°）
である。
【０２７３】
前記条件（１２）は、第２レンズ群の移動量に関する条件である。条件（１２）の上限を上回ると、第２レンズ群のズーミングに伴う移動量が増大し、ズーミング時の収差変動を補正することが困難になる恐れがある。一方、条件（１２）の下限を下回ると、第２レンズ群の焦点距離が小さくなる傾向が著しくなり、特に広角端において歪曲収差の補正が困難になる恐れがある。
【０２７４】
なお、さらに以下の条件（１２）’及び（１２）’’の少なくとも１つを満足することにより、前記効果をさらに奏功させることができる。
３．００＜（Ｄ２Ｔ−Ｄ２Ｗ）／ｆＷ  ・・・（１２）’
（Ｄ２Ｔ−Ｄ２Ｗ）／ｆＷ＜５．５０  ・・・（１２）’’
（ただし、ｆＴ／ｆＷ＞４．０、ωｗ＞３５）
【０２７５】
また、前記条件（１２）、（１２）’及び（１２）’’は、ωＷ＞４０において満足することがより望ましい。
【０２７６】
例えば実施の形態Ｉ−１〜Ｉ−２４に係るズームレンズ系のごときズームレンズ系及び実施の形態II−１〜II−２４に係るズームレンズ系のごときズームレンズ系は、以下の条件（１３）を満足することが望ましい。
０．６５＜（Ｄ２Ｔ−Ｄ２Ｗ）／ｆＴ＜１．１０  ・・・（１３）
（ただし、ｆＴ／ｆＷ＞４．０、ωＷ＞３５）
ここで、
Ｄ２Ｔ：望遠端における第２レンズ群の最像側から第３レンズ群の最物体側までの軸上間隔、
Ｄ２Ｗ：広角端における第２レンズ群の最像側から第３レンズ群の最物体側までの軸上間隔、
ｆＴ：望遠端における全系の焦点距離、
ｆＷ：広角端における全系の焦点距離、
ωＷ：広角端における最大画角の半値（°）
である。
【０２７７】
前記条件（１３）は、第２レンズ群の移動量に関する条件である。条件（１３）の上限を上回ると、第２レンズ群のズーミングに伴う移動量が増大し、ズーミング時の収差変動を補正することが困難になる恐れがある。一方、条件（１３）の下限を下回ると、第２レンズ群の焦点距離が小さくなる傾向が著しくなり、特に広角端における歪曲収差と像面湾曲とを同時に補正することが困難になる恐れがある。
【０２７８】
なお、さらに以下の条件（１３）’及び（１３）’’の少なくとも１つを満足することにより、前記効果をさらに奏功させることができる。
０．７５＜（Ｄ２Ｔ−Ｄ２Ｗ）／ｆＴ  ・・・（１３）’
（Ｄ２Ｔ−Ｄ２Ｗ）／ｆＴ＜０．９５  ・・・（１３）’’
（ただし、ｆＴ／ｆＷ＞４．０、ωｗ＞３５）
【０２７９】
また、前記条件（１３）、（１３）’及び（１３）’’は、ωＷ＞４０において満足することがより望ましい。
【０２８０】
例えば実施の形態Ｉ−１〜Ｉ−２４に係るズームレンズ系のごときズームレンズ系及び実施の形態II−１〜II−２４に係るズームレンズ系のごときズームレンズ系は、以下の条件（１４）を満足することが望ましい。
０．００＜Ｄ１Ｔ／Ｉｒ＜０．１０  ・・・（１４）
（ただし、ｆＴ／ｆＷ＞４．０、ωＷ＞３５）
ここで、
Ｄ１Ｔ：望遠端における第１レンズ群の最像側から第２レンズ群の最物体側までの軸上間隔、
Ｉｒ：最大像高（Ｉｒ＝ｆＴ×ｔａｎ（ωＴ））、
ｆＴ：望遠端における全系の焦点距離、
ｆＷ：広角端における全系の焦点距離、
ωＷ：広角端における最大画角の半値（°）、
ωＴ：望遠端における最大画角の半値（°）
である。
【０２８１】
前記条件（１４）は、第１レンズ群と第２レンズ群との空気間隔に関する条件である。条件（１４）の上限を上回ると、第１レンズ群と第２レンズ群との空気間隔が大きくなり過ぎ、ズームレンズ系の倍率を確保することが困難になるとともに、特に広角端における歪曲収差を補正することが困難になる恐れがある。一方、条件（１４）の下限を下回ると、第１レンズ群と第２レンズ群との空気間隔が小さくなり過ぎ、同様に広角端における歪曲収差を補正することが困難になる恐れがある。
【０２８２】
また、前記条件（１４）は、ωＷ＞４０において満足することがより望ましい。
【０２８３】
例えば実施の形態Ｉ−１〜Ｉ−２４に係るズームレンズ系のごときズームレンズ系及び実施の形態II−１〜II−２４に係るズームレンズ系のごときズームレンズ系は、以下の条件（１５）を満足することが望ましい。
０．１０＜（ｆＷ／Ｉｒ）×（ｆＷ／ｆＴ）＜０．４０  ・・・（１５）
（ただし、Ｚ＝ｆＴ／ｆＷ＞４．０、ωＷ＞３５）
ここで、
Ｉｒ：最大像高（Ｉｒ＝ｆＴ×ｔａｎ（ωＴ））、
ｆＴ：望遠端における全系の焦点距離、
ｆＷ：広角端における全系の焦点距離、
ωＷ：広角端における最大画角の半値（°）
である。
【０２８４】
前記条件（１５）は、ズームレンズ系の変倍比に関する条件である。条件（１５）の範囲を外れると、広角端における画角を維持しながら４倍程度といったズーム比を確保することが困難になる恐れがある。
【０２８５】
なお、さらに以下の条件（１５）’及び（１５）’’の少なくとも１つを満足することにより、前記効果をさらに奏功させることができる。
０．２０＜（ｆＷ／Ｉｒ）×（ｆＷ／ｆＴ）  ・・・（１５）’
（ｆＷ／Ｉｒ）×（ｆＷ／ｆＴ）＜０．３５  ・・・（１５）’’
（ただし、ｆＴ／ｆＷ＞４．０、ωｗ＞３５）
【０２８６】
また、前記条件（１５）、（１５）’及び（１５）’’は、ωＷ＞４０において満足することがより望ましい。
【０２８７】
例えば実施の形態Ｉ−１〜Ｉ−２４に係るズームレンズ系のごときズームレンズ系及び実施の形態II−１〜II−２４に係るズームレンズ系のごときズームレンズ系は、以下の条件（１６）を満足することが望ましい。
２．５０＜ｔａｎ（ωＷ）×Ｚ＜６．００  ・・・（１６）
（ただし、Ｚ＝ｆＴ／ｆＷ＞４．０、ωＷ＞３５）
ここで、
ｆＴ：望遠端における全系の焦点距離、
ｆＷ：広角端における全系の焦点距離、
ωＷ：広角端における最大画角の半値（°）
である。
【０２８８】
前記条件（１６）は、ズームレンズ系の変倍比に関する条件である。条件（１６）の範囲を外れると、広角端における画角を維持しながら４倍程度といったズーム比を確保することが困難になる恐れがある。
【０２８９】
なお、さらに以下の条件（１６）’及び（１６）’’の少なくとも１つを満足することにより、前記効果をさらに奏功させることができる。
３．００＜ｔａｎ（ωＷ）×Ｚ  ・・・（１６）’
ｔａｎ（ωＷ）×Ｚ＜５．５０  ・・・（１６）’’
（ただし、ｆＴ／ｆＷ＞４．０、ωｗ＞３５）
【０２９０】
また、前記条件（１６）、（１６）’及び（１６）’’は、ωＷ＞４０において満足することがより望ましい。
【０２９１】
例えば実施の形態Ｉ−１〜Ｉ−２４に係るズームレンズ系のごときズームレンズ系及び実施の形態II−１〜II−２４に係るズームレンズ系のごときズームレンズ系は、以下の条件（１７）を満足することが望ましい。
２．００＜｜ｆＷ×ｆＧ１｜／Ｉｒ２＜６．００  ・・・（１７）
（ただし、Ｚ＝ｆＴ／ｆＷ＞４．０、ωＷ＞３５）
ここで、
Ｉｒ：最大像高（Ｉｒ＝ｆＴ×ｔａｎ（ωＴ））、
ｆＧ１：第１レンズ群の焦点距離、
ｆＴ：望遠端における全系の焦点距離、
ｆＷ：広角端における全系の焦点距離、
ωＷ：広角端における最大画角の半値（°）、
ωＴ：望遠端における最大画角の半値（°）
である。
【０２９２】
前記条件（１７）は、実質的に第１レンズ群の焦点距離を規定する条件である。条件（１７）の上限を上回ると、第１レンズ群の焦点距離が大きくなり過ぎ、ズーミング時の第１レンズ群の移動量が増大するため、４倍以上といった変倍比のズームレンズ系をコンパクトに達成することが困難になる恐れがある。一方、条件（１７）の下限を下回ると、第１レンズ群の焦点距離が小さくなり過ぎ、広角端での画角を大きくしながら歪曲補正を行うことが困難になる恐れがある。
【０２９３】
なお、さらに以下の条件（１７）’及び（１７）’’の少なくとも１つを満足することにより、前記効果をさらに奏功させることができる。
２．５０＜｜ｆＷ×ｆＧ１｜／Ｉｒ２  ・・・（１７）’
｜ｆＷ×ｆＧ１｜／Ｉｒ２＜５．００  ・・・（１７）’’
（ただし、ｆＴ／ｆＷ＞４．０、ωｗ＞３５）
【０２９４】
また、前記条件（１７）、（１７）’及び（１７）’’は、ωＷ＞４０において満足することがより望ましい。
【０２９５】
例えば実施の形態Ｉ−１〜Ｉ−２４に係るズームレンズ系のごときズームレンズ系及び実施の形態II−１〜II−２４に係るズームレンズ系のごときズームレンズ系は、以下の条件（１８）を満足することが望ましい。
２．００＜（ｆＷ・ｆＧ２）／Ｉｒ２＜６．００  ・・・（１８）
（ただし、Ｚ＝ｆＴ／ｆＷ＞４．０、ωＷ＞３５）
ここで、
Ｉｒ：最大像高（Ｉｒ＝ｆＴ×ｔａｎ（ωＴ））、
ｆＧ２：第２レンズ群の焦点距離、
ｆＴ：望遠端における全系の焦点距離、
ｆＷ：広角端における全系の焦点距離、
ωＷ：広角端における最大画角の半値（°）、
ωＴ：望遠端における最大画角の半値（°）
である。
【０２９６】
前記条件（１８）は、実質的に第２レンズ群の焦点距離を規定する条件である。条件（１８）の上限を上回ると、第２レンズ群の焦点距離が大きくなり過ぎ、ズーミング時の第２レンズ群の移動量が増大するため、４倍以上といった変倍比のズームレンズ系をコンパクトに達成することが困難になる恐れがある。一方、条件（１８）の下限を下回ると、第２レンズ群の焦点距離が小さくなり過ぎ、第２レンズ群の移動に伴う収差変動を補正することが困難になる恐れがある。また、条件（１８）の下限を下回ると、歪曲収差の補正も困難になる恐れがある。
【０２９７】
なお、さらに以下の条件（１８）’及び（１８）’’の少なくとも１つを満足することにより、前記効果をさらに奏功させることができる。
２．５０＜（ｆＷ・ｆＧ２）／Ｉｒ２  ・・・（１８）’
（ｆＷ・ｆＧ２）／Ｉｒ２＜５．００  ・・・（１８）’’
（ただし、ｆＴ／ｆＷ＞４．０、ωｗ＞３５）
【０２９８】
また、前記条件（１８）、（１８）’及び（１８）’’は、ωＷ＞４０において満足することがより望ましい。
【０２９９】
例えば実施の形態Ｉ−１〜Ｉ−２４に係るズームレンズ系のごときズームレンズ系及び実施の形態II−１〜II−２４に係るズームレンズ系のごときズームレンズ系は、以下の条件（１９）を満足することが望ましい。
（ＤＧ１＋ＤＧ２＋ＤＧ３）／ｆＴ＜０．７０  ・・・（１９）
（ただし、ｆＴ／ｆＷ＞４．０、ωＷ＞３５）
ここで、
ＤＧ１：第１レンズ群の最物体側から最像側までの軸上間隔、
ＤＧ２：第２レンズ群の最物体側から最像側までの軸上間隔、
ＤＧ３：第３レンズ群の最物体側から最像側までの軸上間隔、
ｆＴ：望遠端における全系の焦点距離、
ｆＷ：広角端における全系の焦点距離、
ωＷ：広角端における最大画角の半値（°）
である。
【０３００】
前記条件（１９）は、収納時の全長に関する条件である。収納時に突出部を持たない、いわゆる沈胴構成を達成しようとすると、各レンズ群の軸上間隔の総和が小さいことが必要である。条件（１９）の上限を上回ると、沈胴時の全長が大きくなり過ぎるため、好ましくない。
【０３０１】
例えば実施の形態Ｉ−１〜Ｉ−２４に係るズームレンズ系のごときズームレンズ系及び実施の形態II−１〜II−２４に係るズームレンズ系のごときズームレンズ系は、以下の条件（２０）を満足することが望ましい。
３．５＜（ＦＷ×ＦＴ）／Ｚ＜５．０  ・・・（２０）
（ただし、Ｚ＝ｆＴ／ｆＷ＞４．０、ωＷ＞３５）
ここで、
ＦＷ：広角端での最小Ｆナンバー、
ＦＴ：望遠端での最小Ｆナンバー、
ｆＴ：望遠端における全系の焦点距離、
ｆＷ：広角端における全系の焦点距離、
ωＷ：広角端における最大画角の半値（°）
である。
【０３０２】
前記条件（２０）は、ズームレンズ系のＦナンバーに関する条件である。条件（２０）の範囲を外れると、光学性能を維持しながらＦナンバーの小さい明るいズームレンズ系を達成することが困難になる恐れがある。
【０３０３】
なお、さらに以下の条件（２０）’を満足することにより、前記効果をさらに奏功させることができる。
（ＦＷ×ＦＴ）／Ｚ＜４．７  ・・・（２０）’
（ただし、Ｚ＝ｆＴ／ｆＷ＞４．０、ωＷ＞３５）
【０３０４】
また、前記条件（２０）及び（２０）’は、ωＷ＞４０において満足することがより望ましい。
【０３０５】
例えば実施の形態Ｉ−１〜Ｉ−２４に係るズームレンズ系のごときズームレンズ系及び実施の形態II−１〜II−２４に係るズームレンズ系のごときズームレンズ系は、以下の条件（２１）を満足することが望ましい。
１．５＜ＬＴ／（Ｉｒ×Ｚ）＜２．６  ・・・（２１）
（ただし、Ｚ＝ｆＴ／ｆＷ＞４．０、ωＷ＞３５）
ここで、
Ｉｒ：最大像高（Ｉｒ＝ｆＴ×ｔａｎ（ωＴ））、
ＬＴ：望遠端における全長（第１レンズ群の最物体側から像面までの距離）、
ｆＴ：望遠端における全系の焦点距離、
ｆＷ：広角端における全系の焦点距離、
ωＷ：広角端における最大画角の半値（°）、
ωＴ：望遠端における最大画角の半値（°）
である。
【０３０６】
前記条件（２１）は、特に望遠端での全長を規定する条件である。条件（２１）の上限を上回ると、ズームレンズ系の全長が大きくなる傾向が著しくなり、コンパクトなズームレンズ系を達成することが困難になる恐れがある。一方、条件（２１）の下限を下回ると、ズームレンズ系の全長が小さくなる傾向が著しくなり、各レンズ群の焦点距離が小さくなり過ぎ、各収差の補正が困難になる恐れがある。
【０３０７】
なお、前記条件（２１）は、ωＷ＞４０において満足することがより望ましい。
【０３０８】
例えば実施の形態Ｉ−１〜Ｉ−２４に係るズームレンズ系のごときズームレンズ系及び実施の形態II−１〜II−２４に係るズームレンズ系のごときズームレンズ系は、以下の条件（２２）を満足することが望ましい。
４．０＜（ＤＧ２＋（ＤＧ２Ａ））／（ＤＧ２Ａ）＜２０．０  ・・・（２２）
ここで、
ＤＧ２：第２レンズ群の最物体側から最像側までの軸上間隔、
ＤＧ２Ａ：第２レンズ群の最像側から開口絞りまでの軸上間隔
である。
【０３０９】
前記条件（２２）は、第２レンズ群と開口絞りとの適正な間隔を規定する条件である。条件（２２）の上限を上回ると、絞り位置が第２レンズ群から遠くなる傾向が著しくなり、第１レンズ群の有効径が大きくなり過ぎるとともに、特に広角端での歪曲収差とコマ収差との補正が困難になる恐れがある。一方、条件（２２）の下限を下回ると、絞り位置が第２レンズ群から近くなる傾向が著しくなり、第２レンズ群で補正すべき球面収差の補正が困難になる恐れがある。
【０３１０】
なお、さらに以下の条件（２２）’を満足することにより、前記効果をさらに奏功させることができる。
８．０＜（ＤＧ２＋（ＤＧ２Ａ））／（ＤＧ２Ａ）  ・・・（２２）’
【０３１１】
例えば実施の形態Ｉ−１〜Ｉ−２４に係るズームレンズ系のごときズームレンズ系及び実施の形態II−１〜II−２４に係るズームレンズ系のごときズームレンズ系において、第１レンズ群が、物体側から像側へと順に、負のパワーを有する第１レンズ素子と、正のパワーを有する第２レンズ素子とからなるとき、以下の条件（２３）を満足することが望ましい。
−２．００＜ｆＬ２／ｆＧ１＜−１．００  ・・・（２３）
ここで、
ｆＬ２：第２レンズ素子の焦点距離、
ｆＧ１：第１レンズ群の焦点距離
である。
【０３１２】
前記条件（２３）は、第１レンズ群の第２レンズ素子の焦点距離を規定する条件である。条件（２３）の上限を上回ると、第２レンズ素子の焦点距離が大きくなり過ぎ、特に望遠端でのコマ収差の補正が困難になる恐れがある。一方、条件（２３）の下限を下回ると、第２レンズ素子の焦点距離が小さくなり過ぎ、広角端での歪曲収差の補正が困難になる恐れがある。
【０３１３】
なお、さらに以下の条件（２３）’を満足することにより、前記効果をさらに奏功させることができる。
−１．６０＜ｆＬ２／ｆＧ１  ・・・（２３）’
【０３１４】
例えば実施の形態Ｉ−１〜Ｉ−２４に係るズームレンズ系のごときズームレンズ系及び実施の形態II−１〜II−２４に係るズームレンズ系のごときズームレンズ系において、第１レンズ群が、物体側から像側へと順に、負のパワーを有する第１レンズ素子と、正のパワーを有する第２レンズ素子とからなるとき、以下の条件（２４）を満足することが望ましい。
０．２０＜Ｒ２Ｆ／ｆＴ＜０．５０  ・・・（２４）
（ただし、Ｚ＝ｆＴ／ｆＷ＞４．０、ωＷ＞３５）
ここで、
Ｒ２Ｆ：第２レンズ素子の物体側面の曲率半径、
ｆＴ：望遠端における全系の焦点距離、
ｆＷ：広角端における全系の焦点距離、
ωＷ：広角端における最大画角の半値（°）
である。
【０３１５】
前記条件（２４）は、第１レンズ群の第２レンズ素子の物体側面を規定する条件である。条件（２４）の範囲を外れると、広角端での歪曲収差の補正が困難になる恐れがある。
【０３１６】
なお、さらに以下の条件（２４）’を満足することにより、前記効果をさらに奏功させることができる。
Ｒ２Ｆ／ｆＴ＜０．４５  ・・・（２４）’
（ただし、Ｚ＝ｆＴ／ｆＷ＞４．０、ωＷ＞３５）
【０３１７】
また、前記条件（２４）及び（２４）’は、ωＷ＞４０において満足することがより望ましい。
【０３１８】
例えば実施の形態Ｉ−１〜Ｉ−２４に係るズームレンズ系のごときズームレンズ系及び実施の形態II−１〜II−２４に係るズームレンズ系のごときズームレンズ系において、第１レンズ群が、物体側から像側へと順に、負のパワーを有する第１レンズ素子と、正のパワーを有する第２レンズ素子とからなるとき、以下の条件（２５）を満足することが望ましい。
０．３０＜Ｒ２Ｒ／ｆＴ＜０．９０  ・・・（２５）
（ただし、Ｚ＝ｆＴ／ｆＷ＞４．０、ωＷ＞３５）
ここで、
Ｒ２Ｒ：第２レンズ素子の像側面の曲率半径、
ｆＴ：望遠端における全系の焦点距離、
ｆＷ：広角端における全系の焦点距離、
ωＷ：広角端における最大画角の半値（°）
である。
【０３１９】
前記条件（２５）は、第１レンズ群の第２レンズ素子の像側面を規定する条件である。条件（２５）の範囲を外れると、広角端での歪曲収差の補正が困難になる恐れがある。
【０３２０】
なお、さらに以下の条件（２５）’を満足することにより、前記効果をさらに奏功させることができる。
Ｒ２Ｒ／ｆＴ＜０．８５  ・・・（２５）’
（ただし、Ｚ＝ｆＴ／ｆＷ＞４．０、ωＷ＞３５）
【０３２１】
また、前記条件（２５）及び（２５）’は、ωＷ＞４０において満足することがより望ましい。
【０３２２】
例えば実施の形態Ｉ−１〜Ｉ−２４に係るズームレンズ系のごときズームレンズ系及び実施の形態II−１〜II−２４に係るズームレンズ系のごときズームレンズ系において、第１レンズ群が、物体側から像側へと順に、負のパワーを有する第１レンズ素子と、正のパワーを有する第２レンズ素子とからなるとき、以下の条件（２６）を満足することが望ましい。
０．５０＜ｆＬ２／ｆＴ＜１．００  ・・・（２６）
（ただし、Ｚ＝ｆＴ／ｆＷ＞４．０、ωＷ＞３５）
ここで、
ｆＬ２：第２レンズ素子の焦点距離、
ｆＴ：望遠端における全系の焦点距離、
ｆＷ：広角端における全系の焦点距離、
ωＷ：広角端における最大画角の半値（°）
である。
【０３２３】
前記条件（２６）は、第１レンズ群の第２レンズ素子の焦点距離を規定する条件である。条件（２６）の上限を上回ると、第２レンズ素子の焦点距離が大きくなり過ぎるため、第１レンズ群全体の負のパワーが小さくなる。この結果、広角端の焦点距離を短くしながら諸収差、特に歪曲収差を補正することが困難になる恐れがある。また、条件（２６）の上限を上回ると、倍率色収差も大きく発生する恐れがある。一方、条件（２６）の下限を下回ると、第２レンズ素子の焦点距離が小さくなり過ぎ、光学性能を維持しつつ４倍以上といった高変倍率を確保することが困難になる恐れが生じるとともに、歪曲収差の補正も充分ではなくなる恐れがある。
【０３２４】
なお、さらに以下の条件（２６）’を満足することにより、前記効果をさらに奏功させることができる。
ｆＬ２／ｆＴ＜０．９０  ・・・（２６）’
（ただし、Ｚ＝ｆＴ／ｆＷ＞４．０、ωＷ＞３５）
【０３２５】
また、前記条件（２６）及び（２６）’は、ωＷ＞４０において満足することがより望ましい。
【０３２６】
例えば実施の形態Ｉ−１〜Ｉ−２４に係るズームレンズ系のごときズームレンズ系及び実施の形態II−１〜II−２４に係るズームレンズ系のごときズームレンズ系において、第２レンズ群が、最物体側に正レンズ素子を有するとき、以下の条件（２７）を満足することが望ましい。
０．４０＜ｆＬ３／ｆＧ２＜１．００  ・・・（２７）
ここで、
ｆＬ３：第２レンズ群の最物体側に配置された正レンズ素子の焦点距離、
ｆＧ２：第２レンズ群の焦点距離
である。
【０３２７】
前記条件（２７）は、第２レンズ群の最物体側に配置された正レンズ素子を規定する条件である。条件（２７）の上限を上回ると、広角端での歪曲収差の補正が困難になる恐れがある。一方、条件（２７）の下限を下回ると、全ズーム域を通じて球面収差の補正が困難になり、コンパクト化と光学性能の維持との両立ができずに、光学系としての基本的な結像性能が低下する恐れがある。
【０３２８】
なお、さらに以下の条件（２７）’を満足することにより、前記効果をさらに奏功させることができる。
ｆＬ３／ｆＧ２＜０．９２  ・・・（２７）’
【０３２９】
例えば実施の形態Ｉ−２０〜Ｉ−２４に係るズームレンズ系のごときズームレンズ系及び実施の形態II−２０〜II−２４に係るズームレンズ系のごときズームレンズ系において、第２レンズ群が、物体側から像側へと順に、２枚のレンズ素子を接合してなる第１接合レンズ素子と、２枚のレンズ素子を接合してなる第２接合レンズ素子とからなるとき、以下の条件（２８）を満足することが望ましい。
２．００＜ｆＧ２ａ／ｆＧ２ｂ＜３．００  ・・・（２８）
ここで、
ｆＧ２ａ：第１接合レンズ素子の焦点距離、
ｆＧ２ｂ：第２接合レンズ素子の焦点距離
である。
【０３３０】
前記条件（２８）は、第２レンズ群が２組の接合レンズ素子からなる場合に、各接合レンズ素子の適正な焦点距離を規定する条件である。条件（２８）の上限を上回ると、第２レンズ群の偏心誤差感度が高くなり過ぎ、組み立て誤差による性能劣化、特に相対偏心による像面性の悪化が著しくなる恐れがある。一方、条件（２８）の下限を下回ると、第２レンズ群において発生する球面収差の補正が困難になる恐れがある。
【０３３１】
なお、さらに以下の条件（２８）’を満足することにより、前記効果をさらに奏功させることができる。
２．２５＜ｆＧ２ａ／ｆＧ２ｂ  ・・・（２８）’
【０３３２】
例えば実施の形態Ｉ−１〜Ｉ−２４に係るズームレンズ系及び実施の形態II−１〜II−２４に係るズームレンズ系のように、第２レンズ群が光軸に対して垂直方向に移動するズームレンズ系では、以下の条件（２９）を満足することが望ましい。
２．００＜（１−ｍ２Ｔ）×ｍ３Ｔ＜５．００  ・・・（２９）
（ただし、Ｚ＝ｆＴ／ｆＷ＞４．０、ωＷ＞３５）
ここで、
ｍ２Ｔ：望遠端かつ無限遠合焦状態における第２レンズ群の横倍率、
ｍ３Ｔ：望遠端かつ無限遠合焦状態における第３レンズ群の横倍率、
ｆＴ：望遠端における全系の焦点距離、
ｆＷ：広角端における全系の焦点距離、
ωＷ：広角端における最大画角の半値（°）
である。
【０３３３】
前記条件（２９）は、第２レンズ群を光軸に対して垂直方向に移動させて像ぶれ補正を行う際に、結像特性を良好にするための条件である。条件（２９）の上限を上回ると、像を所定量だけ偏心させるのに必要な第２レンズ群の移動量が過小となるため、第２レンズ群を精度よく平行移動させることが困難になる。その結果、撮影中の画素ずれを充分に小さくすることができないため、像ぶれ補正時の結像特性を良好にすることが困難になる恐れがある。一方、条件（２９）の下限を下回ると、像を所定の量だけ偏心させるのに必要な第２レンズ群の偏心量が過大となるために、第２レンズ群の平行移動による収差の変化が大きくなり、画像周辺部の結像特性が低下する恐れがある。
【０３３４】
なお、さらに以下の条件（２９）’を満足することにより、前記効果をさらに奏功させることができる。
２．５０＜（１−ｍ２Ｔ）×ｍ３Ｔ  ・・・（２９）’
（ただし、Ｚ＝ｆＴ／ｆＷ＞４．０、ωＷ＞３５）
【０３３５】
また、前記条件（２９）及び（２９）’は、ωＷ＞４０において満足することがより望ましい。
【０３３６】
例えば実施の形態Ｉ−１〜Ｉ−２４に係るズームレンズ系のごときズームレンズ系及び実施の形態II−１〜II−２４に係るズームレンズ系のごときズームレンズ系は、以下の条件（３０）を満足することが望ましい。
３．５０＜ｍ２Ｔ／ｍ２Ｗ＜５．５０  ・・・（３０）
（ただし、Ｚ＝ｆＴ／ｆＷ＞４．０、ωＷ＞３５）
ここで、
ｍ２Ｔ：望遠端かつ無限遠合焦状態における第２レンズ群の横倍率、
ｍ２Ｗ：広角端かつ無限遠合焦状態における第２レンズ群の横倍率、
ｆＴ：望遠端における全系の焦点距離、
ｆＷ：広角端における全系の焦点距離、
ωＷ：広角端における最大画角の半値（°）
である。
【０３３７】
前記条件（３０）は、第２レンズ群の倍率変化を規定し、実質的に第２レンズ群のズーミング時の変倍負担を最適化する条件である。条件（３０）の範囲を外れると、第２レンズ群の変倍負担が適正でなくなり、光学性能を維持したままズームレンズ系をコンパクトに構成することが困難になる恐れがある。
【０３３８】
なお、さらに以下の条件（３０）’を満足することにより、前記効果をさらに奏功させることができる。
４．００＜ｍ２Ｔ／ｍ２Ｗ  ・・・（３０）’
（ただし、Ｚ＝ｆＴ／ｆＷ＞４．０、ωＷ＞３５）
【０３３９】
また、前記条件（３０）及び（３０）’は、ωＷ＞４０において満足することがより望ましい。
【０３４０】
例えば実施の形態Ｉ−１〜Ｉ−２４に係るズームレンズ系のごときズームレンズ系及び実施の形態II−１〜II−２４に係るズームレンズ系のごときズームレンズ系は、以下の条件（３１）を満足することが望ましい。
−６．００＜（１−ｍ２Ｔ／ｍ２Ｗ）×（ｍ３Ｔ／ｍ３Ｗ）＜−３．００  ・・・（３１）
（ただし、Ｚ＝ｆＴ／ｆＷ＞４．０、ωＷ＞３５）
ここで、
ｍ２Ｔ：望遠端かつ無限遠合焦状態における第２レンズ群の横倍率、
ｍ２Ｗ：広角端かつ無限遠合焦状態における第２レンズ群の横倍率、
ｍ３Ｔ：望遠端かつ無限遠合焦状態における第３レンズ群の横倍率、
ｍ３Ｗ：広角端かつ無限遠合焦状態における第３レンズ群の横倍率、
ｆＴ：望遠端における全系の焦点距離、
ｆＷ：広角端における全系の焦点距離、
ωＷ：広角端における最大画角の半値（°）
である。
【０３４１】
前記条件（３１）は、第２レンズ群及び第３レンズ群の倍率変化を規定し、実質的に第２レンズ群及び第３レンズ群のズーミング時の変倍負担を最適化する条件である。条件（３１）の範囲を外れると、第２レンズ群及び第３レンズ群の変倍負担の分配が適正でなくなり、光学性能を維持したままズームレンズ系をコンパクトに構成することが困難になる恐れがある。
【０３４２】
なお、さらに以下の条件（３１）’を満足することにより、前記効果をさらに奏功させることができる。
−４．００＜（１−ｍ２Ｔ／ｍ２Ｗ）×（ｍ３Ｔ／ｍ３Ｗ）  ・・・（３１）’
（ただし、Ｚ＝ｆＴ／ｆＷ＞４．０、ωＷ＞３５）
【０３４３】
また、前記条件（３１）及び（３１）’は、ωＷ＞４０において満足することがより望ましい。
【０３４４】
例えば実施の形態Ｉ−１〜Ｉ−２４に係るズームレンズ系及び実施の形態II−１〜II−２４に係るズームレンズ系のように、第２レンズ群が光軸に対して垂直方向に移動するズームレンズ系では、以下の条件（３２）を満足することが望ましい。
１．００＜（１−ｍ２Ｗ）×ｍ３Ｗ＜１．５０  ・・・（３２）
（ただし、Ｚ＝ｆＴ／ｆＷ＞４．０、ωＷ＞３５）
ここで、
ｍ２Ｗ：広角端かつ無限遠合焦状態における第２レンズ群の横倍率、
ｍ３Ｗ：広角端かつ無限遠合焦状態における第３レンズ群の横倍率、
ｆＴ：望遠端における全系の焦点距離、
ｆＷ：広角端における全系の焦点距離、
ωＷ：広角端における最大画角の半値（°）
である。
【０３４５】
前記条件（３２）は、第２レンズ群を光軸に対して垂直方向に移動させて像ぶれ補正を行う際に、結像特性を良好にするための条件である。条件（３２）の上限を上回ると、像を所定量だけ偏心させるのに必要な第２レンズ群の移動量が過小となるため、第２レンズ群を精度よく平行移動させることが困難になる恐れがある。その結果、撮影中の画素ずれを充分に小さくすることができないため、像ぶれ補正時の結像特性を良好にすることが困難になる恐れがある。一方、条件（３２）の下限を下回ると、像を所定の量だけ偏心させるのに必要な第２レンズ群の偏心量が過大となるために、第２レンズ群の平行移動による収差の変化が大きくなり、画像周辺部の結像特性が低下する恐れがある。
【０３４６】
なお、さらに以下の条件（３２）’を満足することにより、前記効果をさらに奏功させることができる。
１．１５＜（１−ｍ２Ｔ）×ｍ３Ｔ  ・・・（３２）’
（ただし、Ｚ＝ｆＴ／ｆＷ＞４．０、ωＷ＞３５）
【０３４７】
また、前記条件（３２）及び（３２）’は、ωＷ＞４０において満足することがより望ましい。
【０３４８】
実施の形態Ｉ−１〜Ｉ−２４に係るズームレンズ系及び実施の形態II−１〜II−２４に係るズームレンズ系を構成している各レンズ群は、入射光線を屈折により偏向させる屈折型レンズ素子（すなわち、異なる屈折率を有する媒質同士の界面で偏向が行われるタイプのレンズ素子）のみで構成されているが、これに限定されるものではない。例えば、回折により入射光線を偏向させる回折型レンズ素子、回折作用と屈折作用との組み合わせで入射光線を偏向させる屈折・回折ハイブリッド型レンズ素子、入射光線を媒質内の屈折率分布により偏向させる屈折率分布型レンズ素子等で、各レンズ群を構成してもよい。
【０３４９】
さらに各実施の形態では、像面Ｓの物体側（像面Ｓと第３レンズ群Ｇ３の最像側レンズ面との間）には、光学的ローパスフィルタや撮像素子のフェースプレート等と等価な平行平板を配置する構成を示したが、このローパスフィルタとしては、所定の結晶軸方向が調整された水晶等を材料とする複屈折型ローパスフィルタや、必要とされる光学的な遮断周波数の特性を回折効果により達成する位相型ローパスフィルタ等が適用可能である。
【０３５０】
（実施の形態Ｉ−２５及びII−２５）
図１４５は、実施の形態Ｉ−２５及びII−２５に係るデジタルスチルカメラの概略構成図である。図１４５において、デジタルスチルカメラは、ズームレンズ系１とＣＣＤである撮像素子２とを含む撮像装置と、液晶モニタ３と、筐体４とから構成される。ズームレンズ系１として、実施の形態Ｉ−１及びII−１に係るズームレンズ系が用いられている。図１４５において、ズームレンズ系１は、第１レンズ群Ｇ１と、第２レンズ群Ｇ２と、開口絞りＡと、第３レンズ群Ｇ３とから構成されている。筐体４は、前側にズームレンズ系１が配置され、ズームレンズ系１の後側には、撮像素子２が配置されている。筐体４の後側に液晶モニタ３が配置され、ズームレンズ系１による被写体の光学的な像が像面Ｓに形成される。
【０３５１】
鏡筒は、主鏡筒５と、移動鏡筒６と、円筒カム７とで構成されている。円筒カム７を回転させると、第１レンズ群Ｇ１、第２レンズ群Ｇ２と開口絞りＡ及び第３レンズ群Ｇ３が撮像素子２を基準にした所定の位置に移動し、広角端から望遠端までの変倍を行うことができる。第３レンズ群Ｇ３はフォーカス調整用モータにより光軸方向に移動可能である。
【０３５２】
こうして、デジタルスチルカメラに実施の形態Ｉ−１及びII−１に係るズームレンズ系を用いることにより、解像度及び像面湾曲を補正する能力が高く、非使用時の光学全長が短い小型のデジタルスチルカメラを提供することができる。なお、図１４５に示したデジタルスチルカメラには、実施の形態Ｉ−１及びII−１に係るズームレンズ系の替わりに実施の形態Ｉ−２〜Ｉ−２４及びII−２〜II−２４に係るズームレンズ系のいずれかを用いてもよい。また、図１４５に示したデジタルスチルカメラの光学系は、動画像を対象とするデジタルビデオカメラに用いることもできる。この場合、静止画像だけでなく、解像度の高い動画像を撮影することができる。
【０３５３】
なお、本実施の形態Ｉ−２５及びII−２５に係るデジタルスチルカメラでは、ズームレンズ系１として実施の形態Ｉ−１〜Ｉ−２４及びII−１〜II−２４に係るズームレンズ系を示したが、これらのズームレンズ系は、全てのズーミング域を使用する必要はない。すなわち、所望のズーミング域に応じて、光学性能が確保されている範囲を切り出し、実施の形態Ｉ−１〜Ｉ−２４及びII−１〜II−２４で説明したズームレンズ系よりも低倍率のズームレンズ系として使用してもよい。
【０３５４】
さらに、実施の形態Ｉ−２５及びII−２５では、いわゆる沈胴構成の鏡筒にズームレンズ系を適用した例を示したが、これに限られない。例えば、第１レンズ群Ｇ１内等の任意の位置に、内部反射面を持つプリズムや、表面反射ミラーを配置し、いわゆる屈曲構成の鏡筒にズームレンズ系を適用してもよい。さらに、実施の形態Ｉ−２５及びII−２５において、第２レンズ群Ｇ２全体等のズームレンズ系を構成している一部のレンズ群を沈胴時に光軸上から退避させる、いわゆるスライディング鏡筒にズームレンズ系を適用してもよい。
【０３５５】
また、以上説明した実施の形態Ｉ−１〜Ｉ−２４及びII−１〜II−２４に係るズームレンズ系と、ＣＣＤやＣＭＯＳ等の撮像素子とから構成される撮像装置を、携帯電話機器、ＰＤＡ（Ｐｅｒｓｏｎａｌ  Ｄｉｇｉｔａｌ  Ａｓｓｉｓｔａｎｃｅ）、監視システムにおける監視カメラ、Ｗｅｂカメラ、車載カメラ等に適用することもできる。
【０３５６】
以下、実施の形態Ｉ−１〜Ｉ−２４及びII−１〜II−２４に係るズームレンズ系を具体的に実施した数値実施例を説明する。なお、各数値実施例において、表中の長さの単位はすべて「ｍｍ」であり、画角の単位はすべて「°」である。また、各数値実施例において、ｒは曲率半径、ｄは面間隔、ｎｄはｄ線に対する屈折率、ｖｄはｄ線に対するアッベ数である。また、各数値実施例において、＊印を付した面は非球面であり、非球面形状は次式で定義している。
【数１】
2009096157.tif 000163
ここで、κは円錐定数、Ａ４、Ａ６、Ａ８、Ａ１０、Ａ１２及びＡ１４は、それぞれ４次、６次、８次、１０次、１２次及び１４次の非球面係数である。
【０３５７】
図２、５、８、１１、１４、１７、２０、２３、２６、２９、３２、３５、３８、４１、４４、４７、５０、５３、５６、５９、６２、６５、６８及び７１は、各々実施の形態Ｉ−１〜Ｉ−２４に係るズームレンズ系の縦収差図である。
【０３５８】
図７４、７７、８０、８３、８６、８９、９２、９５、９８、１０１、１０４、１０７、１１０、１１３、１１６、１１９、１２２、１２５、１２８、１３１、１３４、１３７、１４０及び１４３は、各々実施の形態II−１〜II−２４に係るズームレンズ系の縦収差図である。
【０３５９】
各縦収差図において、（ａ）図は広角端、（ｂ）図は中間位置、（ｃ）図は望遠端における各収差を表す。各縦収差図は、左側から順に、球面収差（ＳＡ（ｍｍ））、非点収差（ＡＳＴ（ｍｍ））、歪曲収差（ＤＩＳ（％））を示す。球面収差図において、縦軸はＦナンバー（図中、Ｆで示す）を表し、実線はｄ線（ｄ−ｌｉｎｅ）、短破線はＦ線（Ｆ−ｌｉｎｅ）、長破線はＣ線（Ｃ−ｌｉｎｅ）の特性である。非点収差図において、縦軸は像高（図中、Ｈで示す）を表し、実線はサジタル平面（図中、ｓで示す）、破線はメリディオナル平面（図中、ｍで示す）の特性である。歪曲収差図において、縦軸は像高（図中、Ｈで示す）を表す。
【０３６０】
図３、６、９、１２、１５、１８、２１、２４、２７、３０、３３、３６、３９、４２、４５、４８、５１、５４、５７、６０、６３、６６、６９及び７２は、各々実施の形態Ｉ−１〜Ｉ−２４に係るズームレンズ系の望遠端における横収差図である。
【０３６１】
図７５、７８、８１、８４、８７、９０、９３、９６、９９、１０２、１０５、１０８、１１１、１１４、１１７、１２０、１２３、１２６、１２９、１３２、１３５、１３８、１４１及び１４４は、各々実施の形態II−１〜II−２４に係るズームレンズ系の望遠端における横収差図である。
【０３６２】
各横収差図において、上段３つの収差図は、望遠端における像ぶれ補正を行っていない基本状態、下段３つの収差図は、第２レンズ群Ｇ２全体を光軸と垂直な方向に所定量移動させた望遠端における像ぶれ補正状態に、それぞれ対応する。基本状態の各横収差図のうち、上段は最大像高の７５％の像点における横収差、中段は軸上像点における横収差、下段は最大像高の−７５％の像点における横収差に、それぞれ対応する。像ぶれ補正状態の各横収差図のうち、上段は最大像高の７５％の像点における横収差、中段は軸上像点における横収差、下段は最大像高の−７５％の像点における横収差に、それぞれ対応する。また各横収差図において、横軸は瞳面上での主光線からの距離を表し、実線はｄ線（ｄ−ｌｉｎｅ）、短破線はＦ線（Ｆ−ｌｉｎｅ）、長破線はＣ線（Ｃ−ｌｉｎｅ）の特性である。なお各横収差図において、メリディオナル平面を、第１レンズ群Ｇ１の光軸と第２レンズ群Ｇ２の光軸とを含む平面としている。
【０３６３】
なお、各実施例のズームレンズ系について、望遠端における、像ぶれ補正状態での第２レンズ群Ｇ２の光軸と垂直な方向への移動量（ＹＴ）は、以下に示すとおりである。
【表１】
2009096157.tif 000164
【表２】
2009096157.tif 000165
【０３６４】
撮影距離が∞で望遠端において、ズームレンズ系が０．６°だけ傾いた場合の像偏心量は、第２レンズ群Ｇ２全体が光軸と垂直な方向に上記の各値だけ平行移動するときの像偏心量に等しい。
【０３６５】
各横収差図から明らかなように、軸上像点における横収差の対称性は良好であることがわかる。また、＋７５％像点における横収差と−７５％像点における横収差とを基本状態で比較すると、いずれも湾曲度が小さく、収差曲線の傾斜がほぼ等しいことから、偏心コマ収差、偏心非点収差が小さいことがわかる。このことは、像ぶれ補正状態であっても充分な結像性能が得られていることを意味している。また、ズームレンズ系の像ぶれ補正角が同じ場合には、ズームレンズ系全体の焦点距離が短くなるにつれて、像ぶれ補正に必要な平行移動量が減少する。したがって、いずれのズーム位置であっても、０．６°までの像ぶれ補正角に対して、結像特性を低下させることなく充分な像ぶれ補正を行うことが可能である。
【０３６６】
（数値実施例Ｉ−１）
数値実施例Ｉ−１のズームレンズ系は、図１に示した実施の形態Ｉ−１に対応する。数値実施例Ｉ−１のズームレンズ系の面データを表Ｉ−１に、非球面データを表Ｉ−２に、各種データを表Ｉ−３に示す。
【０３６７】
表  Ｉ−１（面データ）
面番号         r           d           nd         vd                
物面             ∞                                               
1*       188.92300     1.06000     1.85976    40.6               
2*         5.44500     1.73200                                   
3*         9.22600     1.98000     1.99537    20.7               
4         17.36000        可変                                   
5*         4.94900     1.55900     1.80434    40.8               
6        117.92500     0.15300                                   
7         13.15200     1.05000     1.72916    54.7               
8        -21.47500     0.01000     1.56732    42.8               
9        -21.47500     0.40000     1.76182    26.6               
10          3.74800     0.58300                                   
11         22.33900     1.01500     1.69680    55.5               
12        -19.41000     0.40000                                   
13(絞り)           ∞        可変                                   
14*      -116.08400     1.40700     1.68863    52.8               
15*       -12.09600        可変                                   
16               ∞     0.28000     1.51680    64.2               
17               ∞     0.50000                                   
18               ∞     0.50000     1.51680    64.2               
19               ∞        (BF)                                       
像面             ∞                                               
【０３６８】
表  Ｉ−２（非球面データ）
第1面
K= 0.00000E+00, A4=-1.00660E-06, A6= 1.42786E-06, A8=-2.21841E-08 
A10= 4.62309E-11, A12= 0.00000E+00, A14= 0.00000E+00 
第2面
K=-1.50376E+00, A4= 9.16971E-04, A6= 9.94477E-06, A8=-3.69570E-06 
A10= 2.88772E-07, A12=-9.37503E-09, A14= 1.08167E-10 
第3面
K= 0.00000E+00, A4= 1.33735E-04, A6= 8.26828E-06, A8=-2.36263E-06 
A10= 1.72041E-07, A12=-5.39358E-09, A14= 6.14991E-11 
第5面
K= 0.00000E+00, A4=-7.21745E-04, A6=-2.78703E-06, A8=-1.01123E-05 
A10= 2.41573E-06, A12=-3.18270E-07, A14= 1.76444E-08 
第14面
K= 0.00000E+00, A4= 3.84582E-04, A6=-4.88167E-05, A8= 2.35198E-06 
A10= 4.74331E-08, A12=-3.53285E-09, A14= 0.00000E+00 
第15面
K= 0.00000E+00, A4= 5.69667E-04, A6=-3.94000E-05, A8= 1.79407E-06 
A10= 3.36301E-08, A12=-2.29056E-09, A14= 0.00000E+00
【０３６９】
表  Ｉ−３（各種データ）
ズーム比     5.02077
広角      中間      望遠
焦点距離       4.2071   10.2045   21.1228
Ｆナンバー     2.90782   5.02380   6.11771
画角        46.1595   20.5403   10.1174
像高         3.8000    3.8000    3.8000
レンズ全長     33.0753   29.8672   37.3253
ＢＦ        0.42136   0.37974   0.40715
d4          14.3760    4.3000    0.2000 
d13          1.7728    9.7004   21.4167 
d15          3.8761    2.8581    2.6724 
ズームレンズ群データ
群    始面      焦点距離
1       1     -11.10099
2       5       9.35617
3      14      19.50093
【０３７０】
（数値実施例Ｉ−２）
数値実施例Ｉ−２のズームレンズ系は、図４に示した実施の形態Ｉ−２に対応する。数値実施例Ｉ−２のズームレンズ系の面データを表Ｉ−４に、非球面データを表Ｉ−５に、各種データを表Ｉ−６に示す。
【０３７１】
表  Ｉ−４（面データ）
面番号         r           d           nd         vd                
物面             ∞                                               
1         91.71600     1.06000     1.85976    40.6               
2*         5.02500     1.73200                                   
3*         8.10500     1.98000     1.99537    20.7               
4         15.41300        可変                                   
5          4.67900     1.55000     1.80434    40.8               
6         20.06000     0.15000                                   
7         17.38100     1.05000     1.72916    54.7               
8         -7.78900     0.01000     1.56732    42.8               
9         -7.78900     0.40000     1.76182    26.6               
10          5.54400     0.58300                                   
11*         9.60700     1.03000     1.69680    55.5               
12*        24.77100     0.40000                                   
13(絞り)           ∞        可変                                   
14*       143.86300     1.40700     1.68863    52.8               
15*       -14.99700        可変                                   
16               ∞     0.28000     1.51680    64.2               
17               ∞     0.50000                                   
18               ∞     0.50000     1.51680    64.2               
19               ∞        (BF)                                       
像面             ∞                                               
【０３７２】
表  Ｉ−５（非球面データ）
第2面
K=-1.72393E+00, A4= 8.21522E-04, A6= 2.55266E-05, A8=-3.88679E-06 
A10= 2.77924E-07, A12=-9.47533E-09, A14= 1.16437E-10 
第3面
K= 0.00000E+00, A4=-2.24219E-04, A6= 2.10672E-05, A8=-2.55993E-06 
A10= 1.68943E-07, A12=-5.44312E-09, A14= 6.31627E-11 
第11面
K= 0.00000E+00, A4=-1.79281E-03, A6=-2.82240E-04, A8= 1.33862E-05 
A10= 7.24137E-06, A12= 0.00000E+00, A14= 0.00000E+00 
第12面
K= 0.00000E+00, A4= 8.20695E-04, A6=-3.73734E-05, A8=-4.11489E-07 
A10= 1.63224E-05, A12= 0.00000E+00, A14= 0.00000E+00 
第14面
K= 0.00000E+00, A4=-1.43793E-03, A6= 6.22989E-05, A8=-3.57284E-06 
A10= 4.27742E-08, A12= 1.29183E-09, A14= 0.00000E+00 
第15面
K= 0.00000E+00, A4=-1.03151E-03, A6=-6.84282E-06, A8= 2.21877E-06 
A10=-1.02480E-07, A12= 1.11563E-09, A14= 0.00000E+00
【０３７３】
表  Ｉ−６（各種データ）
ズーム比     4.78728
広角      中間      望遠
焦点距離       4.5625   10.3339   21.8419
Ｆナンバー     2.91681   4.41216   6.27025
画角        43.7744   20.6796    9.7181
像高         3.8000    3.8000    3.8000
レンズ全長     32.9851   26.5722   37.4677
ＢＦ        0.42089   0.40791   0.39091
d4          13.9363    2.2741    0.2000 
d13          2.4243    4.3279   21.6993 
d15          3.5716    6.9303    2.5455 
ズームレンズ群データ
群    始面      焦点距離
1       1     -11.49994
2       5       9.44980
3      14      19.79358
【０３７４】
（数値実施例Ｉ−３）
数値実施例Ｉ−３のズームレンズ系は、図７に示した実施の形態Ｉ−３に対応する。数値実施例Ｉ−３のズームレンズ系の面データを表Ｉ−７に、非球面データを表Ｉ−８に、各種データを表Ｉ−９に示す。
【０３７５】
表  Ｉ−７（面データ）
面番号         r           d           nd         vd                
物面             ∞                                               
1*       140.23000     1.06000     1.89816    34.5               
2*         5.45300     1.73200                                   
3*         9.42700     1.98000     2.13854    17.8               
4         17.36000        可変                                   
5*         4.99100     1.55000     1.80434    40.8               
6        117.92500     0.15000                                   
7         12.94200     1.05000     1.72916    54.7               
8        -13.72800     0.01000     1.56732    42.8               
9        -13.72800     0.40000     1.76182    26.6               
10          3.74800     0.58300                                   
11         20.43300     1.03000     1.69680    55.5               
12        -21.48900     0.40000                                   
13(絞り)           ∞        可変                                   
14*      -116.08400     1.40700     1.68863    52.8               
15*       -12.26900        可変                                   
16               ∞     0.28000     1.51680    64.2               
17               ∞     0.50000                                   
18               ∞     0.50000     1.51680    64.2               
19               ∞        (BF)                                       
像面             ∞                                               
【０３７６】
表  Ｉ−８（非球面データ）
第1面
K= 0.00000E+00, A4=-5.16032E-06, A6= 1.36006E-06, A8=-2.35032E-08 
A10= 9.64467E-12, A12= 0.00000E+00, A14= 0.00000E+00 
第2面
K=-1.54603E+00, A4= 8.66310E-04, A6= 1.05013E-05, A8=-3.56556E-06 
A10= 2.87567E-07, A12=-9.59572E-09, A14= 1.13274E-10 
第3面
K= 0.00000E+00, A4= 5.82564E-05, A6= 1.23467E-05, A8=-2.44842E-06 
A10= 1.70937E-07, A12=-5.28376E-09, A14= 6.04276E-11 
第5面
K= 0.00000E+00, A4=-6.59982E-04, A6=-1.07316E-05, A8=-7.67478E-06 
A10= 2.20031E-06, A12=-3.14693E-07, A14= 1.71160E-08 
第14面
K= 0.00000E+00, A4= 3.98783E-04, A6=-4.87903E-05, A8= 2.32347E-06 
A10= 4.49831E-08, A12=-3.64603E-09, A14= 0.00000E+00 
第15面
K= 0.00000E+00, A4= 6.66651E-04, A6=-6.35825E-05, A8= 3.80613E-06 
A10=-2.17291E-08, A12=-2.43698E-09, A14= 0.00000E+00
【０３７７】
表  Ｉ−９（各種データ）
ズーム比     4.75067
広角      中間      望遠
焦点距離       4.5762   10.2956   21.7403
Ｆナンバー     2.90973   4.76492   6.12812
画角        43.6578   20.3579    9.8270
像高         3.8000    3.8000    3.8000
レンズ全長     32.9778   29.9914   37.7234
ＢＦ        0.40883   0.36012   0.36629
d4          13.7226    4.3000    0.2000 
d13          2.4223    9.4455   21.9297 
d15          3.7921    3.2538    2.5954 
ズームレンズ群データ
群    始面      焦点距離
1       1     -11.37494
2       5       9.50394
3      14      19.81261
【０３７８】
（数値実施例Ｉ−４）
数値実施例Ｉ−４のズームレンズ系は、図１０示した実施の形態Ｉ−４に対応する。数値実施例Ｉ−４のズームレンズ系の面データを表Ｉ−１０、非球面データを表Ｉ−１１に、各種データを表Ｉ−１２に示す。
【０３７９】
表  Ｉ−１０（面データ）
面番号         r           d           nd         vd                
物面             ∞                                               
1*       277.61100     1.06000     1.80470    41.0               
2*         5.18600     1.73200                                   
3*         9.15000     1.98000     1.99537    20.7               
4         17.36000        可変                                   
5*         5.00400     1.55000     1.80434    40.8               
6        117.92500     0.15000                                   
7         12.83700     1.05000     1.72916    54.7               
8        -16.64100     0.01000     1.56732    42.8               
9        -16.64100     0.40000     1.76182    26.6               
10          3.74800     0.58300                                   
11         19.27500     1.03000     1.69680    55.5               
12        -23.38700     0.40000                                   
13(絞り)           ∞        可変                                   
14*      -116.08400     1.40700     1.68863    52.8               
15*       -12.26800        可変                                   
16               ∞     0.28000     1.51680    64.2               
17               ∞     0.50000                                   
18               ∞     0.50000     1.51680    64.2               
19               ∞        (BF)                                       
像面             ∞                                               
【０３８０】
表  Ｉ−１１（非球面データ）
第1面
K= 0.00000E+00, A4=-5.16032E-06, A6= 1.36006E-06, A8=-2.35032E-08 
A10= 9.64467E-12, A12= 0.00000E+00, A14= 0.00000E+00 
第2面
K=-1.36045E+00, A4= 9.62829E-04, A6= 9.75296E-06, A8=-3.60697E-06 
A10= 2.88964E-07, A12=-9.50399E-09, A14= 1.08374E-10 
第3面
K= 0.00000E+00, A4= 1.46718E-04, A6= 9.99932E-06, A8=-2.39751E-06 
A10= 1.71641E-07, A12=-5.32077E-09, A14= 5.98708E-11 
第5面
K= 0.00000E+00, A4=-6.52447E-04, A6=-7.02093E-06, A8=-1.00791E-05 
A10= 2.75597E-06, A12=-3.51282E-07, A14= 1.65967E-08 
第14面
K= 0.00000E+00, A4= 3.98783E-04, A6=-4.87903E-05, A8= 2.32347E-06 
A10= 4.49831E-08, A12=-3.64603E-09, A14= 0.00000E+00 
第15面
K= 0.00000E+00, A4= 6.34167E-04, A6=-6.11751E-05, A8= 3.80911E-06 
A10=-3.34184E-08, A12=-2.00676E-09, A14= 0.00000E+00
【０３８１】
表  Ｉ−１２（各種データ）
ズーム比     4.74438
広角      中間      望遠
焦点距離       4.5794   10.3078   21.7266
Ｆナンバー     2.91050   4.77133   6.13310
画角        43.5230   20.3763    9.8525
像高         3.8000    3.8000    3.8000
レンズ全長     32.9845   30.0066   37.7343
ＢＦ        0.41553   0.37528   0.37716
d4          13.7226    4.3000    0.2000 
d13          2.4384    9.4758   21.9238 
d15          3.7760    3.2235    2.6013 
ズームレンズ群データ
群    始面      焦点距離
1       1     -11.37119
2       5       9.50694
3      14      19.81081
【０３８２】
（数値実施例Ｉ−５）
数値実施例Ｉ−５のズームレンズ系は、図１３に示した実施の形態Ｉ−５に対応する。数値実施例Ｉ−５のズームレンズ系の面データを表Ｉ−１３に、非球面データを表Ｉ−１４に、各種データを表Ｉ−１５に示す。
【０３８３】
表  Ｉ−１３（面データ）
面番号         r           d           nd         vd                
物面             ∞                                               
1*       277.61100     1.06000     1.80470    41.0               
2*         5.18600     1.73200                                   
3*         9.15400     1.98000     1.99537    20.7               
4         17.36000        可変                                   
5*         5.09400     1.55000     1.87290    40.8               
6        117.92500     0.15000                                   
7         16.28000     1.05000     1.72916    54.7               
8        -13.60500     0.01000     1.56732    42.8               
9        -13.60500     0.40000     1.76182    26.6               
10          3.74800     0.58300                                   
11         28.27400     1.03000     1.69680    55.5               
12        -16.70500     0.40000                                   
13(絞り)           ∞        可変                                   
14*      -116.08400     1.40700     1.68863    52.8               
15*       -12.24500        可変                                   
16               ∞     0.28000     1.51680    64.2               
17               ∞     0.50000                                   
18               ∞     0.50000     1.51680    64.2               
19               ∞        (BF)                                       
像面             ∞                                               
【０３８４】
表  Ｉ−１４（非球面データ）
第1面
K= 0.00000E+00, A4=-5.16032E-06, A6= 1.36006E-06, A8=-2.35032E-08 
A10= 9.64467E-12, A12= 0.00000E+00, A14= 0.00000E+00 
第2面
K=-1.21146E+00, A4= 9.42719E-04, A6= 8.22480E-06, A8=-3.73153E-06 
A10= 2.89294E-07, A12=-9.56885E-09, A14= 1.15064E-10 
第3面
K= 0.00000E+00, A4= 1.96871E-04, A6= 9.09412E-06, A8=-2.42115E-06 
A10= 1.68578E-07, A12=-5.27161E-09, A14= 6.24497E-11 
第5面
K= 0.00000E+00, A4=-5.89690E-04, A6=-2.66456E-05, A8=-4.67652E-06 
A10= 2.49299E-06, A12=-4.37504E-07, A14= 2.60253E-08 
第14面
K= 0.00000E+00, A4= 3.98783E-04, A6=-4.87903E-05, A8= 2.32347E-06 
A10= 4.49831E-08, A12=-3.64603E-09, A14= 0.00000E+00 
第15面
K= 0.00000E+00, A4= 4.95733E-04, A6=-5.52926E-05, A8= 4.07254E-06 
A10=-8.39574E-08, A12=-3.60474E-10, A14= 0.00000E+00
【０３８５】
表  Ｉ−１５（各種データ）
ズーム比     4.73379
広角      中間      望遠
焦点距離       4.5814   10.3126   21.6875
Ｆナンバー     2.90996   4.76998   6.12631
画角        43.6298   20.5699    9.9939
像高         3.8000    3.8000    3.8000
レンズ全長     32.9849   30.0104   37.7589
ＢＦ        0.41591   0.37912   0.40176
d4          13.7226    4.3000    0.2000 
d13          2.4562    9.4832   21.8879 
d15          3.7582    3.2161    2.6372 
ズームレンズ群データ
群    始面      焦点距離
1       1     -11.36300
2       5       9.50654
3      14      19.76931
【０３８６】
（数値実施例Ｉ−６）
数値実施例Ｉ−６のズームレンズ系は、図１６に示した実施の形態Ｉ−６に対応する。数値実施例Ｉ−６のズームレンズ系の面データを表Ｉ−１６に、非球面データを表Ｉ−１７に、各種データを表Ｉ−１８に示す。
【０３８７】
表  Ｉ−１６（面データ）
面番号         r           d           nd         vd                
物面             ∞                                               
1        126.42600     1.06000     1.86000    40.6               
2*         5.72700     1.53700                                   
3*         8.95800     1.77600     1.99537    20.7               
4         17.36000        可変                                   
5*         5.19400     1.56100     1.80434    40.8               
6        377.10900     0.30000                                   
7         17.42100     1.06600     1.72916    54.7               
8        -13.83000     0.01000     1.56732    42.8               
9        -13.83000     0.40000     1.76182    26.6               
10          4.00000     0.58300                                   
11         19.73300     1.07700     1.69680    55.5               
12        -23.72700     0.40000                                   
13(絞り)           ∞        可変                                   
14*     -1047.51300     1.40700     1.74993    45.4               
15*       -14.88700        可変                                   
16               ∞     0.28000     1.51680    64.2               
17               ∞     0.50000                                   
18               ∞     0.50000     1.51680    64.2               
19               ∞        (BF)                                       
像面             ∞                                               
【０３８８】
表  Ｉ−１７（非球面データ）
第2面
K=-1.57344E+00, A4= 7.46340E-04, A6= 1.88232E-06, A8=-3.37126E-06 
A10= 2.89498E-07, A12=-9.69126E-09, A14= 1.14218E-10 
第3面
K= 0.00000E+00, A4= 6.08925E-05, A6= 2.83846E-06, A8=-2.14698E-06 
A10= 1.72132E-07, A12=-5.49899E-09, A14= 6.19799E-11 
第5面
K= 0.00000E+00, A4=-5.98636E-04, A6=-2.84764E-06, A8=-8.39427E-06 
A10= 2.21918E-06, A12=-2.87429E-07, A14= 1.45836E-08 
第14面
K= 0.00000E+00, A4=-1.30794E-04, A6=-9.53762E-06, A8=-1.31083E-06 
A10= 1.80961E-07, A12=-4.51916E-09, A14= 0.00000E+00 
第15面
K= 0.00000E+00, A4= 1.09118E-04, A6=-3.68938E-05, A8= 2.09767E-06 
A10=-3.35203E-08, A12= 5.68690E-10, A14= 0.00000E+00
【０３８９】
表  Ｉ−１８（各種データ）
ズーム比     4.61126
広角      中間      望遠
焦点距離       5.1178   11.0963   23.5995
Ｆナンバー     2.90501   4.68134   6.13237
画角        39.2002   18.9429    9.0829
像高         3.8000    3.8000    3.8000
レンズ全長     33.5786   30.7415   38.3943
ＢＦ        0.41039   0.37079   0.37158
d4          14.1000    4.7084    0.2000 
d13          2.4138    9.8111   22.8264 
d15          4.1974    3.3942    2.5393 
ズームレンズ群データ
群    始面      焦点距離
1       1     -12.85293
2       5      10.12689
3      14      20.12562
【０３９０】
（数値実施例Ｉ−７）
数値実施例Ｉ−７のズームレンズ系は、図１９に示した実施の形態Ｉ−７に対応する。数値実施例Ｉ−７のズームレンズ系の面データを表Ｉ−１９に、非球面データを表Ｉ−２０に、各種データを表Ｉ−２１に示す。
【０３９１】
表  Ｉ−１９（面データ）
面番号         r           d           nd         vd                
物面             ∞                                               
1*       133.91200     1.06000     1.85976    40.6               
2*         5.42900     1.73200                                   
3*         9.15600     1.98000     1.99537    20.7               
4         17.36000        可変                                   
5*         4.97400     1.55000     1.80434    40.8               
6        117.92500     0.15000                                   
7         13.33900     1.05000     1.72916    54.7               
8        -20.65000     0.01000     1.56732    42.8               
9        -20.65000     0.40000     1.76182    26.6               
10          3.74800     0.58300                                   
11         17.95000     1.03000     1.69680    55.5               
12        -25.80200     0.40000                                   
13(絞り)           ∞        可変                                   
14*      -116.08400     1.40700     1.68863    52.8               
15*       -12.28300        可変                                   
16               ∞     0.28000     1.51680    64.2               
17               ∞     0.50000                                   
18               ∞     0.50000     1.51680    64.2               
19               ∞        (BF)                                       
像面             ∞                                               
【０３９２】
表  Ｉ−２０（非球面データ）
第1面
K= 0.00000E+00, A4=-5.52740E-06, A6= 1.34755E-06, A8=-2.37945E-08 
A10= 6.53313E-12, A12= 0.00000E+00, A14= 0.00000E+00 
第2面
K=-1.51232E+00, A4= 9.13792E-04, A6= 1.00193E-05, A8=-3.69775E-06 
A10= 2.88686E-07, A12=-9.37576E-09, A14= 1.08259E-10 
第3面
K= 0.00000E+00, A4= 1.27176E-04, A6= 7.89593E-06, A8=-2.36128E-06 
A10= 1.72237E-07, A12=-5.38467E-09, A14= 6.18081E-11 
第5面
K= 0.00000E+00, A4=-7.06960E-04, A6=-3.25988E-07, A8=-9.87767E-06 
A10= 2.42687E-06, A12=-3.19796E-07, A14= 1.70210E-08 
第14面
K= 0.00000E+00, A4= 3.70421E-04, A6=-5.43849E-05, A8= 1.64888E-06 
A10= 1.80901E-09, A12=-5.31193E-09, A14= 0.00000E+00 
第15面
K= 0.00000E+00, A4= 5.24695E-04, A6=-4.63237E-05, A8= 1.20665E-06 
A10= 4.10694E-09, A12=-4.23522E-09, A14= 0.00000E+00
【０３９３】
表  Ｉ−２１（各種データ）
ズーム比     5.35662
広角      中間      望遠
焦点距離       4.5928   10.2950   24.6021
Ｆナンバー     2.90896   4.74737   6.91879
画角        43.5348   20.5052    8.8865
像高         3.8000    3.8000    3.8000
レンズ全長     32.9479   30.0189   38.9815
ＢＦ        0.40477   0.36130   0.37320
d4          13.7226    4.3000    0.2000 
d13          2.2520    9.2104   24.8417 
d15          3.9365    3.5152    0.9346 
ズームレンズ群データ
群    始面      焦点距離
1       1     -11.42384
2       5       9.55095
3      14      19.83788
【０３９４】
（数値実施例Ｉ−８）
数値実施例Ｉ−８のズームレンズ系は、図２２に示した実施の形態Ｉ−８に対応する。数値実施例Ｉ−８のズームレンズ系の面データを表Ｉ−２２に、非球面データを表Ｉ−２３に、各種データを表Ｉ−２４に示す。
【０３９５】
表  Ｉ−２２（面データ）
面番号         r           d           nd         vd                
物面             ∞                                               
1*       102.49100     1.06000     1.85976    40.6               
2*         5.38400     1.73200                                   
3*         9.16300     1.98000     1.99537    20.7               
4         17.36000        可変                                   
5*         4.98100     1.55000     1.80434    40.8               
6        117.92500     0.15000                                   
7         13.41700     1.05000     1.72916    54.7               
8        -22.36400     0.01000     1.56732    42.8               
9        -22.36400     0.40000     1.76182    26.6               
10          3.74800     0.58300                                   
11         17.49900     1.03000     1.69680    55.5               
12        -27.91500     0.40000                                   
13(絞り)           ∞        可変                                   
14*      -116.08400     1.40700     1.68863    52.8               
15*       -12.30700        可変                                   
16               ∞     0.28000     1.51680    64.2               
17               ∞     0.50000                                   
18               ∞     0.50000     1.51680    64.2               
19               ∞        (BF)                                       
像面             ∞                                               
【０３９６】
表  Ｉ−２３（非球面データ）
第1面
K= 0.00000E+00, A4=-9.58085E-06, A6= 1.28804E-06, A8=-2.45481E-08 
A10=-7.28916E-12, A12= 0.00000E+00, A14= 0.00000E+00 
第2面
K=-1.52889E+00, A4= 9.08403E-04, A6= 1.00563E-05, A8=-3.70044E-06 
A10= 2.88590E-07, A12=-9.37676E-09, A14= 1.08272E-10 
第3面
K= 0.00000E+00, A4= 1.17643E-04, A6= 7.85565E-06, A8=-2.35722E-06 
A10= 1.72387E-07, A12=-5.38158E-09, A14= 6.18075E-11 
第5面
K= 0.00000E+00, A4=-6.97064E-04, A6= 1.09037E-06, A8=-9.75291E-06 
A10= 2.43347E-06, A12=-3.20810E-07, A14= 1.65049E-08 
第14面
K= 0.00000E+00, A4= 3.07888E-04, A6=-5.28977E-05, A8= 1.68576E-06 
A10= 1.34836E-09, A12= 1.29575E-10, A14= 0.00000E+00 
第15面
K= 0.00000E+00, A4= 5.47465E-04, A6=-5.13331E-05, A8= 1.07290E-06 
A10= 4.69963E-08, A12=-1.02369E-09, A14= 0.00000E+00
【０３９７】
表  Ｉ−２４（各種データ）
ズーム比     5.52871
広角      中間      望遠
焦点距離       4.6725   10.3808   25.8329
Ｆナンバー     2.94730   4.77127   7.24009
画角        42.6119   20.1748    8.3929
像高         3.8000    3.8000    3.8000
レンズ全長     33.0804   30.2033   40.0342
ＢＦ        0.40551   0.36552   0.38499
d4          13.7226    4.3000    0.2000 
d13          2.3123    9.1093   26.0977 
d15          4.0080    3.7965    0.7195 
ズームレンズ群データ
群    始面      焦点距離
1       1     -11.50512
2       5       9.64428
3      14      19.88122
【０３９８】
（数値実施例Ｉ−９）
数値実施例Ｉ−９のズームレンズ系は、図２５に示した実施の形態Ｉ−９に対応する。数値実施例Ｉ−９のズームレンズ系の面データを表Ｉ−２５に、非球面データを表Ｉ−２６に、各種データを表Ｉ−２７に示す。
【０３９９】
表  Ｉ−２５（面データ）
面番号         r           d           nd         vd                
物面             ∞                                               
1*        76.42751     1.00000     1.80470    41.0               
2*         6.64817     1.48000                                   
3          7.75447     1.60000     1.92286    20.9               
4         10.50123        可変                                   
5*         5.53570     1.50000     1.80434    40.8               
6       -674.52140     0.30000                                   
7         10.79499     1.10000     1.72916    54.7               
8        -15.59648     0.01000     1.56732    42.8               
9        -15.59648     0.40000     1.76182    26.6               
10          4.00000     0.64000                                   
11         40.99489     1.10000     1.80146    40.2               
12        -40.99489     0.30000                                   
13(絞り)           ∞        可変                                   
14        -53.29376     1.33000     1.68863    52.8               
15*       -12.58029        可変                                   
16               ∞     0.28000     1.51680    64.2               
17               ∞     0.50000                                   
18               ∞     0.50000     1.51680    64.2               
19               ∞        (BF)                                       
像面             ∞                                               
【０４００】
表  Ｉ−２６（非球面データ）
第1面
K= 0.00000E+00, A4= 5.76012E-05, A6= 8.73773E-07, A8= 0.00000E+00 
A10= 0.00000E+00, A12= 0.00000E+00, A14= 0.00000E+00 
第2面
K=-1.43352E+00, A4= 6.73429E-04, A6=-1.70436E-07, A8= 1.25757E-07 
A10= 3.13106E-08, A12=-1.68591E-09, A14= 3.01568E-11 
第5面
K= 0.00000E+00, A4=-4.98245E-04, A6= 4.02131E-06, A8=-1.18557E-05 
A10= 2.68271E-06, A12=-2.79815E-07, A14= 1.08519E-08 
第15面
K= 0.00000E+00, A4=-3.33092E-05, A6= 2.24255E-05, A8=-2.42474E-06 
A10= 1.37066E-07, A12=-2.99454E-09, A14= 0.00000E+00
【０４０１】
表  Ｉ−２７（各種データ）
ズーム比     4.72712
広角      中間      望遠
焦点距離       6.0022   13.0594   28.3731
Ｆナンバー     3.44370   5.55842   6.33102
画角        34.9812   16.3974    7.6997
像高         3.8000    3.8000    3.8000
レンズ全長     33.8543   31.0006   39.9649
ＢＦ        0.46119   0.40554   0.37123
d4          14.2069    4.6883    0.2000 
d13          2.9360   10.1917   24.3632 
d15          4.2102    3.6751    2.9905 
ズームレンズ群データ
群    始面      焦点距離
1       1     -13.93476
2       5      10.14370
3      14      23.59911
【０４０２】
（数値実施例Ｉ−１０）
数値実施例Ｉ−１０のズームレンズ系は、図２８に示した実施の形態Ｉ−１０に対応する。数値実施例Ｉ−１０のズームレンズ系の面データを表Ｉ−２８に、非球面データを表Ｉ−２９に、各種データを表Ｉ−３０に示す。
【０４０３】
表  Ｉ−２８（面データ）
面番号         r           d           nd         vd                
物面             ∞                                               
1*        59.05000     1.06000     1.85280    39.0               
2*         5.46200     1.50400                                   
3*         8.60600     1.75000     1.99537    20.7               
4         14.38100        可変                                   
5*         4.36700     2.50000     1.80359    40.8               
6        -67.53500     0.00000                                   
7        -67.53500     0.40000     1.80518    25.5               
8          3.80100     0.47700                                   
9         12.23200     1.14400     1.77250    49.6               
10        -16.77300     0.30000                                   
11(絞り)           ∞        可変                                   
12*       145.66100     1.33400     1.60602    57.4               
13*       -11.92000        可変                                   
14               ∞     0.78000     1.51680    64.2               
15               ∞        (BF)                                       
像面             ∞                                               
【０４０４】
表  Ｉ−２９（非球面データ）
第1面
K= 0.00000E+00, A4= 3.04043E-06, A6= 8.38044E-08, A8= 3.68394E-10 
A10= 1.11988E-11, A12= 0.00000E+00, A14= 0.00000E+00 
第2面
K=-1.14246E+00, A4= 9.52084E-04, A6= 1.16305E-05, A8=-3.37781E-06 
A10= 2.84249E-07, A12=-9.68993E-09, A14= 1.17859E-10 
第3面
K= 0.00000E+00, A4= 2.77587E-04, A6= 7.49692E-06, A8=-2.20563E-06 
A10= 1.70898E-07, A12=-5.50993E-09, A14= 6.41238E-11 
第5面
K=-2.43504E-01, A4=-3.61300E-04, A6= 1.01452E-05, A8=-3.95475E-06 
A10= 2.05823E-07, A12= 0.00000E+00, A14= 0.00000E+00 
第12面
K= 0.00000E+00, A4=-3.11808E-04, A6= 1.60552E-05, A8=-9.71795E-07 
A10= 2.22891E-07, A12=-2.85194E-09, A14= 0.00000E+00 
第13面
K= 0.00000E+00, A4= 3.67285E-05, A6=-1.48330E-05, A8= 2.12933E-06 
A10= 5.52463E-08, A12= 2.05349E-09, A14= 0.00000E+00
【０４０５】
表  Ｉ−３０（各種データ）
ズーム比     4.70964
広角      中間      望遠
焦点距離       4.2182   10.9848   19.8661
Ｆナンバー     2.91810   4.94788   6.15928
画角        45.5442   19.1934   10.7826
像高         3.8000    3.8000    3.8000
レンズ全長     32.2531   29.2032   33.9277
ＢＦ        0.89844   0.85770   0.89904
d4          14.1856    3.9014    0.2000 
d11          2.1610   11.4996   19.9321 
d13          3.7591    1.6955    1.6476 
ズームレンズ群データ
群    始面      焦点距離
1       1     -11.81909
2       5       9.29435
3      12      18.23972
【０４０６】
（数値実施例Ｉ−１１）
数値実施例Ｉ−１１のズームレンズ系は、図３１に示した実施の形態Ｉ−１１に対応する。数値実施例Ｉ−１１のズームレンズ系の面データを表Ｉ−３１に、非球面データを表Ｉ−３２に、各種データを表Ｉ−３３に示す。
【０４０７】
表  Ｉ−３１（面データ）
面番号         r           d           nd         vd                
物面             ∞                                               
1*        48.20000     1.06000     1.85280    39.0               
2*         5.40600     1.50400                                   
3*         8.59700     1.75000     1.99537    20.7               
4         14.38100        可変                                   
5*         4.37800     2.50000     1.80359    40.8               
6        -74.88600     0.00000                                   
7        -74.88600     0.40000     1.80518    25.5               
8          3.79800     0.47700                                   
9         12.73200     1.14400     1.77250    49.6               
10        -16.77300     0.30000                                   
11(絞り)           ∞        可変                                   
12*       147.88000     1.33400     1.60602    57.4               
13*       -13.66400        可変                                   
14               ∞     0.78000     1.51680    64.2               
15               ∞        (BF)                                       
像面             ∞                                               
【０４０８】
表  Ｉ−３２（非球面データ）
第1面
K= 0.00000E+00, A4= 3.27932E-07, A6=-4.95347E-08, A8= 0.00000E+00 
A10= 0.00000E+00, A12= 0.00000E+00, A14= 0.00000E+00 
第2面
K=-1.15549E+00, A4= 9.45387E-04, A6= 1.00448E-05, A8=-3.40038E-06 
A10= 2.83776E-07, A12=-9.69584E-09, A14= 1.17520E-10 
第3面
K= 0.00000E+00, A4= 2.60379E-04, A6= 6.67780E-06, A8=-2.20806E-06 
A10= 1.70845E-07, A12=-5.50808E-09, A14= 6.38203E-11 
第5面
K=-2.33677E-01, A4=-3.37270E-04, A6= 5.87427E-06, A8=-3.18469E-06 
A10= 2.15900E-07, A12= 0.00000E+00, A14= 0.00000E+00 
第12面
K= 0.00000E+00, A4=-3.84815E-04, A6= 1.89763E-05, A8=-9.66009E-07 
A10= 2.07197E-07, A12=-2.90921E-09, A14= 0.00000E+00 
第13面
K= 0.00000E+00, A4=-8.25767E-05, A6=-1.37702E-05, A8= 1.82480E-06 
A10= 5.49510E-08, A12= 2.05096E-09, A14= 0.00000E+00
【０４０９】
表  Ｉ−３３（各種データ）
ズーム比     4.66639
広角      中間      望遠
焦点距離       4.5138   11.0107   21.0630
Ｆナンバー     2.92234   4.74573   6.11588
画角        42.9660   19.1684   10.1843
像高         3.8000    3.8000    3.8000
レンズ全長     32.9135   29.6175   34.9167
ＢＦ        0.89634   0.86350   0.87175
d4          14.3758    4.2462    0.2000 
d11          2.4307   11.1258   20.7413 
d13          3.9617    2.1330    1.8547 
ズームレンズ群データ
群    始面      焦点距離
1       1     -12.09887
2       5       9.49321
3      12      20.70451
【０４１０】
（数値実施例Ｉ−１２）
数値実施例Ｉ−１２のズームレンズ系は、図３４に示した実施の形態Ｉ−１２に対応する。数値実施例Ｉ−１２のズームレンズ系の面データを表Ｉ−３４に、非球面データを表Ｉ−３５に、各種データを表Ｉ−３６に示す。
【０４１１】
表  Ｉ−３４（面データ）
面番号         r           d           nd         vd                
物面             ∞                                               
1         43.56000     1.06000     1.85280    39.0               
2*         5.54700     1.50400                                   
3*         8.64600     1.75000     1.99537    20.7               
4         14.38100        可変                                   
5*         4.39600     2.50000     1.80359    40.8               
6       -115.81400     0.00000                                   
7       -115.81400     0.40000     1.80518    25.5               
8          3.79300     0.47700                                   
9         14.69100     1.14400     1.77250    49.6               
10        -16.77300     0.30000                                   
11(絞り)           ∞        可変                                   
12*        79.01900     1.33400     1.60602    57.4               
13*       -14.68200        可変                                   
14               ∞     0.78000     1.51680    64.2               
15               ∞        (BF)                                       
像面             ∞                                               
【０４１２】
表  Ｉ−３５（非球面データ）
第2面
K=-1.11955E+00, A4= 9.72575E-04, A6= 5.28421E-06, A8=-3.33441E-06 
A10= 2.83170E-07, A12=-9.76538E-09, A14= 1.18913E-10 
第3面
K= 0.00000E+00, A4= 2.96666E-04, A6= 4.70617E-06, A8=-2.23721E-06 
A10= 1.71468E-07, A12=-5.48027E-09, A14= 6.24905E-11 
第5面
K=-2.21945E-01, A4=-3.12123E-04, A6= 4.68008E-06, A8=-3.33833E-06 
A10= 2.42304E-07, A12= 0.00000E+00, A14= 0.00000E+00 
第12面
K= 0.00000E+00, A4=-5.07858E-04, A6= 1.16247E-05, A8=-1.11086E-06 
A10= 1.55636E-07, A12=-9.60910E-10, A14= 0.00000E+00 
第13面
K= 0.00000E+00, A4=-4.92557E-04, A6=-2.33283E-06, A8= 7.70699E-07 
A10= 4.54566E-08, A12= 2.00412E-09, A14= 0.00000E+00
【０４１３】
表  Ｉ−３６（各種データ）
ズーム比     4.65926
広角      中間      望遠
焦点距離       4.9826   11.0055   23.2154
Ｆナンバー     2.96523   4.88875   6.11703
画角        38.2008   18.4701    8.9029
像高         3.6000    3.6000    3.6000
レンズ全長     33.4459   31.3516   38.0142
ＢＦ        0.90869   0.86454   0.89389
d4          14.2459    5.5449    0.2000 
d11          2.6393   11.7655   23.1698 
d13          4.4030    1.9277    2.5015 
ズームレンズ群データ
群    始面      焦点距離
1       1     -12.88044
2       5      10.10697
3      12      20.54116
【０４１４】
（数値実施例Ｉ−１３）
数値実施例Ｉ−１３のズームレンズ系は、図３７に示した実施の形態Ｉ−１３に対応する。数値実施例Ｉ−１３のズームレンズ系の面データを表Ｉ−３７に、非球面データを表Ｉ−３８に、各種データを表Ｉ−３９に示す。
【０４１５】
表  Ｉ−３７（面データ）
面番号         r           d           nd         vd                
物面             ∞                                               
1*        65.26800     1.06000     1.85280    39.0               
2*         5.43100     1.50400                                   
3*         8.75800     1.75000     1.99537    20.7               
4         14.38100        可変                                   
5*         4.34800     2.50000     1.80359    40.8               
6        154.36000     0.00000                                   
7        154.36000     0.40000     1.80518    25.5               
8          3.78600     0.47700                                   
9         12.80100     1.14400     1.77250    49.6               
10        -16.77300     0.30000                                   
11(絞り)           ∞        可変                                   
12*       -21.93400     1.33400     1.60602    57.4               
13*        -8.75000        可変                                   
14               ∞     0.78000     1.51680    64.2               
15               ∞        (BF)                                       
像面             ∞                                               
【０４１６】
表  Ｉ−３８（非球面データ）
第1面
K= 0.00000E+00, A4= 1.92866E-06, A6=-2.59806E-07, A8= 0.00000E+00 
A10= 0.00000E+00, A12= 0.00000E+00, A14= 0.00000E+00 
第2面
K=-1.12457E+00, A4= 9.65240E-04, A6= 7.72275E-06, A8=-3.45452E-06 
A10= 2.84301E-07, A12=-9.70703E-09, A14= 1.17484E-10 
第3面
K= 0.00000E+00, A4= 2.90216E-04, A6= 7.30560E-06, A8=-2.22065E-06 
A10= 1.70191E-07, A12=-5.52242E-09, A14= 6.43532E-11 
第5面
K=-2.32994E-01, A4=-3.37630E-04, A6= 2.79870E-06, A8=-3.71831E-06 
A10= 3.04308E-07, A12= 0.00000E+00, A14= 0.00000E+00 
第12面
K= 0.00000E+00, A4=-3.98270E-04, A6= 1.52053E-05, A8=-8.64592E-07 
A10= 2.48416E-07, A12=-4.83203E-09, A14= 0.00000E+00 
第13面
K= 0.00000E+00, A4= 1.48124E-04, A6=-1.28334E-05, A8= 2.23453E-06 
A10= 2.99201E-08, A12= 1.47871E-09, A14= 0.00000E+00
【０４１７】
表  Ｉ−３９（各種データ）
ズーム比     5.64043
広角      中間      望遠
焦点距離       4.5204   11.0121   25.4968
Ｆナンバー     2.92132   5.03801   7.49395
画角        41.3621   18.1278    7.9812
像高         3.6000    3.6000    3.6000
レンズ全長     33.3391   30.6877   39.6399
ＢＦ        0.90466   0.88115   0.85890
d4          14.3758    4.8086    0.2000 
d11          2.2899   11.5361   25.6839 
d13          4.5197    2.2129    1.6481 
ズームレンズ群データ
群    始面      焦点距離
1       1     -11.17647
2       5       9.42887
3      12      23.13762
【０４１８】
（数値実施例Ｉ−１４）
数値実施例Ｉ−１４のズームレンズ系は、図４０に示した実施の形態Ｉ−１４に対応する。数値実施例Ｉ−１４のズームレンズ系の面データを表Ｉ−４０に、非球面データを表Ｉ−４１に、各種データを表Ｉ−４２に示す。
【０４１９】
表  Ｉ−４０（面データ）
面番号         r           d           nd         vd                
物面             ∞                                               
1        105.88040     1.06000     1.85280    39.0               
2*         6.23376     1.50400                                   
3*         8.46665     1.75000     1.99537    20.7               
4         14.38100        可変                                   
5*         6.15230     1.88160     1.68863    52.8               
6        -32.24219     0.10000                                   
7          8.16407     1.41330     1.83481    42.7               
8         -7.68828     0.01000     1.56732    42.8               
9         -7.68828     0.40000     1.71736    29.5               
10          3.50287     0.98500                                   
11(絞り)           ∞        可変                                   
12*       -35.85802     1.33400     1.68863    52.8               
13*       -10.16980        可変                                   
14               ∞     0.28000     1.51680    64.2               
15               ∞     0.50000                                   
16               ∞     0.50000     1.51680    64.2               
17               ∞        (BF)                                       
像面             ∞                                               
【０４２０】
表  Ｉ−４１（非球面データ）
第2面
K=-1.45141E+00, A4= 7.96134E-04, A6= 4.37615E-06, A8=-3.49951E-06 
A10= 2.82588E-07, A12=-9.66903E-09, A14= 1.19040E-10 
第3面
K= 0.00000E+00, A4= 1.49295E-04, A6= 1.49208E-06, A8=-2.19105E-06 
A10= 1.69875E-07, A12=-5.56163E-09, A14= 6.49477E-11 
第5面
K= 0.00000E+00, A4=-8.65393E-04, A6=-1.02618E-05, A8=-2.85667E-07 
A10=-1.61372E-07, A12= 3.29730E-08, A14=-1.69534E-09 
第12面
K= 0.00000E+00, A4= 6.56179E-04, A6=-9.84731E-08, A8=-1.07336E-06 
A10= 1.54031E-07, A12=-4.49727E-09, A14= 0.00000E+00 
第13面
K= 0.00000E+00, A4= 8.30977E-04, A6=-9.79112E-06, A8= 1.21591E-06 
A10= 1.19379E-08, A12=-1.54444E-09, A14= 0.00000E+00
【０４２１】
表  Ｉ−４２（各種データ）
ズーム比     4.63150
広角      中間      望遠
焦点距離       5.7864   11.4767   26.7998
Ｆナンバー     3.02921   4.55167   6.53395
画角        35.3303   18.1967    8.0769
像高         3.8000    3.8000    3.8000
レンズ全長     33.1983   29.8606   38.1607
ＢＦ        0.40164   0.34662   0.39982
d4          14.1463    5.2646    0.2000 
d11          2.6360    8.5161   23.1569 
d13          4.2965    4.0154    2.6861 
ズームレンズ群データ
群    始面      焦点距離
1       1     -14.29099
2       5      10.14036
3      12      20.18727
【０４２２】
（数値実施例Ｉ−１５）
数値実施例Ｉ−１５のズームレンズ系は、図４３に示した実施の形態Ｉ−１５に対応する。数値実施例Ｉ−１５のズームレンズ系の面データを表Ｉ−４３に、非球面データを表Ｉ−４４に、各種データを表Ｉ−４５に示す。
【０４２３】
表  Ｉ−４３（面データ）
面番号         r           d           nd         vd                
物面             ∞                                               
1         67.11508     1.06000     1.85280    39.0               
2*         5.93643     1.50400                                   
3*         8.67244     1.75000     1.99537    20.7               
4         14.38100        可変                                   
5*         6.04644     1.50070     1.68863    52.8               
6        -31.45638     0.10000                                   
7          8.02778     1.52600     1.83481    42.7               
8         -7.47219     0.01000     1.56732    42.8               
9         -7.47219     0.40000     1.71736    29.5               
10          3.50287     0.98500                                   
11(絞り)           ∞        可変                                   
12*      -107.31420     1.33400     1.68863    52.8               
13*       -12.02005        可変                                   
14               ∞     0.28000     1.51680    64.2               
15               ∞     0.50000                                   
16               ∞     0.50000     1.51680    64.2               
17               ∞        (BF)                                       
像面             ∞                                               
【０４２４】
表  Ｉ−４４（非球面データ）
第2面
K=-1.40725E+00, A4= 8.24033E-04, A6= 7.65767E-06, A8=-3.31358E-06 
A10= 2.82628E-07, A12=-9.81656E-09, A14= 1.18891E-10 
第3面
K= 0.00000E+00, A4= 1.68357E-04, A6= 3.35244E-06, A8=-2.18545E-06 
A10= 1.71187E-07, A12=-5.50659E-09, A14= 6.20096E-11 
第5面
K= 0.00000E+00, A4=-9.09029E-04, A6=-1.11663E-05, A8=-3.76602E-07 
A10=-1.69774E-07, A12= 3.26901E-08, A14=-1.59319E-09 
第12面
K= 0.00000E+00, A4= 4.98372E-05, A6= 2.36765E-05, A8=-1.16504E-06 
A10= 1.33583E-07, A12=-4.07360E-09, A14= 0.00000E+00 
第13面
K= 0.00000E+00, A4= 5.23496E-04, A6=-1.18940E-05, A8= 1.57366E-06 
A10= 3.05910E-08, A12=-2.51680E-09, A14= 0.00000E+00
【０４２５】
表  Ｉ−４５（各種データ）
ズーム比     4.97350
広角      中間      望遠
焦点距離       4.9440   10.9999   24.5887
Ｆナンバー     2.86849   4.47181   6.02934
画角        40.5984   18.7047    8.5997
像高         3.8000    3.8000    3.8000
レンズ全長     33.3276   28.0492   36.0296
ＢＦ        0.42910   0.35221   0.38698
d4          15.4234    4.4723    0.2000 
d11          2.6360    7.7519   21.3068 
d13          3.3894    4.0230    2.6861 
ズームレンズ群データ
群    始面      焦点距離
1       1     -13.26565
2       5       9.49125
3      12      19.54515
【０４２６】
（数値実施例Ｉ−１６）
数値実施例Ｉ−１６のズームレンズ系は、図４６に示した実施の形態Ｉ−１６に対応する。数値実施例Ｉ−１６のズームレンズ系の面データを表Ｉ−４６に、非球面データを表Ｉ−４７に、各種データを表Ｉ−４８に示す。
【０４２７】
表  Ｉ−４６（面データ）
面番号         r           d           nd         vd                
物面             ∞                                               
1         66.99756     1.06000     1.85280    39.0               
2*         5.92693     1.50400                                   
3*         8.66891     1.75000     1.99537    20.7               
4         14.38100        可変                                   
5*         6.04238     1.47300     1.68863    52.8               
6        -31.84957     0.10000                                   
7          7.97831     1.52260     1.83481    42.7               
8         -7.42943     0.01000     1.56732    42.8               
9         -7.42943     0.40000     1.71736    29.5               
10          3.50287     0.98500                                   
11(絞り)           ∞        可変                                   
12*      -124.53680     1.33400     1.68863    52.8               
13*       -11.63546        可変                                   
14               ∞     0.28000     1.51680    64.2               
15               ∞     0.50000                                   
16               ∞     0.50000     1.51680    64.2               
17               ∞        (BF)                                       
像面             ∞                                               
【０４２８】
表  Ｉ−４７（非球面データ）
第2面
K=-1.40989E+00, A4= 8.22545E-04, A6= 7.45234E-06, A8=-3.31504E-06 
A10= 2.82561E-07, A12=-9.82067E-09, A14= 1.18701E-10 
第3面
K= 0.00000E+00, A4= 1.68883E-04, A6= 3.36000E-06, A8=-2.18923E-06 
A10= 1.71073E-07, A12=-5.50897E-09, A14= 6.19721E-11 
第5面
K= 0.00000E+00, A4=-9.17209E-04, A6=-1.14922E-05, A8=-3.86295E-07 
A10=-1.69119E-07, A12= 3.29873E-08, A14=-1.52387E-09 
第12面
K= 0.00000E+00, A4= 3.44434E-05, A6= 2.52919E-05, A8=-1.15251E-06 
A10= 1.31557E-07, A12=-3.96388E-09, A14= 0.00000E+00 
第13面
K= 0.00000E+00, A4= 5.44445E-04, A6=-1.16407E-05, A8= 1.60284E-06 
A10= 3.33080E-08, A12=-2.54996E-09, A14= 0.00000E+00
【０４２９】
表  Ｉ−４８（各種データ）
ズーム比     4.94889
広角      中間      望遠
焦点距離       4.8230    9.8989   23.8686
Ｆナンバー     2.92673   4.29935   6.02423
画角        41.2896   20.6747    8.8279
像高         3.8000    3.8000    3.8000
レンズ全長     33.3145   27.6252   35.5444
ＢＦ        0.42965   0.35867   0.38805
d4          15.5588    5.1363    0.2000 
d11          2.6360    6.7258   20.8516 
d13          3.2715    3.9858    2.6861 
ズームレンズ群データ
群    始面      焦点距離
1       1     -13.24063
2       5       9.45447
3      12      18.54849
【０４３０】
（数値実施例Ｉ−１７）
数値実施例Ｉ−１７のズームレンズ系は、図４９に示した実施の形態Ｉ−１７に対応する。数値実施例Ｉ−１７のズームレンズ系の面データを表Ｉ−４９に、非球面データを表Ｉ−５０に、各種データを表Ｉ−５１に示す。
【０４３１】
表  Ｉ−４９（面データ）
面番号         r           d           nd         vd                
物面             ∞                                               
1         42.52694     1.06000     1.85280    39.0               
2*         5.68093     1.50400                                   
3*         8.67288     1.75000     1.99537    20.7               
4         14.38100        可変                                   
5*         4.36525     2.50000     1.80359    40.8               
6        -71.54269     0.40000     1.80518    25.5               
7          3.82048     0.47690                                   
8         17.07332     1.14410     1.77250    49.6               
9        -16.77307     0.30000                                   
10(絞り)           ∞        可変                                   
11*       -80.54801     1.33400     1.68863    52.8               
12*       -11.93863        可変                                   
13               ∞     0.28000     1.51680    64.2               
14               ∞     0.50000                                   
15               ∞     0.50000     1.51680    64.2               
16               ∞        (BF)                                       
像面             ∞                                               
【０４３２】
表  Ｉ−５０（非球面データ）
第2面
K=-1.34333E+00, A4= 8.43676E-04, A6= 3.59200E-06, A8=-3.29172E-06 
A10= 2.85355E-07, A12=-9.76033E-09, A14= 1.18324E-10 
第3面
K= 0.00000E+00, A4= 1.80977E-04, A6= 4.80208E-06, A8=-2.19007E-06 
A10= 1.70661E-07, A12=-5.49780E-09, A14= 6.36027E-11 
第5面
K=-2.27637E-01, A4=-3.76705E-04, A6= 2.78981E-05, A8=-8.69457E-06 
A10= 6.43727E-07, A12= 0.00000E+00, A14= 0.00000E+00 
第11面
K= 0.00000E+00, A4=-1.52329E-04, A6=-2.60128E-06, A8=-7.83396E-07 
A10= 1.95923E-07, A12=-3.84055E-09, A14= 0.00000E+00 
第12面
K= 0.00000E+00, A4= 3.23671E-05, A6=-1.87291E-05, A8= 1.47652E-06 
A10= 3.09913E-08, A12= 7.47159E-10, A14= 0.00000E+00
【０４３３】
表  Ｉ−５１（各種データ）
ズーム比     4.53687
広角      中間      望遠
焦点距離       5.2926   11.4781   24.0120
Ｆナンバー     3.04251   4.88869   6.20669
画角        36.5361   18.3530    9.0055
像高         3.8000    3.8000    3.8000
レンズ全長     33.5962   31.4434   38.5006
ＢＦ        0.42600   0.35251   0.38880
d4          14.0464    5.0701    0.2000 
d10          2.6360   11.1355   23.4767 
d12          4.7387    3.1363    2.6861 
ズームレンズ群データ
群    始面      焦点距離
1       1     -13.49971
2       5      10.36991
3      11      20.19342
【０４３４】
（数値実施例Ｉ−１８）
数値実施例Ｉ−１８のズームレンズ系は、図５２に示した実施の形態Ｉ−１８に対応する。数値実施例Ｉ−１８のズームレンズ系の面データを表Ｉ−５２に、非球面データを表Ｉ−５３に、各種データを表Ｉ−５４に示す。
【０４３５】
表  Ｉ−５２（面データ）
面番号         r           d           nd         vd                
物面             ∞                                               
1         42.70102     1.06000     1.85280    39.0               
2*         5.57066     1.50400                                   
3*         8.68434     1.75000     1.99537    20.7               
4         14.38100        可変                                   
5*         4.39069     2.50000     1.80359    40.8               
6        -70.26053     0.40000     1.80518    25.5               
7          3.79211     0.47690                                   
8         14.95528     1.14410     1.77250    49.6               
9        -16.77307     0.30000                                   
10(絞り)           ∞        可変                                   
11*        75.54035     1.33400     1.68863    52.8               
12*       -16.87201        可変                                   
13               ∞     0.28000     1.51680    64.2               
14               ∞     0.50000                                   
15               ∞     0.50000     1.51680    64.2               
16               ∞        (BF)                                       
像面             ∞                                               
【０４３６】
表  Ｉ−５３（非球面データ）
第2面
K=-1.10895E+00, A4= 9.80110E-04, A6= 5.37935E-06, A8=-3.31816E-06 
A10= 2.82550E-07, A12=-9.79287E-09, A14= 1.19194E-10 
第3面
K= 0.00000E+00, A4= 3.16620E-04, A6= 4.52889E-06, A8=-2.24766E-06 
A10= 1.71664E-07, A12=-5.47562E-09, A14= 6.19684E-11 
第5面
K=-2.23619E-01, A4=-3.15552E-04, A6= 4.51483E-06, A8=-3.56603E-06 
A10= 2.70787E-07, A12= 0.00000E+00, A14= 0.00000E+00 
第11面
K= 0.00000E+00, A4=-5.09159E-04, A6= 3.02877E-06, A8=-1.27336E-06 
A10= 1.46792E-07, A12=-1.63257E-09, A14= 0.00000E+00 
第12面
K= 0.00000E+00, A4=-5.90562E-04, A6=-3.70497E-06, A8= 3.88633E-07 
A10= 2.62396E-08, A12= 1.43856E-09, A14= 0.00000E+00
【０４３７】
表  Ｉ−５４（各種データ）
ズーム比     4.64119
広角      中間      望遠
焦点距離       4.9861   11.0001   23.1414
Ｆナンバー     2.95520   4.87262   6.08135
画角        39.9116   19.5373    9.4812
像高         3.8000    3.8000    3.8000
レンズ全長     33.4464   31.4551   38.2247
ＢＦ        0.41065   0.34276   0.37653
d4          14.2276    5.5541    0.2000 
d10          2.6360   11.7632   23.2131 
d12          4.4231    2.0461    2.6861 
ズームレンズ群データ
群    始面      焦点距離
1       1     -12.94754
2       5      10.15020
3      11      20.14624
【０４３８】
（数値実施例Ｉ−１９）
数値実施例Ｉ−１９のズームレンズ系は、図５５に示した実施の形態Ｉ−１９に対応する。数値実施例Ｉ−１９のズームレンズ系の面データを表Ｉ−５５に、非球面データを表Ｉ−５６に、各種データを表Ｉ−５７に示す。
【０４３９】
表  Ｉ−５５（面データ）
面番号         r           d           nd         vd                
物面             ∞                                               
1         35.42244     1.06000     1.85280    39.0               
2*         5.32451     1.50400                                   
3*         8.65227     1.75000     1.99537    20.7               
4         14.38100        可変                                   
5*         4.27762     2.50000     1.80359    40.8               
6       -494.42940     0.40000     1.80518    25.5               
7          3.70655     0.47690                                   
8         17.62745     1.14410     1.77250    49.6               
9        -16.77307     0.30000                                   
10(絞り)           ∞        可変                                   
11*        46.41221     1.33400     1.68863    52.8               
12*       -19.53072        可変                                   
13               ∞     0.28000     1.51680    64.2               
14               ∞     0.50000                                   
15               ∞     0.50000     1.51680    64.2               
16               ∞        (BF)                                       
像面             ∞                                               
【０４４０】
表  Ｉ−５６（非球面データ）
第2面
K=-1.02588E+00, A4= 1.00837E-03, A6=-1.35772E-05, A8=-2.98948E-06 
A10= 2.92183E-07, A12=-9.57272E-09, A14= 1.06236E-10 
第3面
K= 0.00000E+00, A4= 3.49391E-04, A6=-3.31939E-06, A8=-2.26288E-06 
A10= 1.85846E-07, A12=-5.62099E-09, A14= 5.85455E-11 
第5面
K=-2.28466E-01, A4=-3.11847E-04, A6=-9.62733E-06, A8=-9.01185E-08 
A10= 1.56445E-08, A12= 0.00000E+00, A14= 0.00000E+00 
第11面
K= 0.00000E+00, A4=-8.40972E-04, A6= 8.55587E-05, A8=-5.50326E-06 
A10= 9.49363E-08, A12= 1.92040E-09, A14= 0.00000E+00 
第12面
K= 0.00000E+00, A4=-8.48616E-04, A6= 5.97906E-05, A8=-1.72782E-06 
A10=-1.09232E-07, A12= 5.79395E-09, A14= 0.00000E+00
【０４４１】
表  Ｉ−５７（各種データ）
ズーム比     5.67343
広角      中間      望遠
焦点距離       5.2010   12.0508   29.5073
Ｆナンバー     3.08108   5.36923   7.77372
画角        37.3653   17.8273    7.4457
像高         3.8000    3.8000    3.8000
レンズ全長     33.5190   33.3381   46.5304
ＢＦ        0.41574   0.34122   0.36643
d4          13.9022    5.5477    0.2000 
d10          2.6360   13.4442   31.5289 
d12          4.8160    2.2560    2.6861 
ズームレンズ群データ
群    始面      焦点距離
1       1     -12.61134
2       5      10.47662
3      11      20.12769
【０４４２】
（数値実施例Ｉ−２０）
数値実施例Ｉ−２０のズームレンズ系は、図５８に示した実施の形態Ｉ−２０に対応する。数値実施例Ｉ−２０のズームレンズ系の面データを表Ｉ−５８に、非球面データを表Ｉ−５９に、各種データを表Ｉ−６０に示す。
【０４４３】
表  Ｉ−５８（面データ）
面番号         r           d           nd         vd                
物面             ∞                                               
1*       121.77400     1.35000     1.88300    40.8               
2*         4.59300     1.66900                                   
3          7.05800     1.60000     1.92287    18.9               
4         11.92800        可変                                   
5*         4.18500     2.00000     1.77250    49.6               
6         10.87900     0.50000     1.64769    33.8               
7          3.66100     0.48000                                   
8          8.24900     0.50000     1.76183    26.5               
9          3.97900     2.00000     1.60311    60.6               
10        -10.51800     0.30000                                   
11(絞り)           ∞        可変                                   
12         45.65100     1.60000     1.60311    60.6               
13        -23.91400        可変                                   
14               ∞     1.40000     1.51633    64.1               
15               ∞        (BF)                                       
像面             ∞                                               
【０４４４】
表  Ｉ−５９（非球面データ）
第1面
K= 0.00000E+00, A4= 3.18638E-04, A6=-4.73036E-06, A8= 3.76995E-08 
A10= 0.00000E+00 
第2面
K=-1.47866E+00, A4= 1.64875E-03, A6= 1.02150E-05, A8=-4.99629E-07 
A10= 2.42134E-08 
第5面
K=-4.49065E-01, A4=-9.97316E-05, A6= 1.40893E-06, A8= 0.00000E+00 
A10= 0.00000E+00
【０４４５】
表  Ｉ−６０（各種データ）
ズーム比     4.80185
広角      中間      望遠
焦点距離       3.8997   10.4303   18.7259
Ｆナンバー     2.80200   5.33669   6.11778
画角        46.5205   19.4974   10.9872
像高         3.6000    3.6000    3.6000
レンズ全長     30.7959   30.3826   37.2037
ＢＦ        1.02501   1.00139   1.01023
d4          11.4400    2.9456    0.1500 
d11          1.2672   11.9186   21.1596 
d13          3.6647    1.1180    1.4849 
ズームレンズ群データ
群    始面      焦点距離
1       1      -8.66678
2       5       8.54395
3      12      26.24759
【０４４６】
（数値実施例Ｉ−２１）
数値実施例Ｉ−２１のズームレンズ系は、図６１に示した実施の形態Ｉ−２１に対応する。数値実施例Ｉ−２１のズームレンズ系の面データを表Ｉ−６１に、非球面データを表Ｉ−６２に、各種データを表Ｉ−６３に示す。
【０４４７】
表  Ｉ−６１（面データ）
面番号         r           d           nd         vd                
物面             ∞                                               
1*        48.47300     1.35000     1.88300    40.8               
2*         4.63300     1.85200                                   
3          6.92300     1.60000     1.92287    18.9               
4         10.69800        可変                                   
5*         4.22900     2.00000     1.77250    49.6               
6          9.57900     0.50000     1.64769    33.8               
7          3.67100     0.48000                                   
8          8.29500     0.50000     1.76183    26.5               
9          4.00400     2.00000     1.60311    60.6               
10        -11.40200     0.30000                                   
11(絞り)           ∞        可変                                   
12         37.29000     1.60000     1.60311    60.6               
13        -27.36500        可変                                   
14               ∞     1.40000     1.51633    64.1               
15               ∞        (BF)                                       
像面             ∞                                               
【０４４８】
表  Ｉ−６２（非球面データ）
第1面
K= 0.00000E+00, A4= 3.31285E-04, A6=-5.35621E-06, A8= 3.55229E-08 
A10= 0.00000E+00 
第2面
K=-1.43656E+00, A4= 1.64031E-03, A6= 1.16442E-05, A8= 3.54201E-08 
A10=-9.67420E-10 
第5面
K=-4.28742E-01, A4=-6.17926E-05, A6= 4.71413E-07, A8= 0.00000E+00 
A10= 0.00000E+00
【０４４９】
表  Ｉ−６３（各種データ）
ズーム比     4.80032
広角      中間      望遠
焦点距離       4.2673   10.4197   20.4845
Ｆナンバー     2.91435   4.96430   6.19959
画角        43.2524   19.5496   10.0291
像高         3.6000    3.6000    3.6000
レンズ全長     31.5321   30.1266   39.5238
ＢＦ        1.02447   1.01735   1.00496
d4          11.4400    2.3581    0.1500 
d11          1.5124    7.8769   23.1427 
d13          3.9732    5.2922    1.6441 
ズームレンズ群データ
群    始面      焦点距離
1       1      -9.22516
2       5       8.95909
3      12      26.41505
【０４５０】
（数値実施例Ｉ−２２）
数値実施例Ｉ−２２のズームレンズ系は、図６４に示した実施の形態Ｉ−２２に対応する。数値実施例Ｉ−２２のズームレンズ系の面データを表Ｉ−６４に、非球面データを表Ｉ−６５に、各種データを表Ｉ−６６に示す。
【０４５１】
表  Ｉ−６４（面データ）
面番号         r           d           nd         vd                
物面             ∞                                               
1*        34.18200     1.35000     1.88300    40.8               
2*         4.69900     1.88700                                   
3          7.07000     1.60000     1.92287    18.9               
4         10.87800        可変                                   
5*         4.25100     2.00000     1.77250    49.6               
6          8.92800     0.50000     1.64769    33.8               
7          3.69800     0.48000                                   
8          8.66500     0.50000     1.76183    26.5               
9          4.04000     2.00000     1.60311    60.6               
10        -12.32600     0.30000                                   
11(絞り)           ∞        可変                                   
12         26.45400     1.60000     1.60311    60.6               
13        -48.99600        可変                                   
14               ∞     1.40000     1.51633    64.1               
15               ∞        (BF)                                       
像面             ∞                                               
【０４５２】
表  Ｉ−６５（非球面データ）
第1面
K= 0.00000E+00, A4= 3.62205E-04, A6=-5.63958E-06, A8= 3.53569E-08 
A10= 0.00000E+00 
第2面
K=-1.52605E+00, A4= 1.70369E-03, A6= 2.17529E-05, A8=-5.40577E-07 
A10= 8.14121E-09 
第5面
K=-4.35512E-01, A4=-8.44450E-07, A6= 3.99899E-06, A8= 0.00000E+00 
A10= 0.00000E+00
【０４５３】
表  Ｉ−６６（各種データ）
ズーム比     4.76804
広角      中間      望遠
焦点距離       4.7145   10.4216   22.4791
Ｆナンバー     2.82795   4.62162   6.42143
画角        39.1095   19.4169    9.1025
像高         3.6000    3.6000    3.6000
レンズ全長     31.8271   31.1332   41.1670
ＢＦ        1.03932   1.00578   0.97275
d4          11.4400    3.4367    0.1500 
d11          0.8955    8.6718   24.7468 
d13          4.8353    4.4019    1.6804 
ズームレンズ群データ
群    始面      焦点距離
1       1     -10.05331
2       5       9.42654
3      12      28.71276
【０４５４】
（数値実施例Ｉ−２３）
数値実施例Ｉ−２３のズームレンズ系は、図６７に示した実施の形態Ｉ−２３に対応する。数値実施例Ｉ−２３のズームレンズ系の面データを表Ｉ−６７に、非球面データを表Ｉ−６８に、各種データを表Ｉ−６９に示す。
【０４５５】
表  Ｉ−６７（面データ）
面番号         r           d           nd         vd                
物面             ∞                                               
1*       132.95400     1.35000     1.88300    40.8               
2*         4.68700     1.46800                                   
3          6.81900     1.60000     1.92287    18.9               
4         11.04200        可変                                   
5*         4.17000     2.00000     1.77632    52.6               
6         10.88700     0.50000     1.64619    31.8               
7          3.66300     0.48000                                   
8          8.27600     0.50000     1.76287    27.7               
9          4.01800     2.00000     1.60281    56.0               
10        -11.07600     0.30000                                   
11(絞り)           ∞        可変                                   
12        -90.89600     1.60000     1.60311    60.6               
13        -17.48600        可変                                   
14               ∞     1.40000     1.51633    64.1               
15               ∞        (BF)                                       
像面             ∞                                               
【０４５６】
表  Ｉ−６８（非球面データ）
第1面
K= 0.00000E+00, A4= 2.44936E-04, A6=-4.54400E-06, A8= 5.72566E-08 
A10= 0.00000E+00 
第2面
K=-1.48880E+00, A4= 1.58237E-03, A6= 2.31084E-06, A8=-5.39884E-07 
A10= 4.21354E-08 
第5面
K=-4.35869E-01, A4=-7.86886E-05, A6=-3.25838E-06, A8= 0.00000E+00 
A10= 0.00000E+00
【０４５７】
表  Ｉ−６９（各種データ）
ズーム比     5.57548
広角      中間      望遠
焦点距離       4.3036   10.4658   23.9944
Ｆナンバー     2.92255   5.16214   7.21745
画角        43.8656   19.5147    8.6343
像高         3.6000    3.6000    3.6000
レンズ全長     31.2161   30.7032   41.9501
ＢＦ        1.05074   1.06124   1.01753
d4          11.4400    3.5088    0.1500 
d11          0.9832   10.2556   26.1962 
d13          4.5442    2.6796    1.3884 
ズームレンズ群データ
群    始面      焦点距離
1       1      -8.59764
2       5       8.56522
3      12      35.60713
【０４５８】
（数値実施例Ｉ−２４）
数値実施例Ｉ−２４のズームレンズ系は、図７０に示した実施の形態Ｉ−２４に対応する。数値実施例Ｉ−２４のズームレンズ系の面データを表Ｉ−７０に、非球面データを表Ｉ−７１に、各種データを表Ｉ−７２に示す。
【０４５９】
表  Ｉ−７０（面データ）
面番号         r           d           nd         vd                
物面             ∞                                               
1*        38.98800     1.35000     1.88300    40.8               
2*         4.84400     1.42500                                   
3          6.47600     1.60000     1.92287    18.9               
4          9.52600        可変                                   
5*         4.20800     2.00000     1.78129    58.0               
6          9.08000     0.50000     1.64147    23.9               
7          3.67300     0.48000                                   
8          8.42900     0.50000     1.75881    27.4               
9          4.04600     2.00000     1.60469    40.7               
10        -12.41000     0.30000                                   
11(絞り)           ∞        可変                                   
12        110.98100     1.60000     1.60311    60.6               
13        -22.55600        可変                                   
14               ∞     1.40000     1.51633    64.1               
15               ∞        (BF)                                       
像面             ∞                                               
【０４６０】
表  Ｉ−７１（非球面データ）
第1面
K= 0.00000E+00, A4= 3.22213E-04, A6=-5.80780E-06, A8= 5.15896E-08 
A10= 0.00000E+00 
第2面
K=-1.51520E+00, A4= 1.64681E-03, A6= 1.57014E-05, A8=-4.00394E-07 
A10= 1.75249E-08 
第5面
K=-4.40198E-01, A4= 1.03406E-06, A6=-1.84751E-06, A8= 0.00000E+00 
A10= 0.00000E+00
【０４６１】
表  Ｉ−７２（各種データ）
ズーム比     5.10625
広角      中間      望遠
焦点距離       4.8387   10.4090   24.7076
Ｆナンバー     2.88073   4.54052   6.64735
画角        38.8209   19.4873    8.3429
像高         3.6000    3.6000    3.6000
レンズ全長     31.2899   29.5852   41.1813
ＢＦ        1.06325   1.06953   0.97479
d4          11.4400    3.4674    0.1500 
d11          0.9838    6.4142   25.1290 
d13          4.6478    5.4791    1.7725 
ズームレンズ群データ
群    始面      焦点距離
1       1      -9.96310
2       5       8.98371
3      12      31.22300
【０４６２】
以下の表Ｉ−７３に、各数値実施例のズームレンズ系における各条件の対応値を示す。ただし表Ｉ−７３中、ＹＷは、
ＹＷ：広角端での全系の焦点距離ｆＷにおける、第２レンズ群の、最大ぶれ補正時の光軸に対して垂直方向への移動量
を示し、ズームレンズ系が広角端の状態のとき、すなわち条件式（３）においてＹ＝ＹＷ（ｆ＝ｆＷ）のときの対応値（ＹＷ／ＹＴ）／（ｆＴ／ｆＷ）を求めた。
【０４６３】
表  Ｉ−７３（条件の対応値）
【表３】
2009096157.tif 000166
【表４】
2009096157.tif 000167
【表５】
2009096157.tif 000168
【表６】
2009096157.tif 000169
【表７】
2009096157.tif 000170
【表８】
2009096157.tif 000171
【０４６４】
（数値実施例II−１）
数値実施例II−１のズームレンズ系は、図７３に示した実施の形態II−１に対応する。数値実施例II−１のズームレンズ系の面データを表II−１に、非球面データを表II−２に、各種データを表II−３に示す。
【０４６５】
表  II−１（面データ）
面番号         r           d           nd         vd                
物面             ∞                                               
1*       188.92300     1.06000     1.85976    40.6               
2*         5.44500     1.73200                                   
3*         9.22600     1.98000     1.99537    20.7               
4         17.36000        可変                                   
5*         4.94900     1.55900     1.80434    40.8               
6        117.92500     0.15300                                   
7         13.15200     1.05000     1.72916    54.7               
8        -21.47500     0.01000     1.56732    42.8               
9        -21.47500     0.40000     1.76182    26.6               
10          3.74800     0.58300                                   
11         22.33900     1.01500     1.69680    55.5               
12        -19.41000     0.40000                                   
13(絞り)           ∞        可変                                   
14*      -116.08400     1.40700     1.68863    52.8               
15*       -12.09600        可変                                   
16               ∞     0.28000     1.51680    64.2               
17               ∞     0.50000                                   
18               ∞     0.50000     1.51680    64.2               
19               ∞        (BF)                                       
像面             ∞                                               
【０４６６】
表  II−２（非球面データ）
第1面
K= 0.00000E+00, A4=-1.00660E-06, A6= 1.42786E-06, A8=-2.21841E-08 
A10= 4.62309E-11, A12= 0.00000E+00, A14= 0.00000E+00 
第2面
K=-1.50376E+00, A4= 9.16971E-04, A6= 9.94477E-06, A8=-3.69570E-06 
A10= 2.88772E-07, A12=-9.37503E-09, A14= 1.08167E-10 
第3面
K= 0.00000E+00, A4= 1.33735E-04, A6= 8.26828E-06, A8=-2.36263E-06 
A10= 1.72041E-07, A12=-5.39358E-09, A14= 6.14991E-11 
第5面
K= 0.00000E+00, A4=-7.21745E-04, A6=-2.78703E-06, A8=-1.01123E-05 
A10= 2.41573E-06, A12=-3.18270E-07, A14= 1.76444E-08 
第14面
K= 0.00000E+00, A4= 3.84582E-04, A6=-4.88167E-05, A8= 2.35198E-06 
A10= 4.74331E-08, A12=-3.53285E-09, A14= 0.00000E+00 
第15面
K= 0.00000E+00, A4= 5.69667E-04, A6=-3.94000E-05, A8= 1.79407E-06 
A10= 3.36301E-08, A12=-2.29056E-09, A14= 0.00000E+00
【０４６７】
表  II−３（各種データ）
ズーム比     5.02077
広角      中間      望遠
焦点距離       4.2071   10.2045   21.1228
Ｆナンバー     2.90782   5.02380   6.11771
画角        46.1595   20.5403   10.1174
像高         3.8000    3.8000    3.8000
レンズ全長     33.0753   29.8672   37.3253
ＢＦ        0.42136   0.37974   0.40715
d4          14.3760    4.3000    0.2000 
d13          1.7728    9.7004   21.4167 
d15          3.8761    2.8581    2.6724 
ズームレンズ群データ
群    始面      焦点距離
1       1     -11.10099
2       5       9.35617
3      14      19.50093
【０４６８】
（数値実施例II−２）
数値実施例II−２のズームレンズ系は、図７６に示した実施の形態II−２に対応する。数値実施例II−２のズームレンズ系の面データを表II−４に、非球面データを表II−５に、各種データを表II−６に示す。
【０４６９】
表  II−４（面データ）
面番号         r           d           nd         vd                
物面             ∞                                               
1         91.71600     1.06000     1.85976    40.6               
2*         5.02500     1.73200                                   
3*         8.10500     1.98000     1.99537    20.7               
4         15.41300        可変                                   
5          4.67900     1.55000     1.80434    40.8               
6         20.06000     0.15000                                   
7         17.38100     1.05000     1.72916    54.7               
8         -7.78900     0.01000     1.56732    42.8               
9         -7.78900     0.40000     1.76182    26.6               
10          5.54400     0.58300                                   
11*         9.60700     1.03000     1.69680    55.5               
12*        24.77100     0.40000                                   
13(絞り)           ∞        可変                                   
14*       143.86300     1.40700     1.68863    52.8               
15*       -14.99700        可変                                   
16               ∞     0.28000     1.51680    64.2               
17               ∞     0.50000                                   
18               ∞     0.50000     1.51680    64.2               
19               ∞        (BF)                                       
像面             ∞                                               
【０４７０】
表  II−５（非球面データ）
第2面
K=-1.72393E+00, A4= 8.21522E-04, A6= 2.55266E-05, A8=-3.88679E-06 
A10= 2.77924E-07, A12=-9.47533E-09, A14= 1.16437E-10 
第3面
K= 0.00000E+00, A4=-2.24219E-04, A6= 2.10672E-05, A8=-2.55993E-06 
A10= 1.68943E-07, A12=-5.44312E-09, A14= 6.31627E-11 
第11面
K= 0.00000E+00, A4=-1.79281E-03, A6=-2.82240E-04, A8= 1.33862E-05 
A10= 7.24137E-06, A12= 0.00000E+00, A14= 0.00000E+00 
第12面
K= 0.00000E+00, A4= 8.20695E-04, A6=-3.73734E-05, A8=-4.11489E-07 
A10= 1.63224E-05, A12= 0.00000E+00, A14= 0.00000E+00 
第14面
K= 0.00000E+00, A4=-1.43793E-03, A6= 6.22989E-05, A8=-3.57284E-06 
A10= 4.27742E-08, A12= 1.29183E-09, A14= 0.00000E+00 
第15面
K= 0.00000E+00, A4=-1.03151E-03, A6=-6.84282E-06, A8= 2.21877E-06 
A10=-1.02480E-07, A12= 1.11563E-09, A14= 0.00000E+00
【０４７１】
表  II−６（各種データ）
ズーム比     4.78728
広角      中間      望遠
焦点距離       4.5625   10.3339   21.8419
Ｆナンバー     2.91681   4.41216   6.27025
画角        43.7744   20.6796    9.7181
像高         3.8000    3.8000    3.8000
レンズ全長     32.9851   26.5722   37.4677
ＢＦ        0.42089   0.40791   0.39091
d4          13.9363    2.2741    0.2000 
d13          2.4243    4.3279   21.6993 
d15          3.5716    6.9303    2.5455 
ズームレンズ群データ
群    始面      焦点距離
1       1     -11.49994
2       5       9.44980
3      14      19.79358
【０４７２】
（数値実施例II−３）
数値実施例II−３のズームレンズ系は、図７９に示した実施の形態II−３に対応する。数値実施例II−３のズームレンズ系の面データを表II−７に、非球面データを表II−８に、各種データを表II−９に示す。
【０４７３】
表  II−７（面データ）
面番号         r           d           nd         vd                
物面             ∞                                               
1*       140.23000     1.06000     1.89816    34.5               
2*         5.45300     1.73200                                   
3*         9.42700     1.98000     2.13854    17.8               
4         17.36000        可変                                   
5*         4.99100     1.55000     1.80434    40.8               
6        117.92500     0.15000                                   
7         12.94200     1.05000     1.72916    54.7               
8        -13.72800     0.01000     1.56732    42.8               
9        -13.72800     0.40000     1.76182    26.6               
10          3.74800     0.58300                                   
11         20.43300     1.03000     1.69680    55.5               
12        -21.48900     0.40000                                   
13(絞り)           ∞        可変                                   
14*      -116.08400     1.40700     1.68863    52.8               
15*       -12.26900        可変                                   
16               ∞     0.28000     1.51680    64.2               
17               ∞     0.50000                                   
18               ∞     0.50000     1.51680    64.2               
19               ∞        (BF)                                       
像面             ∞                                               
【０４７４】
表  II−８（非球面データ）
第1面
K= 0.00000E+00, A4=-5.16032E-06, A6= 1.36006E-06, A8=-2.35032E-08 
A10= 9.64467E-12, A12= 0.00000E+00, A14= 0.00000E+00 
第2面
K=-1.54603E+00, A4= 8.66310E-04, A6= 1.05013E-05, A8=-3.56556E-06 
A10= 2.87567E-07, A12=-9.59572E-09, A14= 1.13274E-10 
第3面
K= 0.00000E+00, A4= 5.82564E-05, A6= 1.23467E-05, A8=-2.44842E-06 
A10= 1.70937E-07, A12=-5.28376E-09, A14= 6.04276E-11 
第5面
K= 0.00000E+00, A4=-6.59982E-04, A6=-1.07316E-05, A8=-7.67478E-06 
A10= 2.20031E-06, A12=-3.14693E-07, A14= 1.71160E-08 
第14面
K= 0.00000E+00, A4= 3.98783E-04, A6=-4.87903E-05, A8= 2.32347E-06 
A10= 4.49831E-08, A12=-3.64603E-09, A14= 0.00000E+00 
第15面
K= 0.00000E+00, A4= 6.66651E-04, A6=-6.35825E-05, A8= 3.80613E-06 
A10=-2.17291E-08, A12=-2.43698E-09, A14= 0.00000E+00
【０４７５】
表  II−９（各種データ）
ズーム比     4.75067
広角      中間      望遠
焦点距離       4.5762   10.2956   21.7403
Ｆナンバー     2.90973   4.76492   6.12812
画角        43.6578   20.3579    9.8270
像高         3.8000    3.8000    3.8000
レンズ全長     32.9778   29.9914   37.7234
ＢＦ        0.40883   0.36012   0.36629
d4          13.7226    4.3000    0.2000 
d13          2.4223    9.4455   21.9297 
d15          3.7921    3.2538    2.5954 
ズームレンズ群データ
群    始面      焦点距離
1       1     -11.37494
2       5       9.50394
3      14      19.81261
【０４７６】
（数値実施例II−４）
数値実施例II−４のズームレンズ系は、図８２示した実施の形態II−４に対応する。数値実施例II−４のズームレンズ系の面データを表II−１０、非球面データを表II−１１に、各種データを表II−１２に示す。
【０４７７】
表  II−１０（面データ）
面番号         r           d           nd         vd                
物面             ∞                                               
1*       277.61100     1.06000     1.80470    41.0               
2*         5.18600     1.73200                                   
3*         9.15000     1.98000     1.99537    20.7               
4         17.36000        可変                                   
5*         5.00400     1.55000     1.80434    40.8               
6        117.92500     0.15000                                   
7         12.83700     1.05000     1.72916    54.7               
8        -16.64100     0.01000     1.56732    42.8               
9        -16.64100     0.40000     1.76182    26.6               
10          3.74800     0.58300                                   
11         19.27500     1.03000     1.69680    55.5               
12        -23.38700     0.40000                                   
13(絞り)           ∞        可変                                   
14*      -116.08400     1.40700     1.68863    52.8               
15*       -12.26800        可変                                   
16               ∞     0.28000     1.51680    64.2               
17               ∞     0.50000                                   
18               ∞     0.50000     1.51680    64.2               
19               ∞        (BF)                                       
像面             ∞                                               
【０４７８】
表  II−１１（非球面データ）
第1面
K= 0.00000E+00, A4=-5.16032E-06, A6= 1.36006E-06, A8=-2.35032E-08 
A10= 9.64467E-12, A12= 0.00000E+00, A14= 0.00000E+00 
第2面
K=-1.36045E+00, A4= 9.62829E-04, A6= 9.75296E-06, A8=-3.60697E-06 
A10= 2.88964E-07, A12=-9.50399E-09, A14= 1.08374E-10 
第3面
K= 0.00000E+00, A4= 1.46718E-04, A6= 9.99932E-06, A8=-2.39751E-06 
A10= 1.71641E-07, A12=-5.32077E-09, A14= 5.98708E-11 
第5面
K= 0.00000E+00, A4=-6.52447E-04, A6=-7.02093E-06, A8=-1.00791E-05 
A10= 2.75597E-06, A12=-3.51282E-07, A14= 1.65967E-08 
第14面
K= 0.00000E+00, A4= 3.98783E-04, A6=-4.87903E-05, A8= 2.32347E-06 
A10= 4.49831E-08, A12=-3.64603E-09, A14= 0.00000E+00 
第15面
K= 0.00000E+00, A4= 6.34167E-04, A6=-6.11751E-05, A8= 3.80911E-06 
A10=-3.34184E-08, A12=-2.00676E-09, A14= 0.00000E+00
【０４７９】
表  II−１２（各種データ）
ズーム比     4.74438
広角      中間      望遠
焦点距離       4.5794   10.3078   21.7266
Ｆナンバー     2.91050   4.77133   6.13310
画角        43.5230   20.3763    9.8525
像高         3.8000    3.8000    3.8000
レンズ全長     32.9845   30.0066   37.7343
ＢＦ        0.41553   0.37528   0.37716
d4          13.7226    4.3000    0.2000 
d13          2.4384    9.4758   21.9238 
d15          3.7760    3.2235    2.6013 
ズームレンズ群データ
群    始面      焦点距離
1       1     -11.37119
2       5       9.50694
3      14      19.81081
【０４８０】
（数値実施例II−５）
数値実施例II−５のズームレンズ系は、図８５に示した実施の形態II−５に対応する。数値実施例II−５のズームレンズ系の面データを表II−１３に、非球面データを表II−１４に、各種データを表II−１５に示す。
【０４８１】
表  II−１３（面データ）
面番号         r           d           nd         vd                
物面             ∞                                               
1*       177.47800     1.03900     1.85976    40.6               
2*         6.63600     2.05700                                   
3*        11.13100     2.32400     1.99537    20.7               
4         21.12900        可変                                   
5*         6.03400     1.85100     1.80434    40.8               
6        143.52700     0.20100                                   
7         15.89500     1.28000     1.72916    54.7               
8        -20.09100     0.01200     1.56732    42.8               
9        -20.09100     0.47900     1.76182    26.6               
10          4.56200     0.74600                                   
11         24.99300     1.11300     1.69680    55.5               
12        -26.97000     0.48700                                   
13(絞り)           ∞        可変                                   
14*      -141.28500     1.53800     1.68863    52.8               
15*       -14.74800        可変                                   
16               ∞     0.34100     1.51680    64.2               
17               ∞     0.60900                                   
18               ∞     0.60900     1.51680    64.2               
19               ∞        (BF)                                       
像面             ∞                                               
【０４８２】
表  II−１４（非球面データ）
第1面
K= 0.00000E+00, A4=-2.86219E-06, A6= 5.09247E-07, A8=-5.94077E-09 
A10= 1.64570E-12, A12= 0.00000E+00, A14= 0.00000E+00 
第2面
K=-1.53666E+00, A4= 5.02282E-04, A6= 4.46163E-06, A8=-9.10715E-07 
A10= 4.91821E-08, A12=-1.09034E-09, A14= 8.46522E-12 
第3面
K= 0.00000E+00, A4= 5.74073E-05, A6= 3.98544E-06, A8=-6.02600E-07 
A10= 2.93515E-08, A12=-6.16876E-10, A14= 4.72214E-12 
第5面
K= 0.00000E+00, A4=-3.87012E-04, A6= 1.94856E-06, A8=-3.17953E-06 
A10= 4.47726E-07, A12=-3.24123E-08, A14= 9.30481E-10 
第14面
K= 0.00000E+00, A4= 2.21186E-04, A6=-1.82685E-05, A8= 5.87291E-07 
A10= 7.67561E-09, A12=-4.19983E-10, A14= 0.00000E+00 
第15面
K= 0.00000E+00, A4= 3.95412E-04, A6=-2.36935E-05, A8= 8.28888E-07 
A10= 3.84189E-09, A12=-4.16995E-10, A14= 0.00000E+00
【０４８３】
表  II−１５（各種データ）
ズーム比     4.78219
広角      中間      望遠
焦点距離       5.5419   12.5134   26.5024
Ｆナンバー     2.88513   4.73316   6.09875
画角        43.7864   20.3478    9.7989
像高         4.6250    4.6250    4.6250
レンズ全長     39.4596   35.8400   45.2842
ＢＦ        0.50832   0.46420   0.50531
d4          16.7018    5.2335    0.2434 
d13          2.9482   11.5357   26.7513 
d15          4.6153    3.9206    3.0982 
ズームレンズ群データ
群    始面      焦点距離
1       1     -13.88579
2       5      11.53034
3      14      23.79460
【０４８４】
（数値実施例II−６）
数値実施例II−６のズームレンズ系は、図８８に示した実施の形態II−６に対応する。数値実施例II−６のズームレンズ系の面データを表II−１６に、非球面データを表II−１７に、各種データを表II−１８に示す。
【０４８５】
表  II−１６（面データ）
面番号         r           d           nd         vd                
物面             ∞                                               
1        126.42600     1.06000     1.86000    40.6               
2*         5.72700     1.53700                                   
3*         8.95800     1.77600     1.99537    20.7               
4         17.36000        可変                                   
5*         5.19400     1.56100     1.80434    40.8               
6        377.10900     0.30000                                   
7         17.42100     1.06600     1.72916    54.7               
8        -13.83000     0.01000     1.56732    42.8               
9        -13.83000     0.40000     1.76182    26.6               
10          4.00000     0.58300                                   
11         19.73300     1.07700     1.69680    55.5               
12        -23.72700     0.40000                                   
13(絞り)           ∞        可変                                   
14*     -1047.51300     1.40700     1.74993    45.4               
15*       -14.88700        可変                                   
16               ∞     0.28000     1.51680    64.2               
17               ∞     0.50000                                   
18               ∞     0.50000     1.51680    64.2               
19               ∞        (BF)                                       
像面             ∞                                               
【０４８６】
表  II−１７（非球面データ）
第2面
K=-1.57344E+00, A4= 7.46340E-04, A6= 1.88232E-06, A8=-3.37126E-06 
A10= 2.89498E-07, A12=-9.69126E-09, A14= 1.14218E-10 
第3面
K= 0.00000E+00, A4= 6.08925E-05, A6= 2.83846E-06, A8=-2.14698E-06 
A10= 1.72132E-07, A12=-5.49899E-09, A14= 6.19799E-11 
第5面
K= 0.00000E+00, A4=-5.98636E-04, A6=-2.84764E-06, A8=-8.39427E-06 
A10= 2.21918E-06, A12=-2.87429E-07, A14= 1.45836E-08 
第14面
K= 0.00000E+00, A4=-1.30794E-04, A6=-9.53762E-06, A8=-1.31083E-06 
A10= 1.80961E-07, A12=-4.51916E-09, A14= 0.00000E+00 
第15面
K= 0.00000E+00, A4= 1.09118E-04, A6=-3.68938E-05, A8= 2.09767E-06 
A10=-3.35203E-08, A12= 5.68690E-10, A14= 0.00000E+00
【０４８７】
表  II−１８（各種データ）
ズーム比     4.61126
広角      中間      望遠
焦点距離       5.1178   11.0963   23.5995
Ｆナンバー     2.90501   4.68134   6.13237
画角        39.2002   18.9429    9.0829
像高         3.8000    3.8000    3.8000
レンズ全長     33.5786   30.7415   38.3943
ＢＦ        0.41039   0.37079   0.37158
d4          14.1000    4.7084    0.2000 
d13          2.4138    9.8111   22.8264 
d15          4.1974    3.3942    2.5393 
ズームレンズ群データ
群    始面      焦点距離
1       1     -12.85293
2       5      10.12689
3      14      20.12562
【０４８８】
（数値実施例II−７）
数値実施例II−７のズームレンズ系は、図９１に示した実施の形態II−７に対応する。数値実施例II−７のズームレンズ系の面データを表II−１９に、非球面データを表II−２０に、各種データを表II−２１に示す。
【０４８９】
表  II−１９（面データ）
面番号         r           d           nd         vd                
物面             ∞                                               
1*       133.91200     1.06000     1.85976    40.6               
2*         5.42900     1.73200                                   
3*         9.15600     1.98000     1.99537    20.7               
4         17.36000        可変                                   
5*         4.97400     1.55000     1.80434    40.8               
6        117.92500     0.15000                                   
7         13.33900     1.05000     1.72916    54.7               
8        -20.65000     0.01000     1.56732    42.8               
9        -20.65000     0.40000     1.76182    26.6               
10          3.74800     0.58300                                   
11         17.95000     1.03000     1.69680    55.5               
12        -25.80200     0.40000                                   
13(絞り)           ∞        可変                                   
14*      -116.08400     1.40700     1.68863    52.8               
15*       -12.28300        可変                                   
16               ∞     0.28000     1.51680    64.2               
17               ∞     0.50000                                   
18               ∞     0.50000     1.51680    64.2               
19               ∞        (BF)                                       
像面             ∞                                               
【０４９０】
表  II−２０（非球面データ）
第1面
K= 0.00000E+00, A4=-5.52740E-06, A6= 1.34755E-06, A8=-2.37945E-08 
A10= 6.53313E-12, A12= 0.00000E+00, A14= 0.00000E+00 
第2面
K=-1.51232E+00, A4= 9.13792E-04, A6= 1.00193E-05, A8=-3.69775E-06 
A10= 2.88686E-07, A12=-9.37576E-09, A14= 1.08259E-10 
第3面
K= 0.00000E+00, A4= 1.27176E-04, A6= 7.89593E-06, A8=-2.36128E-06 
A10= 1.72237E-07, A12=-5.38467E-09, A14= 6.18081E-11 
第5面
K= 0.00000E+00, A4=-7.06960E-04, A6=-3.25988E-07, A8=-9.87767E-06 
A10= 2.42687E-06, A12=-3.19796E-07, A14= 1.70210E-08 
第14面
K= 0.00000E+00, A4= 3.70421E-04, A6=-5.43849E-05, A8= 1.64888E-06 
A10= 1.80901E-09, A12=-5.31193E-09, A14= 0.00000E+00 
第15面
K= 0.00000E+00, A4= 5.24695E-04, A6=-4.63237E-05, A8= 1.20665E-06 
A10= 4.10694E-09, A12=-4.23522E-09, A14= 0.00000E+00
【０４９１】
表  II−２１（各種データ）
ズーム比     5.35662
広角      中間      望遠
焦点距離       4.5928   10.2950   24.6021
Ｆナンバー     2.90896   4.74737   6.91879
画角        43.5348   20.5052    8.8865
像高         3.8000    3.8000    3.8000
レンズ全長     32.9479   30.0189   38.9815
ＢＦ        0.40477   0.36130   0.37320
d4          13.7226    4.3000    0.2000 
d13          2.2520    9.2104   24.8417 
d15          3.9365    3.5152    0.9346 
ズームレンズ群データ
群    始面      焦点距離
1       1     -11.42384
2       5       9.55095
3      14      19.83788
【０４９２】
（数値実施例II−８）
数値実施例II−８のズームレンズ系は、図９４に示した実施の形態II−８に対応する。数値実施例II−８のズームレンズ系の面データを表II−２２に、非球面データを表II−２３に、各種データを表II−２４に示す。
【０４９３】
表  II−２２（面データ）
面番号         r           d           nd         vd                
物面             ∞                                               
1*       102.49100     1.06000     1.85976    40.6               
2*         5.38400     1.73200                                   
3*         9.16300     1.98000     1.99537    20.7               
4         17.36000        可変                                   
5*         4.98100     1.55000     1.80434    40.8               
6        117.92500     0.15000                                   
7         13.41700     1.05000     1.72916    54.7               
8        -22.36400     0.01000     1.56732    42.8               
9        -22.36400     0.40000     1.76182    26.6               
10          3.74800     0.58300                                   
11         17.49900     1.03000     1.69680    55.5               
12        -27.91500     0.40000                                   
13(絞り)           ∞        可変                                   
14*      -116.08400     1.40700     1.68863    52.8               
15*       -12.30700        可変                                   
16               ∞     0.28000     1.51680    64.2               
17               ∞     0.50000                                   
18               ∞     0.50000     1.51680    64.2               
19               ∞        (BF)                                       
像面             ∞                                               
【０４９４】
表  II−２３（非球面データ）
第1面
K= 0.00000E+00, A4=-9.58085E-06, A6= 1.28804E-06, A8=-2.45481E-08 
A10=-7.28916E-12, A12= 0.00000E+00, A14= 0.00000E+00 
第2面
K=-1.52889E+00, A4= 9.08403E-04, A6= 1.00563E-05, A8=-3.70044E-06 
A10= 2.88590E-07, A12=-9.37676E-09, A14= 1.08272E-10 
第3面
K= 0.00000E+00, A4= 1.17643E-04, A6= 7.85565E-06, A8=-2.35722E-06 
A10= 1.72387E-07, A12=-5.38158E-09, A14= 6.18075E-11 
第5面
K= 0.00000E+00, A4=-6.97064E-04, A6= 1.09037E-06, A8=-9.75291E-06 
A10= 2.43347E-06, A12=-3.20810E-07, A14= 1.65049E-08 
第14面
K= 0.00000E+00, A4= 3.07888E-04, A6=-5.28977E-05, A8= 1.68576E-06 
A10= 1.34836E-09, A12= 1.29575E-10, A14= 0.00000E+00 
第15面
K= 0.00000E+00, A4= 5.47465E-04, A6=-5.13331E-05, A8= 1.07290E-06 
A10= 4.69963E-08, A12=-1.02369E-09, A14= 0.00000E+00
【０４９５】
表  II−２４（各種データ）
ズーム比     5.52871
広角      中間      望遠
焦点距離       4.6725   10.3808   25.8329
Ｆナンバー     2.94730   4.77127   7.24009
画角        42.6119   20.1748    8.3929
像高         3.8000    3.8000    3.8000
レンズ全長     33.0804   30.2033   40.0342
ＢＦ        0.40551   0.36552   0.38499
d4          13.7226    4.3000    0.2000 
d13          2.3123    9.1093   26.0977 
d15          4.0080    3.7965    0.7195 
ズームレンズ群データ
群    始面      焦点距離
1       1     -11.50512
2       5       9.64428
3      14      19.88122
【０４９６】
（数値実施例II−９）
数値実施例II−９のズームレンズ系は、図９７に示した実施の形態II−９に対応する。数値実施例II−９のズームレンズ系の面データを表II−２５に、非球面データを表II−２６に、各種データを表II−２７に示す。
【０４９７】
表  II−２５（面データ）
面番号         r           d           nd         vd                
物面             ∞                                               
1*        76.42751     1.00000     1.80470    41.0               
2*         6.64817     1.48000                                   
3          7.75447     1.60000     1.92286    20.9               
4         10.50123        可変                                   
5*         5.53570     1.50000     1.80434    40.8               
6       -674.52140     0.30000                                   
7         10.79499     1.10000     1.72916    54.7               
8        -15.59648     0.01000     1.56732    42.8               
9        -15.59648     0.40000     1.76182    26.6               
10          4.00000     0.64000                                   
11         40.99489     1.10000     1.80146    40.2               
12        -40.99489     0.30000                                   
13(絞り)           ∞        可変                                   
14        -53.29376     1.33000     1.68863    52.8               
15*       -12.58029        可変                                   
16               ∞     0.28000     1.51680    64.2               
17               ∞     0.50000                                   
18               ∞     0.50000     1.51680    64.2               
19               ∞        (BF)                                       
像面             ∞                                               
【０４９８】
表  II−２６（非球面データ）
第1面
K= 0.00000E+00, A4= 5.76012E-05, A6= 8.73773E-07, A8= 0.00000E+00 
A10= 0.00000E+00, A12= 0.00000E+00, A14= 0.00000E+00 
第2面
K=-1.43352E+00, A4= 6.73429E-04, A6=-1.70436E-07, A8= 1.25757E-07 
A10= 3.13106E-08, A12=-1.68591E-09, A14= 3.01568E-11 
第5面
K= 0.00000E+00, A4=-4.98245E-04, A6= 4.02131E-06, A8=-1.18557E-05 
A10= 2.68271E-06, A12=-2.79815E-07, A14= 1.08519E-08 
第15面
K= 0.00000E+00, A4=-3.33092E-05, A6= 2.24255E-05, A8=-2.42474E-06 
A10= 1.37066E-07, A12=-2.99454E-09, A14= 0.00000E+00
【０４９９】
表  II−２７（各種データ）
ズーム比     4.72712
広角      中間      望遠
焦点距離       6.0022   13.0594   28.3731
Ｆナンバー     3.44370   5.55842   6.33102
画角        34.9812   16.3974    7.6997
像高         3.8000    3.8000    3.8000
レンズ全長     33.8543   31.0006   39.9649
ＢＦ        0.46119   0.40554   0.37123
d4          14.2069    4.6883    0.2000 
d13          2.9360   10.1917   24.3632 
d15          4.2102    3.6751    2.9905 
ズームレンズ群データ
群    始面      焦点距離
1       1     -13.93476
2       5      10.14370
3      14      23.59911
【０５００】
（数値実施例II−１０）
数値実施例II−１０のズームレンズ系は、図１００に示した実施の形態II−１０に対応する。数値実施例II−１０のズームレンズ系の面データを表II−２８に、非球面データを表II−２９に、各種データを表II−３０に示す。
【０５０１】
表  II−２８（面データ）
面番号         r           d           nd         vd                
物面             ∞                                               
1*        59.05000     1.06000     1.85280    39.0               
2*         5.46200     1.50400                                   
3*         8.60600     1.75000     1.99537    20.7               
4         14.38100        可変                                   
5*         4.36700     2.50000     1.80359    40.8               
6        -67.53500     0.00000                                   
7        -67.53500     0.40000     1.80518    25.5               
8          3.80100     0.47700                                   
9         12.23200     1.14400     1.77250    49.6               
10        -16.77300     0.30000                                   
11(絞り)           ∞        可変                                   
12*       145.66100     1.33400     1.60602    57.4               
13*       -11.92000        可変                                   
14               ∞     0.78000     1.51680    64.2               
15               ∞        (BF)                                       
像面             ∞                                               
【０５０２】
表  II−２９（非球面データ）
第1面
K= 0.00000E+00, A4= 3.04043E-06, A6= 8.38044E-08, A8= 3.68394E-10 
A10= 1.11988E-11, A12= 0.00000E+00, A14= 0.00000E+00 
第2面
K=-1.14246E+00, A4= 9.52084E-04, A6= 1.16305E-05, A8=-3.37781E-06 
A10= 2.84249E-07, A12=-9.68993E-09, A14= 1.17859E-10 
第3面
K= 0.00000E+00, A4= 2.77587E-04, A6= 7.49692E-06, A8=-2.20563E-06 
A10= 1.70898E-07, A12=-5.50993E-09, A14= 6.41238E-11 
第5面
K=-2.43504E-01, A4=-3.61300E-04, A6= 1.01452E-05, A8=-3.95475E-06 
A10= 2.05823E-07, A12= 0.00000E+00, A14= 0.00000E+00 
第12面
K= 0.00000E+00, A4=-3.11808E-04, A6= 1.60552E-05, A8=-9.71795E-07 
A10= 2.22891E-07, A12=-2.85194E-09, A14= 0.00000E+00 
第13面
K= 0.00000E+00, A4= 3.67285E-05, A6=-1.48330E-05, A8= 2.12933E-06 
A10= 5.52463E-08, A12= 2.05349E-09, A14= 0.00000E+00
【０５０３】
表  II−３０（各種データ）
ズーム比     4.70964
広角      中間      望遠
焦点距離       4.2182   10.9848   19.8661
Ｆナンバー     2.91810   4.94788   6.15928
画角        45.5442   19.1934   10.7826
像高         3.8000    3.8000    3.8000
レンズ全長     32.2531   29.2032   33.9277
ＢＦ        0.89844   0.85770   0.89904
d4          14.1856    3.9014    0.2000 
d11          2.1610   11.4996   19.9321 
d13          3.7591    1.6955    1.6476 
ズームレンズ群データ
群    始面      焦点距離
1       1     -11.81909
2       5       9.29435
3      12      18.23972
【０５０４】
（数値実施例II−１１）
数値実施例II−１１のズームレンズ系は、図１０３に示した実施の形態II−１１に対応する。数値実施例II−１１のズームレンズ系の面データを表II−３１に、非球面データを表II−３２に、各種データを表II−３３に示す。
【０５０５】
表  II−３１（面データ）
面番号         r           d           nd         vd                
物面             ∞                                               
1*        48.20000     1.06000     1.85280    39.0               
2*         5.40600     1.50400                                   
3*         8.59700     1.75000     1.99537    20.7               
4         14.38100        可変                                   
5*         4.37800     2.50000     1.80359    40.8               
6        -74.88600     0.00000                                   
7        -74.88600     0.40000     1.80518    25.5               
8          3.79800     0.47700                                   
9         12.73200     1.14400     1.77250    49.6               
10        -16.77300     0.30000                                   
11(絞り)           ∞        可変                                   
12*       147.88000     1.33400     1.60602    57.4               
13*       -13.66400        可変                                   
14               ∞     0.78000     1.51680    64.2               
15               ∞        (BF)                                       
像面             ∞                                               
【０５０６】
表  II−３２（非球面データ）
第1面
K= 0.00000E+00, A4= 3.27932E-07, A6=-4.95347E-08, A8= 0.00000E+00 
A10= 0.00000E+00, A12= 0.00000E+00, A14= 0.00000E+00 
第2面
K=-1.15549E+00, A4= 9.45387E-04, A6= 1.00448E-05, A8=-3.40038E-06 
A10= 2.83776E-07, A12=-9.69584E-09, A14= 1.17520E-10 
第3面
K= 0.00000E+00, A4= 2.60379E-04, A6= 6.67780E-06, A8=-2.20806E-06 
A10= 1.70845E-07, A12=-5.50808E-09, A14= 6.38203E-11 
第5面
K=-2.33677E-01, A4=-3.37270E-04, A6= 5.87427E-06, A8=-3.18469E-06 
A10= 2.15900E-07, A12= 0.00000E+00, A14= 0.00000E+00 
第12面
K= 0.00000E+00, A4=-3.84815E-04, A6= 1.89763E-05, A8=-9.66009E-07 
A10= 2.07197E-07, A12=-2.90921E-09, A14= 0.00000E+00 
第13面
K= 0.00000E+00, A4=-8.25767E-05, A6=-1.37702E-05, A8= 1.82480E-06 
A10= 5.49510E-08, A12= 2.05096E-09, A14= 0.00000E+00
【０５０７】
表  II−３３（各種データ）
ズーム比     4.66639
広角      中間      望遠
焦点距離       4.5138   11.0107   21.0630
Ｆナンバー     2.92234   4.74573   6.11588
画角        42.9660   19.1684   10.1843
像高         3.8000    3.8000    3.8000
レンズ全長     32.9135   29.6175   34.9167
ＢＦ        0.89634   0.86350   0.87175
d4          14.3758    4.2462    0.2000 
d11          2.4307   11.1258   20.7413 
d13          3.9617    2.1330    1.8547 
ズームレンズ群データ
群    始面      焦点距離
1       1     -12.09887
2       5       9.49321
3      12      20.70451
【０５０８】
（数値実施例II−１２）
数値実施例II−１２のズームレンズ系は、図１０６に示した実施の形態II−１２に対応する。数値実施例II−１２のズームレンズ系の面データを表II−３４に、非球面データを表II−３５に、各種データを表II−３６に示す。
【０５０９】
表  II−３４（面データ）
面番号         r           d           nd         vd                
物面             ∞                                               
1         43.56000     1.06000     1.85280    39.0               
2*         5.54700     1.50400                                   
3*         8.64600     1.75000     1.99537    20.7               
4         14.38100        可変                                   
5*         4.39600     2.50000     1.80359    40.8               
6       -115.81400     0.00000                                   
7       -115.81400     0.40000     1.80518    25.5               
8          3.79300     0.47700                                   
9         14.69100     1.14400     1.77250    49.6               
10        -16.77300     0.30000                                   
11(絞り)           ∞        可変                                   
12*        79.01900     1.33400     1.60602    57.4               
13*       -14.68200        可変                                   
14               ∞     0.78000     1.51680    64.2               
15               ∞        (BF)                                       
像面             ∞                                               
【０５１０】
表  II−３５（非球面データ）
第2面
K=-1.11955E+00, A4= 9.72575E-04, A6= 5.28421E-06, A8=-3.33441E-06 
A10= 2.83170E-07, A12=-9.76538E-09, A14= 1.18913E-10 
第3面
K= 0.00000E+00, A4= 2.96666E-04, A6= 4.70617E-06, A8=-2.23721E-06 
A10= 1.71468E-07, A12=-5.48027E-09, A14= 6.24905E-11 
第5面
K=-2.21945E-01, A4=-3.12123E-04, A6= 4.68008E-06, A8=-3.33833E-06 
A10= 2.42304E-07, A12= 0.00000E+00, A14= 0.00000E+00 
第12面
K= 0.00000E+00, A4=-5.07858E-04, A6= 1.16247E-05, A8=-1.11086E-06 
A10= 1.55636E-07, A12=-9.60910E-10, A14= 0.00000E+00 
第13面
K= 0.00000E+00, A4=-4.92557E-04, A6=-2.33283E-06, A8= 7.70699E-07 
A10= 4.54566E-08, A12= 2.00412E-09, A14= 0.00000E+00
【０５１１】
表  II−３６（各種データ）
ズーム比     4.65926
広角      中間      望遠
焦点距離       4.9826   11.0055   23.2154
Ｆナンバー     2.96523   4.88875   6.11703
画角        38.2008   18.4701    8.9029
像高         3.6000    3.6000    3.6000
レンズ全長     33.4459   31.3516   38.0142
ＢＦ        0.90869   0.86454   0.89389
d4          14.2459    5.5449    0.2000 
d11          2.6393   11.7655   23.1698 
d13          4.4030    1.9277    2.5015 
ズームレンズ群データ
群    始面      焦点距離
1       1     -12.88044
2       5      10.10697
3      12      20.54116
【０５１２】
（数値実施例II−１３）
数値実施例II−１３のズームレンズ系は、図１０９に示した実施の形態II−１３に対応する。数値実施例II−１３のズームレンズ系の面データを表II−３７に、非球面データを表II−３８に、各種データを表II−３９に示す。
【０５１３】
表  II−３７（面データ）
面番号         r           d           nd         vd                
物面             ∞                                               
1*        65.26800     1.06000     1.85280    39.0               
2*         5.43100     1.50400                                   
3*         8.75800     1.75000     1.99537    20.7               
4         14.38100        可変                                   
5*         4.34800     2.50000     1.80359    40.8               
6        154.36000     0.00000                                   
7        154.36000     0.40000     1.80518    25.5               
8          3.78600     0.47700                                   
9         12.80100     1.14400     1.77250    49.6               
10        -16.77300     0.30000                                   
11(絞り)           ∞        可変                                   
12*       -21.93400     1.33400     1.60602    57.4               
13*        -8.75000        可変                                   
14               ∞     0.78000     1.51680    64.2               
15               ∞        (BF)                                       
像面             ∞                                               
【０５１４】
表  II−３８（非球面データ）
第1面
K= 0.00000E+00, A4= 1.92866E-06, A6=-2.59806E-07, A8= 0.00000E+00 
A10= 0.00000E+00, A12= 0.00000E+00, A14= 0.00000E+00 
第2面
K=-1.12457E+00, A4= 9.65240E-04, A6= 7.72275E-06, A8=-3.45452E-06 
A10= 2.84301E-07, A12=-9.70703E-09, A14= 1.17484E-10 
第3面
K= 0.00000E+00, A4= 2.90216E-04, A6= 7.30560E-06, A8=-2.22065E-06 
A10= 1.70191E-07, A12=-5.52242E-09, A14= 6.43532E-11 
第5面
K=-2.32994E-01, A4=-3.37630E-04, A6= 2.79870E-06, A8=-3.71831E-06 
A10= 3.04308E-07, A12= 0.00000E+00, A14= 0.00000E+00 
第12面
K= 0.00000E+00, A4=-3.98270E-04, A6= 1.52053E-05, A8=-8.64592E-07 
A10= 2.48416E-07, A12=-4.83203E-09, A14= 0.00000E+00 <牢ਾ†곧ㆬꊝ戼㹲 †㵋〠〮〰〰⭅〰‬㑁‽⸱㠴㈱䔴〭ⰴ䄠㴶ㄭ㈮㌸㐳ⵅ㔰‬㡁‽⸲㌲㔴䔳〭‶戼㹲 †ㅁ㴰㈠㤮㈹㄰ⵅ㠰‬ㅁ㴲ㄠ㐮㠷ㄷⵅ㤰‬ㅁ㴴〠〮〰〰⭅〰㰊䐯噉ਾ䐼噉㰾䥄㹖胣邼볯醼볯醀⼼䥄㹖ꢡ†䥉裢鎼볯袼郥꺨菣벃苣覼戼㹲 몂菣ꂃ꿦ₔ††⸵㐶㐰㰳牢ਾ††††††††뫥銧†††룤鎖†††鳦ꂁ戼㹲 Ꚅ苧鶷鯩₢†††⸴㈵㐰†ㄠ⸱㄰ㄲ†㈠⸵㤴㠶戼㹲 볯誃菣邃菣₼††⸲㈹㌱′†⸵㌰〸‱†⸷㤴㤳㰵牢ਾ††铧銧††††ㄴ㌮㈶‱†㠱ㄮ㜲‸†㜠㤮ㄸ㰲牢ਾ††菥颫††††㌠㘮〰‰†㌠㘮〰‰†㌠㘮〰㰰牢ਾ것菣몂藥랕††㌠⸳㌳ㄹ†㌠⸰㠶㜷†㌠⸹㌶㤹戼㹲 †ꊼ볯₦†††〠㤮㐰㘶†〠㠮ㄸ㔱†〠㠮㠵〹戼㹲 †搠‴††††ㄠ⸴㜳㠵††⸴〸㘸††⸰〲〰㰠牢ਾ††ㅤ‱††††㈠㈮㤸‹†ㄱ㔮㘳‱†㔲㘮㌸‹戼㹲 †搠㌱†††††⸴ㄵ㜹††⸲ㄲ㤲††⸱㐶ㄸ㰠牢ਾ苣벃菣것菣몂뻧螃菣뾂戼㹲 ꒾††꟥ꊝ†††蓧릂럨ꊛ戼㹲 †‱†††‱††ㄭ⸱㜱㐶㰷牢ਾ†㈠†††㔠†††㤠㐮㠲㜸戼㹲 †″††ㄠ′††㈠⸳㌱㘷ਲ⼼䥄㹖㰊䥄㹖䐼噉邀볯閼볯隼胣㲑䐯噉ਾ볯낕胥龮雦设䥉裢醼볯覼戼㹲 낕胥龮雦设䥉裢醼볯꺁苣벃菣것菣몂돧꾁胣뎛볯醼볯ꮁꓧ鞁臣龮雦꺁뷥讅䥉裢醼볯ꮁ꿥鲿臣讂胣낕胥龮雦设䥉裢醼볯꺁苣벃菣것菣몂돧꺁鷩螃菣뾂苣ꢡ䥉裢钼볯ꮁ胣麝郧ꊝ菣벃苣銂ꇨ䦨銈볯醼臣膀郥꺨菣벃苣銂ꇨ䦨銈볯銼臣몤臣芀㰊䐯噉ਾ䐼噉㰾䥄㹖胣邼볯醼볯醀⼼䥄㹖ꢡ†䥉裢钼볯袼鷩螃菣뾂볯㲉牢ਾ†鷩ꪕ迥₷††††⁲†††††⁤†††††摮††††瘠⁤†††††††㰠牢ਾ††觧ꊝ††††††麈†††††††††††††††††††††††㰠牢ਾ††ㄠ††††㘠⸳㜴㤳‹††⸱㘰〰‰††⸱㔸㠲‰†㌠⸹‰†††††††戼㹲 ††⨲††††㘠〮㜱㈲††ㄠ㔮㐰〰†††††††††††††††††㰠牢ਾ††㌠‪††††⸸㤵㠱‱††⸱㔷〰‰††⸱㤹㌵‷†㈠⸰‷†††††††戼㹲 ††‴††††㐱㌮ㄸ〰††††迥覤†††††††††††††††††㰠牢ਾ††㔠‪††††⸶㠰〰‵††⸱㘵㜷‰††⸱㠶㘸″†㔠⸲‸†††††††戼㹲 ††‶†††ⴠ㔳㠮㐰㠰††〠ㄮ〰〰†††††††††††††††††㰠牢ਾ††㜠†††††⸷㠹㘴‶††⸱㠴㌶‰††⸱㌸㠴‱†㐠⸲‷†††††††戼㹲 ††‸††††㜭㔮㜷〱††〠〮〱〰††ㄠ㔮㜶㈳††㈴㠮†††††††㰠牢ਾ††㤠††††ⴠ⸷㜵ㄷ‰††⸰〴〰‰††⸱ㄷ㌷‶†㈠⸹‵†††††††戼㹲 †ㄠ‰††††㌠㔮㈰㜸††〠㤮㔸〰†††††††††††††††††㰠牢ਾ†ㄱ麵苣⦊†††††麈††††迥覤†††††††††††††††††㰠牢ਾ††㈱‪††ⴠ㈱⸲㤳㜲‰††⸱㌳〴‰††⸱㠶㘸″†㔠⸲‸†††††††戼㹲 †ㄠ⨳†††ⴠ㈱㔮㈱㐴††††迥覤†††††††††††††††††㰠牢ਾ††㐱†††††††麈††〠㈮〸〰††ㄠ㔮㘱〸††㐶㈮†††††††㰠牢ਾ††㔱†††††††麈††〠㔮〰〰†††††††††††††††††㰠牢ਾ††㘱†††††††麈††〠㔮〰〰††ㄠ㔮㘱〸††㐶㈮†††††††㰠牢ਾ††㜱†††††††麈††††䈨⥆†††††††††††††††††††㰠牢ਾ††菥ꊝ††††††麈†††††††††††††††††††††††ਠ⼼䥄㹖㰊䥄㹖䐼噉邀볯閼볯颼胣㲑䐯噉ਾꇨ₨䤠銈볯醼볯麝郧ꊝ菣벃苣覼戼㹲 견ꊝ戼㹲 †㵋ㄭ㐮㄰㌵⭅〰‬㑁‽⸸㈲㌶䔶〭ⰴ䄠㴶㜠㈮㜰ㄴⵅ㘰‬㡁ⴽ⸳㈳㤰䔵〭‶戼㹲 †ㅁ㴰㈠㠮㐲ㄳⵅ㜰‬ㅁ㴲㤭㠮㈲㤱ⵅ㤰‬ㅁ㴴ㄠㄮ㜸㤵ⵅ〱㰠牢ਾ†곧㎬鷩㲢牢ਾ†䬠‽⸰〰〰䔰〫ⰰ䄠㴴ㄠ㘮㈸㠲ⵅ㐰‬㙁‽⸳㔳㤸䔲〭ⰶ䄠㴸㈭ㄮ㤸㠴ⵅ㘰㰠牢ਾ†䄠〱‽⸱ㄷ㐰䔷〭ⰷ䄠㈱ⴽ⸵ㄵ㐱䔵〭ⰹ䄠㐱‽⸶㠱〱䔰ㄭ‱戼㹲 견ꊝ戼㹲 †㵋〠〮〰〰⭅〰‬㑁ⴽ⸸㠶㤶䔱〭ⰴ䄠㴶ㄭ〮㔴㤹ⵅ㔰‬㡁ⴽ⸴㌱㤳䔹〭‷戼㹲 †ㅁ㴰ㄭ㜮㘱㔳ⵅ㜰‬ㅁ㴲㌠㈮〸ㄶⵅ㠰‬ㅁ㴴ㄭ㔮㌹ㄴⵅ㤰㰠牢ਾ†곧ㆬꊝ戼㹲 †㵋〠〮〰〰⭅〰‬㑁‽⸷㌳㐱䔳〭ⰵ䄠㴶㠠ㄮ㜹㠶ⵅ㜰‬㡁ⴽ⸱㐱〷䔹〭‶戼㹲 †ㅁ㴰ㄠ㘮㘹㐹ⵅ㜰‬ㅁ㴲㐭㌮㈴〵ⵅ㤰‬ㅁ㴴〠〮〰〰⭅〰㰠牢ਾ†곧ㆬꊝ戼㹲 †㵋〠〮〰〰⭅〰‬㑁‽⸳㠹㘸䔵〭ⰴ䄠㴶㈭㌮㈲㜶ⵅ㔰‬㡁‽⸱㤳㠲䔱〭‶戼㹲 †ㅁ㴰㈠〮㠴㤰ⵅ㠰‬ㅁ㴲㤭ㄮㄸ㈵ⵅ〱‬ㅁ㴴〠〮〰〰⭅〰㰊䐯噉ਾ䐼噉㰾䥄㹖胣邼볯醼볯醀⼼䥄㹖ꢡ†䥉裢钼볯袼郥꺨菣벃苣覼戼㹲 몂菣ꂃ꿦ₔ††⸴㤶㐲㰹牢ਾ††††††††뫥銧†††룤鎖†††鳦ꂁ戼㹲 Ꚅ苧鶷鯩₢†††⸵㠳㜸†ㄠ⸱㜴㔶†㈠⸵㠲㔶戼㹲 볯誃菣邃菣₼††⸲〹㜶‸†⸴㜴㐴″†⸶㘱ㄱ㰱牢ਾ††铧銧††††㜳㘮㐴‰†㠱ㄮ㜱‹†㠠㐮㤳㰴牢ਾ††菥颫††††㌠㠮〰‰†㌠㠮〰‰†㌠㠮〰㰰牢ਾ것菣몂藥랕††㌠⸳㌲㐲†㈠⸸ㄸ㘲†㌠⸶㤴㘰戼㹲 †ꊼ볯₦†††〠㐮㤱㜵†〠㌮㐴㜶†〠㌮㌹㤰戼㹲 †搠‴††††ㄠ⸴㘸㠰††⸴㠶㤰††⸰〲〰㰠牢ਾ††ㅤ‱††††㈠㘮㘳‰†㠠㈮〶‴†ㄲ㜮㐳‴戼㹲 †搠㌱†††††⸳㌸〹††⸴㐰㘹††⸲㠶ㄶ㰠牢ਾ苣벃菣것菣몂뻧螃菣뾂戼㹲 ꒾††꟥ꊝ†††蓧릂럨ꊛ戼㹲 †‱†††‱††ㄭ⸴〰㠵㰰牢ਾ†㈠†††㔠†††㤠㠮㌶㜲戼㹲 †″††ㄠ′††㈠⸰㌱㐹ਲ⼼䥄㹖㰊䥄㹖䐼噉邀볯閼볯邼胣㲑䐯噉ਾ볯낕胥龮雦设䥉裢醼볯覼戼㹲 낕胥龮雦设䥉裢醼볯꺁苣벃菣것菣몂돧꾁胣뎛볯醼볯ꮁꓧ鞁臣龮雦꺁뷥讅䥉裢醼볯ꮁ꿥鲿臣讂胣낕胥龮雦设䥉裢醼볯꺁苣벃菣것菣몂돧꺁鷩螃菣뾂苣ꢡ䥉裢钼볯ꮁ胣麝郧ꊝ菣벃苣銂ꇨ䦨銈볯钼臣膀郥꺨菣벃苣銂ꇨ䦨銈볯閼臣몤臣芀㰊䐯噉ਾ䐼噉㰾䥄㹖胣邼볯銼볯醀⼼䥄㹖ꢡ†䥉裢钼볯袼鷩螃菣뾂볯㲉牢ਾ†鷩ꪕ迥₷††††⁲†††††⁤†††††摮††††瘠⁤†††††††㰠牢ਾ††觧ꊝ††††††麈†††††††††††††††††††††††㰠牢ਾ††ㄠ††††㘠⸷ㄱ〵‸††⸱㘰〰‰††⸱㔸㠲‰†㌠⸹‰†††††††戼㹲 ††⨲††††㔠㤮㘳㌴††ㄠ㔮㐰〰†††††††††††††††††㰠牢ਾ††㌠‪††††⸸㜶㐲‴††⸱㔷〰‰††⸱㤹㌵‷†㈠⸰‷†††††††戼㹲 ††‴††††㐱㌮ㄸ〰††††迥覤†††††††††††††††††㰠牢ਾ††㔠‪††††⸶㐰㐶‴††⸱〵㜰‰††⸱㠶㘸″†㔠⸲‸†††††††戼㹲 ††‶†††ⴠㄳ㐮㘵㠳††〠ㄮ〰〰†††††††††††††††††㰠牢ਾ††㜠†††††⸸㈰㜷‸††⸱㈵〶‰††⸱㌸㠴‱†㐠⸲‷†††††††戼㹲 ††‸††††㜭㐮㈷㤱††〠〮〱〰††ㄠ㔮㜶㈳††㈴㠮†††††††㰠牢ਾ††㤠††††ⴠ⸷㜴ㄲ‹††⸰〴〰‰††⸱ㄷ㌷‶†㈠⸹‵†††††††戼㹲 †ㄠ‰††††㌠㔮㈰㜸††〠㤮㔸〰†††††††††††††††††㰠牢ਾ†ㄱ麵苣⦊†††††麈††††迥覤†††††††††††††††††㰠牢ਾ††㈱‪††ⴠ〱⸷ㄳ㈴‰††⸱㌳〴‰††⸱㠶㘸″†㔠⸲‸†††††††戼㹲 †ㄠ⨳†††ⴠ㈱〮〲㔰††††迥覤†††††††††††††††††㰠牢ਾ††㐱†††††††麈††〠㈮〸〰††ㄠ㔮㘱〸††㐶㈮†††††††㰠牢ਾ††㔱†††††††麈††〠㔮〰〰†††††††††††††††††㰠牢ਾ††㘱†††††††麈††〠㔮〰〰††ㄠ㔮㘱〸††㐶㈮†††††††㰠牢ਾ††㜱†††††††麈††††䈨⥆†††††††††††††††††††㰠牢ਾ††菥ꊝ††††††麈†††††††††††††††††††††††ਠ⼼䥄㹖㰊䥄㹖䐼噉邀볯閼볯銼胣㲑䐯噉ਾꇨ₨䤠銈볯钼볯麝郧ꊝ菣벃苣覼戼㹲 견ꊝ戼㹲 †㵋ㄭ㐮㜰㔲⭅〰‬㑁‽⸸㐲㌰䔳〭ⰴ䄠㴶㜠㘮㜵㜶ⵅ㘰‬㡁ⴽ⸳ㄳ㔳䔸〭‶戼㹲 †ㅁ㴰㈠㠮㘲㠲ⵅ㜰‬ㅁ㴲㤭㠮㘱㘵ⵅ㤰‬ㅁ㴴ㄠㄮ㠸ㄹⵅ〱㰠牢ਾ†곧㎬鷩㲢牢ਾ†䬠‽⸰〰〰䔰〫ⰰ䄠㴴ㄠ㘮㌸㜵ⵅ㐰‬㙁‽⸳㔳㐲䔴〭ⰶ䄠㴸㈭ㄮ㔸㔴ⵅ㘰㰠牢ਾ†䄠〱‽⸱ㄷ㠱䔷〭ⰷ䄠㈱ⴽ⸵〵㔶䔹〭ⰹ䄠㐱‽⸶〲㤰䔶ㄭ‱戼㹲 견ꊝ戼㹲 †㵋〠〮〰〰⭅〰‬㑁ⴽ⸹㤰㈰䔹〭ⰴ䄠㴶ㄭㄮ㘱㌶ⵅ㔰‬㡁ⴽ⸳㘷〶䔲〭‷戼㹲 †ㅁ㴰ㄭ㘮㜹㐷ⵅ㜰‬ㅁ㴲㌠㈮㤶㄰ⵅ㠰‬ㅁ㴴ㄭ㔮㌹㤱ⵅ㤰㰠牢ਾ†곧ㆬꊝ戼㹲 †㵋〠〮〰〰⭅〰‬㑁‽⸴㠹㜳䔲〭ⰵ䄠㴶㈠㌮㜶㔶ⵅ㔰‬㡁ⴽ⸱㘱〵䔴〭‶戼㹲 †ㅁ㴰ㄠ㌮㔳㌸ⵅ㜰‬ㅁ㴲㐭〮㌷〶ⵅ㤰‬ㅁ㴴〠〮〰〰⭅〰㰠牢ਾ†곧ㆬꊝ戼㹲 †㵋〠〮〰〰⭅〰‬㑁‽⸵㌲㤴䔶〭ⰴ䄠㴶ㄭㄮ㤸〴ⵅ㔰‬㡁‽⸱㜵㘳䔶〭‶戼㹲 †ㅁ㴰㌠〮㤵〱ⵅ㠰‬ㅁ㴲㈭㔮㘱〸ⵅ㤰‬ㅁ㴴〠〮〰〰⭅〰㰊䐯噉ਾ䐼噉㰾䥄㹖胣邼볯銼볯醀⼼䥄㹖ꢡ†䥉裢钼볯袼郥꺨菣벃苣覼戼㹲 몂菣ꂃ꿦ₔ††⸴㜹㔳㰰牢ਾ††††††††뫥銧†††룤鎖†††鳦ꂁ戼㹲 Ꚅ苧鶷鯩₢†††⸴㐹〴†ㄠ⸰㤹㤹†㈠⸴㠵㜸戼㹲 볯誃菣邃菣₼††⸲㘸㐸‹†⸴㜴㠱‱†⸶㈰㌹㰴牢ਾ††铧銧††††〴㔮㠹‴†㠱㜮㐰‷†㠠㔮㤹㰷牢ਾ††菥颫††††㌠㠮〰‰†㌠㠮〰‰†㌠㠮〰㰰牢ਾ것菣몂藥랕††㌠⸳㈳㘷†㈠⸸㐰㈹†㌠⸶㈰㘹戼㹲 †ꊼ볯₦†††〠㐮㤲〱†〠㌮㈵ㄲ†〠㌮㘸㠹戼㹲 †搠‴††††ㄠ⸵㈴㐳††⸴㜴㌲††⸰〲〰㰠牢ਾ††ㅤ‱††††㈠㘮㘳‰†㜠㜮ㄵ‹†ㄲ㌮㘰‸戼㹲 †搠㌱†††††⸳㠳㐹††⸴㈰〳††⸲㠶ㄶ㰠牢ਾ苣벃菣것菣몂뻧螃菣뾂戼㹲 ꒾††꟥ꊝ†††蓧릂럨ꊛ戼㹲 †‱†††‱††ㄭ⸳㘲㘵㰵牢ਾ†㈠†††㔠†††㤠㐮ㄹ㔲戼㹲 †″††ㄠ′††ㄠ⸹㐵ㄵਵ⼼䥄㹖㰊䥄㹖䐼噉邀볯閼볯钼胣㲑䐯噉ਾ볯낕胥龮雦设䥉裢醼볯覼戼㹲 낕胥龮雦设䥉裢醼볯꺁苣벃菣것菣몂돧꾁胣뎛볯醼볯ꮁꓧ鞁臣龮雦꺁뷥讅䥉裢醼볯ꮁ꿥鲿臣讂胣낕胥龮雦设䥉裢醼볯꺁苣벃菣것菣몂돧꺁鷩螃菣뾂苣ꢡ䥉裢钼볯ꮁ胣麝郧ꊝ菣벃苣銂ꇨ䦨銈볯鞼臣膀郥꺨菣벃苣銂ꇨ䦨銈볯颼臣몤臣芀㰊䐯噉ਾ䐼噉㰾䥄㹖胣邼볯銼볯醀⼼䥄㹖ꢡ†䥉裢钼볯袼鷩螃菣뾂볯㲉牢ਾ†鷩ꪕ迥₷††††⁲†††††⁤†††††摮††††瘠⁤†††††††㰠牢ਾ††觧ꊝ††††††麈†††††††††††††††††††††††㰠牢ਾ††ㄠ††††㘠⸶㤹㔷‶††⸱㘰〰‰††⸱㔸㠲‰†㌠⸹‰†††††††戼㹲 ††⨲††††㔠㤮㘲㌹††ㄠ㔮㐰〰†††††††††††††††††㰠牢ਾ††㌠‪††††⸸㘶㤸‱††⸱㔷〰‰††⸱㤹㌵‷†㈠⸰‷†††††††戼㹲 ††‴††††㐱㌮ㄸ〰††††迥覤†††††††††††††††††㰠牢ਾ††㔠‪††††⸶㐰㌲‸††⸱㜴〳‰††⸱㠶㘸″†㔠⸲‸†††††††戼㹲 ††‶†††ⴠㄳ㠮㤴㜵††〠ㄮ〰〰†††††††††††††††††㰠牢ਾ††㜠†††††⸷㜹㌸‱††⸱㈵㘲‰††⸱㌸㠴‱†㐠⸲‷†††††††戼㹲 ††‸††††㜭㐮㤲㌴††〠〮〱〰††ㄠ㔮㜶㈳††㈴㠮†††††††㰠牢ਾ††㤠††††ⴠ⸷㈴㐹″††⸰〴〰‰††⸱ㄷ㌷‶†㈠⸹‵†††††††戼㹲 †ㄠ‰††††㌠㔮㈰㜸††〠㤮㔸〰†††††††††††††††††㰠牢ਾ†ㄱ麵苣⦊†††††麈††††迥覤†††††††††††††††††㰠牢ਾ††㈱‪††ⴠ㈱⸴㌵㠶‰††⸱㌳〴‰††⸱㠶㘸″†㔠⸲‸†††††††戼㹲 †ㄠ⨳†††ⴠㄱ㘮㔳㘴††††迥覤†††††††††††††††††㰠牢ਾ††㐱†††††††麈††〠㈮〸〰††ㄠ㔮㘱〸††㐶㈮†††††††㰠牢ਾ††㔱†††††††麈††〠㔮〰〰†††††††††††††††††㰠牢ਾ††㘱†††††††麈††〠㔮〰〰††ㄠ㔮㘱〸††㐶㈮†††††††㰠牢ਾ††㜱†††††††麈††††䈨⥆†††††††††††††††††††㰠牢ਾ††菥ꊝ††††††麈†††††††††††††††††††††††ਠ⼼䥄㹖㰊䥄㹖䐼噉邀볯閼볯隼胣㲑䐯噉ਾꇨ₨䤠銈볯鞼볯麝郧ꊝ菣벃苣覼戼㹲 견ꊝ戼㹲 †㵋ㄭ㐮㤰㤸⭅〰‬㑁‽⸸㈲㐵䔵〭ⰴ䄠㴶㜠㐮㈵㐳ⵅ㘰‬㡁ⴽ⸳ㄳ〵䔴〭‶戼㹲 †ㅁ㴰㈠㠮㔲ㄶⵅ㜰‬ㅁ㴲㤭㠮〲㜶ⵅ㤰‬ㅁ㴴ㄠㄮ㜸㄰ⵅ〱㰠牢ਾ†곧㎬鷩㲢牢ਾ†䬠‽⸰〰〰䔰〫ⰰ䄠㴴ㄠ㘮㠸㌸ⵅ㐰‬㙁‽⸳㘳〰䔰〭ⰶ䄠㴸㈭ㄮ㤸㌲ⵅ㘰㰠牢ਾ†䄠〱‽⸱ㄷ㜰䔳〭ⰷ䄠㈱ⴽ⸵〵㤸䔷〭ⰹ䄠㐱‽⸶㤱㈷䔱ㄭ‱戼㹲 견ꊝ戼㹲 †㵋〠〮〰〰⭅〰‬㑁ⴽ⸹㜱〲䔹〭ⰴ䄠㴶ㄭㄮ㤴㈲ⵅ㔰‬㡁ⴽ⸳㘸㤲䔵〭‷戼㹲 †ㅁ㴰ㄭ㘮ㄹ㤱ⵅ㜰‬ㅁ㴲㌠㈮㠹㌷ⵅ㠰‬ㅁ㴴ㄭ㔮㌲㜸ⵅ㤰㰠牢ਾ†곧ㆬꊝ戼㹲 †㵋〠〮〰〰⭅〰‬㑁‽⸳㐴㌴䔴〭ⰵ䄠㴶㈠㔮㤲㤱ⵅ㔰‬㡁ⴽ⸱㔱㔲䔱〭‶戼㹲 †ㅁ㴰ㄠ㌮㔱㜵ⵅ㜰‬ㅁ㴲㌭㤮㌶㠸ⵅ㤰‬ㅁ㴴〠〮〰〰⭅〰㰠牢ਾ†곧ㆬꊝ戼㹲 †㵋〠〮〰〰⭅〰‬㑁‽⸵㐴㐴䔵〭ⰴ䄠㴶ㄭㄮ㐶㜰ⵅ㔰‬㡁‽⸱〶㠲䔴〭‶戼㹲 †ㅁ㴰㌠㌮〳〸ⵅ㠰‬ㅁ㴲㈭㔮㤴㘹ⵅ㤰‬ㅁ㴴〠〮〰〰⭅〰㰊䐯噉ਾ䐼噉㰾䥄㹖胣邼볯銼볯醀⼼䥄㹖ꢡ†䥉裢钼볯袼郥꺨菣벃苣覼戼㹲 몂菣ꂃ꿦ₔ††⸴㐹㠸㰹牢ਾ††††††††뫥銧†††룤鎖†††鳦ꂁ戼㹲 Ꚅ苧鶷鯩₢†††⸴㈸〳††⸹㤸㤸†㈠⸳㘸㘸戼㹲 볯誃菣邃菣₼††⸲㈹㜶″†⸴㤲㌹‵†⸶㈰㈴㰳牢ਾ††铧銧††††ㄴ㈮㤸‶†〲㘮㐷‷†㠠㠮㜲㰹牢ਾ††菥颫††††㌠㠮〰‰†㌠㠮〰‰†㌠㠮〰㰰牢ਾ것菣몂藥랕††㌠⸳ㄳ㔴†㈠⸷㈶㈵†㌠⸵㐵㐴戼㹲 †ꊼ볯₦†††〠㐮㤲㔶†〠㌮㠵㜶†〠㌮㠸㔰戼㹲 †搠‴††††ㄠ⸵㔵㠸††⸵㌱㌶††⸰〲〰㰠牢ਾ††ㅤ‱††††㈠㘮㘳‰†㘠㜮㔲‸†〲㠮ㄵ‶戼㹲 †搠㌱†††††⸳㜲㔱††⸳㠹㠵††⸲㠶ㄶ㰠牢ਾ苣벃菣것菣몂뻧螃菣뾂戼㹲 ꒾††꟥ꊝ†††蓧릂럨ꊛ戼㹲 †‱†††‱††ㄭ⸳㐲㘰㰳牢ਾ†㈠†††㔠†††㤠㐮㐵㜴戼㹲 †″††ㄠ′††ㄠ⸸㐵㐸ਹ⼼䥄㹖㰊䥄㹖䐼噉邀볯閼볯颼胣㲑䐯噉ਾ볯낕胥龮雦设䥉裢醼볯覼戼㹲 낕胥龮雦设䥉裢醼볯꺁苣벃菣것菣몂돧꾁胣뎛볯銼볯ꮁꓧ鞁臣龮雦꺁뷥讅䥉裢醼볯ꮁ꿥鲿臣讂胣낕胥龮雦设䥉裢醼볯꺁苣벃菣것菣몂돧꺁鷩螃菣뾂苣ꢡ䥉裢钼볯ꮁ胣麝郧ꊝ菣벃苣銂ꇨ䦨銈볯邼臣膀郥꺨菣벃苣銂ꇨ䦨銈볯醼臣몤臣芀㰊䐯噉ਾ䐼噉㰾䥄㹖胣邼볯銼볯醀⼼䥄㹖ꢡ†䥉裢钼볯袼鷩螃菣뾂볯㲉牢ਾ†鷩ꪕ迥₷††††⁲†††††⁤†††††摮††††瘠⁤†††††††㰠牢ਾ††觧ꊝ††††††麈†††††††††††††††††††††††㰠牢ਾ††ㄠ††††㐠⸲㈵㤶‴††⸱㘰〰‰††⸱㔸㠲‰†㌠⸹‰†††††††戼㹲 ††⨲††††㔠㘮〸㌹††ㄠ㔮㐰〰†††††††††††††††††㰠牢ਾ††㌠‪††††⸸㜶㠲‸††⸱㔷〰‰††⸱㤹㌵‷†㈠⸰‷†††††††戼㹲 ††‴††††㐱㌮ㄸ〰††††迥覤†††††††††††††††††㰠牢ਾ††㔠‪††††⸴㘳㈵‵††⸲〵〰‰††⸱〸㔳‹†㐠⸰‸†††††††戼㹲 ††‶†††ⴠㄷ㔮㈴㤶††〠㐮〰〰††ㄠ㠮㔰㠱††㔲㔮†††††††㰠牢ਾ††㜠†††††⸳㈸㐰‸††⸰㜴㤶‰†††††††††††††††††戼㹲 ††‸††††㜱〮㌷㈳††ㄠㄮ㐴〱††ㄠ㜮㈷〵††㤴㘮†††††††㰠牢ਾ††㤠††††ㄭ⸶㜷〳‷††⸰〳〰‰†††††††††††††††††戼㹲 ㄠ⠰뗧誂 †††††裢₞†††꾏ꓥ₉†††††††††††††††††戼㹲 †ㄠ⨱†††ⴠ〸㔮㠴㄰††ㄠ㌮㐳〰††ㄠ㘮㠸㌶††㈵㠮†††††††㰠牢ਾ††㈱‪†††ㄭ⸱㌹㘸″†††꾏ꓥ₉†††††††††††††††††戼㹲 †ㄠ″†††††††裢₞††⸰㠲〰‰††⸱ㄵ㠶‰†㘠⸴′†††††††戼㹲 †ㄠ‴†††††††裢₞††⸰〵〰‰†††††††††††††††††戼㹲 †ㄠ‵†††††††裢₞††⸰〵〰‰††⸱ㄵ㠶‰†㘠⸴′†††††††戼㹲 †ㄠ‶†††††††裢₞†††⠠䙂 †††††††††††††††††††戼㹲 †较鷩₢††††††裢₞†††††††††††††††††††††††㰊䐯噉ਾ䐼噉㰾䥄㹖胣邼볯鎼볯醀⼼䥄㹖ꢡ†䥉裢閼볯袼鷩莐鷩螃菣뾂볯㲉牢ਾ†곧㊬鷩㲢牢ਾ†䬠ⴽ⸱㐳㌳䔳〫ⰰ䄠㴴㠠㐮㘳㘷ⵅ㐰‬㙁‽⸳㤵〲䔰〭ⰶ䄠㴸㌭㈮ㄹ㈷ⵅ㘰㰠牢ਾ†䄠〱‽⸲㔸㔳䔵〭ⰷ䄠㈱ⴽ⸹㘷㌰䔳〭ⰹ䄠㐱‽⸱㠱㈳䔴ㄭ‰戼㹲 견ꊝ戼㹲 †㵋〠〮〰〰⭅〰‬㑁‽⸱〸㜹䔷〭ⰴ䄠㴶㐠㠮㈰㠰ⵅ㘰‬㡁ⴽ⸲㤱〰䔷〭‶戼㹲 †ㅁ㴰ㄠ㜮㘰ㄶⵅ㜰‬ㅁ㴲㔭㐮㜹〸ⵅ㤰‬ㅁ㴴㘠㌮〶㜲ⵅㄱ㰠牢ਾ†곧㖬鷩㲢牢ਾ†䬠ⴽ⸲㜲㌶䔷〭ⰱ䄠㴴㌭㜮㜶㔰ⵅ㐰‬㙁‽⸲㠷㠹䔱〭ⰵ䄠㴸㠭㘮㐹㜵ⵅ㘰㰠牢ਾ†䄠〱‽⸶㌴㈷䔷〭ⰷ䄠㈱‽⸰〰〰䔰〫ⰰ䄠㐱‽⸰〰〰䔰〫‰戼㹲 견ㄱ鷩㲢牢ਾ†䬠‽⸰〰〰䔰〫ⰰ䄠㴴ㄭ㔮㌲㤲ⵅ㐰‬㙁ⴽ⸲〶㈱䔸〭ⰶ䄠㴸㜭㠮㌳㘹ⵅ㜰㰠牢ਾ†䄠〱‽⸱㔹㈹䔳〭ⰷ䄠㈱ⴽ⸳㐸㔰䔵〭ⰹ䄠㐱‽⸰〰〰䔰〫‰戼㹲 견㈱鷩㲢牢ਾ†䬠‽⸰〰〰䔰〫ⰰ䄠㴴㌠㈮㘳ㄷⵅ㔰‬㙁ⴽ⸱㜸㤲䔱〭ⰵ䄠㴸ㄠ㐮㘷㈵ⵅ㘰㰠牢ਾ†䄠〱‽⸳㤰ㄹ䔳〭ⰸ䄠㈱‽⸷㜴㔱䔹ㄭⰰ䄠㐱‽⸰〰〰䔰〫ਰ⼼䥄㹖㰊䥄㹖䐼噉邀볯閼볯醼胣㲑䐯噉ਾꇨ₨䤠銈볯醼볯蒐꣧螃菣뾂볯㲉牢ਾ†苣벃菣钯††㐠㔮㘳㜸戼㹲 †††††††莺꟨ₒ††궸雩ₓ††鮜臩㲠牢ਾ†蓧릂럨ꊛ†††㔠㈮㈹‶†ㄱ㐮㠷‱†㐲〮㈱㰰牢ਾꚼ菣뎃菣벃††㌠〮㈴ㄵ†㐠㠮㠸㤶†㘠㈮㘰㤶戼㹲 †뮔꟨ₒ†††㌠⸶㌵ㄶ†ㄠ⸸㔳〳††⸹〰㔵戼㹲 †较ꯩₘ††††⸳〸〰††⸳〸〰††⸳〸〰戼㹲 菣뎃苣ꢅ闩₷††㌳㔮㘹′†ㄳ㐮㌴‴†㠳㔮〰㰶牢ਾ††볯ꚼ††††⸰㈴〶‰†⸰㔳㔲‱†⸰㠳㠸㰰牢ਾ††㑤†††††㐱〮㘴‴†㔠〮〷‱†〠㈮〰‰戼㹲 †搠〱†††††⸲㌶〶†ㄠ⸱㌱㔵†㈠⸳㜴㜶㰠牢ਾ††ㅤ′††††㐠㜮㠳‷†㌠ㄮ㘳″†㈠㘮㘸‱戼㹲몂菣ꂃ菣뎃苣꒾菣벃苣㲿牢ਾ†뻧₤†讧鷩₢††Ꚅ苧鶷鯩㲢牢ਾ†ㄠ†††ㄠ††ⴠ㌱㐮㤹ㄷ戼㹲 †′†††‵††ㄠ⸰㘳㤹㰱牢ਾ†㌠†††ㄱ†††〲ㄮ㌹㈴㰊䐯噉ਾ䐼噉㰾䥄㹖胣邼볯鎼볯醀⼼䥄㹖袼闦ꒀ껥붖뻤䦋銈볯颼볯㲉牢ਾ†闦ꒀ껥붖뻤䦋銈볯颼臣몂菣ꂃ菣뎃苣뮳臣膀鯥醼볯钼臣몤臣龁껥붖臣ꊽ藦䦋銈볯颼臣뺯뿥馁苣芀闦ꒀ껥붖뻤䦋銈볯颼臣몂菣ꂃ菣뎃苣뮳臣ꊝ菣벃苣銂ꇨ䦨銈볯銼臣膀鷩莐鷩螃菣뾂苣ꢡ䥉裢閼볯ꮁ胣蒐꣧螃菣뾂苣ꢡ䥉裢閼볯ꮁꓧ馁胣ં⼼䥄㹖㰊䥄㹖䐼噉邀볯閼볯鎼胣㲑䐯噉ਾꇨ₨䤠銈볯銼볯ꊝ菣벃苣覼戼㹲 ꊝ闧랏††††爠†††††搠†††††渠⁤††††摶††††††††戼㹲 †ꦉ鷩₢††††††裢₞†††††††††††††††††††††††戼㹲 ††‱††††㈴㜮㄰㈰††ㄠ〮〶〰††ㄠ㠮㈵〸††㤳〮†††††††㰠牢ਾ††㈠‪††††⸵㜵㘰‶††⸱〵〴‰†††††††††††††††††戼㹲 ††⨳††††㠠㘮㐸㐳††ㄠ㜮〵〰††ㄠ㤮㔹㜳††〲㜮†††††††㰠牢ਾ††㐠††††ㄠ⸴㠳〱‰†††꾏ꓥ₉†††††††††††††††††戼㹲 ††⨵††††㐠㌮〹㤶††㈠㔮〰〰††ㄠ㠮㌰㤵††〴㠮†††††††㰠牢ਾ††㘠††††㜭⸰㘲㔰″††⸰〴〰‰††⸱〸ㄵ‸†㈠⸵‵†††††††戼㹲 ††‷††††㌠㜮㈹ㄱ††〠㐮㘷〹†††††††††††††††††㰠牢ਾ††㠠††††ㄠ⸴㔹㈵‸††⸱㐱ㄴ‰††⸱㜷㔲‰†㐠⸹‶†††††††戼㹲 ††‹†††ⴠ㘱㜮㌷㜰††〠㌮〰〰†††††††††††††††††㰠牢ਾ†〱麵苣⦊†††††麈††††迥覤†††††††††††††††††㰠牢ਾ††ㄱ‪†††㜠⸵㐵㌰‵††⸱㌳〴‰††⸱㠶㘸″†㔠⸲‸†††††††戼㹲 †ㄠ⨲†††ⴠ㘱㠮㈷㄰††††迥覤†††††††††††††††††㰠牢ਾ††㌱†††††††麈††〠㈮〸〰††ㄠ㔮㘱〸††㐶㈮†††††††㰠牢ਾ††㐱†††††††麈††〠㔮〰〰†††††††††††††††††㰠牢ਾ††㔱†††††††麈††〠㔮〰〰††ㄠ㔮㘱〸††㐶㈮†††††††㰠牢ਾ††㘱†††††††麈††††䈨⥆†††††††††††††††††††㰠牢ਾ††菥ꊝ††††††麈†††††††††††††††††††††††ਠ⼼䥄㹖㰊䥄㹖䐼噉邀볯閼볯钼胣㲑䐯噉ਾꇨ₨䤠銈볯鎼볯麝郧ꊝ菣벃苣覼戼㹲 견ꊝ戼㹲 †㵋ㄭㄮ㠰㔹⭅〰‬㑁‽⸹〸ㄱ䔰〭ⰴ䄠㴶㔠㌮㤷㔳ⵅ㘰‬㡁ⴽ⸳ㄳㄸ䔶〭‶戼㹲 †ㅁ㴰㈠㠮㔲〵ⵅ㜰‬ㅁ㴲㤭㜮㈹㜸ⵅ㤰‬ㅁ㴴ㄠㄮㄹ㐹ⵅ〱㰠牢ਾ†곧㎬鷩㲢牢ਾ†䬠‽⸰〰〰䔰〫ⰰ䄠㴴㌠ㄮ㘶〲ⵅ㐰‬㙁‽⸴㈵㠸䔹〭ⰶ䄠㴸㈭㈮㜴㘶ⵅ㘰㰠牢ਾ†䄠〱‽⸱ㄷ㘶䔴〭ⰷ䄠㈱ⴽ⸵㜴㘵䔲〭ⰹ䄠㐱‽⸶㤱㠶䔴ㄭ‱戼㹲 견ꊝ戼㹲 †㵋㈭㈮㘳㤱ⵅ㄰‬㑁ⴽ⸳㔱㔵䔲〭ⰴ䄠㴶㐠㔮㐱㌸ⵅ㘰‬㡁ⴽ⸳㘵〶䔳〭‶戼㹲 †ㅁ㴰㈠㜮㜰㜸ⵅ㜰‬ㅁ㴲〠〮〰〰⭅〰‬ㅁ㴴〠〮〰〰⭅〰㰠牢ਾ†곧ㆬꊝ戼㹲 †㵋〠〮〰〰⭅〰‬㑁ⴽ⸵㤰㔱䔹〭ⰴ䄠㴶㌠〮㠲㜷ⵅ㘰‬㡁ⴽ⸱㜲㌳䔶〭‶戼㹲 †ㅁ㴰ㄠ㐮㜶㈹ⵅ㜰‬ㅁ㴲ㄭ㘮㈳㜵ⵅ㤰‬ㅁ㴴〠〮〰〰⭅〰㰠牢ਾ†곧ㆬꊝ戼㹲 †㵋〠〮〰〰⭅〰‬㑁ⴽ⸵〹㘵䔲〭ⰴ䄠㴶㌭㜮㐰㜹ⵅ㘰‬㡁‽⸳㠸㌶䔳〭‷戼㹲 †ㅁ㴰㈠㘮㌲㘹ⵅ㠰‬ㅁ㴲ㄠ㐮㠳㘵ⵅ㤰‬ㅁ㴴〠〮〰〰⭅〰㰊䐯噉ਾ䐼噉㰾䥄㹖胣邼볯鎼볯醀⼼䥄㹖ꢡ†䥉裢閼볯袼郥꺨菣벃苣覼戼㹲 몂菣ꂃ꿦ₔ††⸴㐶ㄱ㰹牢ਾ††††††††뫥銧†††룤鎖†††鳦ꂁ戼㹲 Ꚅ苧鶷鯩₢†††⸴㠹ㄶ†ㄠ⸱〰㄰†㈠⸳㐱㐱戼㹲 볯誃菣邃菣₼††⸲㔹㈵‰†⸴㜸㘲′†⸶㠰㌱㰵牢ਾ††铧銧††††㤳㤮ㄱ‶†㤱㔮㜳″†㤠㐮ㄸ㰲牢ਾ††菥颫††††㌠㠮〰‰†㌠㠮〰‰†㌠㠮〰㰰牢ਾ것菣몂藥랕††㌠⸳㐴㐶†㌠⸱㔴ㄵ†㌠⸸㈲㜴戼㹲 †ꊼ볯₦†††〠㐮〱㔶†〠㌮㈴㘷†〠㌮㘷㌵戼㹲 †搠‴††††ㄠ⸴㈲㘷††⸵㔵ㄴ††⸰〲〰㰠牢ਾ††ㅤ‰††††㈠㘮㘳‰†ㄱ㜮㌶′†㌲㈮㌱‱戼㹲 †搠㈱†††††⸴㈴ㄳ††⸲㐰ㄶ††⸲㠶ㄶ㰠牢ਾ苣벃菣것菣몂뻧螃菣뾂戼㹲 ꒾††꟥ꊝ†††蓧릂럨ꊛ戼㹲 †‱†††‱††ㄭ⸲㐹㔷㰴牢ਾ†㈠†††㔠†††〱ㄮ〵〲戼㹲 †″††ㄠ‱††㈠⸰㐱㈶਴⼼䥄㹖㰊䥄㹖䐼噉邀볯閼볯隼胣㲑䐯噉ਾ볯낕胥龮雦设䥉裢醼볯覼戼㹲 낕胥龮雦设䥉裢醼볯꺁苣벃菣것菣몂돧꾁胣뎛볯銼볯ꮁꓧ鞁臣龮雦꺁뷥讅䥉裢醼볯ꮁ꿥鲿臣讂胣낕胥龮雦设䥉裢醼볯꺁苣벃菣것菣몂돧꺁鷩螃菣뾂苣ꢡ䥉裢閼볯ꮁ胣麝郧ꊝ菣벃苣銂ꇨ䦨銈볯隼臣膀郥꺨菣벃苣銂ꇨ䦨銈볯鞼臣몤臣芀㰊䐯噉ਾ䐼噉㰾䥄㹖胣邼볯鎼볯醀⼼䥄㹖ꢡ†䥉裢閼볯袼鷩螃菣뾂볯㲉牢ਾ†鷩ꪕ迥₷††††⁲†††††⁤†††††摮††††瘠⁤†††††††㰠牢ਾ††觧ꊝ††††††麈†††††††††††††††††††††††㰠牢ਾ††ㄠ††††㌠⸵㈴㐲‴††⸱㘰〰‰††⸱㔸㠲‰†㌠⸹‰†††††††戼㹲 ††⨲††††㔠㌮㐲ㄵ††ㄠ㔮㐰〰†††††††††††††††††㰠牢ਾ††㌠‪††††⸸㔶㈲‷††⸱㔷〰‰††⸱㤹㌵‷†㈠⸰‷†††††††戼㹲 ††‴††††㐱㌮ㄸ〰††††迥覤†††††††††††††††††㰠牢ਾ††㔠‪††††⸴㜲㘷′††⸲〵〰‰††⸱〸㔳‹†㐠⸰‸†††††††戼㹲 ††‶†††㐭㐹㐮㤲〴††〠㐮〰〰††ㄠ㠮㔰㠱††㔲㔮†††††††㰠牢ਾ††㜠†††††⸳〷㔶‵††⸰㜴㤶‰†††††††††††††††††戼㹲 ††‸††††㜱㘮㜲㔴††ㄠㄮ㐴〱††ㄠ㜮㈷〵††㤴㘮†††††††㰠牢ਾ††㤠††††ㄭ⸶㜷〳‷††⸰〳〰‰†††††††††††††††††戼㹲 ㄠ⠰뗧誂 †††††裢₞†††꾏ꓥ₉†††††††††††††††††戼㹲 †ㄠ⨱††††㘴㐮㈱ㄲ††ㄠ㌮㐳〰††ㄠ㘮㠸㌶††㈵㠮†††††††㰠牢ਾ††㈱‪†††ㄭ⸹㌵㜰′†††꾏ꓥ₉†††††††††††††††††戼㹲 †ㄠ″†††††††裢₞††⸰㠲〰‰††⸱ㄵ㠶‰†㘠⸴′†††††††戼㹲 †ㄠ‴†††††††裢₞††⸰〵〰‰†††††††††††††††††戼㹲 †ㄠ‵†††††††裢₞††⸰〵〰‰††⸱ㄵ㠶‰†㘠⸴′†††††††戼㹲 †ㄠ‶†††††††裢₞†††⠠䙂 †††††††††††††††††††戼㹲 †较鷩₢††††††裢₞†††††††††††††††††††††††㰊䐯噉ਾ䐼噉㰾䥄㹖胣邼볯鎼볯醀⼼䥄㹖ꢡ†䥉裢閼볯袼鷩莐鷩螃菣뾂볯㲉牢ਾ†곧㊬鷩㲢牢ਾ†䬠ⴽ⸱㈰㠵䔸〫ⰰ䄠㴴ㄠ〮㠰㜳ⵅ㌰‬㙁ⴽ⸱㔳㜷䔲〭ⰵ䄠㴸㈭㤮㤸㠴ⵅ㘰㰠牢ਾ†䄠〱‽⸲㈹㠱䔳〭ⰷ䄠㈱ⴽ⸹㜵㜲䔲〭ⰹ䄠㐱‽⸱㘰㌲䔶ㄭ‰戼㹲 견ꊝ戼㹲 †㵋〠〮〰〰⭅〰‬㑁‽⸳㤴㤳䔱〭ⰴ䄠㴶㌭㌮㤱㤳ⵅ㘰‬㡁ⴽ⸲㘲㠲䔸〭‶戼㹲 †ㅁ㴰ㄠ㠮㠵㘴ⵅ㜰‬ㅁ㴲㔭㘮〲㤹ⵅ㤰‬ㅁ㴴㔠㠮㐵㔵ⵅㄱ㰠牢ਾ†곧㖬鷩㲢牢ਾ†䬠ⴽ⸲㠲㘴䔶〭ⰱ䄠㴴㌭ㄮ㠱㜴ⵅ㐰‬㙁ⴽ⸹㈶㌷䔳〭ⰶ䄠㴸㤭〮ㄱ㔸ⵅ㠰㰠牢ਾ†䄠〱‽⸱㘵㐴䔵〭ⰸ䄠㈱‽⸰〰〰䔰〫ⰰ䄠㐱‽⸰〰〰䔰〫‰戼㹲 견ㄱ鷩㲢牢ਾ†䬠‽⸰〰〰䔰〫ⰰ䄠㴴㠭㐮㤰㈷ⵅ㐰‬㙁‽⸸㔵㠵䔷〭ⰵ䄠㴸㔭㔮㌰㘲ⵅ㘰㰠牢ਾ†䄠〱‽⸹㤴㘳䔳〭ⰸ䄠㈱‽⸱㈹㐰䔰〭ⰹ䄠㐱‽⸰〰〰䔰〫‰戼㹲 견㈱鷩㲢牢ਾ†䬠‽⸰〰〰䔰〫ⰰ䄠㴴㠭㐮㘸㘱ⵅ㐰‬㙁‽⸵㜹〹䔶〭ⰵ䄠㴸ㄭ㜮㜲㈸ⵅ㘰㰠牢ਾ†䄠〱ⴽ⸱㤰㌲䔲〭ⰷ䄠㈱‽⸵㤷㤳䔵〭ⰹ䄠㐱‽⸰〰〰䔰〫ਰ⼼䥄㹖㰊䥄㹖䐼噉邀볯閼볯馼胣㲑䐯噉ਾꇨ₨䤠銈볯鞼볯蒐꣧螃菣뾂볯㲉牢ਾ†苣벃菣钯††㔠㘮㌷㌴戼㹲 †††††††莺꟨ₒ††궸雩ₓ††鮜臩㲠牢ਾ†蓧릂럨ꊛ†††㔠㈮㄰‰†㈱〮〵‸†㤲㔮㜰㰳牢ਾꚼ菣뎃菣벃††㌠〮ㄸ㠰†㔠㌮㤶㌲†㜠㜮㌷㈷戼㹲 †뮔꟨ₒ†††㌠⸷㘳㌵†ㄠ⸷㈸㌷††⸷㐴㜵戼㹲 †较ꯩₘ††††⸳〸〰††⸳〸〰††⸳〸〰戼㹲 菣뎃苣ꢅ闩₷††㌳㔮㤱‰†㌳㌮㠳‱†㘴㔮〳㰴牢ਾ††볯ꚼ††††⸰ㄴ㜵‴†⸰㐳㈱′†⸰㘳㐶㰳牢ਾ††㑤†††††㌱㤮㈰′†㔠㔮㜴‷†〠㈮〰‰戼㹲 †搠〱†††††⸲㌶〶†ㄠ⸳㐴㈴†㌠⸱㈵㤸㰠牢ਾ††ㅤ′††††㐠㠮㘱‰†㈠㈮㘵‰†㈠㘮㘸‱戼㹲몂菣ꂃ菣뎃苣꒾菣벃苣㲿牢ਾ†뻧₤†讧鷩₢††Ꚅ苧鶷鯩㲢牢ਾ†ㄠ†††ㄠ††ⴠ㈱㘮ㄱ㐳戼㹲 †′†††‵††ㄠ⸰㜴㘶㰲牢ਾ†㌠†††ㄱ†††〲ㄮ㜲㤶㰊䐯噉ਾ䐼噉㰾䥄㹖胣邼볯钼볯醀⼼䥄㹖袼闦ꒀ껥붖뻤䦋銈볯邼볯㲉牢ਾ†闦ꒀ껥붖뻤䦋銈볯邼臣몂菣ꂃ菣뎃苣뮳臣膀鯥醼볯邼臣몤臣龁껥붖臣ꊽ藦䦋銈볯邼臣뺯뿥馁苣芀闦ꒀ껥붖뻤䦋銈볯邼臣몂菣ꂃ菣뎃苣뮳臣ꊝ菣벃苣銂ꇨ䦨銈볯颼臣膀鷩莐鷩螃菣뾂苣ꢡ䥉裢閼볯ꮁ胣蒐꣧螃菣뾂苣ꢡ䥉裢隼볯ꮁꓧ馁胣ં⼼䥄㹖㰊䥄㹖䐼噉邀볯閼볯醼胣㲑䐯噉ਾꇨ₨䤠銈볯颼볯ꊝ菣벃苣覼戼㹲 ꊝ闧랏††††爠†††††搠†††††渠⁤††††摶††††††††戼㹲 †ꦉ鷩₢††††††裢₞†††††††††††††††††††††††戼㹲 ††⨱†††ㄠㄲ㜮㐷〰††ㄠ㌮〵〰††ㄠ㠮㌸〰††〴㠮†††††††㰠牢ਾ††㈠‪††††⸴㤵〳‰††⸱㘶〹‰†††††††††††††††††戼㹲 ††″††††㜠〮㠵〰††ㄠ㘮〰〰††ㄠ㤮㈲㜸††㠱㤮†††††††㰠牢ਾ††㐠††††ㄠ⸱㈹〸‰†††꾏ꓥ₉†††††††††††††††††戼㹲 ††⨵††††㐠ㄮ㔸〰††㈠〮〰〰††ㄠ㜮㈷〵††㤴㘮†††††††㰠牢ਾ††㘠††††ㄠ⸰㜸〹‰††⸰〵〰‰††⸱㐶㘷‹†㌠⸳‸†††††††戼㹲 ††‷††††㌠㘮ㄶ〰††〠㐮〸〰†††††††††††††††††㰠牢ਾ††㠠†††††⸸㐲〹‰††⸰〵〰‰††⸱㘷㠱″†㈠⸶‵†††††††戼㹲 ††‹††††㌠㤮㤷〰††㈠〮〰〰††ㄠ㘮㌰ㄱ††〶㘮†††††††㰠牢ਾ††〱††††ㄭ⸰ㄵ〸‰††⸰〳〰‰†††††††††††††††††戼㹲 ㄠ⠱뗧誂 †††††裢₞†††꾏ꓥ₉†††††††††††††††††戼㹲 †ㄠ′††††㔴㘮ㄵ〰††ㄠ㘮〰〰††ㄠ㘮㌰ㄱ††〶㘮†††††††㰠牢ਾ††㌱††††㈭⸳ㄹ〴‰†††꾏ꓥ₉†††††††††††††††††戼㹲 †ㄠ‴†††††††裢₞††⸱〴〰‰††⸱ㄵ㌶″†㘠⸴‱†††††††戼㹲 †ㄠ‵†††††††裢₞†††⠠䙂 †††††††††††††††††††戼㹲 †较鷩₢††††††裢₞†††††††††††††††††††††††㰊䐯噉ਾ䐼噉㰾䥄㹖胣邼볯钼볯醀⼼䥄㹖ꢡ†䥉裢閼볯袼鷩莐鷩螃菣뾂볯㲉牢ਾ†곧ㆬ鷩㲢牢ਾ†䬠‽⸰〰〰䔰〫ⰰ䄠㴴㌠ㄮ㘸㠳ⵅ㐰‬㙁ⴽ⸴㌷㌰䔶〭ⰶ䄠㴸㌠㜮㤶㔹ⵅ㠰㰠牢ਾ†䄠〱‽⸰〰〰䔰〫‰戼㹲 견ꊝ戼㹲 †㵋ㄭ㐮㠷㘶⭅〰‬㑁‽⸱㐶㜸䔵〭ⰳ䄠㴶ㄠ〮ㄲ〵ⵅ㔰‬㡁ⴽ⸴㤹㈶䔹〭‷戼㹲 †ㅁ㴰㈠㐮ㄲ㐳ⵅ㠰㰠牢ਾ†곧㖬鷩㲢牢ਾ†䬠ⴽ⸴㤴㘰䔵〭ⰱ䄠㴴㤭㤮㌷㘱ⵅ㔰‬㙁‽⸱〴㤸䔳〭ⰶ䄠㴸〠〮〰〰⭅〰㰠牢ਾ†䄠〱‽⸰〰〰䔰〫ਰ⼼䥄㹖㰊䥄㹖䐼噉邀볯閼볯鎼胣㲑䐯噉ਾꇨ₨䤠銈볯邼볯蒐꣧螃菣뾂볯㲉牢ਾ†苣벃菣钯††㐠㠮㄰㔸戼㹲 †††††††莺꟨ₒ††궸雩ₓ††鮜臩㲠牢ਾ†蓧릂럨ꊛ†††㌠㠮㤹‷†〱㐮〳″†㠱㜮㔲㰹牢ਾꚼ菣뎃菣벃††㈠㠮㈰〰†㔠㌮㘳㤶†㘠ㄮ㜱㠷戼㹲 †뮔꟨ₒ†††㐠⸶㈵㔰†ㄠ⸹㤴㐷†ㄠ⸰㠹㈷戼㹲 †较ꯩₘ††††⸳〶〰††⸳〶〰††⸳〶〰戼㹲 菣뎃苣ꢅ闩₷††〳㜮㔹‹†〳㌮㈸‶†㜳㈮㌰㰷牢ਾ††볯ꚼ††††⸱㈰〵‱†⸱〰㌱‹†⸱㄰㈰㰳牢ਾ††㑤†††††ㄱ㐮〴‰†㈠㤮㔴‶†〠ㄮ〵‰戼㹲 †搠ㄱ†††††⸱㘲㈷†ㄠ⸱ㄹ㘸†㈠⸱㔱㘹㰠牢ਾ††ㅤ″††††㌠㘮㐶‷†ㄠㄮ㠱‰†ㄠ㐮㐸‹戼㹲몂菣ꂃ菣뎃苣꒾菣벃苣㲿牢ਾ†뻧₤†讧鷩₢††Ꚅ苧鶷鯩㲢牢ਾ†ㄠ†††ㄠ†††㠭㘮㘶㠷戼㹲 †′†††‵†††⸸㐵㤳㰵牢ਾ†㌠†††㈱†††㘲㈮㜴㤵㰊䐯噉ਾ䐼噉㰾䥄㹖胣邼볯钼볯醀⼼䥄㹖袼闦ꒀ껥붖뻤䦋銈볯醼볯㲉牢ਾ†闦ꒀ껥붖뻤䦋銈볯醼臣몂菣ꂃ菣뎃苣뮳臣膀鯥醼볯鎼臣몤臣龁껥붖臣ꊽ藦䦋銈볯醼臣뺯뿥馁苣芀闦ꒀ껥붖뻤䦋銈볯醼臣몂菣ꂃ菣뎃苣뮳臣ꊝ菣벃苣銂ꇨ䦨銈볯醼臣膀鷩莐鷩螃菣뾂苣ꢡ䥉裢隼볯ꮁ胣蒐꣧螃菣뾂苣ꢡ䥉裢隼볯ꮁꓧ馁胣ં⼼䥄㹖㰊䥄㹖䐼噉邀볯閼볯閼胣㲑䐯噉ਾꇨ₨䤠銈볯醼볯ꊝ菣벃苣覼戼㹲 ꊝ闧랏††††爠†††††搠†††††渠⁤††††摶††††††††戼㹲 †ꦉ鷩₢††††††裢₞†††††††††††††††††††††††戼㹲 ††⨱††††㠴㐮㌷〰††ㄠ㌮〵〰††ㄠ㠮㌸〰††〴㠮†††††††㰠牢ਾ††㈠‪††††⸴㌶〳‰††⸱㔸〲‰†††††††††††††††††戼㹲 ††″††††㘠㤮㌲〰††ㄠ㘮〰〰††ㄠ㤮㈲㜸††㠱㤮†††††††㰠牢ਾ††㐠††††ㄠ⸰㤶〸‰†††꾏ꓥ₉†††††††††††††††††戼㹲 ††⨵††††㐠㈮㤲〰††㈠〮〰〰††ㄠ㜮㈷〵††㤴㘮†††††††㰠牢ਾ††㘠†††††⸹㜵〹‰††⸰〵〰‰††⸱㐶㘷‹†㌠⸳‸†††††††戼㹲 ††‷††††㌠㘮ㄷ〰††〠㐮〸〰†††††††††††††††††㰠牢ਾ††㠠†††††⸸㤲〵‰††⸰〵〰‰††⸱㘷㠱″†㈠⸶‵†††††††戼㹲 ††‹††††㐠〮㐰〰††㈠〮〰〰††ㄠ㘮㌰ㄱ††〶㘮†††††††㰠牢ਾ††〱††††ㄭ⸱〴〲‰††⸰〳〰‰†††††††††††††††††戼㹲 ㄠ⠱뗧誂 †††††裢₞†††꾏ꓥ₉†††††††††††††††††戼㹲 †ㄠ′††††㜳㈮〹〰††ㄠ㘮〰〰††ㄠ㘮㌰ㄱ††〶㘮†††††††㰠牢ਾ††㌱††††㈭⸷㘳〵‰†††꾏ꓥ₉†††††††††††††††††戼㹲 †ㄠ‴†††††††裢₞††⸱〴〰‰††⸱ㄵ㌶″†㘠⸴‱†††††††戼㹲 †ㄠ‵†††††††裢₞†††⠠䙂 †††††††††††††††††††戼㹲 †较鷩₢††††††裢₞†††††††††††††††††††††††㰊䐯噉ਾ䐼噉㰾䥄㹖胣邼볯钼볯醀⼼䥄㹖ꢡ†䥉裢隼볯袼鷩莐鷩螃菣뾂볯㲉牢ਾ†곧ㆬ鷩㲢牢ਾ†䬠‽⸰〰〰䔰〫ⰰ䄠㴴㌠㌮㈱㔸ⵅ㐰‬㙁ⴽ⸵㔳㈶䔱〭ⰶ䄠㴸㌠㔮㈵㤲ⵅ㠰㰠牢ਾ†䄠〱‽⸰〰〰䔰〫‰戼㹲 견ꊝ戼㹲 †㵋ㄭ㐮㘳㘵⭅〰‬㑁‽⸱㐶㌰䔱〭ⰳ䄠㴶ㄠㄮ㐶㈴ⵅ㔰‬㡁‽⸳㐵〲䔱〭‸戼㹲 †ㅁ㴰㤭㘮㐷〲ⵅ〱㰠牢ਾ†곧㖬鷩㲢牢ਾ†䬠ⴽ⸴㠲㐷䔲〭ⰱ䄠㴴㘭ㄮ㤷㘲ⵅ㔰‬㙁‽⸴ㄷㄴ䔳〭ⰷ䄠㴸〠〮〰〰⭅〰㰠牢ਾ†䄠〱‽⸰〰〰䔰〫ਰ⼼䥄㹖㰊䥄㹖䐼噉邀볯閼볯鞼胣㲑䐯噉ਾꇨ₨䤠銈볯鎼볯蒐꣧螃菣뾂볯㲉牢ਾ†苣벃菣钯††㐠㠮〰㈳戼㹲 †††††††莺꟨ₒ††궸雩ₓ††鮜臩㲠牢ਾ†蓧릂럨ꊛ†††㐠㈮㜶″†〱㐮㤱‷†〲㐮㐸㰵牢ਾꚼ菣뎃菣벃††㈠㤮㐱㔳†㐠㤮㐶〳†㘠ㄮ㤹㤵戼㹲 †뮔꟨ₒ†††㐠⸳㔲㐲†ㄠ⸹㐵㘹†ㄠ⸰㈰ㄹ戼㹲 †较ꯩₘ††††⸳〶〰††⸳〶〰††⸳〶〰戼㹲 菣뎃苣ꢅ闩₷††ㄳ㔮㈳‱†〳ㄮ㘲‶†㤳㔮㌲㰸牢ਾ††볯ꚼ††††⸱㈰㐴‷†⸱㄰㌷‵†⸱〰㤴㰶牢ਾ††㑤†††††ㄱ㐮〴‰†㈠㌮㠵‱†〠ㄮ〵‰戼㹲 †搠ㄱ†††††⸱ㄵ㐲††⸷㜸㤶†㈠⸳㐱㜲㰠牢ਾ††ㅤ″††††㌠㤮㌷′†㔠㈮㈹′†ㄠ㘮㐴‱戼㹲몂菣ꂃ菣뎃苣꒾菣벃苣㲿牢ਾ†뻧₤†讧鷩₢††Ꚅ苧鶷鯩㲢牢ਾ†ㄠ†††ㄠ†††㤭㈮㔲㘱戼㹲 †′†††‵†††⸸㔹〹㰹牢ਾ†㌠†††㈱†††㘲㐮㔱㔰㰊䐯噉ਾ䐼噉㰾䥄㹖胣邼볯钼볯醀⼼䥄㹖袼闦ꒀ껥붖뻤䦋銈볯銼볯㲉牢ਾ†闦ꒀ껥붖뻤䦋銈볯銼臣몂菣ꂃ菣뎃苣뮳臣膀鯥醼볯隼臣몤臣龁껥붖臣ꊽ藦䦋銈볯銼臣뺯뿥馁苣芀闦ꒀ껥붖뻤䦋銈볯銼臣몂菣ꂃ菣뎃苣뮳臣ꊝ菣벃苣銂ꇨ䦨銈볯钼臣膀鷩莐鷩螃菣뾂苣ꢡ䥉裢隼볯ꮁ胣蒐꣧螃菣뾂苣ꢡ䥉裢隼볯ꮁꓧ馁胣ં⼼䥄㹖㰊䥄㹖䐼噉邀볯閼볯馼胣㲑䐯噉ਾꇨ₨䤠銈볯钼볯ꊝ菣벃苣覼戼㹲 ꊝ闧랏††††爠†††††搠†††††渠⁤††††摶††††††††戼㹲 †ꦉ鷩₢††††††裢₞†††††††††††††††††††††††戼㹲 ††⨱††††㐳ㄮ㈸〰††ㄠ㌮〵〰††ㄠ㠮㌸〰††〴㠮†††††††㰠牢ਾ††㈠‪††††⸴㤶〹‰††⸱㠸〷‰†††††††††††††††††戼㹲 ††″††††㜠〮〷〰††ㄠ㘮〰〰††ㄠ㤮㈲㜸††㠱㤮†††††††㰠牢ਾ††㐠††††ㄠ⸰㜸〸‰†††꾏ꓥ₉†††††††††††††††††戼㹲 ††⨵††††㐠㈮ㄵ〰††㈠〮〰〰††ㄠ㜮㈷〵††㤴㘮†††††††㰠牢ਾ††㘠†††††⸸㈹〸‰††⸰〵〰‰††⸱㐶㘷‹†㌠⸳‸†††††††戼㹲 ††‷††††㌠㘮㠹〰††〠㐮〸〰†††††††††††††††††㰠牢ਾ††㠠†††††⸸㘶〵‰††⸰〵〰‰††⸱㘷㠱″†㈠⸶‵†††††††戼㹲 ††‹††††㐠〮〴〰††㈠〮〰〰††ㄠ㘮㌰ㄱ††〶㘮†††††††㰠牢ਾ††〱††††ㄭ⸲㈳〶‰††⸰〳〰‰†††††††††††††††††戼㹲 ㄠ⠱뗧誂 †††††裢₞†††꾏ꓥ₉†††††††††††††††††戼㹲 †ㄠ′††††㘲㐮㐵〰††ㄠ㘮〰〰††ㄠ㘮㌰ㄱ††〶㘮†††††††㰠牢ਾ††㌱††††㐭⸸㤹〶‰†††꾏ꓥ₉†††††††††††††††††戼㹲 †ㄠ‴†††††††裢₞††⸱〴〰‰††⸱ㄵ㌶″†㘠⸴‱†††††††戼㹲 †ㄠ‵†††††††裢₞†††⠠䙂 †††††††††††††††††††戼㹲 †较鷩₢††††††裢₞†††††††††††††††††††††††㰊䐯噉ਾ䐼噉㰾䥄㹖胣邼볯閼볯醀⼼䥄㹖ꢡ†䥉裢隼볯袼鷩莐鷩螃菣뾂볯㲉牢ਾ†곧ㆬ鷩㲢牢ਾ†䬠‽⸰〰〰䔰〫ⰰ䄠㴴㌠㘮㈲㔰ⵅ㐰‬㙁ⴽ⸵㌶㔹䔸〭ⰶ䄠㴸㌠㔮㔳㤶ⵅ㠰㰠牢ਾ†䄠〱‽⸰〰〰䔰〫‰戼㹲 견ꊝ戼㹲 †㵋ㄭ㔮㘲㔰⭅〰‬㑁‽⸱〷㘳䔹〭ⰳ䄠㴶㈠ㄮ㔷㤲ⵅ㔰‬㡁ⴽ⸵〴㜵䔷〭‷戼㹲 †ㅁ㴰㠠ㄮㄴㄲⵅ㤰㰠牢ਾ†곧㖬鷩㲢牢ਾ†䬠ⴽ⸴㔳ㄵ䔲〭ⰱ䄠㴴㠭㐮㐴〵ⵅ㜰‬㙁‽⸳㤹㤸䔹〭ⰶ䄠㴸〠〮〰〰⭅〰㰠牢ਾ†䄠〱‽⸰〰〰䔰〫ਰ⼼䥄㹖㰊䥄㹖䐼噉邀볯閼볯醼胣㲑䐯噉ਾꇨ₨䤠銈볯隼볯蒐꣧螃菣뾂볯㲉牢ਾ†苣벃菣钯††㐠㜮㠶㐰戼㹲 †††††††莺꟨ₒ††궸雩ₓ††鮜臩㲠牢ਾ†蓧릂럨ꊛ†††㐠㜮㐱‵†〱㐮ㄲ‶†㈲㐮㤷㰱牢ਾꚼ菣뎃菣벃††㈠㠮㜲㔹†㐠㘮ㄲ㈶†㘠㐮ㄲ㌴戼㹲 †뮔꟨ₒ†††㌠⸹〱㔹†ㄠ⸹ㄴ㤶††⸹〱㔲戼㹲 †较ꯩₘ††††⸳〶〰††⸳〶〰††⸳〶〰戼㹲 菣뎃苣ꢅ闩₷††ㄳ㠮㜲‱†ㄳㄮ㌳′†ㄴㄮ㜶㰰牢ਾ††볯ꚼ††††⸱㌰㌹′†⸱〰㜵‸†⸰㜹㜲㰵牢ਾ††㑤†††††ㄱ㐮〴‰†㌠㐮㘳‷†〠ㄮ〵‰戼㹲 †搠ㄱ†††††⸰㤸㔵††⸸㜶㠱†㈠⸴㐷㠶㰠牢ਾ††ㅤ″††††㐠㠮㔳″†㐠㐮㄰‹†ㄠ㘮〸‴戼㹲몂菣ꂃ菣뎃苣꒾菣벃苣㲿牢ਾ†뻧₤†讧鷩₢††Ꚅ苧鶷鯩㲢牢ਾ†ㄠ†††ㄠ††ⴠ〱〮㌵ㄳ戼㹲 †′†††‵†††⸹㈴㔶㰴牢ਾ†㌠†††㈱†††㠲㜮㈱㘷㰊䐯噉ਾ䐼噉㰾䥄㹖胣邼볯閼볯醀⼼䥄㹖袼闦ꒀ껥붖뻤䦋銈볯鎼볯㲉牢ਾ†闦ꒀ껥붖뻤䦋銈볯鎼臣몂菣ꂃ菣뎃苣뮳臣膀鯥醼볯馼臣몤臣龁껥붖臣ꊽ藦䦋銈볯鎼臣뺯뿥馁苣芀闦ꒀ껥붖뻤䦋銈볯鎼臣몂菣ꂃ菣뎃苣뮳臣ꊝ菣벃苣銂ꇨ䦨銈볯鞼臣膀鷩莐鷩螃菣뾂苣ꢡ䥉裢隼볯ꮁ胣蒐꣧螃菣뾂苣ꢡ䥉裢隼볯ꮁꓧ馁胣ં⼼䥄㹖㰊䥄㹖䐼噉邀볯閼볯鎼胣㲑䐯噉ਾꇨ₨䤠銈볯鞼볯ꊝ菣벃苣覼戼㹲 ꊝ闧랏††††爠†††††搠†††††渠⁤††††摶††††††††戼㹲 †ꦉ鷩₢††††††裢₞†††††††††††††††††††††††戼㹲 ††⨱†††ㄠ㈳㤮㐵〰††ㄠ㌮〵〰††ㄠ㠮㌸〰††〴㠮†††††††㰠牢ਾ††㈠‪††††⸴㠶〷‰††⸱㘴〸‰†††††††††††††††††戼㹲 ††″††††㘠㠮㤱〰††ㄠ㘮〰〰††ㄠ㤮㈲㜸††㠱㤮†††††††㰠牢ਾ††㐠††††ㄠ⸱㐰〲‰†††꾏ꓥ₉†††††††††††††††††戼㹲 ††⨵††††㐠ㄮ〷〰††㈠〮〰〰††ㄠ㜮㘷㈳††㈵㘮†††††††㰠牢ਾ††㘠††††ㄠ⸰㠸〷‰††⸰〵〰‰††⸱㐶ㄶ‹†㌠⸱‸†††††††戼㹲 ††‷††††㌠㘮㌶〰††〠㐮〸〰†††††††††††††††††㰠牢ਾ††㠠†††††⸸㜲〶‰††⸰〵〰‰††⸱㘷㠲‷†㈠⸷‷†††††††戼㹲 ††‹††††㐠〮㠱〰††㈠〮〰〰††ㄠ㘮㈰ㄸ††㘵〮†††††††㰠牢ਾ††〱††††ㄭ⸱㜰〶‰††⸰〳〰‰†††††††††††††††††戼㹲 ㄠ⠱뗧誂 †††††裢₞†††꾏ꓥ₉†††††††††††††††††戼㹲 †ㄠ′†††ⴠ〹㠮㘹〰††ㄠ㘮〰〰††ㄠ㘮㌰ㄱ††〶㘮†††††††㰠牢ਾ††㌱††††ㄭ⸷㠴〶‰†††꾏ꓥ₉†††††††††††††††††戼㹲 †ㄠ‴†††††††裢₞††⸱〴〰‰††⸱ㄵ㌶″†㘠⸴‱†††††††戼㹲 †ㄠ‵†††††††裢₞†††⠠䙂 †††††††††††††††††††戼㹲 †较鷩₢††††††裢₞†††††††††††††††††††††††㰊䐯噉ਾ䐼噉㰾䥄㹖胣邼볯閼볯醀⼼䥄㹖ꢡ†䥉裢隼볯袼鷩莐鷩螃菣뾂볯㲉牢ਾ†곧ㆬ鷩㲢牢ਾ†䬠‽⸰〰〰䔰〫ⰰ䄠㴴㈠㐮㤴㘳ⵅ㐰‬㙁ⴽ⸴㐵〴䔰〭ⰶ䄠㴸㔠㜮㔲㘶ⵅ㠰㰠牢ਾ†䄠〱‽⸰〰〰䔰〫‰戼㹲 견ꊝ戼㹲 †㵋ㄭ㐮㠸〸⭅〰‬㑁‽⸱㠵㌲䔷〭ⰳ䄠㴶㈠㌮〱㐸ⵅ㘰‬㡁ⴽ⸵㤳㠸䔴〭‷戼㹲 †ㅁ㴰㐠㈮㌱㐵ⵅ㠰㰠牢ਾ†곧㖬鷩㲢牢ਾ†䬠ⴽ⸴㔳㘸䔹〭ⰱ䄠㴴㜭㠮㠶㘸ⵅ㔰‬㙁ⴽ⸳㔲㌸䔸〭ⰶ䄠㴸〠〮〰〰⭅〰㰠牢ਾ†䄠〱‽⸰〰〰䔰〫ਰ⼼䥄㹖㰊䥄㹖䐼噉邀볯閼볯閼胣㲑䐯噉ਾꇨ₨䤠銈볯馼볯蒐꣧螃菣뾂볯㲉牢ਾ†苣벃菣钯††㔠㔮㔷㠴戼㹲 †††††††莺꟨ₒ††궸雩ₓ††鮜臩㲠牢ਾ†蓧릂럨ꊛ†††㐠㌮㌰‶†〱㐮㔶‸†㌲㤮㐹㰴牢ਾꚼ菣뎃菣벃††㈠㤮㈲㔵†㔠ㄮ㈶㐱†㜠㈮㜱㔴戼㹲 †뮔꟨ₒ†††㐠⸳㘸㘵†ㄠ⸹ㄵ㜴††⸸㌶㌴戼㹲 †较ꯩₘ††††⸳〶〰††⸳〶〰††⸳〶〰戼㹲 菣뎃苣ꢅ闩₷††ㄳ㈮㘱‱†〳㜮㌰′†ㄴ㤮〵㰱牢ਾ††볯ꚼ††††⸱㔰㜰‴†⸱㘰㈱‴†⸱㄰㔷㰳牢ਾ††㑤†††††ㄱ㐮〴‰†㌠㔮㠰‸†〠ㄮ〵‰戼㹲 †搠ㄱ†††††⸰㠹㈳†ㄠ⸰㔲㘵†㈠⸶㤱㈶㰠牢ਾ††ㅤ″††††㐠㔮㐴′†㈠㘮㤷‶†ㄠ㌮㠸‴戼㹲몂菣ꂃ菣뎃苣꒾菣벃苣㲿牢ਾ†뻧₤†讧鷩₢††Ꚅ苧鶷鯩㲢牢ਾ†ㄠ†††ㄠ†††㠭㔮㜹㐶戼㹲 †′†††‵†††⸸㘵㈵㰲牢ਾ†㌠†††㈱†††㔳㘮㜰㌱㰊䐯噉ਾ䐼噉㰾䥄㹖胣邼볯閼볯醀⼼䥄㹖袼闦ꒀ껥붖뻤䦋銈볯钼볯㲉牢ਾ†闦ꒀ껥붖뻤䦋銈볯钼臣몂菣ꂃ菣뎃苣뮳臣膀鯥醼볯銼臣몤臣龁껥붖臣ꊽ藦䦋銈볯钼臣뺯뿥馁苣芀闦ꒀ껥붖뻤䦋銈볯钼臣몂菣ꂃ菣뎃苣뮳臣ꊝ菣벃苣銂ꇨ䦨銈볯邼臣膀鷩莐鷩螃菣뾂苣ꢡ䥉裢鞼볯ꮁ胣蒐꣧螃菣뾂苣ꢡ䥉裢鞼볯ꮁꓧ馁胣ં⼼䥄㹖㰊䥄㹖䐼噉邀볯閼볯鞼胣㲑䐯噉ਾꇨ₨䤠銈볯邼볯ꊝ菣벃苣覼戼㹲 ꊝ闧랏††††爠†††††搠†††††渠⁤††††摶††††††††戼㹲 †ꦉ鷩₢††††††裢₞†††††††††††††††††††††††戼㹲 ††⨱††††㐵㔮㌳〰††ㄠ㌮〵〰††ㄠ㠮㌸〰††〴㠮†††††††㰠牢ਾ††㈠‪††††⸴㘹〱‰††⸱㜴〲‰†††††††††††††††††戼㹲 ††″††††㘠㘮㌷〰††ㄠ㘮〰〰††ㄠ㤮㈲㜸††㠱㤮†††††††㰠牢ਾ††㐠††††ㄠ⸰㤱〲‰†††꾏ꓥ₉†††††††††††††††††戼㹲 ††⨵††††㐠㈮㠰〰††㈠〮〰〰††ㄠ㜮ㄸ㤲††㠵〮†††††††㰠牢ਾ††㘠†††††⸹〶〸‰††⸰〵〰‰††⸱㐶㐱‷†㈠⸳‹†††††††戼㹲 ††‷††††㌠㔮㔸〰††〠㐮〸〰†††††††††††††††††㰠牢ਾ††㠠†††††⸷㌹〱‰††⸰〵〰‰††⸱㔷㠸‱†㈠⸷‴†††††††戼㹲 ††‹††††㐠ㄮ㘳〰††㈠〮〰〰††ㄠ㘮㐰㤶††〴㜮†††††††㰠牢ਾ††〱††††ㄭ⸴㈱〹‰††⸰〳〰‰†††††††††††††††††戼㹲 ㄠ⠱뗧誂 †††††裢₞†††꾏ꓥ₉†††††††††††††††††戼㹲 †ㄠ′†††ㄭ㐵㔮㜵〰††ㄠ㘮〰〰††ㄠ㘮㌰ㄱ††〶㘮†††††††㰠牢ਾ††㌱††††ㄭ⸶㐶〵‰†††꾏ꓥ₉†††††††††††††††††戼㹲 †ㄠ‴†††††††裢₞††⸱〴〰‰††⸱ㄵ㌶″†㘠⸴‱†††††††戼㹲 †ㄠ‵†††††††裢₞†††⠠䙂 †††††††††††††††††††戼㹲 †较鷩₢††††††裢₞†††††††††††††††††††††††㰊䐯噉ਾ䐼噉㰾䥄㹖胣邼볯閼볯醀⼼䥄㹖ꢡ†䥉裢鞼볯袼鷩莐鷩螃菣뾂볯㲉牢ਾ†곧ㆬ鷩㲢牢ਾ†䬠‽⸰〰〰䔰〫ⰰ䄠㴴㈠㔮㔳〹ⵅ㐰‬㙁ⴽ⸵㘰㈰䔹〭ⰶ䄠㴸㜠㈮㠰㜹ⵅ㠰㰠牢ਾ†䄠〱‽⸰〰〰䔰〫‰戼㹲 견ꊝ戼㹲 †㵋ㄭ㔮㤹㜵⭅〰‬㑁‽⸱㜵ㄲ䔹〭ⰳ䄠㴶ㄠㄮ㐱ㄵⵅ㔰‬㡁ⴽ⸸ㄹ㜷䔲〭‷戼㹲 †ㅁ㴰㔠㌮〶㘷ⵅ㠰㰠牢ਾ†곧㖬鷩㲢牢ਾ†䬠ⴽ⸴㌳㠷䔰〭ⰱ䄠㴴㈠㜮ㄳ〱ⵅ㘰‬㙁‽⸵㌶ㄹ䔳〭ⰷ䄠㴸〠〮〰〰⭅〰㰠牢ਾ†䄠〱‽⸰〰〰䔰〫ਰ⼼䥄㹖㰊䥄㹖䐼噉邀볯閼볯馼胣㲑䐯噉ਾꇨ₨䤠銈볯銼볯蒐꣧螃菣뾂볯㲉牢ਾ†苣벃菣钯††㔠㔮㐶㄰戼㹲 †††††††莺꟨ₒ††궸雩ₓ††鮜臩㲠牢ਾ†蓧릂럨ꊛ†††㐠㠮㘴‰†〱㐮㐱‱†㘲㤮㌶㰱牢ਾꚼ菣뎃菣벃††㈠㤮㈰㄰†㐠㐮㘴㌸†㜠㌮㘳㘲戼㹲 †뮔꟨ₒ†††㌠⸹ㄶ㈱†ㄠ⸹㜵〳††⸷㤶㘷戼㹲 †较ꯩₘ††††⸳〶〰††⸳〶〰††⸳〶〰戼㹲 菣뎃苣ꢅ闩₷††ㄳ㌮㌸‹†㠲㈮〳‱†㈴㜮㤰㰹牢ਾ††볯ꚼ††††⸱㐰㈹′†⸱㠰㈲‰†⸰㠹㐳㰴牢ਾ††㑤†††††ㄱ㐮〴‰†㈠㠮ㄱ‱†〠ㄮ〵‰戼㹲 †搠ㄱ†††††⸰㔵㤲††⸲㔷㤷†㈠⸸㜰㔸㰠牢ਾ††ㅤ″††††㔠ㄮ㤳‸†㠠㌮㘷‹†〠㈮㘹‰戼㹲몂菣ꂃ菣뎃苣꒾菣벃苣㲿牢ਾ†뻧₤†讧鷩₢††Ꚅ苧鶷鯩㲢牢ਾ†ㄠ†††ㄠ†††㤭㤮ㄴ㌱戼㹲 †′†††‵†††⸹㤰ㄱ㰹牢ਾ†㌠†††㈱†††〳㜮㔹㘱㰊䐯噉ਾ䐼噉㰾䥄㹖胣邼볯隼볯醀⼼䥄㹖 ꖻ룤꺁ꇨ䦨銈볯鎼臣膀郥낕胥龮雦设臣몂菣ꂃ菣뎃苣뮳臣誁臣讂郥ꆝ믤꺁꿥鲿胥銂ꓧ馁胣龁臣鞁ꇨ䦨銈볯鎼룤膀볯㲹畳⁢浸湬㩳灪∽瑨灴⼺眯睷樮潰朮⹯灪㸢볯㲷猯扵꾁胣㲁牢ਾ볯㲹畳⁢浸湬㩳灪∽瑨灴⼺眯睷樮潰朮⹯灪㸢볯㲷猯扵骼뫥銧ꯧꞁ臣ꢅ돧꺁蓧릂럨ꊛ뷯㲆畳⁢浸湬㩳灪∽瑨灴⼺眯睷樮潰朮⹯灪㸢볯㲷猯扵ꮁ臣醁苣膀곧銼菣뎃苣꒾臣膀鳦Ꞥ臣貂ꏨꎭ駦꺁藥뢻臣뺯臣ꚁ黥뒛雦醐臣꺁꟧開蟩㲏牢ਾ苣몤臣膀苣벃菣것菣몂돧貁뫥銧ꯧ꺁諧讅臣ꢁ臣膀臣ꪁ苣ꆁ鷦뚻볥袼볯覼臣誁臣ꚁ볯鶼볯㲹畳⁢浸湬㩳灪∽瑨灴⼺眯睷樮潰朮⹯灪㸢볯㲷猯扵袼뷯鶼뷯㲆畳⁢浸湬㩳灪∽瑨灴⼺眯睷樮潰朮⹯灪㸢볯㲷猯扵覼臣ꢁ臣꺁꿥鲿胥袼볯㲹畳⁢浸湬㩳灪∽瑨灴⼺眯睷樮潰朮⹯灪㸢볯㲷猯扵込볯㲹畳⁢浸湬㩳灪∽瑨灴⼺眯睷樮潰朮⹯灪㸢볯㲴猯扵覼볯袼甼砠汭獮樺㵰栢瑴㩰⼯睷⹷灪⹯潧樮≰蚽⼼㹵猼扵砠汭獮樺㵰栢瑴㩰⼯睷⹷灪⹯潧樮≰㰾㹵볯㲴甯㰾猯扵㰾⁵浸湬㩳灪∽瑨灴⼺眯睷樮潰朮⹯灪㸢볯蚽⼼㹵猼扵砠汭獮樺㵰栢瑴㩰⼯睷⹷灪⹯潧樮≰㰾㹵볯㲷甯㰾猯扵覼苣花苣龁胣ં⼼䥄㹖㰊䥄㹖䐼噉邀볯閼볯醼胣㲑䐯噉ਾꇨ₨䤠銈볯鎼볯ꆝ믤꺁꿥鲿胥覼戼㹲㰊䥄㹖胣ꢡ볯醀⼼䥄㹖㰊䥄㹖愼栠敲㵦㈢〰〹㘹㔱⸷楴≦㈾〰〹㘹㔱⸷楴쉦゠〰㜱㰲愯㰾䐯噉ਾ㰊䥄㹖胣ꢡ볯邼胣㲑䐯噉ਾ䐼噉㰾⁡牨晥∽〲㤰㤰ㄶ㜵琮晩㸢〲㤰㤰ㄶ㜵琮晩ꃂ〰㄰㌷⼼㹡⼼䥄㹖ਊ䐼噉邀ꇨ醼볯醀⼼䥄㹖㰊䥄㹖愼栠敲㵦㈢〰〹㘹㔱⸷楴≦㈾〰〹㘹㔱⸷楴쉦゠〰㜱㰴愯㰾䐯噉ਾ㰊䥄㹖胣ꢡ볯銼胣㲑䐯噉ਾ䐼噉㰾⁡牨晥∽〲㤰㤰ㄶ㜵琮晩㸢〲㤰㤰ㄶ㜵琮晩ꃂ〰㄰㔷⼼㹡⼼䥄㹖ਊ䐼噉邀ꇨ醼볯醀⼼䥄㹖㰊䥄㹖愼栠敲㵦㈢〰〹㘹㔱⸷楴≦㈾〰〹㘹㔱⸷楴쉦゠〰㜱㰶愯㰾䐯噉ਾ㰊䥄㹖胣ꢡ볯钼胣㲑䐯噉ਾ䐼噉㰾⁡牨晥∽〲㤰㤰ㄶ㜵琮晩㸢〲㤰㤰ㄶ㜵琮晩ꃂ〰㄰㜷⼼㹡⼼䥄㹖ਊ⼼䥄㹖㰊䐯噉ਾ䐼噉㰾䥄㹖胣ꎔꗦ誸臣ꦈ铧꾏菨Ꞁ胣㲑䐯噉ਾ䐼噉邀볯閼볯銼胣㲑䐯噉ਾ†鳦몙飦ꮁ뿤讂苣벃菣것菣몂돧꾁胣螃苣뾂菣ꮂ菣ꦃ胣몐룥뮛ꧨ龩駥膀볯꒼볯袼볯薽뷯鎽뷯躽뷯貽†볯覽뷯覽뷯膽뷯₌ꆼ뷯鎽뷯鎽뷯膽뷯莽뷯覼胣ꎛꛨ랂苣蚃菣ꮁ臣醁苣ꎛꛨꮂ菣ꦃ胣랼뷯芽苣ꆃ菣膀믨覼苣ꆃ菣覭臣螃苣뾂菣ꖅ諥薣뷧ꮁ臩ꢔ迥붃臣芁苣膀觧ꮁ菣뢂苣ꮃ苣ꆃ菣覭臣颫铧ꪳ臣膦뇦閁苣讂鋦놽藥ꚭ돧ꮁꗥꦁ臣芁苣芀㰊䐯噉ਾ䐼噉㰾䥄㹖胣ꚬ迥꺁ꫨ躘胣㲑䐯噉ਾ䐼噉邀볯閼볯鎼胣㲑䐯噉ਾ볯醼†곧醼菣뎃苣꒾戼㹲Ꞽ볯ₒ견볯것菣몂뻧㲤牢ਾ볯鎼†곧鎼菣뎃苣꒾戼㹲겼볯ₑ견볯것菣몂듧邭戼㹲겼볯ₒ견볯것菣몂듧邭戼㹲겼볯ₓ견볯것菣몂듧邭戼㹲겼볯ₔ견볯것菣몂듧邭戼㹲겼볯ₕ견볯것菣몂듧邭戼㹲겼볯ₖ견볯것菣몂듧邭戼㹲겼볯ₗ견볯것菣몂듧邭胣뎹ꇨ뎹鷦㲿牢ਾ볯颼†맥財맥뾝戼㹲겼볯ₙ뎹ꇨ뎹鷦㲿牢ਾ볯₡讖迥麵苣㲊牢ਾ볯₳较鷩㲢牢ਾ볯ₑ몂菣ꂃ菣뎃苣뮳戼㹲銼†鋦较듧邭戼㹲鎼†뛦뚙菣讃苣㲿牢ਾ볯ₔ邭뷤㲓牢ਾ볯ₕ뮸迩銭戼㹲隼†꟧開迩銭戼㹲鞼†蛥銭苣ꂃ㰊䐯噉ਾ䐼噉邀触骶ꏨꎭ볯醀⼼䥄㹖㰊䥄㹖胣鲣귦뺯뇨뢛ꇩ趐胣릉꣨讫뇦꺁꿧늛⼼䥄㹖㰊䥄㹖胣鲣귦뺯뇨薠鯧趐胣ꢅ雦㲇䐯噉ਾ䐼噉邀ꏨꎭ雦閳胣覤鯦㲴䐯噉ਾ䐼噉邀ꏨꎭ臣薆껥醀⼼䥄㹖㰊䥄㹖胣릉꣨讫뇦꺁꿧늛胣㲑䐯噉ਾ䐼噉邀ꯨ花ꃩ醼胣㲑䐯噉ਾ䐼噉ਾ†냥ꪁ臣ꢁ苣醼黦꺁菣뎃苣ꂴ귥ꞁ꟦邈臣貂臣것菣몂뻧銂ꓨ낕鳦馁苣몂菣ꂃ菣뎃苣뮳臣芁臣ꚁ胣㲁牢ਾ觧鎽臥讁苣较臥뢁臣蚠臣膀戼㹲ꂲ臣醃菣벃苣覜臣膀볯骞臣것菣몂듧邭臣覂臣讂곧醼菣뎃苣꒾臣膀戼㹲ꎭ臣醃菣벃苣覜臣讂곧銼菣뎃苣꒾臣膀戼㹲ꎭ臣醃菣벃苣覜臣讂곧鎼菣뎃苣꒾臣銂若袁胣㲁牢ਾ鋦较駦꺁뫥銧ꯧ讁苣鮜臩꾫臣꺁苣벃菣뎃苣꺁髩ꮁ胣趉꣨견볯것菣몂뻧ꢁ곧銼菣뎃苣꒾臣꺁雩钚臣鮸냥鞁胣讁臣견볯것菣몂뻧ꢁ곧鎼菣뎃苣꒾臣꺁雩钚臣鞢ꓥ馁苣袂臣ꮁ郥것菣몂뻧銂藥뢻臣뾲臣ꚁ臣貂臣貂꟧開臣鮁臣覤胥銂ꇨ蒁胣㲁牢ਾ믤许臣ꆝ믤袼볯覼苣肺뛨馁苣膀苣벃菣것菣몂돧骼戼㹲 邼볯醼볯鲼볯㲤畳⁢浸湬㩳灪∽瑨灴⼺眯睷樮潰朮⹯灪㸢볯㲒猯扵込볯ꦼ猼扵砠汭獮樺㵰栢瑴㩰⼯睷⹷灪⹯潧樮≰銽⼼畳㹢韃볯㲺畳⁰浸湬㩳灪∽瑨灴⼺眯睷樮潰朮⹯灪㸢볯㲒猯灵覼볯邼볯鎼볯ₐ뮃菣뮃볯醼볯㲉牢ਾ†볯龁臣鞁胣몼볯蚽猼扵砠汭獮樺㵰栢瑴㩰⼯睷⹷灪⹯潧樮≰뒼⼼畳㹢볯蚽猼扵砠汭獮樺㵰栢瑴㩰⼯睷⹷灪⹯潧樮≰랼⼼畳㹢볯钼볯邼胣쾁㲉畳⁢浸湬㩳灪∽瑨灴⼺眯睷樮潰朮⹯灪㸢볯㲷猯扵麼볯閼볯㲉牢ਾ臣鎁臣膀戼㹲꒼猼扵砠汭獮樺㵰栢瑴㩰⼯睷⹷灪⹯潧樮≰銼⼼畳㹢볯鮜臩꾫臣覂뫥銧ꯧ뢁郥醁臣꺁곧銼菣뎃苣꒾臣뮧该辇볯较臥讁苣ꦉ뷤뒁臣뮧该馁苣뒠郥銂귦ꢁ臣讂볯膀戼㹲ꦼ猼扵砠汭獮樺㵰栢瑴㩰⼯睷⹷灪⹯潧樮≰銽⼼畳㹢볯肜ꓥ较ꯩ袼볯㲩畳⁢浸湬㩳灪∽瑨灴⼺眯睷樮潰朮⹯灪㸢뷯㲒猯扵鶼뷯㲆畳⁢浸湬㩳灪∽瑨灴⼺眯睷樮潰朮⹯灪㸢볯㲴猯扵쌾钽뷯躽볯쾈㲉畳⁢浸湬㩳灪∽瑨灴⼺眯睷樮潰朮⹯灪㸢볯㲴猯扵覼볯膀戼㹲蚽猼扵砠汭獮樺㵰栢瑴㩰⼯睷⹷灪⹯潧樮≰뒼⼼畳㹢볯鮜臩꾫臣誁臣讂藥뮳臣Ꚅ苧鶷鯩膀戼㹲蚽猼扵砠汭獮樺㵰栢瑴㩰⼯睷⹷灪⹯潧樮≰랼⼼畳㹢볯莺꟨꾫臣誁臣讂藥뮳臣Ꚅ苧鶷鯩膀戼㹲켊㲉畳⁢浸湬㩳灪∽瑨灴⼺眯睷樮潰朮⹯灪㸢볯㲷猯扵骼뫥銧ꯧꮁ臣醁苣肜ꓥ뮔꟨꺁跥ꒀ볯슈覼胣㲁牢ਾ觏猼扵砠汭獮樺㵰栢瑴㩰⼯睷⹷灪⹯潧樮≰뒼⼼畳㹢볯鮜臩꾫臣誁臣讂鳦Ꞥ铧銧臣認胥袼냂볯㲉牢ਾ臣芁苣芀㰊䐯噉ਾ㰊䥄㹖胣讫뇦薠볯醀⼼䥄㹖㰊䥄㹖 견볯것菣몂뻧꺁菥뒁臣膀苣벃菣뎃苣꺁髩ꮁꧨ견볯것菣몂뻧ꢁ룤鎽髧ꮁ藥뢻룤銂꟧開臣讂雩ꎏ뗧誂臣超뷧閁苣龁胣讫뇦薠볯ꮁ꣨覼臣몂菣ꂃ菣뎃苣뮳胣ં⼼䥄㹖ਊ䐼噉邀ꯨ花ꃩ鎼胣㲑䐯噉ਾ䐼噉ਾ†곧醼菣뎃苣꒾臣膀觧鎽臥讁苣较臥뢁臣蚠臣膀戼㹲ꂲ臣醃菣벃苣覜臣讂菣뎃苣ꂴ귥ꢁ胣㲁牢ਾ귦꺁菣꾃菣銂鳦鞁胣ꦉ뷤뒁臣뢇鷩銂郥醁臣ꆃ菣릂苣릂뷥뚊臣것菣몂듧邭臣㲨牢ਾ臣讧裦閁苣讂胣讫뇦薠볯ꮁ꣨覼臣몂菣ꂃ菣뎃苣뮳胣ં⼼䥄㹖ਊ䐼噉邀ꯨ花ꃩ钼胣㲑䐯噉ਾ䐼噉ਾ†곧醼菣뎃苣꒾臣膀鷩莐鷩銂鳦馁苣것菣몂듧邭苣醰臣辁臣节볯骞郥肂胣讫뇦薠볯ꮁ꣨覼臣몂菣ꂃ菣뎃苣뮳胣ં⼼䥄㹖ਊ䐼噉邀ꯨ花ꃩ閼胣㲑䐯噉ਾ䐼噉ਾ†곧醼菣뎃苣꒾臣膀냥ꪁ臣ꢁ苣銼鷩꺁鷩莐鷩銂郥肂胣讫뇦薠볯ꮁ꣨覼臣몂菣ꂃ菣뎃苣뮳胣ં⼼䥄㹖ਊ䐼噉邀ꯨ花ꃩ隼胣㲑䐯噉ਾ䐼噉ਾ†곧鎼菣뎃苣꒾臣膀볯骞臣것菣몂듧邭臣讧裦閁苣讂胣讫뇦薠볯ꮁ꣨覼臣몂菣ꂃ菣뎃苣뮳胣ં⼼䥄㹖ਊ䐼噉邀ꯨ花ꃩ鞼胣㲑䐯噉ਾ䐼噉ਾ†곧鎼菣뎃苣꒾臣醼黦꺁菣뎃苣ꂴ귥貁胣麝郧ꊝ苣ꮐ苣膀ꯨ花ꃩ隼臣風볨꺁苣벃菣것菣몂돧芀㰊䐯噉ਾ㰊䥄㹖胣讫뇦薠볯醀⼼䥄㹖㰊䥄㹖 견볯것菣몂뻧貁胣鎼黦꺁菣뎃苣ꂴ귥ꞁ꟦邈臣貂苣膀ꯨ花ꃩ醼臣風볨꺁苣벃菣것菣몂돧芀㰊䐯噉ਾ㰊䥄㹖胣讫뇦薠볯醀⼼䥄㹖㰊䥄㹖 견볯것菣몂뻧貁胣钼黦꺁菣뎃苣ꂴ귥ꞁ꟦邈臣貂苣膀ꯨ花ꃩ醼臣風볨꺁苣벃菣것菣몂돧芀㰊䐯噉ਾ㰊䥄㹖胣讫뇦薠볯邼胣㲑䐯噉ਾ䐼噉ਾ†곧銼菣뎃苣꒾臣膀藥뢻臣뺯臣ꚁ黥뒛雦醐臣뮧该馁苣膀ꯨ花ꃩ醼臣風볨꺁苣벃菣것菣몂돧芀㰊䐯噉ਾ㰊䥄㹖胣讫뇦薠볯醼胣㲑䐯噉ਾ䐼噉ਾ†믤许臣ꆝ믤袼볯覼迥뎁볯鎼볯銂藥뮳臣誁臣ꚁ뫦뎶臣讂胣讫뇦薠볯邼臣風볨꺁苣벃菣것菣몂돧骼戼㹲 림猼扵砠汭獮樺㵰栢瑴㩰⼯睷⹷灪⹯潧樮≰뒼⼼畳㹢볯림†菣뮃菣袼볯覼戼㹲 邼볯邼볯鲼볯림볯림猼扵砠汭獮樺㵰栢瑴㩰⼯睷⹷灪⹯潧樮≰뒼⼼畳㹢볯込볯㲈⁵浸湬㩳灪∽瑨灴⼺眯睷樮潰朮⹯灪㸢뷯㲆甯㰾畳⁢浸湬㩳灪∽瑨灴⼺眯睷樮潰朮⹯灪㸢甼뒼⼼㹵⼼畳㹢甼砠汭獮樺㵰栢瑴㩰⼯睷⹷灪⹯潧樮≰込뷯㲆甯覼볯邼볯隼볯ₐ뮃菣뮃볯鎼볯㲉牢ਾ†볯龁臣鞁胣몼볯蚽猼扵砠汭獮樺㵰栢瑴㩰⼯睷⹷灪⹯潧樮≰뒼⼼畳㹢볯蚽猼扵砠汭獮樺㵰栢瑴㩰⼯睷⹷灪⹯潧樮≰랼⼼畳㹢볯钼볯邼胣쾁㲉畳⁢浸湬㩳灪∽瑨灴⼺眯睷樮潰朮⹯灪㸢볯㲷猯扵麼볯閼臣芁苣覼戼㹲鎁臣ꞁ胣㲁牢ਾ뷯骼藥뮳臣Ꚅ苧鶷鯩膀戼㹲蚽猼扵砠汭獮樺㵰栢瑴㩰⼯睷⹷灪⹯潧樮≰뒼⼼畳㹢볯鮜臩꾫臣誁臣讂藥뮳臣Ꚅ苧鶷鯩膀戼㹲림볯ꢅ돧꺁蓧릂럨ꊛ뷯ꮁ臣醁苣膀곧銼菣뎃苣꒾臣膀鳦Ꞥ臣貂ꏨꎭ駦꺁藥뢻臣뺯臣ꚁ黥뒛雦醐臣꺁꟧開蟩膀戼㹲림猼扵砠汭獮樺㵰栢瑴㩰⼯睷⹷灪⹯潧樮≰뒼⼼畳㹢볯鮜臩꾫臣꺁藥뮳臣Ꚅ苧鶷鯩蚽猼扵砠汭獮樺㵰栢瑴㩰⼯睷⹷灪⹯潧樮≰뒼⼼畳㹢臣誁臣讂胣견볯것菣몂뻧꺁胣肜ꓥ뚁苣鲣귦芙臣覅믨ꮁ꿥鞁臣芞鯧릖郥뢁臣뮧该辇胣㲁牢ਾ뷯㲆畳⁢浸湬㩳灪∽瑨灴⼺眯睷樮潰朮⹯灪㸢볯㲷猯扵骼뫥銧ꯧꮁ臣醁苣ꢅ돧꺁蓧릂럨ꊛ胣㲁牢ਾ觏猼扵砠汭獮樺㵰栢瑴㩰⼯睷⹷灪⹯潧樮≰랼⼼畳㹢볯莺꟨꾫臣誁臣讂鳦Ꞥ铧銧臣認胥袼냂볯㲉牢ਾ臣芁苣芀㰊䐯噉ਾ㰊䥄㹖胣讫뇦薠볯銼胣㲑䐯噉ਾ䐼噉ਾ†觧鎽臣覅귥蒚臣较苣뮛냦蒚臣뮔菥ꆿ迥ꢁ臣ꚁ蟥鮊迥붃臣꺒菥薣뷧ꞁ臣ꎁ臣膀戼㹲ꦉ뷤꺁藥ꚭ髧ꪁ菥銂뷥邈臣讂苣벃菣것菣몂돧ꢁ胣㲁牢ਾꧨ몂菣ꂃ菣뎃苣뮳臣袂苣ꊽ裦閁苣龁藥ꚭ髧ꪁ菥銂鯩鞰髧ꪁ铧较뿤랏臣覤迦馁苣꺒菥ꂴ귥ꢁ苣馂臣膀戼㹲趉꣨몂菣ꂃ菣뎃苣뮳臣膀戼㹲醰臣辁臣节볯骞臣것菣몂듧邭臣讧裦閁苣龁菣뎃苣꒾苣螤闦覜臣膀戼㹲ꦉ뷤뒁臣覂菥뒁臣ꢁꃩꮁ胣㲁牢ਾ단꺁菣꾃菣銂鳦鞁胣銼黦꺁菣뎃苣ꂴ귥讁苣ꪁ苣견볯것菣몂뻧ꢁ胣㲁牢ਾ귦꺁菣꾃菣銂鳦馁苣견볯것菣몂뻧ꢁ胣㲁牢ਾ귦꺁菣꾃菣銂鳦馁苣견볯것菣몂뻧ꢁ苣馂臣膀戼㹲꺒菥芙臣莺꟨꾫臣覂鳦ꂁꯧ뢁臣몂菣龃菣낂臣鮚臣膀觥風곧醼菣뎃苣꒾臣견볯것菣몂뻧ꢁ臣鎖髩貁룦醰臣膀臣ꒁ곧銼菣뎃苣꒾臣견볯것菣몂뻧ꢁ臣鎖髩貁ꋥꞤ臣讂苣蚁臣蒐菣뎃苣꒾苣覅믨ꮁ닦ꎁ臣鶁苣麁苣뮧该閁臣ꚁꓥ趀苣財臣膀戼㹲ꖻ룤꺁鷦뚻볯醼볯骼戼㹲 邼볯醼볯鲼볯㲤畳⁢浸湬㩳灪∽瑨灴⼺眯睷樮潰朮⹯灪㸢볯㲒猯扵込볯ꦼ猼扵砠汭獮樺㵰栢瑴㩰⼯睷⹷灪⹯潧樮≰銽⼼畳㹢韃볯㲺畳⁰浸湬㩳灪∽瑨灴⼺眯睷樮潰朮⹯灪㸢볯㲒猯灵覼볯邼볯鎼볯ₐ뮃菣뮃볯醼볯㲉牢ਾ†볯龁臣鞁胣몼볯蚽猼扵砠汭獮樺㵰栢瑴㩰⼯睷⹷灪⹯潧樮≰뒼⼼畳㹢볯蚽猼扵砠汭獮樺㵰栢瑴㩰⼯睷⹷灪⹯潧樮≰랼⼼畳㹢볯钼볯邼胣쾁㲉畳⁢浸湬㩳灪∽瑨灴⼺眯睷樮潰朮⹯灪㸢볯㲷猯扵麼볯閼볯㲉牢ਾ볯鎁臣ꞁ胣㲁牢ਾ볯㲤畳⁢浸湬㩳灪∽瑨灴⼺眯睷樮潰朮⹯灪㸢볯㲒猯扵骼鳦ꂁꯧ讁苣莺꟨꾫臣醐臣ꚁ臣견볯것菣몂뻧꺁꟧開蟩袼菥뒁臣覂觧鎽臥뢁꟧開臣讂ꃥ袐苣ꎭ臣馁苣覼胣㲁牢ਾ볯㲩畳⁢浸湬㩳灪∽瑨灴⼺眯睷樮潰朮⹯灪㸢뷯㲒猯扵骼鳦Ꞥ菥颫볯ꦼ猼扵砠汭獮樺㵰栢瑴㩰⼯睷⹷灪⹯潧樮≰銽⼼畳㹢볯蚽猼扵砠汭獮樺㵰栢瑴㩰⼯睷⹷灪⹯潧樮≰뒼⼼畳㹢韃뷯膽뷯袼觏猼扵砠汭獮樺㵰栢瑴㩰⼯睷⹷灪⹯潧樮≰뒼⼼畳㹢볯覼胣㲁牢ਾ뷯㲆畳⁢浸湬㩳灪∽瑨灴⼺眯睷樮潰朮⹯灪㸢볯㲴猯扵骼鳦ꂁꯧꮁ臣醁苣ꢅ돧꺁蓧릂럨ꊛ胣㲁牢ਾ뷯㲆畳⁢浸湬㩳灪∽瑨灴⼺眯睷樮潰朮⹯灪㸢볯㲷猯扵骼뫥銧ꯧꮁ臣醁苣ꢅ돧꺁蓧릂럨ꊛ胣㲁牢ਾ觏猼扵砠汭獮樺㵰栢瑴㩰⼯睷⹷灪⹯潧樮≰랼⼼畳㹢볯莺꟨꾫臣誁臣讂鳦Ꞥ铧銧臣認胥袼냂볯膀戼㹲켊㲉畳⁢浸湬㩳灪∽瑨灴⼺眯睷樮潰朮⹯灪㸢볯㲴猯扵骼鳦ꂁꯧꮁ臣醁苣肜ꓥ뮔꟨꺁跥ꒀ볯슈覼戼㹲ꞁ臣讂볯㲉牢ਾ苣肺뛨馁苣몂菣ꂃ菣뎃苣뮳臣芁苣膀鋦较ꏨ꺽胣ં⼼䥄㹖ਊ䐼噉邀ꯨ花ꃩ醼볯醀⼼䥄㹖㰊䥄㹖 ꦉ뷤꺁藥ꚭ髧ꪁ菥銂鯩鞰髧ꪁ铧较뿤랏臣覤迦鞁胣覤迦閁苣龁铧较뿤랏臣ꢡꓧ誏臣風蛦꺁냥ꪁ臣ꢁ苣肸雦銂ꇨ蚁苣ꆃ菣ꞁ臣ꎁ臣膀戼㹲ꦉ뷤꺁藥ꚭ髧ꪁ菥銂뷥邈臣讂苣벃菣것菣몂돧ꢁ胣늩苣벃菣것菣몂돧ꮁ苣誂뷥邈臣貂臣覅귥蒚臣较苣뮛냦蒚臣뮔菥ꆿ迥ꮁꓥ鮏臣讂鋦较듧邭臣銂郥肂鋦较ꏨ꺽苣馂臣膀戼㹲趉꣨몂菣ꂃ菣뎃苣뮳臣膀戼㹲醰臣辁臣节볯骞臣것菣몂듧邭臣讧裦閁苣龁菣뎃苣꒾苣螤闦覜臣膀戼㹲ꦉ뷤뒁臣覂菥뒁臣ꢁꃩꮁ胣㲁牢ਾ단꺁菣꾃菣銂鳦鞁胣銼黦꺁菣뎃苣ꂴ귥讁苣ꪁ苣견볯것菣몂뻧ꢁ胣㲁牢ਾ귦꺁菣꾃菣銂鳦馁苣견볯것菣몂뻧ꢁ胣㲁牢ਾ귦꺁菣꾃菣銂鳦馁苣견볯것菣몂뻧ꢁ苣馂臣膀戼㹲꺒菥芙臣莺꟨꾫臣覂鳦ꂁꯧ뢁臣몂菣龃菣낂臣鮚臣膀觥風곧醼菣뎃苣꒾臣견볯것菣몂뻧ꢁ臣鎖髩貁룦醰臣膀臣ꒁ곧銼菣뎃苣꒾臣견볯것菣몂뻧ꢁ臣鎖髩貁ꋥꞤ臣讂苣蚁臣蒐菣뎃苣꒾苣覅믨ꮁ닦ꎁ臣鶁苣麁苣뮧该閁臣ꚁꓥ趀苣財臣膀戼㹲ꖻ룤꺁鷦뚻볯醼볯骼戼㹲 邼볯醼볯鲼볯㲤畳⁢浸湬㩳灪∽瑨灴⼺眯睷樮潰朮⹯灪㸢볯㲒猯扵込볯ꦼ猼扵砠汭獮樺㵰栢瑴㩰⼯睷⹷灪⹯潧樮≰銽⼼畳㹢韃볯㲺畳⁰浸湬㩳灪∽瑨灴⼺眯睷樮潰朮⹯灪㸢볯㲒猯灵覼볯邼볯鎼볯ₐ뮃菣뮃볯醼볯㲉牢ਾ†볯龁臣鞁胣몼볯蚽猼扵砠汭獮樺㵰栢瑴㩰⼯睷⹷灪⹯潧樮≰뒼⼼畳㹢볯蚽猼扵砠汭獮樺㵰栢瑴㩰⼯睷⹷灪⹯潧樮≰랼⼼畳㹢볯钼볯邼胣쾁㲉畳⁢浸湬㩳灪∽瑨灴⼺眯睷樮潰朮⹯灪㸢볯㲷猯扵麼볯閼볯㲉牢ਾ볯鎁臣ꞁ胣㲁牢ਾ볯㲤畳⁢浸湬㩳灪∽瑨灴⼺眯睷樮潰朮⹯灪㸢볯㲒猯扵骼鳦ꂁꯧ讁苣莺꟨꾫臣醐臣ꚁ臣견볯것菣몂뻧꺁꟧開蟩袼菥뒁臣覂觧鎽臥뢁꟧開臣讂ꃥ袐苣ꎭ臣馁苣覼胣㲁牢ਾ볯㲩畳⁢浸湬㩳灪∽瑨灴⼺眯睷樮潰朮⹯灪㸢뷯㲒猯扵骼鳦Ꞥ菥颫볯ꦼ猼扵砠汭獮樺㵰栢瑴㩰⼯睷⹷灪⹯潧樮≰銽⼼畳㹢볯蚽猼扵砠汭獮樺㵰栢瑴㩰⼯睷⹷灪⹯潧樮≰뒼⼼畳㹢韃뷯膽뷯袼觏猼扵砠汭獮樺㵰栢瑴㩰⼯睷⹷灪⹯潧樮≰뒼⼼畳㹢볯覼胣㲁牢ਾ뷯㲆畳⁢浸湬㩳灪∽瑨灴⼺眯睷樮潰朮⹯灪㸢볯㲴猯扵骼鳦ꂁꯧꮁ臣醁苣ꢅ돧꺁蓧릂럨ꊛ胣㲁牢ਾ뷯㲆畳⁢浸湬㩳灪∽瑨灴⼺眯睷樮潰朮⹯灪㸢볯㲷猯扵骼뫥銧ꯧꮁ臣醁苣ꢅ돧꺁蓧릂럨ꊛ胣㲁牢ਾ觏猼扵砠汭獮樺㵰栢瑴㩰⼯睷⹷灪⹯潧樮≰랼⼼畳㹢볯莺꟨꾫臣誁臣讂鳦Ꞥ铧銧臣認胥袼냂볯膀戼㹲켊㲉畳⁢浸湬㩳灪∽瑨灴⼺眯睷樮潰朮⹯灪㸢볯㲴猯扵骼鳦ꂁꯧꮁ臣醁苣肜ꓥ뮔꟨꺁跥ꒀ볯슈覼戼㹲ꞁ臣讂볯㲉牢ਾ苣肺뛨馁苣몂菣ꂃ菣뎃苣뮳臣芁苣膀苣ꆃ菣芀㰊䐯噉ਾ㰊䥄㹖胣讫뇦薠볯钼胣㲑䐯噉ਾ䐼噉ਾ†냥ꪁ臣ꢁ苣醼黦꺁菣뎃苣ꂴ귥ꞁ꟦邈臣貂臣것菣몂뻧銂ꓨ낕鳦馁苣몂菣ꂃ菣뎃苣뮳臣芁臣ꚁ胣㲁牢ਾ觧鎽臥讁苣较臥뢁臣蚠臣膀戼㹲ꂲ臣醃菣벃苣覜臣膀볯骞臣것菣몂듧邭臣覂臣讂곧醼菣뎃苣꒾臣膀戼㹲ꎭ臣醃菣벃苣覜臣讂곧銼菣뎃苣꒾臣膀戼㹲ꎭ臣醃菣벃苣覜臣讂곧鎼菣뎃苣꒾臣銂若袁胣㲁牢ਾ鋦较駦꺁뫥銧ꯧ讁苣鮜臩꾫臣꺁苣벃菣뎃苣꺁髩ꮁ胣趉꣨견볯것菣몂뻧ꢁ곧銼菣뎃苣꒾臣꺁雩钚臣鮸냥鞁胣讁臣견볯것菣몂뻧ꢁ곧鎼菣뎃苣꒾臣꺁雩钚臣鞢ꓥ馁苣袂臣ꮁ郥것菣몂뻧銂藥뢻臣뾲臣ꚁ臣貂臣貂꟧開臣鮁臣覤胥銂ꇨ蒁胣㲁牢ਾ믤许臣ꆝ믤袼볯覼苣肺뛨馁苣膀苣벃菣것菣몂돧骼戼㹲 邼볯醼볯鲼볯꒼猼扵砠汭獮樺㵰栢瑴㩰⼯睷⹷灪⹯潧樮≰銼볯㲴猯扵銈볯㲤畳⁢浸湬㩳灪∽瑨灴⼺眯睷樮潰朮⹯灪㸢볯랼⼼畳㹢볯込볯ꦼ猼扵砠汭獮樺㵰栢瑴㩰⼯睷⹷灪⹯潧樮≰銽⼼畳㹢韃볯㲺畳⁰浸湬㩳灪∽瑨灴⼺眯睷樮潰朮⹯灪㸢볯㲒猯灵覼볯邼볯鎼볯ₐ뮃菣뮃볯钼볯㲉牢ਾ†볯龁臣鞁胣몼볯蚽猼扵砠汭獮樺㵰栢瑴㩰⼯睷⹷灪⹯潧樮≰뒼⼼畳㹢볯蚽猼扵砠汭獮樺㵰栢瑴㩰⼯睷⹷灪⹯潧樮≰랼⼼畳㹢볯钼볯邼胣쾁㲉畳⁢浸湬㩳灪∽瑨灴⼺眯睷樮潰朮⹯灪㸢볯㲷猯扵麼볯閼볯㲉牢ਾ臣鎁臣膀戼㹲꒼猼扵砠汭獮樺㵰栢瑴㩰⼯睷⹷灪⹯潧樮≰銼볯㲴猯扵骼鳦ꂁꯧꮁ臣醁苣견볯것菣몂뻧꺁鳦较臥讁苣견볯것菣몂뻧꺁鳦ꦉ뷤뒁臣ꞁ臣뢻룤鎖髩膀戼㹲꒼猼扵砠汭獮樺㵰栢瑴㩰⼯睷⹷灪⹯潧樮≰銼볯㲷猯扵骼뫥銧ꯧꮁ臣醁苣견볯것菣몂뻧꺁鳦较臥讁苣견볯것菣몂뻧꺁鳦ꦉ뷤뒁臣ꞁ臣뢻룤鎖髩膀戼㹲ꦼ猼扵砠汭獮樺㵰栢瑴㩰⼯睷⹷灪⹯潧樮≰銽⼼畳㹢볯肜ꓥ较ꯩ袼볯㲩畳⁢浸湬㩳灪∽瑨灴⼺眯睷樮潰朮⹯灪㸢뷯㲒猯扵鶼뷯㲆畳⁢浸湬㩳灪∽瑨灴⼺眯睷樮潰朮⹯灪㸢볯㲴猯扵쌾钽뷯躽볯쾈㲉畳⁢浸湬㩳灪∽瑨灴⼺眯睷樮潰朮⹯灪㸢볯㲴猯扵覼볯膀戼㹲蚽猼扵砠汭獮樺㵰栢瑴㩰⼯睷⹷灪⹯潧樮≰뒼⼼畳㹢볯鮜臩꾫臣誁臣讂藥뮳臣Ꚅ苧鶷鯩膀戼㹲蚽猼扵砠汭獮樺㵰栢瑴㩰⼯睷⹷灪⹯潧樮≰랼⼼畳㹢볯莺꟨꾫臣誁臣讂藥뮳臣Ꚅ苧鶷鯩膀戼㹲켊㲉畳⁢浸湬㩳灪∽瑨灴⼺眯睷樮潰朮⹯灪㸢볯㲷猯扵骼뫥銧ꯧꮁ臣醁苣肜ꓥ뮔꟨꺁跥ꒀ볯슈覼胣㲁牢ਾ觏猼扵砠汭獮樺㵰栢瑴㩰⼯睷⹷灪⹯潧樮≰뒼⼼畳㹢볯鮜臩꾫臣誁臣讂鳦Ꞥ铧銧臣認胥袼냂볯㲉牢ਾ臣芁苣芀㰊䐯噉ਾ㰊䥄㹖胣讫뇦薠볯閼胣㲑䐯噉ਾ䐼噉ਾ†곧銼菣뎃苣꒾臣较臥ꮁ胣몂菣龃菣낂臣鮚臣늩곧銼菣뎃苣꒾臣肸뷤蒚臣覅믨誸苣뮧该馁苣讖迥麵苣貁藩꺽臣貂臣膀ꯨ花ꃩ醼볯ꮁ꣨覼臣몂菣ꂃ菣뎃苣뮳胣ં⼼䥄㹖ਊ䐼噉邀ꯨ花ꃩ醼볯醀⼼䥄㹖㰊䥄㹖 견볯것菣몂뻧貁胣ꦉ뷤뒁臣覂菥뒁臣ꢁꃩꮁ胣㲁牢ਾ단꺁菣꾃菣銂鳦馁苣것菣몂듧邭臣膀戼㹲ꎭ臣醃菣벃苣覜臣膀觧鎽臥ꮁ蟥ꊝ苣醐臣龁菣讃苣ꮂ苣ꊽ諧꺁菣뎃苣ꂴ귥ꢁ戼㹲ꞁ꟦邈臣貂苣膀ꯨ花ꃩ醼볯ꮁ꣨覼臣몂菣ꂃ菣뎃苣뮳胣ં⼼䥄㹖ਊ䐼噉邀ꯨ花ꃩ醼볯醀⼼䥄㹖㰊䥄㹖 견볯것菣몂뻧貁胣麝郧ꊝ苣覜臣讂菣뎃苣ꂴ귥銂냥ꪁ臣ꢁ苣醼黦ꮐ苣膀ꯨ花ꃩ醼볯ꮁ꣨覼臣몂菣ꂃ菣뎃苣뮳胣ં⼼䥄㹖ਊ䐼噉邀ꯨ花ꃩ醼볯醀⼼䥄㹖㰊䥄㹖 견볯것菣몂뻧貁胣醰臣辁臣节볯ꊝ臣麝郧ꊝ苣ꮐ苣膀ꯨ花ꃩ醼볯ꮁ꣨覼臣몂菣ꂃ菣뎃苣뮳胣ં⼼䥄㹖ਊ䐼噉邀ꯨ花ꃩ醼볯醀⼼䥄㹖㰊䥄㹖 견볯것菣몂뻧貁胣醼黦꺁菣뎃苣ꂴ귥ꞁ꟦邈臣貂苣膀ꯨ花ꃩ醼볯ꮁ꣨覼臣몂菣ꂃ菣뎃苣뮳胣ં⼼䥄㹖ਊ䐼噉邀ꯨ花ꃩ銼볯醀⼼䥄㹖㰊䥄㹖 견볯것菣몂뻧꺁볯骞臣것菣몂듧邭臣膀鷩莐鷩銂郥肂胣讫뇦薠볯馼臣風볨꺁苣벃菣것菣몂돧芀㰊䐯噉ਾ㰊䥄㹖胣讫뇦薠볯醼胣㲑䐯噉ਾ䐼噉ਾ†곧銼菣뎃苣꒾臣膀볯骞臣것菣몂듧邭臣讧裦閁苣讂胣讫뇦薠볯钼臣風볨꺁苣벃菣것菣몂돧芀㰊䐯噉ਾ㰊䥄㹖胣讫뇦薠볯銼胣㲑䐯噉ਾ䐼噉ਾ†곧銼菣뎃苣꒾臣膀볯骞臣것菣몂듧邭臣讧裦閁苣讂胣讫뇦薠볯钼臣風볨꺁苣벃菣것菣몂돧芀㰊䐯噉ਾ㰊䥄㹖胣讫뇦薠볯鎼胣㲑䐯噉ਾ䐼噉ਾ†곧銼菣뎃苣꒾臣膀藥뢻臣뺯臣ꚁ黥뒛雦醐臣뮧该馁苣膀ꯨ花ꃩ醼볯ꮁ꣨覼臣몂菣ꂃ菣뎃苣뮳胣ં⼼䥄㹖ਊ䐼噉邀ꯨ花ꃩ銼볯醀⼼䥄㹖㰊䥄㹖 ꖻ룤꺁鷦뚻볯銼볯誏臣袼볯覼苣ꢅ돧ꮁ臣蒁臣肺뛨馁苣膀ꯨ花ꃩ銼볯ꮁ꣨覼臣몂菣ꂃ菣뎃苣뮳볯㲚牢ਾ†볯㲹畳⁢浸湬㩳灪∽瑨灴⼺眯睷樮潰朮⹯灪㸢볯㲴猯扵麼볯₹뮃菣뮃볯銼볯㲉牢ਾ†볯躼볯閼볯袼볯込볯㲹畳⁢浸湬㩳灪∽瑨灴⼺眯睷樮潰朮⹯灪㸢볯㲴猯扵覼볯袼甼砠汭獮樺㵰栢瑴㩰⼯睷⹷灪⹯潧樮≰蚽⼼㹵猼扵砠汭獮樺㵰栢瑴㩰⼯睷⹷灪⹯潧樮≰㰾㹵볯㲴甯㰾猯扵㰾⁵浸湬㩳灪∽瑨灴⼺眯睷樮潰朮⹯灪㸢볯蚽⼼㹵볯鲼볯躼볯邼†菣뮃菣袼볯覼戼㹲 袼臣ꂁ臣膀볯鶼뷯㲆畳⁢浸湬㩳灪∽瑨灴⼺眯睷樮潰朮⹯灪㸢볯㲴猯扵込뷯㲆畳⁢浸湬㩳灪∽瑨灴⼺眯睷樮潰朮⹯灪㸢볯㲷猯扵麼볯躼볯膀觏猼扵砠汭獮樺㵰栢瑴㩰⼯睷⹷灪⹯潧樮≰랼⼼畳㹢볯鎼볯ꞁ臣讂볯㲉牢ਾ臣鎁臣膀戼㹲蚽볯ꢅ돧꺁蓧릂럨ꊛ胣㲁牢ਾ뷯㲆畳⁢浸湬㩳灪∽瑨灴⼺眯睷樮潰朮⹯灪㸢볯㲴猯扵骼鳦ꂁꯧꮁ臣醁苣ꢅ돧꺁蓧릂럨ꊛ胣㲁牢ਾ볯骼藥뮳臣Ꚅ苧鶷鯩蚽臣誁臣讂胣견볯것菣몂뻧꺁胣肜ꓥ뚁苣鲣귦芙臣覅믨ꮁ꿥鞁臣芞鯧릖郥뢁臣뮧该辇胣㲁牢ਾ볯㲹畳⁢浸湬㩳灪∽瑨灴⼺眯睷樮潰朮⹯灪㸢볯㲴猯扵骼鳦ꂁꯧꞁ臣ꢅ돧꺁蓧릂럨ꊛ뷯㲆畳⁢浸湬㩳灪∽瑨灴⼺眯睷樮潰朮⹯灪㸢볯㲴猯扵ꮁ臣醁苣膀곧銼菣뎃苣꒾臣膀鳦Ꞥ臣貂ꏨꎭ駦꺁藥뢻臣뺯臣ꚁ黥뒛雦醐臣꺁꟧開蟩膀戼㹲蚽猼扵砠汭獮樺㵰栢瑴㩰⼯睷⹷灪⹯潧樮≰랼⼼畳㹢볯莺꟨꾫臣誁臣讂藥뮳臣Ꚅ苧鶷鯩膀戼㹲켊㲉畳⁢浸湬㩳灪∽瑨灴⼺眯睷樮潰朮⹯灪㸢볯㲷猯扵骼뫥銧ꯧꮁ臣醁苣肜ꓥ뮔꟨꺁跥ꒀ볯슈覼戼㹲ꞁ臣讂胣ં⼼䥄㹖ਊ䐼噉邀ꯨ花ꃩ銼볯醀⼼䥄㹖㰊䥄㹖 ꦉ뷤꺁藥ꚭ髧ꪁ菥銂鯩鞰髧ꪁ铧较뿤랏臣鞁臣몇諥꾏菨ꪁ鋦较ꏨ꺽臣芁臣ꚁ胣㲁牢ਾ觧鎽臣覅귥蒚臣较苣ꊽ裦馁苣몂菣ꂃ菣뎃苣뮳臣膀戼㹲늩苣벃菣것菣몂돧ꮁ苣誂뷥邈臣貂臣覅귥蒚臣较苣뮛냦蒚臣뮔菥ꆿ迥ꮁꓥ鮏臣讂鋦较듧邭臣銂若袁胣㲁牢ਾ觥風苣벃菣것菣몂돧貁胣㲁牢ਾ냥ꪁ臣ꢁ苣醼黦꺁菣뎃苣ꂴ귥ꞁ꟦邈臣貂臣것菣몂뻧銂ꓨ낕鳦鞁胣㲁牢ਾ觧鎽臥讁苣较臥뢁臣蚠臣膀戼㹲ꂲ臣醃菣벃苣覜臣膀볯骞臣것菣몂듧邭臣覂臣讂곧醼菣뎃苣꒾臣膀戼㹲ꎭ臣醃菣벃苣覜臣讂곧銼菣뎃苣꒾臣膀戼㹲ꎭ臣醃菣벃苣覜臣讂곧鎼菣뎃苣꒾臣銂若袁胣㲁牢ਾ鋦较駦꺁뫥銧ꯧ讁苣鮜臩꾫臣꺁苣벃菣뎃苣꺁髩ꮁ胣趉꣨견볯것菣몂뻧ꢁ곧銼菣뎃苣꒾臣꺁雩钚臣鮸냥鞁胣讁臣견볯것菣몂뻧ꢁ곧鎼菣뎃苣꒾臣꺁雩钚臣鞢ꓥ馁苣袂臣ꮁ郥것菣몂뻧銂藥뢻臣뾲臣ꚁ臣貂臣貂꟧開臣鮁臣覤胥銂ꇨ蒁胣㲁牢ਾ믤许臣ꆝ믤袼볯覼볯㲚牢ਾ†볯躼볯邼볯袼볯㲤畳⁢浸湬㩳灪∽瑨灴⼺眯睷樮潰朮⹯灪㸢볯뒼⼼畳㹢裢꒼猼扵砠汭獮樺㵰栢瑴㩰⼯睷⹷灪⹯潧樮≰銼볯㲷猯扵覼볯袼볯㲩畳⁢浸湬㩳灪∽瑨灴⼺眯睷樮潰朮⹯灪㸢뷯㲒猯扵쌾몼猼灵砠汭獮樺㵰栢瑴㩰⼯睷⹷灪⹯潧樮≰銼⼼畳㹰볯鲼볯躼볯邼†菣뮃菣袼볯覼戼㹲 袼臣ꂁ臣膀볯鶼뷯㲆畳⁢浸湬㩳灪∽瑨灴⼺眯睷樮潰朮⹯灪㸢볯㲴猯扵込뷯㲆畳⁢浸湬㩳灪∽瑨灴⼺眯睷樮潰朮⹯灪㸢볯㲷猯扵麼볯躼볯膀觏猼扵砠汭獮樺㵰栢瑴㩰⼯睷⹷灪⹯潧樮≰랼⼼畳㹢볯鎼볯覼戼㹲袼臣鎁臣膀戼㹲꒼猼扵砠汭獮樺㵰栢瑴㩰⼯睷⹷灪⹯潧樮≰銼볯㲴猯扵骼鳦ꂁꯧꮁ臣醁苣견볯것菣몂뻧꺁鳦较臥讁苣견볯것菣몂뻧꺁鳦ꦉ뷤뒁臣ꞁ臣뢻룤鎖髩膀戼㹲꒼猼扵砠汭獮樺㵰栢瑴㩰⼯睷⹷灪⹯潧樮≰銼볯㲷猯扵骼뫥銧ꯧꮁ臣醁苣견볯것菣몂뻧꺁鳦较臥讁苣견볯것菣몂뻧꺁鳦ꦉ뷤뒁臣ꞁ臣뢻룤鎖髩膀戼㹲ꦼ猼扵砠汭獮樺㵰栢瑴㩰⼯睷⹷灪⹯潧樮≰銽⼼畳㹢볯肜ꓥ较ꯩ袼볯㲩畳⁢浸湬㩳灪∽瑨灴⼺眯睷樮潰朮⹯灪㸢뷯㲒猯扵鶼뷯㲆畳⁢浸湬㩳灪∽瑨灴⼺眯睷樮潰朮⹯灪㸢볯㲴猯扵쌾钽뷯躽볯쾈㲉畳⁢浸湬㩳灪∽瑨灴⼺眯睷樮潰朮⹯灪㸢볯㲴猯扵覼볯膀戼㹲蚽猼扵砠汭獮樺㵰栢瑴㩰⼯睷⹷灪⹯潧樮≰뒼⼼畳㹢볯鮜臩꾫臣誁臣讂藥뮳臣Ꚅ苧鶷鯩膀戼㹲蚽猼扵砠汭獮樺㵰栢瑴㩰⼯睷⹷灪⹯潧樮≰랼⼼畳㹢볯莺꟨꾫臣誁臣讂藥뮳臣Ꚅ苧鶷鯩膀戼㹲켊㲉畳⁢浸湬㩳灪∽瑨灴⼺眯睷樮潰朮⹯灪㸢볯㲷猯扵骼뫥銧ꯧꮁ臣醁苣肜ꓥ뮔꟨꺁跥ꒀ볯슈覼胣㲁牢ਾ觏猼扵砠汭獮樺㵰栢瑴㩰⼯睷⹷灪⹯潧樮≰뒼⼼畳㹢볯鮜臩꾫臣誁臣讂鳦Ꞥ铧銧臣認胥袼냂볯㲉牢ਾ臣芁苣覼戼㹲銂뫦뎶臣讂苣벃菣것菣몂돧ꞁ臣讂胣꺒菥薣뷧芀㰊䐯噉ਾ㰊䥄㹖胣讫뇦薠볯隼胣㲑䐯噉ਾ䐼噉ਾ†觧鎽臣覅귥蒚臣较苣뮛냦蒚臣뮔菥ꆿ迥ꮁꓥ鮏臣膀ꓥ鮏臣貂臣뮔菥ꆿ迥꺁ꇨ몤迥뎁꣨뚆臣醰臣辁臣节룤릖苣財臣ꮂ菣ꦃ臣芁臣ꚁ胣㲁牢ਾ觧鎽臣覅귥蒚臣较苣ꊽ裦馁苣몂菣ꂃ菣뎃苣뮳臣膀ꧨ몂菣ꂃ菣뎃苣뮳臣袂苣ꊽ裦閁苣龁藥ꚭ髧ꪁ菥銂鯩鞰髧ꪁ铧较뿤랏臣覤迦馁苣꺒菥ꂴ귥ꢁ苣ꮐ苣꺒菥薣뷧銂若袁胣㲁牢ਾ觥風苣벃菣것菣몂돧貁胣㲁牢ਾ냥ꪁ臣ꢁ苣醼黦꺁菣뎃苣ꂴ귥ꞁ꟦邈臣貂臣것菣몂뻧銂ꓨ낕鳦鞁胣㲁牢ਾ觧鎽臥讁苣较臥뢁臣蚠臣膀戼㹲ꂲ臣醃菣벃苣覜臣膀볯骞臣것菣몂듧邭臣覂臣讂곧醼菣뎃苣꒾臣膀戼㹲ꎭ臣醃菣벃苣覜臣讂곧銼菣뎃苣꒾臣膀戼㹲ꎭ臣醃菣벃苣覜臣讂곧鎼菣뎃苣꒾臣銂若袁胣㲁牢ਾ鋦较駦꺁뫥銧ꯧ讁苣鮜臩꾫臣꺁苣벃菣뎃苣꺁髩ꮁ胣趉꣨견볯것菣몂뻧ꢁ곧銼菣뎃苣꒾臣꺁雩钚臣鮸냥鞁胣讁臣견볯것菣몂뻧ꢁ곧鎼菣뎃苣꒾臣꺁雩钚臣鞢ꓥ馁苣袂臣ꮁ郥것菣몂뻧銂藥뢻臣뾲臣ꚁ臣貂臣貂꟧開臣鮁臣覤胥銂ꇨ蒁胣㲁牢ਾ믤许臣ꆝ믤袼볯覼볯㲚牢ਾ†볯躼볯邼볯袼볯㲤畳⁢浸湬㩳灪∽瑨灴⼺眯睷樮潰朮⹯灪㸢볯뒼⼼畳㹢裢꒼猼扵砠汭獮樺㵰栢瑴㩰⼯睷⹷灪⹯潧樮≰銼볯㲷猯扵覼볯袼볯㲩畳⁢浸湬㩳灪∽瑨灴⼺眯睷樮潰朮⹯灪㸢뷯㲒猯扵쌾몼猼灵砠汭獮樺㵰栢瑴㩰⼯睷⹷灪⹯潧樮≰銼⼼畳㹰볯鲼볯躼볯邼†菣뮃菣袼볯覼戼㹲 袼臣ꂁ臣膀볯鶼뷯㲆畳⁢浸湬㩳灪∽瑨灴⼺眯睷樮潰朮⹯灪㸢볯㲴猯扵込뷯㲆畳⁢浸湬㩳灪∽瑨灴⼺眯睷樮潰朮⹯灪㸢볯㲷猯扵麼볯躼볯膀觏猼扵砠汭獮樺㵰栢瑴㩰⼯睷⹷灪⹯潧樮≰랼⼼畳㹢볯鎼볯覼戼㹲袼臣鎁臣膀戼㹲꒼猼扵砠汭獮樺㵰栢瑴㩰⼯睷⹷灪⹯潧樮≰銼볯㲴猯扵骼鳦ꂁꯧꮁ臣醁苣견볯것菣몂뻧꺁鳦较臥讁苣견볯것菣몂뻧꺁鳦ꦉ뷤뒁臣ꞁ臣뢻룤鎖髩膀戼㹲꒼猼扵砠汭獮樺㵰栢瑴㩰⼯睷⹷灪⹯潧樮≰銼볯㲷猯扵骼뫥銧ꯧꮁ臣醁苣견볯것菣몂뻧꺁鳦较臥讁苣견볯것菣몂뻧꺁鳦ꦉ뷤뒁臣ꞁ臣뢻룤鎖髩膀戼㹲ꦼ猼扵砠汭獮樺㵰栢瑴㩰⼯睷⹷灪⹯潧樮≰銽⼼畳㹢볯肜ꓥ较ꯩ袼볯㲩畳⁢浸湬㩳灪∽瑨灴⼺眯睷樮潰朮⹯灪㸢뷯㲒猯扵鶼뷯㲆畳⁢浸湬㩳灪∽瑨灴⼺眯睷樮潰朮⹯灪㸢볯㲴猯扵쌾钽뷯躽볯쾈㲉畳⁢浸湬㩳灪∽瑨灴⼺眯睷樮潰朮⹯灪㸢볯㲴猯扵覼볯膀戼㹲蚽猼扵砠汭獮樺㵰栢瑴㩰⼯睷⹷灪⹯潧樮≰뒼⼼畳㹢볯鮜臩꾫臣誁臣讂藥뮳臣Ꚅ苧鶷鯩膀戼㹲蚽猼扵砠汭獮樺㵰栢瑴㩰⼯睷⹷灪⹯潧樮≰랼⼼畳㹢볯莺꟨꾫臣誁臣讂藥뮳臣Ꚅ苧鶷鯩膀戼㹲켊㲉畳⁢浸湬㩳灪∽瑨灴⼺眯睷樮潰朮⹯灪㸢볯㲷猯扵骼뫥銧ꯧꮁ臣醁苣肜ꓥ뮔꟨꺁跥ꒀ볯슈覼胣㲁牢ਾ觏猼扵砠汭獮樺㵰栢瑴㩰⼯睷⹷灪⹯潧樮≰뒼⼼畳㹢볯鮜臩꾫臣誁臣讂鳦Ꞥ铧銧臣認胥袼냂볯㲉牢ਾ臣芁苣覼戼㹲銂뫦뎶臣讂苣벃菣것菣몂돧ꞁ臣讂胣ꮂ菣ꦃ胣ં⼼䥄㹖ਊ㰊䥄㹖胣讉뛧鲣귦鎼胣㲑䐯噉ਾ䐼噉邀ꏨꎭ꿥ꆱ鯦麡郥醀鯥ꊝ⼼䥄㹖㰊䥄㹖胣鲣귦뺯뇨薠鯧趐胣ꢅ鯥㲳䐯噉ਾ䐼噉邀ꏨꎭ雦閳胣覤鯦㲴䐯噉ਾ䐼噉邀ꏨꎭ臣薆껥醀⼼䥄㹖㰊䥄㹖䐼噉邀鯥醼胣㲑䐯噉ਾ䐼噉㰾⁡牨晥∽〲㤰㤰ㄶ㜵琮晩㸢〲㤰㤰ㄶ㜵琮晩ꃂ〰㄰㠷⼼㹡⼼䥄㹖㰊䥄㹖胣뎛볯醀⼼䥄㹖㰊䥄㹖愼栠敲㵦㈢〰〹㘹㔱⸷楴≦㈾〰〹㘹㔱⸷楴쉦゠〰㜱㰹愯㰾䐯噉ਾ䐼噉邀鯥鎼胣㲑䐯噉ਾ䐼噉㰾⁡牨晥∽〲㤰㤰ㄶ㜵琮晩㸢〲㤰㤰ㄶ㜵琮晩ꃂ〰㄰〸⼼㹡⼼䥄㹖㰊䥄㹖胣뎛볯醀⼼䥄㹖㰊䥄㹖愼栠敲㵦㈢〰〹㘹㔱⸷楴≦㈾〰〹㘹㔱⸷楴쉦゠〰㠱㰱愯㰾䐯噉ਾ䐼噉邀鯥閼胣㲑䐯噉ਾ䐼噉㰾⁡牨晥∽〲㤰㤰ㄶ㜵琮晩㸢〲㤰㤰ㄶ㜵琮晩ꃂ〰㄰㈸⼼㹡⼼䥄㹖㰊䥄㹖胣뎛볯醀⼼䥄㹖㰊䥄㹖愼栠敲㵦㈢〰〹㘹㔱⸷楴≦㈾〰〹㘹㔱⸷楴쉦゠〰㠱㰳愯㰾䐯噉ਾ䐼噉邀鯥鞼胣㲑䐯噉ਾ䐼噉㰾⁡牨晥∽〲㤰㤰ㄶ㜵琮晩㸢〲㤰㤰ㄶ㜵琮晩ꃂ〰㄰㐸⼼㹡⼼䥄㹖㰊䥄㹖胣뎛볯醀⼼䥄㹖㰊䥄㹖愼栠敲㵦㈢〰〹㘹㔱⸷楴≦㈾〰〹㘹㔱⸷楴쉦゠〰㠱㰵愯㰾䐯噉ਾ䐼噉邀鯥馼胣㲑䐯噉ਾ䐼噉㰾⁡牨晥∽〲㤰㤰ㄶ㜵琮晩㸢〲㤰㤰ㄶ㜵琮晩ꃂ〰㄰㘸⼼㹡⼼䥄㹖㰊䥄㹖胣뎛볯邼胣㲑䐯噉ਾ䐼噉㰾⁡牨晥∽〲㤰㤰ㄶ㜵琮晩㸢〲㤰㤰ㄶ㜵琮晩ꃂ〰㄰㜸⼼㹡⼼䥄㹖㰊䥄㹖胣뎛볯醼胣㲑䐯噉ਾ䐼噉㰾⁡牨晥∽〲㤰㤰ㄶ㜵琮晩㸢〲㤰㤰ㄶ㜵琮晩ꃂ〰㄰㠸⼼㹡⼼䥄㹖㰊䥄㹖胣뎛볯銼胣㲑䐯噉ਾ䐼噉㰾⁡牨晥∽〲㤰㤰ㄶ㜵琮晩㸢〲㤰㤰ㄶ㜵琮晩ꃂ〰㄰㤸⼼㹡⼼䥄㹖㰊䥄㹖胣뎛볯鎼胣㲑䐯噉ਾ䐼噉㰾⁡牨晥∽〲㤰㤰ㄶ㜵琮晩㸢〲㤰㤰ㄶ㜵琮晩ꃂ〰㄰〹⼼㹡⼼䥄㹖㰊䥄㹖胣뎛볯钼胣㲑䐯噉ਾ䐼噉㰾⁡牨晥∽〲㤰㤰ㄶ㜵琮晩㸢〲㤰㤰ㄶ㜵琮晩ꃂ〰㄰ㄹ⼼㹡⼼䥄㹖㰊䥄㹖胣뎛볯閼胣㲑䐯噉ਾ䐼噉㰾⁡牨晥∽〲㤰㤰ㄶ㜵琮晩㸢〲㤰㤰ㄶ㜵琮晩ꃂ〰㄰㈹⼼㹡⼼䥄㹖㰊䥄㹖胣뎛볯隼胣㲑䐯噉ਾ䐼噉㰾⁡牨晥∽〲㤰㤰ㄶ㜵琮晩㸢〲㤰㤰ㄶ㜵琮晩ꃂ〰㄰㌹⼼㹡⼼䥄㹖㰊䥄㹖胣뎛볯鞼胣㲑䐯噉ਾ䐼噉㰾⁡牨晥∽〲㤰㤰ㄶ㜵琮晩㸢〲㤰㤰ㄶ㜵琮晩ꃂ〰㄰㐹⼼㹡⼼䥄㹖㰊䥄㹖胣뎛볯颼胣㲑䐯噉ਾ䐼噉㰾⁡牨晥∽〲㤰㤰ㄶ㜵琮晩㸢〲㤰㤰ㄶ㜵琮晩ꃂ〰㄰㔹⼼㹡⼼䥄㹖㰊䥄㹖胣뎛볯馼胣㲑䐯噉ਾ䐼噉㰾⁡牨晥∽〲㤰㤰ㄶ㜵琮晩㸢〲㤰㤰ㄶ㜵琮晩ꃂ〰㄰㘹⼼㹡⼼䥄㹖㰊䥄㹖胣뎛볯邼胣㲑䐯噉ਾ䐼噉㰾⁡牨晥∽〲㤰㤰ㄶ㜵琮晩㸢〲㤰㤰ㄶ㜵琮晩ꃂ〰㄰㜹⼼㹡⼼䥄㹖㰊䥄㹖胣뎛볯醼胣㲑䐯噉ਾ䐼噉㰾⁡牨晥∽〲㤰㤰ㄶ㜵琮晩㸢〲㤰㤰ㄶ㜵琮晩ꃂ〰㄰㠹⼼㹡⼼䥄㹖㰊䥄㹖胣뎛볯銼胣㲑䐯噉ਾ䐼噉㰾⁡牨晥∽〲㤰㤰ㄶ㜵琮晩㸢〲㤰㤰ㄶ㜵琮晩ꃂ〰㄰㤹⼼㹡⼼䥄㹖㰊䥄㹖胣뎛볯鎼胣㲑䐯噉ਾ䐼噉㰾⁡牨晥∽〲㤰㤰ㄶ㜵琮晩㸢〲㤰㤰ㄶ㜵琮晩ꃂ〰㈰〰⼼㹡⼼䥄㹖㰊䥄㹖胣뎛볯钼胣㲑䐯噉ਾ䐼噉㰾⁡牨晥∽〲㤰㤰ㄶ㜵琮晩㸢〲㤰㤰ㄶ㜵琮晩ꃂ〰㈰㄰⼼㹡⼼䥄㹖㰊䥄㹖胣뎛볯閼胣㲑䐯噉ਾ䐼噉㰾⁡牨晥∽〲㤰㤰ㄶ㜵琮晩㸢〲㤰㤰ㄶ㜵琮晩ꃂ〰㈰㈰⼼㹡⼼䥄㹖㰊䥄㹖胣뎛볯隼胣㲑䐯噉ਾ䐼噉㰾⁡牨晥∽〲㤰㤰ㄶ㜵琮晩㸢〲㤰㤰ㄶ㜵琮晩ꃂ〰㈰㌰⼼㹡⼼䥄㹖㰊䥄㹖胣뎛볯鞼胣㲑䐯噉ਾ䐼噉㰾⁡牨晥∽〲㤰㤰ㄶ㜵琮晩㸢〲㤰㤰ㄶ㜵琮晩ꃂ〰㈰㐰⼼㹡⼼䥄㹖㰊䥄㹖胣뎛볯颼胣㲑䐯噉ਾ䐼噉㰾⁡牨晥∽〲㤰㤰ㄶ㜵琮晩㸢〲㤰㤰ㄶ㜵琮晩ꃂ〰㈰㔰⼼㹡⼼䥄㹖㰊䥄㹖胣뎛볯馼胣㲑䐯噉ਾ䐼噉㰾⁡牨晥∽〲㤰㤰ㄶ㜵琮晩㸢〲㤰㤰ㄶ㜵琮晩ꃂ〰㈰㘰⼼㹡⼼䥄㹖㰊䥄㹖胣뎛볯邼胣㲑䐯噉ਾ䐼噉㰾⁡牨晥∽〲㤰㤰ㄶ㜵琮晩㸢〲㤰㤰ㄶ㜵琮晩ꃂ〰㈰㜰⼼㹡⼼䥄㹖㰊䥄㹖胣뎛볯醼胣㲑䐯噉ਾ䐼噉㰾⁡牨晥∽〲㤰㤰ㄶ㜵琮晩㸢〲㤰㤰ㄶ㜵琮晩ꃂ〰㈰㠰⼼㹡⼼䥄㹖㰊䥄㹖胣뎛볯銼胣㲑䐯噉ਾ䐼噉㰾⁡牨晥∽〲㤰㤰ㄶ㜵琮晩㸢〲㤰㤰ㄶ㜵琮晩ꃂ〰㈰㤰⼼㹡⼼䥄㹖㰊䥄㹖胣뎛볯鎼胣㲑䐯噉ਾ䐼噉㰾⁡牨晥∽〲㤰㤰ㄶ㜵琮晩㸢〲㤰㤰ㄶ㜵琮晩ꃂ〰㈰〱⼼㹡⼼䥄㹖㰊䥄㹖胣뎛볯钼胣㲑䐯噉ਾ䐼噉㰾⁡牨晥∽〲㤰㤰ㄶ㜵琮晩㸢〲㤰㤰ㄶ㜵琮晩ꃂ〰㈰ㄱ⼼㹡⼼䥄㹖㰊䥄㹖胣뎛볯閼胣㲑䐯噉ਾ䐼噉㰾⁡牨晥∽〲㤰㤰ㄶ㜵琮晩㸢〲㤰㤰ㄶ㜵琮晩ꃂ〰㈰㈱⼼㹡⼼䥄㹖㰊䥄㹖胣뎛볯隼胣㲑䐯噉ਾ䐼噉㰾⁡牨晥∽〲㤰㤰ㄶ㜵琮晩㸢〲㤰㤰ㄶ㜵琮晩ꃂ〰㈰㌱⼼㹡⼼䥄㹖㰊䥄㹖胣뎛볯鞼胣㲑䐯噉ਾ䐼噉㰾⁡牨晥∽〲㤰㤰ㄶ㜵琮晩㸢〲㤰㤰ㄶ㜵琮晩ꃂ〰㈰㐱⼼㹡⼼䥄㹖㰊䥄㹖胣뎛볯颼胣㲑䐯噉ਾ䐼噉㰾⁡牨晥∽〲㤰㤰ㄶ㜵琮晩㸢〲㤰㤰ㄶ㜵琮晩ꃂ〰㈰㔱⼼㹡⼼䥄㹖㰊䥄㹖胣뎛볯馼胣㲑䐯噉ਾ䐼噉㰾⁡牨晥∽〲㤰㤰ㄶ㜵琮晩㸢〲㤰㤰ㄶ㜵琮晩ꃂ〰㈰㘱⼼㹡⼼䥄㹖㰊䥄㹖胣뎛볯邼胣㲑䐯噉ਾ䐼噉㰾⁡牨晥∽〲㤰㤰ㄶ㜵琮晩㸢〲㤰㤰ㄶ㜵琮晩ꃂ〰㈰㜱⼼㹡⼼䥄㹖㰊䥄㹖胣뎛볯醼胣㲑䐯噉ਾ䐼噉㰾⁡牨晥∽〲㤰㤰ㄶ㜵琮晩㸢〲㤰㤰ㄶ㜵琮晩ꃂ〰㈰㠱⼼㹡⼼䥄㹖㰊䥄㹖胣뎛볯銼胣㲑䐯噉ਾ䐼噉㰾⁡牨晥∽〲㤰㤰ㄶ㜵琮晩㸢〲㤰㤰ㄶ㜵琮晩ꃂ〰㈰㤱⼼㹡⼼䥄㹖㰊䥄㹖胣뎛볯鎼胣㲑䐯噉ਾ䐼噉㰾⁡牨晥∽〲㤰㤰ㄶ㜵琮晩㸢〲㤰㤰ㄶ㜵琮晩ꃂ〰㈰〲⼼㹡⼼䥄㹖㰊䥄㹖胣뎛볯钼胣㲑䐯噉ਾ䐼噉㰾⁡牨晥∽〲㤰㤰ㄶ㜵琮晩㸢〲㤰㤰ㄶ㜵琮晩ꃂ〰㈰ㄲ⼼㹡⼼䥄㹖㰊䥄㹖胣뎛볯閼胣㲑䐯噉ਾ䐼噉㰾⁡牨晥∽〲㤰㤰ㄶ㜵琮晩㸢〲㤰㤰ㄶ㜵琮晩ꃂ〰㈰㈲⼼㹡⼼䥄㹖㰊䥄㹖胣뎛볯隼胣㲑䐯噉ਾ䐼噉㰾⁡牨晥∽〲㤰㤰ㄶ㜵琮晩㸢〲㤰㤰ㄶ㜵琮晩ꃂ〰㈰㌲⼼㹡⼼䥄㹖㰊䥄㹖胣뎛볯鞼胣㲑䐯噉ਾ䐼噉㰾⁡牨晥∽〲㤰㤰ㄶ㜵琮晩㸢〲㤰㤰ㄶ㜵琮晩ꃂ〰㈰㐲⼼㹡⼼䥄㹖㰊䥄㹖胣뎛볯颼胣㲑䐯噉ਾ䐼噉㰾⁡牨晥∽〲㤰㤰ㄶ㜵琮晩㸢〲㤰㤰ㄶ㜵琮晩ꃂ〰㈰㔲⼼㹡⼼䥄㹖㰊䥄㹖胣뎛볯馼胣㲑䐯噉ਾ䐼噉㰾⁡牨晥∽〲㤰㤰ㄶ㜵琮晩㸢〲㤰㤰ㄶ㜵琮晩ꃂ〰㈰㘲⼼㹡⼼䥄㹖㰊䥄㹖胣뎛볯邼胣㲑䐯噉ਾ䐼噉㰾⁡牨晥∽〲㤰㤰ㄶ㜵琮晩㸢〲㤰㤰ㄶ㜵琮晩ꃂ〰㈰㜲⼼㹡⼼䥄㹖㰊䥄㹖胣뎛볯醼胣㲑䐯噉ਾ䐼噉㰾⁡牨晥∽〲㤰㤰ㄶ㜵琮晩㸢〲㤰㤰ㄶ㜵琮晩ꃂ〰㈰㠲⼼㹡⼼䥄㹖㰊䥄㹖胣뎛볯銼胣㲑䐯噉ਾ䐼噉㰾⁡牨晥∽〲㤰㤰ㄶ㜵琮晩㸢〲㤰㤰ㄶ㜵琮晩ꃂ〰㈰㤲⼼㹡⼼䥄㹖㰊䥄㹖胣뎛볯鎼胣㲑䐯噉ਾ䐼噉㰾⁡牨晥∽〲㤰㤰ㄶ㜵琮晩㸢〲㤰㤰ㄶ㜵琮晩ꃂ〰㈰〳⼼㹡⼼䥄㹖㰊䥄㹖胣뎛볯钼胣㲑䐯噉ਾ䐼噉㰾⁡牨晥∽〲㤰㤰ㄶ㜵琮晩㸢〲㤰㤰ㄶ㜵琮晩ꃂ〰㈰ㄳ⼼㹡⼼䥄㹖㰊䥄㹖胣뎛볯閼胣㲑䐯噉ਾ䐼噉㰾⁡牨晥∽〲㤰㤰ㄶ㜵琮晩㸢〲㤰㤰ㄶ㜵琮晩ꃂ〰㈰㈳⼼㹡⼼䥄㹖㰊䥄㹖胣뎛볯隼胣㲑䐯噉ਾ䐼噉㰾⁡牨晥∽〲㤰㤰ㄶ㜵琮晩㸢〲㤰㤰ㄶ㜵琮晩ꃂ〰㈰㌳⼼㹡⼼䥄㹖㰊䥄㹖胣뎛볯鞼胣㲑䐯噉ਾ䐼噉㰾⁡牨晥∽〲㤰㤰ㄶ㜵琮晩㸢〲㤰㤰ㄶ㜵琮晩ꃂ〰㈰㐳⼼㹡⼼䥄㹖㰊䥄㹖胣뎛볯颼胣㲑䐯噉ਾ䐼噉㰾⁡牨晥∽〲㤰㤰ㄶ㜵琮晩㸢〲㤰㤰ㄶ㜵琮晩ꃂ〰㈰㔳⼼㹡⼼䥄㹖㰊䥄㹖胣뎛볯馼胣㲑䐯噉ਾ䐼噉㰾⁡牨晥∽〲㤰㤰ㄶ㜵琮晩㸢〲㤰㤰ㄶ㜵琮晩ꃂ〰㈰㘳⼼㹡⼼䥄㹖㰊䥄㹖胣뎛볯邼胣㲑䐯噉ਾ䐼噉㰾⁡牨晥∽〲㤰㤰ㄶ㜵琮晩㸢〲㤰㤰ㄶ㜵琮晩ꃂ〰㈰㜳⼼㹡⼼䥄㹖㰊䥄㹖胣뎛볯醼胣㲑䐯噉ਾ䐼噉㰾⁡牨晥∽〲㤰㤰ㄶ㜵琮晩㸢〲㤰㤰ㄶ㜵琮晩ꃂ〰㈰㠳⼼㹡⼼䥄㹖㰊䥄㹖胣뎛볯銼胣㲑䐯噉ਾ䐼噉㰾⁡牨晥∽〲㤰㤰ㄶ㜵琮晩㸢〲㤰㤰ㄶ㜵琮晩ꃂ〰㈰㤳⼼㹡⼼䥄㹖㰊䥄㹖胣뎛볯鎼胣㲑䐯噉ਾ䐼噉㰾⁡牨晥∽〲㤰㤰ㄶ㜵琮晩㸢〲㤰㤰ㄶ㜵琮晩ꃂ〰㈰〴⼼㹡⼼䥄㹖㰊䥄㹖胣뎛볯钼胣㲑䐯噉ਾ䐼噉㰾⁡牨晥∽〲㤰㤰ㄶ㜵琮晩㸢〲㤰㤰ㄶ㜵琮晩ꃂ〰㈰ㄴ⼼㹡⼼䥄㹖㰊䥄㹖胣뎛볯閼胣㲑䐯噉ਾ䐼噉㰾⁡牨晥∽〲㤰㤰ㄶ㜵琮晩㸢〲㤰㤰ㄶ㜵琮晩ꃂ〰㈰㈴⼼㹡⼼䥄㹖㰊䥄㹖胣뎛볯隼胣㲑䐯噉ਾ䐼噉㰾⁡牨晥∽〲㤰㤰ㄶ㜵琮晩㸢〲㤰㤰ㄶ㜵琮晩ꃂ〰㈰㌴⼼㹡⼼䥄㹖㰊䥄㹖胣뎛볯鞼胣㲑䐯噉ਾ䐼噉㰾⁡牨晥∽〲㤰㤰ㄶ㜵琮晩㸢〲㤰㤰ㄶ㜵琮晩ꃂ〰㈰㐴⼼㹡⼼䥄㹖㰊䥄㹖胣뎛볯颼胣㲑䐯噉ਾ䐼噉㰾⁡牨晥∽〲㤰㤰ㄶ㜵琮晩㸢〲㤰㤰ㄶ㜵琮晩ꃂ〰㈰㔴⼼㹡⼼䥄㹖㰊䥄㹖胣뎛볯馼胣㲑䐯噉ਾ䐼噉㰾⁡牨晥∽〲㤰㤰ㄶ㜵琮晩㸢〲㤰㤰ㄶ㜵琮晩ꃂ〰㈰㘴⼼㹡⼼䥄㹖㰊䥄㹖胣뎛볯邼胣㲑䐯噉ਾ䐼噉㰾⁡牨晥∽〲㤰㤰ㄶ㜵琮晩㸢〲㤰㤰ㄶ㜵琮晩ꃂ〰㈰㜴⼼㹡⼼䥄㹖㰊䥄㹖胣뎛볯醼胣㲑䐯噉ਾ䐼噉㰾⁡牨晥∽〲㤰㤰ㄶ㜵琮晩㸢〲㤰㤰ㄶ㜵琮晩ꃂ〰㈰㠴⼼㹡⼼䥄㹖㰊䥄㹖胣뎛볯銼胣㲑䐯噉ਾ䐼噉㰾⁡牨晥∽〲㤰㤰ㄶ㜵琮晩㸢〲㤰㤰ㄶ㜵琮晩ꃂ〰㈰㤴⼼㹡⼼䥄㹖㰊䥄㹖胣뎛볯鎼胣㲑䐯噉ਾ䐼噉㰾⁡牨晥∽〲㤰㤰ㄶ㜵琮晩㸢〲㤰㤰ㄶ㜵琮晩ꃂ〰㈰〵⼼㹡⼼䥄㹖㰊䥄㹖胣뎛볯钼胣㲑䐯噉ਾ䐼噉㰾⁡牨晥∽〲㤰㤰ㄶ㜵琮晩㸢〲㤰㤰ㄶ㜵琮晩ꃂ〰㈰ㄵ⼼㹡⼼䥄㹖㰊䥄㹖胣뎛볯閼胣㲑䐯噉ਾ䐼噉㰾⁡牨晥∽〲㤰㤰ㄶ㜵琮晩㸢〲㤰㤰ㄶ㜵琮晩ꃂ〰㈰㈵⼼㹡⼼䥄㹖㰊䥄㹖胣뎛볯隼胣㲑䐯噉ਾ䐼噉㰾⁡牨晥∽〲㤰㤰ㄶ㜵琮晩㸢〲㤰㤰ㄶ㜵琮晩ꃂ〰㈰㌵⼼㹡⼼䥄㹖㰊䥄㹖胣뎛볯鞼胣㲑䐯噉ਾ䐼噉㰾⁡牨晥∽〲㤰㤰ㄶ㜵琮晩㸢〲㤰㤰ㄶ㜵琮晩ꃂ〰㈰㐵⼼㹡⼼䥄㹖㰊䥄㹖胣뎛볯颼胣㲑䐯噉ਾ䐼噉㰾⁡牨晥∽〲㤰㤰ㄶ㜵琮晩㸢〲㤰㤰ㄶ㜵琮晩ꃂ〰㈰㔵⼼㹡⼼䥄㹖㰊䥄㹖胣뎛볯馼胣㲑䐯噉ਾ䐼噉㰾⁡牨晥∽〲㤰㤰ㄶ㜵琮晩㸢〲㤰㤰ㄶ㜵琮晩ꃂ〰㈰㘵⼼㹡⼼䥄㹖㰊䥄㹖胣뎛볯邼胣㲑䐯噉ਾ䐼噉㰾⁡牨晥∽〲㤰㤰ㄶ㜵琮晩㸢〲㤰㤰ㄶ㜵琮晩ꃂ〰㈰㜵⼼㹡⼼䥄㹖㰊䥄㹖胣뎛볯醼胣㲑䐯噉ਾ䐼噉㰾⁡牨晥∽〲㤰㤰ㄶ㜵琮晩㸢〲㤰㤰ㄶ㜵琮晩ꃂ〰㈰㠵⼼㹡⼼䥄㹖㰊䥄㹖胣뎛볯銼胣㲑䐯噉ਾ䐼噉㰾⁡牨晥∽〲㤰㤰ㄶ㜵琮晩㸢〲㤰㤰ㄶ㜵琮晩ꃂ〰㈰㤵⼼㹡⼼䥄㹖㰊䥄㹖胣뎛볯鎼胣㲑䐯噉ਾ䐼噉㰾⁡牨晥∽〲㤰㤰ㄶ㜵琮晩㸢〲㤰㤰ㄶ㜵琮晩ꃂ〰㈰〶⼼㹡⼼䥄㹖㰊䥄㹖胣뎛볯钼胣㲑䐯噉ਾ䐼噉㰾⁡牨晥∽〲㤰㤰ㄶ㜵琮晩㸢〲㤰㤰ㄶ㜵琮晩ꃂ〰㈰ㄶ⼼㹡⼼䥄㹖㰊䥄㹖胣뎛볯閼胣㲑䐯噉ਾ䐼噉㰾⁡牨晥∽〲㤰㤰ㄶ㜵琮晩㸢〲㤰㤰ㄶ㜵琮晩ꃂ〰㈰㈶⼼㹡⼼䥄㹖㰊䥄㹖胣뎛볯隼胣㲑䐯噉ਾ䐼噉㰾⁡牨晥∽〲㤰㤰ㄶ㜵琮晩㸢〲㤰㤰ㄶ㜵琮晩ꃂ〰㈰㌶⼼㹡⼼䥄㹖㰊䥄㹖胣뎛볯鞼胣㲑䐯噉ਾ䐼噉㰾⁡牨晥∽〲㤰㤰ㄶ㜵琮晩㸢〲㤰㤰ㄶ㜵琮晩ꃂ〰㈰㐶⼼㹡⼼䥄㹖㰊䥄㹖胣뎛볯颼胣㲑䐯噉ਾ䐼噉㰾⁡牨晥∽〲㤰㤰ㄶ㜵琮晩㸢〲㤰㤰ㄶ㜵琮晩ꃂ〰㈰㔶⼼㹡⼼䥄㹖㰊䥄㹖胣뎛볯馼胣㲑䐯噉ਾ䐼噉㰾⁡牨晥∽〲㤰㤰ㄶ㜵琮晩㸢〲㤰㤰ㄶ㜵琮晩ꃂ〰㈰㘶⼼㹡⼼䥄㹖㰊䥄㹖胣뎛볯邼胣㲑䐯噉ਾ䐼噉㰾⁡牨晥∽〲㤰㤰ㄶ㜵琮晩㸢〲㤰㤰ㄶ㜵琮晩ꃂ〰㈰㜶⼼㹡⼼䥄㹖㰊䥄㹖胣뎛볯醼胣㲑䐯噉ਾ䐼噉㰾⁡牨晥∽〲㤰㤰ㄶ㜵琮晩㸢〲㤰㤰ㄶ㜵琮晩ꃂ〰㈰㠶⼼㹡⼼䥄㹖㰊䥄㹖胣뎛볯銼胣㲑䐯噉ਾ䐼噉㰾⁡牨晥∽〲㤰㤰ㄶ㜵琮晩㸢〲㤰㤰ㄶ㜵琮晩ꃂ〰㈰㤶⼼㹡⼼䥄㹖㰊䥄㹖胣뎛볯鎼胣㲑䐯噉ਾ䐼噉㰾⁡牨晥∽〲㤰㤰ㄶ㜵琮晩㸢〲㤰㤰ㄶ㜵琮晩ꃂ〰㈰〷⼼㹡⼼䥄㹖㰊䥄㹖胣뎛볯钼胣㲑䐯噉ਾ䐼噉㰾⁡牨晥∽〲㤰㤰ㄶ㜵琮晩㸢〲㤰㤰ㄶ㜵琮晩ꃂ〰㈰ㄷ⼼㹡⼼䥄㹖㰊䥄㹖胣뎛볯閼胣㲑䐯噉ਾ䐼噉㰾⁡牨晥∽〲㤰㤰ㄶ㜵琮晩㸢〲㤰㤰ㄶ㜵琮晩ꃂ〰㈰㈷⼼㹡⼼䥄㹖㰊䥄㹖胣뎛볯隼胣㲑䐯噉ਾ䐼噉㰾⁡牨晥∽〲㤰㤰ㄶ㜵琮晩㸢〲㤰㤰ㄶ㜵琮晩ꃂ〰㈰㌷⼼㹡⼼䥄㹖㰊䥄㹖胣뎛볯鞼胣㲑䐯噉ਾ䐼噉㰾⁡牨晥∽〲㤰㤰ㄶ㜵琮晩㸢〲㤰㤰ㄶ㜵琮晩ꃂ〰㈰㐷⼼㹡⼼䥄㹖㰊䥄㹖胣뎛볯颼胣㲑䐯噉ਾ䐼噉㰾⁡牨晥∽〲㤰㤰ㄶ㜵琮晩㸢〲㤰㤰ㄶ㜵琮晩ꃂ〰㈰㔷⼼㹡⼼䥄㹖㰊䥄㹖胣뎛볯馼胣㲑䐯噉ਾ䐼噉㰾⁡牨晥∽〲㤰㤰ㄶ㜵琮晩㸢〲㤰㤰ㄶ㜵琮晩ꃂ〰㈰㘷⼼㹡⼼䥄㹖㰊䥄㹖胣뎛볯邼볯醀⼼䥄㹖㰊䥄㹖愼栠敲㵦㈢〰〹㘹㔱⸷楴≦㈾〰〹㘹㔱⸷楴쉦゠〰㜲㰷愯㰾䐯噉ਾ䐼噉邀鯥醼볯醼胣㲑䐯噉ਾ䐼噉㰾⁡牨晥∽〲㤰㤰ㄶ㜵琮晩㸢〲㤰㤰ㄶ㜵琮晩ꃂ〰㈰㠷⼼㹡⼼䥄㹖㰊䥄㹖胣뎛볯邼볯醀⼼䥄㹖㰊䥄㹖愼栠敲㵦㈢〰〹㘹㔱⸷楴≦㈾〰〹㘹㔱⸷楴쉦゠〰㜲㰹愯㰾䐯噉ਾ䐼噉邀鯥醼볯鎼胣㲑䐯噉ਾ䐼噉㰾⁡牨晥∽〲㤰㤰ㄶ㜵琮晩㸢〲㤰㤰ㄶ㜵琮晩ꃂ〰㈰〸⼼㹡⼼䥄㹖㰊䥄㹖胣뎛볯邼볯醀⼼䥄㹖㰊䥄㹖愼栠敲㵦㈢〰〹㘹㔱⸷楴≦㈾〰〹㘹㔱⸷楴쉦゠〰㠲㰱愯㰾䐯噉ਾ䐼噉邀鯥醼볯閼胣㲑䐯噉ਾ䐼噉㰾⁡牨晥∽〲㤰㤰ㄶ㜵琮晩㸢〲㤰㤰ㄶ㜵琮晩ꃂ〰㈰㈸⼼㹡⼼䥄㹖㰊䥄㹖胣뎛볯邼볯醀⼼䥄㹖㰊䥄㹖愼栠敲㵦㈢〰〹㘹㔱⸷楴≦㈾〰〹㘹㔱⸷楴쉦゠〰㠲㰳愯㰾䐯噉ਾ䐼噉邀鯥醼볯鞼胣㲑䐯噉ਾ䐼噉㰾⁡牨晥∽〲㤰㤰ㄶ㜵琮晩㸢〲㤰㤰ㄶ㜵琮晩ꃂ〰㈰㐸⼼㹡⼼䥄㹖㰊䥄㹖胣뎛볯邼볯醀⼼䥄㹖㰊䥄㹖愼栠敲㵦㈢〰〹㘹㔱⸷楴≦㈾〰〹㘹㔱⸷楴쉦゠〰㠲㰵愯㰾䐯噉ਾ䐼噉邀鯥醼볯馼胣㲑䐯噉ਾ䐼噉㰾⁡牨晥∽〲㤰㤰ㄶ㜵琮晩㸢〲㤰㤰ㄶ㜵琮晩ꃂ〰㈰㘸⼼㹡⼼䥄㹖㰊䥄㹖胣뎛볯醼볯醀⼼䥄㹖㰊䥄㹖愼栠敲㵦㈢〰〹㘹㔱⸷楴≦㈾〰〹㘹㔱⸷楴쉦゠〰㠲㰷愯㰾䐯噉ਾ䐼噉邀鯥醼볯醼胣㲑䐯噉ਾ䐼噉㰾⁡牨晥∽〲㤰㤰ㄶ㜵琮晩㸢〲㤰㤰ㄶ㜵琮晩ꃂ〰㈰㠸⼼㹡⼼䥄㹖㰊䥄㹖胣뎛볯醼볯醀⼼䥄㹖㰊䥄㹖愼栠敲㵦㈢〰〹㘹㔱⸷楴≦㈾〰〹㘹㔱⸷楴쉦゠〰㠲㰹愯㰾䐯噉ਾ䐼噉邀鯥醼볯鎼胣㲑䐯噉ਾ䐼噉㰾⁡牨晥∽〲㤰㤰ㄶ㜵琮晩㸢〲㤰㤰ㄶ㜵琮晩ꃂ〰㈰〹⼼㹡⼼䥄㹖㰊䥄㹖胣뎛볯醼볯醀⼼䥄㹖㰊䥄㹖愼栠敲㵦㈢〰〹㘹㔱⸷楴≦㈾〰〹㘹㔱⸷楴쉦゠〰㤲㰱愯㰾䐯噉ਾ䐼噉邀鯥醼볯閼胣㲑䐯噉ਾ䐼噉㰾⁡牨晥∽〲㤰㤰ㄶ㜵琮晩㸢〲㤰㤰ㄶ㜵琮晩ꃂ〰㈰㈹⼼㹡⼼䥄㹖㰊䥄㹖胣뎛볯醼볯醀⼼䥄㹖㰊䥄㹖愼栠敲㵦㈢〰〹㘹㔱⸷楴≦㈾〰〹㘹㔱⸷楴쉦゠〰㤲㰳愯㰾䐯噉ਾ䐼噉邀鯥醼볯鞼胣㲑䐯噉ਾ䐼噉㰾⁡牨晥∽〲㤰㤰ㄶ㜵琮晩㸢〲㤰㤰ㄶ㜵琮晩ꃂ〰㈰㐹⼼㹡⼼䥄㹖㰊䥄㹖胣뎛볯醼볯醀⼼䥄㹖㰊䥄㹖愼栠敲㵦㈢〰〹㘹㔱⸷楴≦㈾〰〹㘹㔱⸷楴쉦゠〰㤲㰵愯㰾䐯噉ਾ䐼噉邀鯥醼볯馼胣㲑䐯噉ਾ䐼噉㰾⁡牨晥∽〲㤰㤰ㄶ㜵琮晩㸢〲㤰㤰ㄶ㜵琮晩ꃂ〰㈰㘹⼼㹡⼼䥄㹖㰊䥄㹖胣뎛볯銼볯醀⼼䥄㹖㰊䥄㹖愼栠敲㵦㈢〰〹㘹㔱⸷楴≦㈾〰〹㘹㔱⸷楴쉦゠〰㤲㰷愯㰾䐯噉ਾ䐼噉邀鯥醼볯醼胣㲑䐯噉ਾ䐼噉㰾⁡牨晥∽〲㤰㤰ㄶ㜵琮晩㸢〲㤰㤰ㄶ㜵琮晩ꃂ〰㈰㠹⼼㹡⼼䥄㹖㰊䥄㹖胣뎛볯銼볯醀⼼䥄㹖㰊䥄㹖愼栠敲㵦㈢〰〹㘹㔱⸷楴≦㈾〰〹㘹㔱⸷楴쉦゠〰㤲㰹愯㰾䐯噉ਾ䐼噉邀鯥醼볯鎼胣㲑䐯噉ਾ䐼噉㰾⁡牨晥∽〲㤰㤰ㄶ㜵琮晩㸢〲㤰㤰ㄶ㜵琮晩ꃂ〰㌰〰⼼㹡⼼䥄㹖㰊䥄㹖胣뎛볯銼볯醀⼼䥄㹖㰊䥄㹖愼栠敲㵦㈢〰〹㘹㔱⸷楴≦㈾〰〹㘹㔱⸷楴쉦゠〰〳㰱愯㰾䐯噉ਾ䐼噉邀鯥醼볯閼胣㲑䐯噉ਾ䐼噉㰾⁡牨晥∽〲㤰㤰ㄶ㜵琮晩㸢〲㤰㤰ㄶ㜵琮晩ꃂ〰㌰㈰⼼㹡⼼䥄㹖㰊䥄㹖胣뎛볯銼볯醀⼼䥄㹖㰊䥄㹖愼栠敲㵦㈢〰〹㘹㔱⸷楴≦㈾〰〹㘹㔱⸷楴쉦゠〰〳㰳愯㰾䐯噉ਾ䐼噉邀鯥醼볯鞼胣㲑䐯噉ਾ䐼噉㰾⁡牨晥∽〲㤰㤰ㄶ㜵琮晩㸢〲㤰㤰ㄶ㜵琮晩ꃂ〰㌰㐰⼼㹡⼼䥄㹖㰊䥄㹖胣뎛볯銼볯醀⼼䥄㹖㰊䥄㹖愼栠敲㵦㈢〰〹㘹㔱⸷楴≦㈾〰〹㘹㔱⸷楴쉦゠〰〳㰵愯㰾䐯噉ਾ䐼噉邀鯥醼볯馼胣㲑䐯噉ਾ䐼噉㰾⁡牨晥∽〲㤰㤰ㄶ㜵琮晩㸢〲㤰㤰ㄶ㜵琮晩ꃂ〰㌰㘰⼼㹡⼼䥄㹖㰊䥄㹖胣뎛볯鎼볯醀⼼䥄㹖㰊䥄㹖愼栠敲㵦㈢〰〹㘹㔱⸷楴≦㈾〰〹㘹㔱⸷楴쉦゠〰〳㰷愯㰾䐯噉ਾ䐼噉邀鯥醼볯醼胣㲑䐯噉ਾ䐼噉㰾⁡牨晥∽〲㤰㤰ㄶ㜵琮晩㸢〲㤰㤰ㄶ㜵琮晩ꃂ〰㌰㠰⼼㹡⼼䥄㹖㰊䥄㹖胣뎛볯鎼볯醀⼼䥄㹖㰊䥄㹖愼栠敲㵦㈢〰〹㘹㔱⸷楴≦㈾〰〹㘹㔱⸷楴쉦゠〰〳㰹愯㰾䐯噉ਾ䐼噉邀鯥醼볯鎼胣㲑䐯噉ਾ䐼噉㰾⁡牨晥∽〲㤰㤰ㄶ㜵琮晩㸢〲㤰㤰ㄶ㜵琮晩ꃂ〰㌰〱⼼㹡⼼䥄㹖㰊䥄㹖胣뎛볯鎼볯醀⼼䥄㹖㰊䥄㹖愼栠敲㵦㈢〰〹㘹㔱⸷楴≦㈾〰〹㘹㔱⸷楴쉦゠〰ㄳ㰱愯㰾䐯噉ਾ䐼噉邀鯥醼볯閼胣㲑䐯噉ਾ䐼噉㰾⁡牨晥∽〲㤰㤰ㄶ㜵琮晩㸢〲㤰㤰ㄶ㜵琮晩ꃂ〰㌰㈱⼼㹡⼼䥄㹖㰊䥄㹖胣뎛볯鎼볯醀⼼䥄㹖㰊䥄㹖愼栠敲㵦㈢〰〹㘹㔱⸷楴≦㈾〰〹㘹㔱⸷楴쉦゠〰ㄳ㰳愯㰾䐯噉ਾ䐼噉邀鯥醼볯鞼胣㲑䐯噉ਾ䐼噉㰾⁡牨晥∽〲㤰㤰ㄶ㜵琮晩㸢〲㤰㤰ㄶ㜵琮晩ꃂ〰㌰㐱⼼㹡⼼䥄㹖㰊䥄㹖胣뎛볯鎼볯醀⼼䥄㹖㰊䥄㹖愼栠敲㵦㈢〰〹㘹㔱⸷楴≦㈾〰〹㘹㔱⸷楴쉦゠〰ㄳ㰵愯㰾䐯噉ਾ䐼噉邀鯥醼볯馼胣㲑䐯噉ਾ䐼噉㰾⁡牨晥∽〲㤰㤰ㄶ㜵琮晩㸢〲㤰㤰ㄶ㜵琮晩ꃂ〰㌰㘱⼼㹡⼼䥄㹖㰊䥄㹖胣뎛볯钼볯醀⼼䥄㹖㰊䥄㹖愼栠敲㵦㈢〰〹㘹㔱⸷楴≦㈾〰〹㘹㔱⸷楴쉦゠〰ㄳ㰷愯㰾䐯噉ਾ䐼噉邀鯥醼볯醼胣㲑䐯噉ਾ䐼噉㰾⁡牨晥∽〲㤰㤰ㄶ㜵琮晩㸢〲㤰㤰ㄶ㜵琮晩ꃂ〰㌰㠱⼼㹡⼼䥄㹖㰊䥄㹖胣뎛볯钼볯醀⼼䥄㹖㰊䥄㹖愼栠敲㵦㈢〰〹㘹㔱⸷楴≦㈾〰〹㘹㔱⸷楴쉦゠〰ㄳ㰹愯㰾䐯噉ਾ䐼噉邀鯥醼볯鎼胣㲑䐯噉ਾ䐼噉㰾⁡牨晥∽〲㤰㤰ㄶ㜵琮晩㸢〲㤰㤰ㄶ㜵琮晩ꃂ〰㌰〲⼼㹡⼼䥄㹖㰊䥄㹖胣뎛볯钼볯醀⼼䥄㹖㰊䥄㹖愼栠敲㵦㈢〰〹㘹㔱⸷楴≦㈾〰〹㘹㔱⸷楴쉦゠〰㈳㰱愯㰾䐯噉ਾ䐼噉邀鯥醼볯閼胣㲑䐯噉ਾ䐼噉㰾⁡牨晥∽〲㤰㤰ㄶ㜵琮晩㸢〲㤰㤰ㄶ㜵琮晩ꃂ〰㌰㈲⼼㹡⼼䥄㹖㰊䐯噉ਾ䐼噉邀鯥鮚ꫨ뮟ꃥ誑胣㲑䐯噉ਾ䐼噉㰾⁡牨晥∽〲㤰㤰ㄶ㜵琮晩㸢〲㤰㤰ㄶ㜵琮晩ꃂ〰㌰㌲⼼㹡⼼䥄㹖㰊䥄㹖愼栠敲㵦㈢〰〹㘹㔱⸷楴≦㈾〰〹㘹㔱⸷楴쉦゠〰㈳㰴愯㰾䐯噉ਾ䐼噉㰾⁡牨晥∽〲㤰㤰ㄶ㜵琮晩㸢〲㤰㤰ㄶ㜵琮晩ꃂ〰㌰㔲⼼㹡⼼䥄㹖㰊䥄㹖愼栠敲㵦㈢〰〹㘹㔱⸷楴≦㈾〰〹㘹㔱⸷楴쉦゠〰㈳㰶愯㰾䐯噉ਾ⼼潢祤ਾ⼼瑨汭ਾ